(57)【要約】本発明の実施形態では、モバイルコンテンツを再検討して関連性を判定し、該再検討されたモバイルコンテンツのモバイル通信設備への提示が前記関連性に少なくとも部分的に基づくものとなるようにする、改善された能力が説明されている。該再検討されるコンテンツは、アルゴリズム上の再検討、編集上の再検討、又はアルゴリズム上の再検討と編集上の再検討との組み合わせを受けることが可能である。該再検討されるコンテンツは、ブラックリストに載せてその提示を阻止すること、ホワイトリストに載せてそのモバイル通信設備への提示を許可すること、又はコンテンツの妥当性に少なくとも部分的に基づいて関連性スコアを与えることが可能である。再検討されるコンテンツの一部は、ユーザに提示する前に除去し又は適当なコンテンツと置換することが可能である。【選択図】図１
2010508592.tif 000002
【特許請求の範囲】
【請求項１】
モバイルコンテンツの再検討を行い、該再検討が、アルゴリズム上の再検討と編集上の再検討との組み合わせにより再検討されたモバイルコンテンツを生成するものであり、
該再検討されたモバイルコンテンツに関する情報に少なくとも部分的に基づいて検索クエリの関連性を判定し、
該関連性に少なくとも部分的に基づいて前記再検討されたモバイルコンテンツをモバイル通信設備上に提示する、
という各ステップを含む方法。
【請求項２】
前記編集上の再検討が、コンテンツタイプのカテゴライズを含む、請求項１に記載の方法。
【請求項３】
前記編集上の再検討が、前記モバイルコンテンツをブラックリストに載せることを含む、請求項１に記載の方法。
【請求項４】
前記モバイルコンテンツを前記ブラックリストに載せることにより該モバイルコンテンツがモバイル通信設備へ提示されることが防止される、請求項３に記載の方法。
【請求項５】
前記編集上の再検討が、前記モバイルコンテンツをホワイトリストに載せることを含む、請求項１に記載の方法。
【請求項６】
前記ホワイトリストが、モバイル通信設備へ提示することが可能な一組のモバイルコンテンツ中のモバイルコンテンツを含む、請求項５に記載の方法。
【請求項７】
前記編集上の再検討が、前記モバイルコンテンツ内の不要な分岐を除去する、請求項１に記載の方法。
【請求項８】
前記不要な分岐が誤ったリンクを含む、請求項７に記載の方法。
【請求項９】
前記編集上の再検討が、前記モバイルコンテンツの妥当性をチェックすることを含む、請求項１に記載の方法。
【請求項１０】
前記妥当性が、前記モバイルコンテンツにおける成人向けの内容の存在に少なくとも部分的に基づくものである、請求項９に記載の方法。
【請求項１１】
前記妥当性が、前記モバイルコンテンツにおける外国語の存在に少なくとも部分的に基づくものである、請求項９に記載の方法。
【請求項１２】
前記妥当性が、ワイヤレスキャリアの嗜好に少なくとも部分的に基づくものである、請求項９に記載の方法。
【請求項１３】
前記編集上の再検討が、少なくとも所定の判定基準に基づいてキーワード関連性を増大させることを含む、請求項１に記載の方法。
【請求項１４】
前記判定基準が地理的なロケーションである、請求項１３に記載の方法。
【請求項１５】
前記判定基準が時間である、請求項１３に記載の方法。
【請求項１６】
前記判定基準がキーワードの組み合わせである、請求項１３に記載の方法。
【請求項１７】
前記アルゴリズム上の再検討が、ウェブサイトコンテンツの再検討を含む、請求項１に記載の方法。
【請求項１８】
前記アルゴリズム上の再検討が、前記モバイルコンテンツへのインバウンドリンクの再検討を含む、請求項１７に記載の方法。
【請求項１９】
前記アルゴリズム上の再検討が、前記モバイルコンテンツからのアウトバウンドリンクの再検討を含む、請求項１７に記載の方法。
【請求項２０】
前記アルゴリズム上の再検討が、前記モバイルコンテンツのテキストの再検討を含む、請求項１７に記載の方法。
【請求項２１】
前記アルゴリズム上の再検討が、前記モバイルコンテンツのキーワードの再検討を含む、請求項１７に記載の方法。
【請求項２２】
前記アルゴリズム上の再検討が、前記モバイルコンテンツのリンク構造の再検討を含む、請求項１７に記載の方法。
【請求項２３】
前記アルゴリズム上の再検討が、前記モバイルコンテンツに関連するメタデータの再検討を含む、請求項１７に記載の方法。
【請求項２４】
前記モバイルコンテンツがウェブサイトである、請求項１に記載の方法。
【請求項２５】
前記ウェブサイトがウェブページである、請求項２４に記載の方法。
【請求項２６】
前記関連性がスコアである、請求項１に記載の方法。
【請求項２７】
前記再検討が、編集上の再検討とアルゴリズム上の再検討との組み合わせである、請求項１に記載の方法。
【請求項２８】
モバイルコンテンツの再検討を行うよう構成された再検討設備であって、該再検討が、再検討されたモバイルコンテンツを生成するためのアルゴリズム上の再検討と編集上の再検討との組み合わせである、再検討設備と、
該再検討されたモバイルコンテンツに関する情報に少なくとも部分的に基づいて検索クエリの関連性を判定するよう構成された設備と、
該関連性に少なくとも部分的に基づいて前記再検討されたモバイルコンテンツをモバイル通信設備上に提示するよう構成された提示設備と
を含むシステム。
【請求項２９】
前記編集上の再検討が、コンテンツタイプのカテゴライズを含む、請求項２８に記載のシステム。
【請求項３０】
前記編集上の再検討が、前記モバイルコンテンツをブラックリストに載せることを含む、請求項２８に記載のシステム。
【請求項３１】
前記モバイルコンテンツを前記ブラックリストに載せることにより該モバイルコンテンツがモバイル通信設備へ提示されることが防止される、請求項３０に記載のシステム。
【請求項３２】
前記編集上の再検討が、前記モバイルコンテンツをホワイトリストに載せることを含む、請求項２８に記載のシステム。
【請求項３３】
前記ホワイトリストが、モバイル通信設備へ提示することが可能な一組のモバイルコンテンツ中のモバイルコンテンツを含む、請求項３２に記載のシステム。
【請求項３４】
前記編集上の再検討が、前記モバイルコンテンツ内の不要な分岐を除去する、請求項２８に記載のシステム。
【請求項３５】
前記不要な分岐が誤ったリンクを含む、請求項３４に記載のシステム。
【請求項３６】
前記編集上の再検討が、前記モバイルコンテンツの妥当性をチェックすることを含む、請求項２８に記載のシステム。
【請求項３７】
前記妥当性が、前記モバイルコンテンツにおける成人向けの内容の存在に少なくとも部分的に基づくものである、請求項３６に記載のシステム。
【請求項３８】
前記妥当性が、前記モバイルコンテンツにおける外国語の存在に少なくとも部分的に基づくものである、請求項３６に記載のシステム。
【請求項３９】
前記妥当性が、ワイヤレスキャリアの嗜好に少なくとも部分的に基づくものである、請求項３６に記載のシステム。
【請求項４０】
前記編集上の再検討が、少なくとも所定の判定基準に基づいてキーワード関連性を増大させることを含む、請求項２８に記載のシステム。
【請求項４１】
前記判定基準が地理的なロケーションである、請求項４０に記載のシステム。
【請求項４２】
前記判定基準が時間である、請求項４０に記載のシステム。
【請求項４３】
前記判定基準がキーワードの組み合わせである、請求項４０に記載のシステム。
【請求項４４】
前記アルゴリズム上の再検討が、ウェブサイトコンテンツの再検討を含む、請求項２８に記載のシステム。
【請求項４５】
前記アルゴリズム上の再検討が、前記モバイルコンテンツへのインバウンドリンクの再検討を含む、請求項４４に記載のシステム。
【請求項４６】
前記アルゴリズム上の再検討が、前記モバイルコンテンツからのアウトバウンドリンクの再検討を含む、請求項４４に記載のシステム。
【請求項４７】
前記アルゴリズム上の再検討が、前記モバイルコンテンツのテキストの再検討を含む、請求項４４に記載のシステム。
【請求項４８】
前記アルゴリズム上の再検討が、前記モバイルコンテンツのキーワードの再検討を含む、請求項４４に記載のシステム。
【請求項４９】
前記アルゴリズム上の再検討が、前記モバイルコンテンツのリンク構造の再検討を含む、請求項４４に記載のシステム。
【請求項５０】
前記アルゴリズム上の再検討が、前記モバイルコンテンツに関連するメタデータの再検討を含む、請求項４４に記載のシステム。
【請求項５１】
前記モバイルコンテンツがウェブサイトである、請求項２８に記載のシステム。
【請求項５２】
前記ウェブサイトがウェブページである、請求項５１に記載のシステム。
【請求項５３】
前記関連性がスコアである、請求項２８に記載のシステム。
【発明の詳細な説明】
【技術分野】
【０００１】
本発明は、本開示は、モバイル通信分野に関し、特にモバイルコンテンツを再検討して関連性を決定するための改善された方法及びシステム関するものである。
【背景技術】
【０００２】
関連出願の相互参照
本出願は、以下に示す本出願人が所有する米国特許出願について優先権を主張するものである：2006年10月27日出願の米国特許出願第11/553,567号、2006年10月27日出願の米国特許出願第11/553,578号、2006年10月27日出願の米国特許出願第11/553,581号、2006年10月27日出願の米国特許出願第11/553,587号、2006年10月27日出願の米国特許出願第11/553,598号、2006年10月27日出願の米国特許出願第11/553,569号、2006年10月27日出願の米国特許出願第11/553,659号、2006年10月27日出願の米国特許出願第11/553,713号、2006年10月27日出願の米国特許出願第11/553,746号。
【０００３】
ウェブベースの検索エンジンにより駆動されるオンライン検索は、インターネット等のコンピュータネットワークの最も重要な用途のうちの１つであることが証明されている。コンピュータのユーザは、異なるユーザインタフェイス及び検索方法を用いたコンテンツを検索するための様々な検索ツールを使用することができる。状況によっては、モバイル装置のユーザは、インターネット検索ツールにアクセスしてコンテンツを検索することができる。
【発明の概要】
【発明が解決しようとする課題】
【０００４】
しかし、携帯電話等の多くのモバイル装置のユーザは、従来のオンラインでの使用を意図した検索技術を使用する場合に困難に遭遇する。かかる困難には、適正なコンテンツを表示できないことや、フルスクリーンディスプレイ、フルサイズキーボード、及び高速ネットワーク接続に適合された環境でのクエリの入力及びナビゲーション等の他の適当なアクションの実行が困難であることが含まれる。更に、インターネット検索エンジンは、現時点では、モバイル通信設備にとって最適な状態で検索結果を配信することができない。これは、かかる検索結果が、インターネット用に設計されたものであってモバイル用に設計されたものはないからである。モバイル通信装置での使用に適合された改善された検索能力が必要性とされている。
【課題を解決するための手段】
【０００５】
本発明の一態様は、モバイルコンテンツを再検討し、該再検討に少なくとも部分的に基づいて関連性を決定し、及び該関連性に少なくとも部分的に基づいてモバイル通信設備上にコンテンツを表示させるよう適応された、改善されたシステム及び方法に関するものである。システムはまた、モバイル通信設備及びコンテンツを表示するためのディスプレイを含むことが可能であり、この場合、表示されるコンテンツは、少なくとも部分的にモバイルコンテンツの再検討の結果である関連性で少なくとも部分的に決定される。
【０００６】
該方法及びシステムでは、前記再検討は、編集上の再検討とすることが可能である。該編集上の再検討は、モバイルコンテンツのブラックリストを含むことが可能である。該ブラックリストは、モバイル通信設備へモバイルコンテンツが提示されるのを防止することが可能である。代替的に、該編集上の再検討は、モバイルコンテンツのホワイトリストを含むことが可能である。該ホワイトリストは、モバイル通信設備へ提示することが可能な一組のモバイルコンテンツという形でモバイルコンテンツを含むことが可能である。代替的に、編集上の再検討は、誤ったリンクを含み得るモバイルコンテンツ内の不要な分岐を除去することが可能である。
【０００７】
本方法及びシステムでは、前記再検討は、モバイルコンテンツの妥当性のチェックを含み得る編集上の再検討とすることが可能である。該妥当性は、モバイルコンテンツにおける成人向けの内容の存在に少なくとも部分的に基づくものとすることが可能である。該妥当性は、モバイルコンテンツにおける外国語の存在に少なくとも部分的に基づくものとすることが可能である。該妥当性は、ワイヤレスキャリアの嗜好に少なくとも部分的に基づくものとすることが可能である。
【０００８】
本方法及びシステムでは、前記編集上の再検討は、地理的位置、時刻、又はキーワードの組み合わせといった判定基準に少なくとも基づいてキーワード関連性を増大させることを含むことが可能である。
【０００９】
本方法及びシステムでは、前記再検討は、アルゴリズム上の再検討とすることが可能である。該アルゴリズム上の再検討は、モバイルコンテンツに対するインバウンドリンク、モバイルコンテンツに対するアウトバウンドリンク、モバイルコンテンツのテキスト、モバイルコンテンツのキーワード、モバイルコンテンツのリンク構造、又はモバイルコンテンツに関するメタデータの再検討を含むことが可能である。
【００１０】
本方法及びシステムでは、前記再検討は、アルゴリズム上及び編集上の再検討の組み合わせとすることが可能である。
【００１１】
本方法及びシステムでは、モバイルコンテンツは、ウェブページ等のウェブサイトとすることが可能である。
【００１２】
本方法及びシステムでは、前記関連性はスコアとすることが可能である。
【００１３】
本発明の上述その他のシステム、方法、目的、特徴、及び利点は、以下の好適な実施形態の詳細な説明及び図面から当業者には明らかとなろう。
【図面の簡単な説明】
【００１４】
【図１】ワイヤレスプラットフォームを示している。
【図２】検索クエリを入力し、該クエリを操作し、及び検索結果を配信するための方法を示している。
【図３】検索クエリの非曖昧化を伴うサンプル要素を示している。
【図４】検索クエリの非曖昧化を行うための一般化された方法を示している。
【図５】検索結果に対するスポンサーシップ情報の順序づけ、表示、及び追加を行うための一般化された方法を示している。
【図６】モバイル通信検索設備を示している。
【図７Ａ】モバイル通信設備を示している。
【図７Ｂ】モバイル通信設備を示している。
【図７Ｃ】モバイル通信設備を示している。
【図８Ａ】モバイル通信設備を示している。
【図８Ｂ】モバイル通信設備を示している。
【図８Ｃ】モバイル通信設備を示している。
【図９】モバイル通信設備上での検索に関連する一連のスクリーンショットを示している。
【図１０】モバイル通信設備に関連するスクリーンショットを示している。
【図１１】ユーザのための関連する検索結果を取得し、及び該結果をモバイル通信設備上に表示させる方法を示している。
【図１２】モバイル通信設備のアドレスバーに入力された誤情報に基づくウェブサイト予測プロセスを示している。
【図１３】モバイル通信設備のアドレスバーに入力された誤情報に基づく検索クエリプロセスを示している。
【図１４】モバイル通信設備のアドレスバーに入力された誤情報に基づくウェブサイト予測プロセスを示している。
【図１５】モバイル通信設備のアドレスバーに入力された誤情報に基づくリダイレクションプロセスを示している。
【図１６】モバイル通信設備のアドレスバーに入力された誤情報を管理するためのモバイル通信プロセスを示している。
【図１７】モバイル通信設備のアドレスバーに入力された誤情報を管理するためのモバイル通信プロセスを示しており、この場合、該管理の少なくとも一部がワイヤレスプロバイダに関連して提供される
【図１８】スポンサードリンクプラットフォームを示している。
【図１９】スポンサー入力設備のユーザインタフェイスを示している。
【図２０】モバイル広告シンジケーションのためのプロセスを示している。
【発明を実施するための形態】
【００１５】
本書で開示する方法及びシステムは、モバイル通信設備分野及びコンテンツ検索分野に関するものである。
【００１６】
図１は、モバイル通信設備102へ提示するための複数のデータソース及びデータタイプに対するアクセス及びそれらの統合を容易化するためのワイヤレス検索プラットフォーム100を表している。該ワイヤレス検索プラットフォーム100は、複数のコンピュータアプリケーション、装置、部品、設備、及びシステム、並びに、様々なデータソースを含む複数のデータ設備を含む。上述したものは、中央に配置し又は地理的に分散させることが可能であり、局所的に及び／又は遠隔的に相互接続することが可能であり、及び別個の構成要素から構成すること又は組み合わせられたシステムへと一体化させることが可能である。実例となる実施形態では、ワイヤレス検索プラットフォーム100のアーキテクチャによって、モバイル通信設備102のクエリ入力システム120に入力されたユーザにより開始されたクエリの処理が容易化される。該モバイル通信設備102は、更なる処理及び／又はデータソース及び／又は１つ又は２つ以上のサーバ（コンピュータネットワークを介して送信されるデータの操作に適したHTTPサーバその他のサーバ等）等の処理設備への経路指定のために、該クエリをワイヤレス通信設備104へ又は該ワイヤレス通信設備104を介して送信する。実施形態では、ワイヤレス通信設備104は、ユーザのロケーションに関する情報（地理的なロケーション、他のロケーションへの近接性、ネットワークロケーション、又はその他のロケーション情報を含む）を生成するロケータ設備110へリンクさせることが可能である。該ロケータ設備110は、ユーザクエリに関する情報等の他の情報を、該クエリが開始されたときのユーザの地理的ロケーションに関する情報とリンクさせることを可能にする。
【００１７】
前記ワイヤレス通信設備104は、ユーザの携帯電話サービス又はその他のワイヤレス通信サービスを提供している法人又はキャリア（例えば、Verizon、AT&T、Sprint等）といったワイヤレスプロバイダ108に対して直接リンクすることが可能である。次いで、該ワイヤレスプロバイダ108は、複数の独自に所有するデータベースを有することが可能であり、該データベースは、そこからユーザに関連する情報を取得できるものであり、ユーザにより入力されたクエリに応じて適当に動作するようになっている。例えば、ワイヤレスプロバイダ108は、ユーザクエリの正しい操作を記述したキャリアビジネスルール130を含むデータベースにアクセスすることが可能である。ワイヤレスプロバイダ108は、モバイル加入者特徴112（例えば、年齢、住所、顧客履歴、電話音量、電話履歴、電話履歴のパターンその他）を含むデータベースへアクセスすることが可能であり、該モバイル加入者特徴112は次いで、インターネットにリンクし、及び該インターネットを介して更なるサーバ134及びデータソース138にアクセスすることができる。ワイヤレスプロバイダ108はまた、該ワイヤレスプロバイダ108のビジネスパートナーからの情報を含む「コンテンツ・ウォールド・ガーデン」データベース132にアクセスすることが可能であり、該データベースから、ワイヤレスプロバイダ108は、更なる広告収入又は利益分配型の収入を導出する（携帯電話の提案に関するコンテンツ、ワイヤレスプロバイダにより提供される他のサービスに関するコンテンツ、ユーザにより代金が支払われるプレミアムコンテンツ、又はモバイル通信設備に適したコンテンツ（着信音等））。ワイヤレスプロバイダ108はまた、ユーザクエリを、スポンサーデータベース128内に存在するスポンサー情報とリンクさせ、又は他のデータ設備124とリンクさせることが可能である。
【００１８】
ワイヤレス検索プラットフォーム100は、モバイル検索ホスト設備114を含むことが可能である。該モバイル検索ホスト設備114は、非曖昧化140、検索142、アルゴリズム／フィルタ144、結果148、ペアレンタル・コントロール150、プライバシー152、取引セキュリティ154、キャリアビジネスルール158、音声認識160、スポンサーシップ162、及び／又は暗黙的クエリ164のための１つ又は２つ以上の設備を、単独で又は組み合わせて含むことが可能である。検索は、（１つ又は２つ以上の暗黙的クエリと結合させることが可能な）電話アイドル画面、ワイヤレスアクセスプロトコル（WAP）サイト、若しくはモバイル店舗において、又はテキストの強調表示された選択部分から（例えば、ウェブサイト、E-mail、SMS、又はその他のフォーマットから）、開始することが可能であり、又は、検索は、他のウェブサイト又はローカルな（例えば、携帯電話その他のワイヤレス装置による）活動によりトリガすることが可能である。モバイル検索ホスト設備114は、更なるデータベース168及びデータ設備170にリンクさせることが可能である。該モバイル検索ホスト設備には、インターネットを介して、ワイヤレスプロバイダ108を介して、ワイヤレス通信設備104を介して、その他のモバイル通信設備104を介して、又はモバイル通信設備102から直接に、アクセスすることが可能である。図１に波線で示すように、モバイル検索ホスト設備114は、別個に又は組み合わせて、モバイル通信設備102上に、ワイヤレス通信設備104上に、又はワイヤレスプロバイダ108上に、ローカルに存在することが可能であり、又は、ネットワークを介して外部からアクセスすることが可能であり、又はそれ以外の態様でアクセス可能として、本書に記載する機能を実行する。
【００１９】
図１に示すワイヤレス検索プラットフォーム100は、モバイル通信設備102を含むことが可能である。該モバイル通信設備102は、モバイル通信プロトコル、システム、又は技術（例えば、AMPS(Advanced Mobile Phone System) 、CDMA（Code Division Multiple Access）、W-CDMA（Wideband Code Division Multiple Access）、GSM（Global System for Mobile Communications）、UTMS（Universal Mobile Telecommunications System）、iDEN（integrated Digital Enhanced Network）、及び／又はTDMA（Time Division Multiple Access））を用いた装置（例えば、携帯電話、Blackberry、ワイヤレス電子メール装置、PDA、又はこれら複数の装置を組み合わせた装置）とすることが可能である。モバイル通信設備102は、１つ又は２つ以上のチップセット（BREWチップセット及び／又はオペレーティングシステム等）及び／又はBluetooth技術を用いた装置とすることが可能である。
【００２０】
実施形態では、モバイル通信設備102は、携帯電話、セルラー電話、衛星電話、トランシーバ、ハンドヘルド装置、PDA、モバイルネットワークアプライアンス、又はE-mail、インスタントメッセージング、若しくはチャット装置といった（但しこれらには限定されない）、ワイヤレス通信可能なあらゆる装置とすることが可能である。モバイル通信設備102の電話による実施形態は、セルラー電話、衛星電話、ストレートフォン（すなわち「チョコバー型」電話）、折り畳み式電話（すなわち「シェル型電話」）、スライディングトップ型電話、ワイヤレス電話、3G電話、GPS電話、MP3電話、ミュージックフォン、又はその他のモバイル電話用オペレーティングシステムであってMIDP互換ソフトウェアを用いるもの（Symbian）、又は他の独自の（例えば、Nokia、Sony Ericsson、Motorola、LG、Samsung、Sanyo、又は Toshiba製の）オペレーティングシステムとすることが可能である。モバイル通信設備102のPDAによる実施形態は、PDA/電話複合機、及び／又はGPS PDAとすることが可能であり、Palm、Windows、PocketPC、Psion、及び／又はPocketLinuxを含むオペレーティングシステムを用いることが可能である。モバイル通信設備102のモバイルネットワークアプライアンスによる実施形態は、ウェブアプライアンス、ネットワークアプライアンス、又はGPSネットワークアプライアンスとすることが可能である。モバイル通信設備102のE-mail、インスタントメッセージング、及びチャット装置による実施形態は、Blackberry、Treo、又はSideKick等のアプライアンスを含むことが可能である。該装置は更に、又は代替的に、例えばWiFi、WiMax、又はセルラーデータ通信を使用してデータネットワークにワイヤレス接続される、ラップトップコンピュータ等のポータブルコンピュータを含むことが可能である。
【００２１】
モバイル通信設備102は、クエリ入力120又はボイス入力122の結果として、データソースからのデータの収集を容易化することが可能である。クエリ入力120は、数字キーパッド入力、モバイル装置のフルキーボード入力（例えば、Blackberry又はTreo装置で見られるもの）、モバイル装置の部分キーボード入力（例えば、各２文字につき１つのキーしか使用しないBlackberry装置で見られるもの）、スタイラス／手書き入力、バーコードスキャナ入力（2Dバーコード又は3Dバーコード：「QRコード」）、又はセルラー電話のカメラを使用した写真入力を、他のナビゲーション設備（例えば、スタイラス、矢印キー、スクロールホイール等）を介して、又はコンピュータネットワークへのアクセスを介して、例えば、物理的な接続（例えば、Ethernetその他のネットワークケーブル、ワイヤ、又はその類）を介して、又は赤外線、RF、Bluetooth、又はその他のワイヤレスクエリ入力を介して使用して、達成することが可能である。実施形態では、低速のネットワークを介したデータ通信を加速させるべく、モバイル通信設備への通信は、サーバで圧縮し、モバイル通信設備で解凍することが可能である。
【００２２】
図１を参照すると、モバイル通信設備は、アドレスバー174に適合させることが可能である。該アドレスバー174は、例えば、クライアントアプリケーションインタフェイスを使用して生成することが可能である。該アドレスバーは、モバイル通信設備102に付随する表示装置上のグラフィカルユーザインタフェイス内に提示することが可能である。アドレスバー174は、URL、ウェブサイト、キーワード、及び検索ターム等をユーザが入力することを可能にするよう提供することが可能である。実施形態では、ユーザにアドレスバー174が提供され、該ユーザは既知のURL（例えばwww.jumptap.com）をアドレスバーに入力することが可能である。入力すると、ユーザは、該URLに関するウェブサイトとのモバイル通信設備102の接続を容易にするための処理を開始させることが可能である。例えば、該処理には、入力されたURLを有するウェブサイトをインターネット上で検索することが含まれる。見つかると、該ウェブサイトをロードして該モバイル通信設備102に付随する表示装置上に表示させることが可能である。
【００２３】
モバイル通信設備のボイス入力122の機能は、該モバイル通信設備102のスピーカ・レシーバ装置を介して、又は標準的なSMS辞書及び構文を使用することにより、使用することが可能であり、該機能は、モバイル加入者特徴データベース112に格納され及びそこからアクセスされる個々のユーザのボイスコマンド及び使用パターンに適合させることが可能である。ボイス入力122の機能は、ボイスダイヤリング、ボイスメモ、音声認識、言語認識、又は可聴入力に関連する他の機能を可能とするものである。
【００２４】
モバイル通信設備102は、Series 60 (Symbian)、UIQ（Symbian）、Windows Mobile for Smartphone、Palm OS、及びWindows Mobile for Pocket PCを含む、様々なオペレーティングシステムを使用して動作させることが可能である。モバイル通信設備102により使用される表示形式は、白黒LCD、グレースケールLCD、カラーLCD、カラーSTN LCD、カラーTFT/TFD LCD、プラズマ、LED、OLED、バックライト式蛍光体、バックライト式LED、プロジェクション、フラットスクリーン、パッシブマトリクス、アクティブマトリクス、又はタッチスクリーンとすることが可能である。スクリーンサイズは、小、中、又は大とすることが可能である。更に、モバイル通信設備102は、（シェル型携帯電話が閉じられているため）第１の表示装置が見えないときにユーザが見ることができる第２の表示装置（シェル型携帯電話の外側に配置されるようなもの）を有することが可能である。実施形態では、モバイル通信設備102は、２つ以上の第２の表示装置を有することが可能である。
【００２５】
モバイル通信設備102は、MMC（マルチメディアカード）、MMC/SD（Secure Digital）、RS-MMC 3v、RS-MMC 1.8v/MMCモバイル、miniSD、TransFlash/microSD、USBベースのメモリデバイス、SIMカード、又はメモリースティックDuoといった拡張カードに適応するために、１つ又は２つ以上のポート、スロット、又は同様の設備を含むことが可能である。モバイル通信設備102はまた、GPRS、EGPRS（EDGE）、１×EV-DO r0、WCDMA（UMTS）、又はiDENプロトコルを用いることにより、高速データ通信に適応することが可能である。モバイル通信設備102の更なる特徴は、以下の何れかを含むことが可能である：ハードディスクドライブ、GPS/ロケーション能力、GAIT、FMラジオ、赤外線技術、統合型PDA、Java(J2ME)、MMS、ミュージックプレーヤ、ポリ又はモノ着信音能力、予測テキスト入力、プッシュ・ツー・トーク技術、リンガーID、リンガープロファイル、サイドキー、スピーカ電話、syncML、テキストキーボード、テキストメッセージング、テキストメッセージングテンプレート、to-doリスト生成、タッチスクリーン、USBポート、WiFi技術、及びワイヤレスインターネット。モバイル通信設備102はまた、PIMデータ、IMログ、MMSログ、SMSログ、E-mailログ、ダウンロードされたメディア、及び示唆及び結果キャッシュを格納するためのデータ設備118を含むことが可能である。モバイル通信設備102は、マルチメディアアプリケーションやワードプロセシングアプリケーション等のアプリケーションを実行することができるオペレーティングシステムを含むことが可能である。
【００２６】
モバイル通信設備102は、内部アンテナ、スタブアンテナ、パッチアンテナ、アンテナアレイ、スタブ／伸長可能アンテナ、又は伸長可能アンテナを使用することにより、ワイヤレス通信設備104、モバイル加入者特徴データベース112、及び／又はモバイル検索ホスト設備114のうちの何れかとの間でデータを送受信することが可能である。
【００２７】
モバイル通信設備102は、グラフィックデータを捕捉して、ワイヤレス通信設備104、モバイル加入者特徴データベース112、及び／又はモバイル検索ホスト設備114のうちの何れかへ送信することを可能にする、内蔵カメラを有することが可能である。該カメラの解像度は、以下の何れかとすることも、他の適当なカメラ解像度とすることも可能である：CIF（352×288）、VGA（640×480）、SVGA（800×600）、１＋メガピクセル、２＋メガピクセル、又は３＋メガピクセル。モバイル通信設備102のグラフィック能力はまた、EMSピクチャメッセージング、ピクチャID、ビデオキャプチャ、ビデオ電話、ビデオメッセージング、PictBridge、及び／又はマルチメディアストリーミングを含むことが可能である。
【００２８】
モバイル通信設備102は、該モバイル通信設備102を光学マウス及び／又は有線マウスを介して使用することを可能にするハードウェア及び／又はソフトウェア要素を含むことが可能である。
【００２９】
図１に示すワイヤレス検索プラットフォーム100は、ワイヤレス通信設備104を含むことが可能である。該ワイヤレス通信設備104は、例えば、ユーザのクエリを経路指定するセルラー電話タワーとすることが可能である。該ワイヤレス通信設備104は、ワイヤレスプロバイダ108、ロケータ設備110、又はモバイル検索ホスト設備114と関連させることが可能である。ワイヤレス検索プラットフォーム100はワイヤレスプロバイダ108を含むことが可能である。
【００３０】
図１に示すワイヤレス検索プラットフォーム100は、モバイル通信設備102のユーザに関する地理的なロケーションデータ又はその他のロケーションデータの収集を可能にするロケータ設備110を含むことが可能である。該ロケータ設備110は、(i)セル及びセクタIDに関する情報を収集するセル・セクタシステム、(ii)モバイル通信設備102内のGPSチップセットを用いたA-GPS（Assisted GPS）技術、(iii)標準的なGPS技術、(iv)サーバ上及びモバイル通信設備102内に存在するソフトウェアを使用し、地理的に分散したワイヤレス通信設備104により受信される時間差の信号送信を用いてユーザのロケーションを正確に突き止める、E-OTD（Enhanced-Observed Time Difference）技術、(v)TDOA（Time Difference of Arrival)）、(vi)TOA（Time of Arrival）、(vii)AOA（Angle of Arrival）、(viii)TDOA-AOA、(ix)セルラー信号の三角形分割（triangulation）、(x)放送TV信号の受信に基づく三角形分割、(xi)推測航法に基づくロケーション、(xii)既知のロケーション（他のモバイル通信設備のロケーションを含む）に対する近接性に基づくロケーション、(xiii)地図ベースのロケーション、又は上記の任意の組み合わせ並びに当業者に周知の他のロケーション設備に基づくものとすることが可能である。
【００３１】
実施形態では、モバイル通信設備102は、ロケータ設備110（例えばGPSシステム）を使用して、その現在位置でそれ自体のロケーションを突き止め、又は、PIMデータ、ロケーション履歴、若しくは以前の検索によって明示的に記述され又は判定されたか否かにかかわらず、ユーザが感心を示すロケーションを突き止めることが可能である。実施形態では、ロケーションは、配布や処理等のためにロケータ設備110へ送り返すことが可能である。また、地理情報システムを使用して、ポリゴン、ロケーション半径検索、ルート計算、POI（Points of Interest）、及び／又はジオコーディング（geocoding）及び逆ジオコーディングで、ロケーションポイントを判定することが可能である。実施形態では、ユーザのロケーションは、該ユーザがワイヤレスプラットフォーム内に自分で入力することも可能である。例えば、ユーザは、住所、郵便番号、又はその他のロケーション情報をタイプ（又は音声認識システムを介して話すことにより）入力することが可能である。
【００３２】
一実施形態では、ロケータ設備としてGPSシステムを使用することが可能である。該GPSシステムは、一日に２回地球を周回する原子時計を支持する１グループの衛星（＞20）から構成される。地球上の観測所が、前記衛星の運動に関する軌道データを記録する。全地球位置を決定するために、GPSレシーバ（例えば、モバイル通信設備の内部に配設されたもの）は、GPS衛星のうちの４つと通信を行わなければならない。該レシーバは、４つの衛星の各々からの距離を計算して、その経度、緯度、高度、及び時刻を求める。該レシーバは、ローカル時刻と衛星信号が送信された時刻との差を計算し、次いでそれら無線信号と内部的なデータベースとから衛星のロケーションをデコードすることにより、４つの衛星の各々に対する距離を計算する。GPSレシーバのロケーションは、４つの衛星により生成される４つの球の交差点において特定され、この場合、該球の各半径は、衛星とレシーバとの間の時間遅延に無線信号の速度を乗算した値に等しくなる。その差は、２枚の回転双曲面の３つの計算を可能とし、その交差点は、レシーバの正確なロケーションを提供するものとなる。レシーバの高度が既知である場合には、３つの衛星のみを使用して正確なロケーションを計算することが可能である。
【００３３】
図１に示すワイヤレス検索プラットフォーム100は、モバイル通信設備102の個々のユーザに関するモバイル加入者特徴112を含むデータ設備を含むことが可能である。このデータは、個人がワイヤレスアカウントを開設した際にワイヤレスプロバイダ108により収集されたデータ（例えば、年齢、性別、人種、宗教、市外局番、自宅住所、勤務先住所、請求書送付先住所、クレジットカード情報、パスワード、家族情報（例えば母の旧姓）、出生地、運転免許証番号、使用者、地位、年収、所得階層、購入済アイテム、友人及び家族情報（上記のタイプの情報の何れかを含む）等）を含むことが可能である（但しこれらには限定されない）。モバイル加入者特徴設備112は、継続的に、又は定期的に、個々のユーザに関するデータ（例えば、請求金額、平均請求総額、支払履歴、定時支払履歴、オンライン利用額、オンライン対話期間、オンライン対話回数、家族状態及び家族情報、子供の数、買物の習慣（例えば商品及びサービスの参照又は購入）、クリックストリーム情報、装置タイプ及び装置バージョン、装置特徴、使用パターン（ロケーション、時刻、又はその他の変数に基づくものを含む）、装置及び／又は加入者の一意の識別子、コンテンツ参照履歴、提示されてユーザにより参照され／参照されなかったコンテンツ、ダウンロードされたコンテンツ及びプログラム、聴かれ及び／又はダウンロードされたビデオ、音楽、及びオーディオ、視聴されたテレビ、参照／ダウンロードのタイミング及び期間、取引履歴、及び他のあらゆるユーザ特徴又はユーザ定義特徴）を更新することが可能である。物理的な商品の購入は、ワイヤレスプロバイダ108に支払請求サイクルの一部としてユーザのクレジットカード情報を収集させ、及び商品の取引を該ユーザに対する該ワイヤレスプロバイダの請求に自動的に追加することにより、該ワイヤレスプロバイダ108によって容易化することが可能である。
【００３４】
モバイル加入者特徴112データベースはまた、電話の使用及びロケーションに関するデータを追跡することが可能である。例えば、収集されるデータは、発信した通話の履歴、受信した通話の履歴、該ユーザとの間で通話を行った者のモバイル加入者特徴、通話時間、電話、インターネット、E-mail、インスタントメッセージング、又はチャットを介して行った通信の履歴（及びこれらの技術により通信したエンティティ）、各通話時に地理／ロケーション情報とリンクして行われた通話の履歴、電話番号のログ、及びモバイル通信設備102を使用して行われたクリック及びクリックスルー（又はその他のキーストローク若しくはそれと等価なユーザインタフェイス（ボイス起動式アクションを含む））の履歴を含むことができる。
【００３５】
図１は、本発明の原理によるスポンサーデータベース128に関連するスポンサーシップ設備174を示している。スポンサーシップ設備174は、法人、個人、又は本書で説明するように結果のスポンサーとなる他の何らかのエンティティにより配設することが可能である。
【００３６】
図１に示すワイヤレス検索プラットフォーム100は、モバイル検索ホスト設備114を含むことが可能である。該モバイル検索ホスト設備114内には、非曖昧化設備140、検索設備142、アルゴリズム設備144、結果設備148、ペアレンタル・コントロール設備150、プライバシー設備152、取引セキュリティ設備154、キャリアビジネスルール設備158、音声認識設備160、スポンサーシップ設備162、及び／又は暗黙的クエリ設備164を含む（但しそれらには限定されない）、他の設備が存在することが可能である。モバイル検索ホスト設備114は、別のデータ設備170にリンクすることも可能である。
【００３７】
非曖昧化設備140は、曖昧なアクティブなユーザ入力を完成させ又は該入力に一層多くの意味を提供することが可能である。該非曖昧化設備140は、SMS用語翻訳、一単語の冒頭サブストリングの完成、複数の単語のサブストリングの完成、語幹の完成（例えば単数形式から複数形式、動詞から動名詞）、同音異義語又は類義語についてのシソーラスのルックアップ、スペルチェックアルゴリズム、スペルチェックテーブル、音声スペリングアルゴリズム、音声スペリングテーブル、電話番号キーパッド→単語変換（番号のシーケンスによる考え得るサブストリングの完成を含む）、頻度ベースのアルゴリズム、語義解析アルゴリズム、ロケーションベースのアルゴリズム、又はユーザにより入力されたクエリ若しくは部分的なクエリの意味に関する曖昧さを低減させるための他のアルゴリズム又は設備を含むことが可能である。
【００３８】
検索設備142は、例えばクエリ（随意選択的に非曖昧化されたクエリ）を検索設備（検索エンジン等）上で実行させることにより、検索を開始させることが可能である。該検索エンジンは、ブール検索ロジック、結果のカテゴリ、ターム頻度、ドキュメント頻度、類似するクエリを入力した他のユーザにより選択されたドキュメント、もしくは考え得る結果のリンク構造に基づく検索設備、又は他の既知の任意の検索アルゴリズムを用いる他の既知の任意の検索設備とすることが可能である。
【００３９】
モバイル検索サービス（例えば本書で開示するようなもの）には、携帯電話、セルラー電話、衛星電話、ＧＳＭ電話、又は他の種類の電話機等のモバイル通信設備102のユーザインタフェイスを介してユーザによりアクセスすることが可能である。該モバイル通信設備102は、該モバイル検索サービスにアクセスするようアクティブ化させる必要がある。モバイル通信設備102は、ユーザが所定のアクションを実行することによりアクティブ化させることが可能である。該アクションは、モバイル通信設備102の実施形態となる様々な電話機毎に異なるものとすることが可能である。例えば、フリップ式又は折り畳み式電話機は、該電話機を非折り畳み状態にし又はフリップさせて開くことによりアクティブ化させることが可能である。別の例では、ストレートフォンは、キーパッド上の１つのキーを所定時間にわたり押し続けることによりアクティブ化させることが可能である。スライディング・トップ又はツイスト・トップ式電話機は、それぞれ、トップ部分をスライドさせ又はツイストさせて、その電話機のユーザインタフェイスをあらわにすることにより、アクティブ化させることが可能である。かかる電話機の実施形態に基づく他のアクティブ化方法もまた実施可能である。電話機は、その電源を投入することによりアクティブ化させることが可能である。電話機の電源投入には、電話機への電池の取り付け、卓上充電器又は自動車の充電器等の電源へ電話機をプラグインすること、電話機の電源スイッチを操作すること、及び最小限の時間にわたり電話機のユーザインタフェイス上のキーを押し続けること等が含まれる。電話機は、該電話機をロック解除することによりアクティブ化させることが可能であり、該ロック解除は、ユーザが電話機のユーザインタフェイスを介してアクティベーションコードを入力することにより、又は電話機のマイクに向かってアクティベーションコードを話すことにより、行うことが可能である。
【００４０】
電話機のアクティブ化は、電話をかけること、電話を受けること、ユーザインタフェイスのメニューを操作すること、及びモバイル検索サービスを使用することといった、１つ又は２つ以上の特徴及び機能にユーザがアクセスすることを可能にする。幾つかの特徴及び機能（通話履歴の再確認等）は、ユーザが最初にユーザインタフェイスを介して該特徴又は機能をアクティブ化することを必要とする。他の特徴は、電話機がアクティブ化された際に直ちにアクティブ化させることが可能である。一例として、ユーザは、最初に電話機の通話機能をアクティブ化させることなく直ちに電話番号を入力して通話を開始させることができる。
【００４１】
実施形態では、モバイル検索サービス（例えば本書で説明するようなもの）は、電話機がアクティブ化された際に直ちにアクティブ化させることが可能である。モバイル通信設備102のユーザインタフェイスの検索ボックス908を介してアクセスされるモバイル検索サービスは、その電話機がアクティブ化された際にアクティブ化させることが可能であり、これにより、ユーザは直ちに検索ボックス908に検索アイテムを入力することができるようになる。一例として、ユーザがフリップ式電話機をフリップさせて開いた直後に、モバイル検索サービス用検索ボックス908を提示しアクティブ化させて、ユーザインタフェイスを介してクエリ入力120を検索ボックス908内に入力することが可能となるようにすることが可能である。この実施形態では更に、ユーザは、フリップ式電話機をフリップさせて開き、及び該電話機のユーザインタフェイスを介してローカルなスポーツチームの名称を直ちに入力することが可能である。モバイル検索サービスは、電話機のユーザインタフェイスを介して検索結果を提供することが可能である。電話機がアクティブ化された直後にユーザインタフェイスからの入力を受容する検索ボックス908に加えて、モバイル検索サービス用検索ボックス908はまた、ボイス入力122を受容することが可能である。
【００４２】
モバイル検索サービス用検索ボックス908及びそれが受容する入力は電話機の表示装置上に提示され、該表示装置は、電話機のキーパッド及びボイス入力モードの現在の状態のインジケータ（ユーザインタフェイスを介して制御されるもの）を含むことも可能である。実施形態では、該インジケータは、電話機が電話をかけること又は受けることが可能となったとき、及びモバイル検索サービスへアクセスすることが可能となったときを指示することが可能である。該インジケータは、検索ボックス908の一態様とすることが可能であり、又は電話機の表示装置上の別個の表示とすることが可能である。一例として、検索ボックス908は、電話機の状態が電話の発信及び受信が可能な状態であるときに該ボックス内にコントラストを低下させた入力（例えば灰色表示の入力）を表示することが可能である。別の例では、検索ボックス908は、電話機がモバイル検索サービスにアクセスすることが可能となったときに入力の位置で点滅するカーソルを含むことが可能である。電話機通話／検索サービス状態インジケータは、モバイル通信設備102がアクティブ化されており、ユーザインタフェイス表示はアクティブであるが、電話の初期化処理（例えばワイヤレスネットワークへの接続）が完了していない場合に、有益なものとなる。一例では、モバイル検索サービス用検索ボックス908は電話機がアクティブ化された際に直ちに表示させることが可能であるが、該ボックス908のアクティブ化は、時間的に近接して（例えば該電話機をアクティブ化させる５秒間以内に）行うことが可能である。
【００４３】
アクティブ化時に、モバイル検索サービス用検索ボックス908は、ネットワーク検索ボックス、ワイヤレスキャリアのウォールド・ガーデン・コンテンツ132用検索ボックス、又はその他のモバイルコンテンツ用検索ボックスの何れかとして予め決定することが可能である。代替的に、ユーザは、ユーザインタフェイスの機能を介して、アクティブ化時の検索ボックス908のタイプを選択することが可能である。代替的に、そのユーザによる選択は一時的なものとすることが可能であり、この場合、モバイル検索サービス用検索ボックス908は、その電話機が次にアクティブ化される際に所定の選択に戻る。該モバイル検索サービス用検索ボックス908は、一般的な検索とすることが可能な検索バーティカルに関するものとすること可能であり、又は次のうちの１つ又は２つ以上のバーティカル検索に関するものとすることが可能である：着信音、イメージ、ゲーム、イエローページ、天気、ホワイトページ、ニュース・ヘッドライン、WAPサイト、ウェブサイト、映画開演時刻、スポーツスコア、株価、フライト時刻、地図、方向、価格比較、WIFIホットスポット、貨物追跡、ホテル料金、ファンタジースポーツ通算成績、占星術、回答、辞書、市外局番、郵便番号、エンターテイメント、ブログ、及びその他のバーチカル検索に関連するモバイルコンテンツ。
【００４４】
モバイル通信設備102は、外部リソースに対する接続のためにネットワークに依存することが可能である。ネットワークは、ときおり、通信状態の劣化又は通信の完全な途絶を経験する。かかる事象は、モバイル通信設備102を用いてモバイルコンテンツを検索するという本質的な利益を損ない得るものである。しかし、重要な情報、関連する情報、現在の情報、タイムリーな情報、人気の情報、又はその他の特徴となる情報（モバイルコンテンツ等）を保持するようにモバイル通信設備102のリソースを管理することにより、該モバイル通信設備102は、それ自体に接続しているネットワークが使用不能状態になった場合であっても、利益の少なくとも一部を維持することが可能である。更に、モバイル通信設備102上に存在するコンテンツと存在しないコンテンツとを区別し、及びその両者のための検索ボックスを提供することにより、コンテンツを一層効率的に配信してユーザに提示することが可能となる。
【００４５】
ワイヤレスネットワークの問題は、多くのユーザが経験するものである。ネットワークプロバイダ108は、ワイヤレスネットワークのサービスエリアや信頼性を増大させようとするが、あらゆる場所に途切れないサービスを提供するには幾つかの障壁（行政上の障壁等）が存在する。更に、ワイヤレスネットワーク上の装置のユーザは、ネットワークサービスの使用料を支払う場合がある。それ故、モバイル通信設備102のユーザは、検索クエリを遂行するためにネットワークリソースとローカルリソースとの間で選択を行うことを好む可能性がある。ワイヤレスネットワークの本来のサービスエリアの外部でローミングを行っているネットワークユーザは、非常に高いネットワーク使用料が請求される場合があり、それ故、これを慎重に抑止することを望む可能性がある。
【００４６】
モバイル通信設備102等の装置を接続するためのワイヤレスネットワーク要件は、ユーザの装置がローカルワイヤレスネットワークと接続できないよう異なるものとなる。これは、GSMのみのネットワーク内におけるディジタルCDMAセルラー電話に関する既知の問題である。検索クエリを遂行するのに役立つモバイルコンテンツその他の情報がモバイル通信設備102上にローカルに格納されていてユーザがそのローカルに格納されているコンテンツの範囲内で検索を実行することが可能な状況では、該モバイル通信設備102の検索能力は、該ユーザに対して少なくとも幾らかの利益を依然として提供することが可能である。
【００４７】
ネットワークに接続されると、モバイル通信設備102は、モバイル検索ホスト設備114のリソース（検索設備142等）を使用してモバイルコンテンツクエリを実行することが可能である。代替的に、又は検索設備142と協働して、モバイル通信設備102は、検索エンジン等のインターネット検索設備を利用することが可能である。ワイヤレスプロバイダ108はまた、クエリ検索能力を提供することが可能であり、これにより、モバイル加入者特徴112、広告主データ174、及びウォールド・ガーデン132コンテンツといった該ワイヤレスプロバイダ108にとって入手可能な情報をモバイル通信設備102上でユーザが入力したクエリに基づいて検索することが可能となる。
【００４８】
ネットワークから切断されると、それらリソース、モバイルコンテンツ、データ、及び特徴等は、検索クエリを完了させるためにモバイル通信設備102が利用することができなくなる。それ故、モバイル通信設備102は、ローカルリソースを検索して検索クエリを完了させる検索能力及び機能を含むことが可能である。該ローカル検索クエリ機能は、ネットワーク又はリモート検索を補足することが可能であり、又はネットワークに接続されていて該ネットワークが完全に機能している場合であっても該ネットワークとは別個に実行することが可能である。
【００４９】
ローカル検索クエリ機能はまた、ネットワークリソースがアクセスできない情報を見つける際に有用なものとなり得る。モバイル通信設備102上にローカルに格納されている情報（キャッシュされているコンテンツ、データファイル、コンフィギュレーションデータ、プログラム、削除されたアイテム、プライベートアイテム等）は、ローカル検索クエリ機能から検索することが可能である。
【００５０】
モバイルコンテンツ又はそれに対する参照をローカルで見つけることができる場合には、ローカル検索はモバイルコンテンツを見つけるのに有用なものとなる。それ故、検索可能な格納されたモバイルコンテンツを提供することは、ローカルモバイルコンテンツ検索の有効性にとって有益なものとなり得る。ローカルストレージは、モバイル通信設備102に関して本書で開示するあらゆる全ての格納能力及び設備（データ設備118の１つ又は２つ以上の外部ポートに接続することが可能なリムーバブル記憶装置を含む）を含むことが可能である。
【００５１】
ローカル検索を容易化し得るローカルに格納された情報は、ユーザ又は外部ソースを出所とすることが可能である。該外部ソースは、本書で説明するようにネットワークとすることが可能である。該ネットワークからの情報は、検索クエリに対する応答として、ウェブページに関連するスポンサードコンテンツとして、RSSフィードとして、又はその他の理由で、モバイル通信設備102へ供給された、モバイルコンテンツを含むことが可能である。ローカルに格納される情報は、モバイル通信設備102へ供給されたコンテンツとすることが可能であり、又はヘッダデータ、メタデータ、又は検索クエリ結果（ウェブサイトのリスト等）とすることが可能である。
【００５２】
検索クエリに対する有用かつ関連する応答を促進させるためのローカル格納リソース内の情報の維持は、本書で説明するようにキャッシュ設備により行うことが可能である。かかるキャッシュ設備は、ネットワークから取り出した情報（モバイルコンテンツ等）の格納及び維持を提供することが可能であり、これによりキャッシュした情報がときおり更新されて、その関連性及び値が維持される。モバイル通信設備102がネットワークに接続されていない場合には、ローカル検索設備がローカルな結果をユーザへ提示することが可能である。しかし、そのクエリを入力されたものとして記録して、モバイル通信設備102が再びオンラインになった際に、該クエリをネットワークリソースへ提供し、これにより、ローカルに格納されている情報を更新させることが可能である。これは、（最近のユーザの検索クエリを満たすものであるため）ユーザとの関連性を有するようにローカル情報を維持するのを容易化するものとなり得る。
【００５３】
ローカル検索設備はまた、ネットワーク通信を必要とすることなく検索クエリに対して応答を提供するので、ネットワークリソースよりも検索クエリに対して一層タイムリーな応答を提供することが可能である。これは、ネットワーク検索が進行している間にユーザが検索クエリの結果を再検討し該結果と対話することを可能とする。モバイルコンテンツの動的な性質に少なくとも部分的に起因して検索結果が迅速に変化する場合には、ローカルストレージからの検索結果をそういうものとしてユーザに識別させることが可能である。ローカルな結果はまた、該結果のユーザによる理解を容易化すべく他の態様で識別させることが可能である。例えば、最小時間量（例えば２日間）よりも前に最後に更新されたローカルな結果を、モバイル通信設備102の表示装置上のアイテムを黄色等の対照的な色を用いて強調表示することにより、識別させることが可能である。結果が最大時間（例えば１週間）よりも旧い場合には、該結果を赤で強調表示することが可能である。このようにして、ユーザは、クエリの結果を再検討し、ローカルな結果を識別し、及びローカルな結果の旧さを識別することができる。モバイル通信設備102のユーザインタフェイスは、設備102がネットワークに接続されている際に、ローカルな結果について更新結果の選択を提示することが可能である。
【００５４】
ネットワークに接続し及びユーザがローカルな結果を選択した際に、モバイル通信設備102は、ネットワークリソースの検索結果からダウンロードされた対応するリンクを自動的に使用することが可能である。これは、ローカル検索結果に関連する最新のモバイルコンテンツにユーザがアクセスするのを容易化することが可能である。一例として、ユーザは、近くの映画館を検索して、今晩何が上映されているかを見ることが可能である。ローカル検索結果は、映画館の名称と該映画館にアクセスするためのリンクのリストを表すことが可能である。該リンクは、モバイル通信設備102のキャッシュ内に格納されているリンクに関連する旧いリストではなくウェブサイト上の現在の映画のリストをユーザに案内することが可能である。
【００５５】
上記では、ローカル検索設備を用いてローカル情報をネットワーク検索結果と統合させるための幾つかの選択肢について説明した。その代替策として、ネットワークリソース並びにモバイル通信設備102上にローカルに格納された情報及びモバイルコンテンツについて検索を実行するネットワーク検索設備が挙げられる。該ネットワーク検索設備が全ての利用可能なコンテンツ（モバイル通信設備102上のコンテンツを含む）を検索することにより、ユーザに提示される検索結果は、統一され更新された表現でローカル及びネットワークを統合させたものとなる。
【００５６】
ローカル及びネットワーク検索を組み合わせた検索クエリに応じた更新情報の提示を容易化するために、ローカル検索結果とネットワーク結果との同期を実行することが可能である。該同期は、必要となるネットワーク通信量を大幅に削減し、それ故、低速又は低性能のネットワーク環境で有用なものとなる。モバイル通信設備102は、ローカル検索結果に関する基本情報（例えばURL及び日付）を検索設備142等のネットワークリソースへ送ることが可能である。該検索設備142は、このデータをネットワーク検索結果と比較して、ローカルな結果よりも新しい日付を有する一致するURLを有する結果のみをモバイル通信設備102へ送ることが可能である。ネットワーク検索設備はまた、ローカルで見つからなかった結果を送ることが可能である。このように、不必要なネットワーク帯域幅を使用することなく、ネットワークリソースを使用して、検索クエリに対する応答に最新情報が含まれることを確実にすることが可能である。
【００５７】
ネットワークトラフィックを削減し、ひいては良好なネットワーク接続への依存性を低減させるための、もう１つの選択肢として、モバイル通信設備102上にローカルに格納されている全てのコンテンツの現在のリストを維持するネットワークリソースが挙げられる。この選択肢では、ネットワークリソースは、ローカルで見つけることができない結果のみをモバイル通信設備102へ送る。モバイル通信設備102がローカルリソースからの検索結果を提供することに依存することにより、ネットワークに対する依存性を低下させることが可能となる。ユーザにより入力されたクエリに応じたネットワークからの検索結果は、モバイル通信設備102上にローカルに格納することが可能である。これは、ユーザが、ローカル検索設備を使用して、ネットワーク検索結果内でローカルに検索を行うことにより、ネットワーク検索を更にリファインすることを容易にする。かかる検索は、「Smith」についての結果のリスト中から名前「Andrew K Smith」を見つけるのに有用なものとなる。モバイル通信設備102のローカル検索設備は、後続の検索が早期の検索のリファインであってローカルリソースを自動的に検索することが可能であることを判定することが可能である。ローカル検索設備は、後続の検索の検索クエリを早期のありとあらゆる検索クエリと比較して上記判定を行うことが可能である。
【００５８】
ネットワーク検索設備を使用してモバイル通信設備102上のローカルストレージを検索することに加えて、モバイル通信設備102上にローカルに格納されているありとあらゆる情報を本書で説明するようなネットワークストレージ設備へアップロードすることが可能である。次いで、該アップロードされた情報は、該情報に付与された所与のプライバシーレベルに基づいてネットワーク検索に含めることが可能となる。該アップロードされた情報は、モバイルコンテンツ、ユーザデータ、プレーリスト、クエリ、ユーザ履歴、コンフィギュレーションファイル、データベース、ワープロ文書、ビデオ、オーディオファイル、及び本書で開示する他のあらゆるタイプのファイル又はコンテンツを含むことが可能である。
【００５９】
ネットワークストレージ設備内のアップロードされた情報は、該情報をアップロードしたモバイル通信設備102のユーザしか見ることができない個人的なものとすることが可能である。該個人的な情報はまた、アップロード元となったモバイル通信設備102によりネットワーク検索設備へ提出されたクエリによってのみ検索可能となるようにすることが可能である。かかる検索の結果は、情報をアップロードしたモバイル通信設備102に対してのみ提供することが可能である。
【００６０】
情報をアップロードしたモバイル通信設備102のユーザは、該アップロードした情報を、他のモバイル通信設備102のユーザと、又は該ユーザが指定した他のモバイル通信設備102と、共有することが可能である。代替的に、アップロードされた情報を公開することが可能である。該情報の任意の部分又は全ては、個人用、共有用、公開用、又はそれらの組み合わせとすることが可能である。
【００６１】
モバイル通信設備102のデータ設備118からの情報のアップロードは、スケジュールに沿って、イベントの結果として、又はユーザコマンドにより、実行することが可能である。かかるアップロードは、モバイル通信設備102上にローカルに格納されている情報の一種のバックアップを達成するものとなる。スケジュールに沿った情報又はその一部のアップロードは、モバイル通信設備102のバックアップユーティリティ機能のリストに含めることが可能である。イベントの結果としての情報のアップロードは、新しいプログラム、アップグレード、又はシステムファイルがインストールされることになる場合にモバイル通信設備102のコンフィギュレーションを保護するのに有用なものとなる。アップロードされた情報の検索は、復旧させる必要のあるモバイル通信設備102上のアイテムのバックアップコピーを取り出す上でバックアップユーティリティにとって有用なものとなる。
【００６２】
アップロードされた情報を暗号化して、更なるプライバシー及びセキュリティ保護を、モバイル通信設備102のユーザに提供することが可能である。代替的に、又は追加的に、パスワード保護を行うことが可能である。パスワード保護は、コンテンツの存在、該コンテンツを格納するファイル、又は該ファイル内のコンテンツに対する可視性を制限すること、又はセキュリティ及びプライバシーをユーザに提供することができるそれらの任意の組み合わせを含むことが可能である。
【００６３】
本書で説明するモバイル検索結果は、検索クエリに関連するコンテンツに対する１つ又は２つ以上のリストを含むことが可能である。ユーザは、該検索結果と対話することが可能であり、例えば、モバイル通信設備102のユーザインタフェイスを介して該結果を選択し及び更なる情報を受信することが可能である。本発明の一態様は、検索結果に関連する他のアクション（買い物をする、コンテンツをプレビューする、結果をセーブする等）をユーザが行うことを容易にすることが可能である。検索結果に関連し得る上述その他のアクションを容易化するための方法及びシステムについて以下で説明する。
【００６４】
モバイル通信設備102のユーザに提示されるアクションコマンドは、検索結果の特徴に基づく検索結果に関連するものとすることが可能である。該アクションコマンドは、モバイル通信設備102のユーザインタフェイスを介してユーザに提示することが可能であり、ユーザは、該ユーザインタフェイスの機能を介してアクションコマンドにアクセスすることが可能である。アクションコマンドは、更なる検索結果又はアクションコマンドをモバイル通信設備102へ提示することが可能である。
【００６５】
モバイル検索プラットフォーム100は、モバイル通信設備102からの検索クエリに応じて本書で説明するような検索設備142を使用することが可能である。該検索設備142により生成される検索結果は、アクションコマンドを検索結果に関連づけるために使用することができる特徴（キーワード、HTMLリンク、メタデータ等）を含むことが可能である。検索設備142は、それら特徴の１つ又は２つ以上を調べて、どのアクションコマンドが検索結果との最善の対話結果をユーザに提供するものとなるかを判定することが可能である。例えば、検索設備142は、オンラインオークションでアイテムに入札するためのリンクを含む検索結果に「入札」アクションコマンドを関連づけることが可能である。別の例では、住所を提供するキーワードを含む検索結果に「地図」アクションコマンドを関連づけることが可能である。
【００６６】
検索結果は、検索クエリと密接に対応している可能性があるので、検索クエリの特徴も、検索結果に関連づけられるアクションコマンドに影響を与え得るものである。検索クエリは、検索設備142が一般的なアクションコマンドで一般的な結果を返すことができるように広範なものとすることが可能である。例えば、「ギター」の検索は、ギターの種類、コンサート情報、ギターソング、ギター技術、オンラインギターオークション、及び楽器店等を含む、広範な結果を返すことが可能である。かかる広範な検索クエリに対する結果には、その結果についての更なる詳細を提供するアクションコマンドを関連づけることが可能であり、これにより、ユーザが関連する結果を見つけるのが容易となる。代替的に、検索クエリを特定的なものとすることが可能であり、又は検索設備142が検索クエリに対して特定的な関連する結果を提供することが可能である。検索設備142は、検索クエリの特徴を、モバイル加入者特徴112、キャリアビジネスルール130、又はユーザの検索履歴及び嗜好といった他の情報に関連づけて、特定の関連するアクションコマンドを有する関連する結果を識別することが可能である。かかる特定のクエリの結果は、特定の関連するアクションコマンドを有することが可能である。一例では、地方の楽器店から販売に供された特定のギターに関する結果は、関連する「購入」アクションコマンドを有することが可能である。
【００６７】
アクションコマンドの基礎となる検索結果の別の特徴は、検索結果のソースである。これは、検索結果が生成されたウェブサイト、検索結果を生成したワイヤレスサービスプロバイダ108、検索サービスのプロバイダ、及びモバイル通信設備102等を含むことが可能である。検索結果の複数のソースの各々は、嗜好、ビジネス協定、又は各ソース毎に少なくとも部分的に異なることが可能な他の基準に基づいて、検索結果にアクションコマンドを関連づけることが可能である。提示されるアクションコマンドは、結果的にユーザによる同一のエンドアクション（上記例ではギターの注文等）となり得る。しかし、アクションコマンドは、アクションに関連づける特徴を各ソース毎に異なるよう命令することが可能である。モバイル通信設備102へ提示される上記の「購入」アクションコマンドの例では、ウェブサイトにより提供される結果は、ギターメーカーからギターを直接購入するためのアクションコマンドを含むことが可能である。検索サービスのプロバイダにより提供される結果は、ギターメーカーの関連会社又は販売店からギターを購入するためのアクションコマンドを含むことが可能である。
【００６８】
ウェブサイトは、ウェブサイトのコンテンツの特徴に対応する、検索結果に関連づけられるべきアクションコマンドを含むことが可能である。該アクションコマンドは、ウェブサイトのコンテンツ、メタデータ、ヘッダ情報、及びHTMLリンク等に含ませることが可能である。モバイル検索プラットフォーム100は、ウェブサイトに含まれる複数のアクションコマンドのうち、検索クエリの特徴に基づいて検索結果に関連づけるべき１つのアクションコマンドを識別することが可能である。ウェブサイトは、結果的に購入、登録、ログイン、連絡、サービス、及び修理等のアクションとなるHTMLリンクを含むことが可能である。モバイル検索プラットフォーム100の検索設備142は、ウェブサイト上のHTMLリンクに関連するアクションコマンドを検索結果に関連づけることが可能である。一例では、「オンサイトギター修理」に関する検索クエリは、オンサイト修理のスケジューリングを行うためのリンクを含むことが可能なギター修理提供者のウェブサイトについての検索結果を生成することが可能である。オンサイト修理のスケジューリングを容易にするためのアクションコマンドを該検索結果に関連づけることが可能である。
【００６９】
代替的に、ウェブサイトは、モバイル通信設備102で使用するためのアクションコマンドを含むことが可能である。検索設備162は、モバイルアクションコマンドを有するウェブサイトから取得したアクションコマンドが関連づけされた検索結果を含むことが可能である。
【００７０】
アクションコマンドは、本書に記載するモバイル通信設備102のあらゆる態様のユーザインタフェイス（視覚的表示装置、オーディオ出力、バイブレーション、及び外部ポート等）を介してユーザへ提示することが可能である。同様に、ユーザは、本書に記載するモバイル通信設備102のあらゆる態様のユーザインタフェイス（キーパッド、タッチスクリーン、マイク、及び外部ポート等）を介してアクションコマンドと対話することが可能である。
【００７１】
提示される各検索結果にアクションコマンドを関連づけして、（例えば表示されている結果の強調表示又はスクロールを介して）各検索結果が選択された際に該選択された検索結果に関連づけられたアクションコマンドがユーザに対して利用可能となるようにすることが可能である。ユーザは、本書で説明する様々な方法でモバイル通信設備102のユーザインタフェイスと対話することが可能である。このように、アクションコマンドは、複数の入力（逐次入力等）を介してユーザによりアクセスされることが可能である。一例では、ユーザは、検索結果の選択といった第１の入力を提供することが可能である。この第１の入力は、選択された検索結果に関連づけられたアクションコマンドをユーザに対して利用可能とすることが可能であり、これにより、第２のユーザ入力が該アクションコマンドにアクセスすることが可能となる。該第２のユーザ入力は、モバイル通信設備102のユーザインタフェイス上の送信ボタンの押下とすることが可能であり、該アクションは電話をかけることが可能である。当業者にとって自明である様々な第１及び第２のユーザ入力が本書に含まれるものとする。
【００７２】
アクションコマンドはスポンサーシップ設備162を介して検索結果に関連づけることが可能である。該スポンサーシップ設備162は、アクションコマンドを検索結果に関連づけるためのスポンサー128の入札に基づいて、検索結果にアクションコマンドを関連づけることが可能である。スポンサー128は、検索結果の１つ又は２つ以上の特徴（例えば、検索クエリの特徴、検索結果の特徴、モバイル通信設備102の特徴、及びモバイル通信設備102のユーザの特徴等）に基づいて該検索結果にアクションコマンドを関連づけさせるために入札することが可能である。スポンサーシップ設備162は、スポンサー128により指定された特徴の検索結果との関連性に基づいて、高い入札者からのスポンサー付きアクションコマンドを選択することが可能である。一例では、イベントに関する検索結果に関連づけされる、該イベントのチケットを購入するためのアクションコマンドを獲得するために、複数のスポンサー128が入札することが可能である。検索クエリにより該イベントに関する検索結果が生成された際に、最高額で入札したスポンサー128からのアクションコマンドを該検索結果に関連づけてモバイル通信設備102へ提供することが可能である。
【００７３】
代替的に、あるスポンサーがイベントへのチケットを提供し、別のスポンサーが該イベントに関連するアイテムを提供することが可能である。モバイル検索プラットフォーム100は、所与の入札金額を越える検索結果との関連性に基づいてスポンサー128からのアクションコマンドを選択することが可能である。検索クエリが、該イベントに関連するアイテムに対するものである場合、モバイル検索プラットフォーム100は、チケットのスポンサーではなくアイテムのスポンサーからのアクションコマンドを検索結果に関連づけることが可能である。
【００７４】
アクションコマンドは、モバイル通信設備102へ更なる情報を提示することを含むことが可能である。上記の例では、イベントについての検索クエリから生成された検索結果に関連づけられるアクションコマンドは、複数のアクションコマンドをユーザに提示するものとすることが可能である。該複数のアクションコマンドのうちの少なくとも１つは、本書で説明するようなスポンサー付きアクションコマンドとすることが可能である。該複数のアクションコマンドは、最高入札額のスポンサーからのスポンサー付きアクションコマンドが最初に提示されるように、モバイル通信設備102へ提示することが可能である。複数のアクションコマンドのリストにおいて、最高入札額のスポンサーからのスポンサー付きアクションコマンドを該リストの一番上に位置させることが可能である。アクションコマンドの逐次表示において、最高入札額のスポンサーからのスポンサー付きアクションコマンドを最初に提示されるアクションコマンドとすることが可能である。スポンサー付きアクションコマンドを提示するための他の順序づけ（検索結果への関連性に基づくもの、ロケーションに基づくもの、及びモバイル検索プラットフォーム100に関する他の多くの特徴に基づくもの等）を実施することも可能である。かかる全ての順序づけが本書に含まれるものとする。
【００７５】
検索結果へのアクションコマンドの関連づけは、モバイル検索プラットフォーム100と別個に関係するアクションコマンドプロバイダを介して実行することが可能である。該モバイル検索プラットフォーム100は、検索結果をアクションコマンドプロバイダへ提供し、該検索結果と関連づけるためのアクションコマンドを該アクションコマンドプロバイダから受信することが可能である。モバイル検索プラットフォーム100は、ユーザ層、モバイル通信設備102のタイプ、モバイル通信設備102のロケーション、及び関連するアクションコマンドを受信するのに有益となり得る他の情報といった、更なる情報を提供することが可能である。
【００７６】
アクションコマンドは、購入、コンテンツのプレビュー、検索結果に関連するコンテンツの探索、検索結果に関連する発呼、ロケーションの地図作成、検索結果の転送、及び検索結果のセーブを含むことが可能である。転送される検索結果は、所与のE-mailアドレスへ送ることが可能である。ここで、これらのアクションコマンドの例を示す。
【００７７】
検索結果に関連するアクションコマンドは、ユーザが該検索結果に関連するコンテンツをプレビューするのを容易にすることが可能である。一例では、検索結果は、写真共有ウェブページに関するものとすることが可能である。該検索結果に関連するアクションコマンドは、写真の１つ又は２つ以上のサムネイルの表示とすることが可能であり、これにより、ウェブページ上で利用可能なコンテンツのプレビューが提供される。別の例では、検索結果は、投資研究ウェブサイトに関するものとすることが可能である。該検索結果に関連するアクションコマンドは、該ウェブサイトのデモンストレーションのダウンロードとすることが可能であり、これにより、ユーザが該ウェブサイトのコンテンツを注釈付きのデモンストレーションという形でプレビューすることが可能となる。別の例では、検索結果は、独立した映画制作者に関するものとすることが可能である。該検索結果に関連するアクションコマンドは、該映画制作者の１つ又は２つ以上の映画の一部のモバイル通信設備102への提示とすることが可能である。このようにして、ユーザは、該ウェブサイトのコンテンツ（映画）をプレビューすることができる。同様に、オーディオ、書籍、及び新商品の洋服等を、アクションコマンドを介してプレビューすることが可能である。
【００７８】
検索結果に関連するアクションコマンドは、ユーザが検索結果を転送するのを容易化することが可能である。検索結果は、E-mail、テストメッセージ、インスタントメッセージ、ボイスメール、ビデオメール、メッセージブロードキャスト、及び本書に記載するようなモバイル通信設備102と通信するための他のあらゆるものを介して、転送することが可能である。一例では、あらゆる検索結果に関連するアクションコマンドを、該検索結果をE-mailにより別のモバイル通信設備102へ転送することとすることが可能である。モバイル通信設備102のユーザインタフェイスを介してアクションコマンドにアクセスすることによりE-mailの名称リストから宛先名称を入力し又は選択するようユーザに指示することが可能である。
【００７９】
検索結果に関連するアクションコマンドは、検索結果に関連するアイテムについての入札を容易にすることが可能である。一例では、ユーザは、オンラインオークションウェブサイトで中古自転車を検索することが可能である。その結果は、中古自転車についての１つ又は２つ以上のオークションリストを含むことが可能である。該検索結果に関連するアクションコマンドは、ユーザがアイテムに入札して値を付けるのを容易にすることが可能である。該コマンドは、ユーザが入札金額及びパスワードを入力することを可能とし、及びモバイル通信設備102は、ユーザに関するあらゆる追加の識別情報をオンラインオークションサイトへ提供して入札を受諾させることが可能である。
【００８０】
検索結果に関連するアクションコマンドは、検索結果のレーティングを容易化することが可能である。一例では、アクションコマンドは、検索クエリに対する検索結果の関連性のレーティングを行うために、モバイル通信設備102からの数字入力（携帯電話の数字キーパッド等）を受容することが可能である。検索結果のユーザによるレーティングは、より高い関連性を有する検索結果をユーザに提供することを容易にすることが可能である。アクションコマンドはまた、ユーザが所定値を下回るレーティングを行った（例えば10のうちの３未満の）場合に複数の検索結果から１つの検索結果を削除することが可能である。
【００８１】
検索結果に関連するアクションコマンドは、検索結果の格納を容易化することが可能である。一例では、アクションコマンドは、ユーザが、検索結果を、お気に入りの記憶装置に、又はフォローアップリストに、又はモバイル通信設備102若しくはモバイル検索設備100と連携することが可能な他の記憶装置等に、セーブするのを容易化することが可能である。
【００８２】
実施形態では、電話機のアクティブ化時に検索ボックスを提示することが可能であり、該検索ボックスは、特定の検索手法に関係するよう構成することが可能である。例えば、検索ボックスは、ローカライズ又はパーソナライズ（例えば本書に記載するモバイル加入者特徴等に関連する検索）を提供するよう構成することが可能である。検索ボックスはまた、時刻ベースのターゲット結果に合わせて構成することが可能である。例えば、検索用ユーザインタフェイスは、ローカライズされた結果を生成するよう構成することが可能であり、キーワード、フィルタ、アルゴリズム、又は関連するローカルな結果を識別する他の検索パラメータは、時刻の結果として変化することが可能である。このため、ユーザが自分のフリップ式電話機を開いて該ユーザに検索ボックスが提示された場合に、該ユーザは検索を実行することが可能であり、その結果をローカライズすることが可能であり、及び該結果を時刻に合わせて調整することが可能である。午後６時には、検索結果を少なくとも部分的に夕食の選択肢に関するものとする一方、午後８時に実行された検索は、エンターテイメントに関連するものとすることが可能である。実施形態では、デフォルト検索手法の嗜好をユーザが設定することが可能である。ユーザは、電話機のアクティブ化時に検索設備が提示された際にデフォルトとして自分が実行したい検索の種類を設定することが可能である。ユーザには、新たな一時的な検索手法を選択することができるオプション（例えばメニューオプション）を提供することも可能である。
【００８３】
実施形態では、ユーザは、モバイル通信設備102を用いてモバイル検索アプリケーションにアクセスすることが可能である。該モバイル検索アプリケーションは、本書で説明するクライアントアプリケーションインタフェイスにより生成されるユーザインタフェイス画面を含むことが可能である。モバイル検索アプリケーションにアクセスしているユーザは、ユーザインタフェイス画面の選択を介してナビゲートすることが可能である。該モバイル検索アプリケーションのナビゲーション方法は、モバイル通信設備102の物理的な運動に関する情報を受容し、該物理的な運動をユーザインタフェイス画面の選択を介したナビゲーションにリンクさせることを含むことが可能である。モバイル通信設備102の物理的な運動とモバイル検索アプリケーションとの間のリンクは、少なくとも部分的に、モバイル通信設備の表示装置172上に表示されるメニュー構造の二次元空間上への、物理的な運動の三次元空間のマッピングに基づくものとすることが可能である。
【００８４】
クライアントアプリケーションインタフェイスは、モーション検出装置からの入力を受容することが可能である。該モーション検出装置は、外部オブジェクトに対するモバイル通信設備の運動を検出することが可能であり、又は三次元空間における以前の位置に対する運動を検出することが可能である。
【００８５】
一実施形態では、モバイル通信設備102はカメラを備えることが可能である。該カメラは、その視野内の一連のイメージ（例えばユーザの顔のイメージ）を取得し、該イメージをクライアントアプリケーションインタフェイスへ提供することが可能であり、該クライアントアプリケーションインタフェイスは、該一連のイメージを解析して、モバイル通信設備102の運動を判定することが可能である。
【００８６】
別の実施形態では、モバイル通信設備102は、加速時計またはジャイロスコープ等のモーション検出器を含むことが可能である。クライアントアプリケーションインタフェイスは、加速時計、ジャイロスコープ、センサ、又はその他のモーション検出設備に記録されるデータ又はそこから出力されるデータを監視し、該データを解析して、モバイル通信設備102の運動を判定することが可能である。
【００８７】
モバイル通信設備102の運動は、ユーザが該モバイル通信設備102を物理的に移動させることにより生じさせることが可能である。この物理的な運動は、モバイル通信設備102を上昇させ又は下降させることを含み、これは、該モバイル通信設備の表示装置172上で見ることができるメニューセレクション又はユーザインタフェイス画面の変化により表すことが可能である。一例として、モバイル通信設備102を上昇させた結果として、ユーザインタフェイス画面が一層高いレベルのメニュー構造セレクションを表示することが可能である。別の例では、ユーザは、モバイル通信設備102を傾斜させ、その結果として、該モバイル通信設備102の一部を上昇させ、反対側の部分を下降させることが可能である。この傾斜の結果として、メニューセレクションが以前のメニューセレクションに戻り、これは、グラフィカルコンピュータユーザインタフェイスの「アンドゥー」コマンドのようなものである。別の例では、モバイル通信設備102を上昇させた結果として、モバイル検索アプリケーションの表示をズームアウトさせることが可能である。かかる例は、検索アプリケーションの表示が地図画像又は衛星画像である場合に有用なものとなり得る。モバイル通信設備102を下降させた結果として、表示をズームインさせることが可能であり、これにより特徴又はセレクションの更なる詳細が提供される。
【００８８】
別の実施形態では、ユーザ、又は該ユーザを支援する誰かが、モバイル通信設備102を１つ又は２つ以上の水平方向（左、右、前、後、及び対角線方向等）に移動させることが可能であり、その運動により、ユーザインタフェイス画面のメニューセレクションに関連する変化が生じることになる。一例として、右水平方向への運動の結果として、現在強調表示されているモバイル検索アプリケーションのセレクションの右方に表示されているセレクションが強調表示されることになる。別の例として、（本書ではほぼ、モバイル通信設備102を保持しているユーザの方向における水平方向の運動として規定される）後方への運動の結果として、モバイル通信設備の表示装置172における現在のメニューセレクションよりもユーザに一層近いメニューセレクションが強調表示されることになる。一般に、本書で説明するモバイル通信設備102の水平方向及び垂直方向の運動は、メニューセレクションの増分的な変化を結果的に生じさせるものとなり得る。運動の速度及び期間は、メニューセレクション又はユーザインタフェイス画面の変化の程度を決定することが可能である。一例として、急速な前方かつ水平方向の運動は、セレクションのリストを介してメニューセレクションを急速にスクロールさせることが可能である。低速かつ長期間の左方かつ水平方向の運動は、モバイル通信設備の表示装置172を横切って長いメニューエントリの表示をスクロールさせることが可能である。
【００８９】
ユーザは、非直線的な運動、ランダムな運動、又は振動運動といった不規則的な運動でモバイル通信設備102を物理的に移動させることが可能である。これらの不規則な運動のうちの１つ又は２つ以上を検出した結果として、モバイル検索アプリケーションのメニュー構造内のセレクションの実質的な運動を生じさせることが可能である。一例として、振動運動の結果として、検索アプリケーションが現在の検索活動をキャンセルし、及びモバイル通信設備102上にトップレベルのメニューセレクションを表示させることにより、新たな検索を開始させることが可能である。代替的に、モバイル通信設備102の不規則的な運動をクライアントアプリケーションインタフェイスにより無視し、その結果としてメニューセレクション又はユーザインタフェイス画面を全く変更させないことが可能である。モバイル通信設備102の不規則な運動に関連する他の実質的なメニューセレクションの動きは、テキスト入力フィールドのクリア、モバイル検索アプリケーションのテキスト入力フィールド中のテキストの再配置、クライアントアプリケーションインタフェイスにより提示される提案のうちの１つのランダムな選択、及び利用可能なメニューセレクションの順番の入れ替え（音楽再生リストの順番のシャッフル等）を含むことが可能である。
【００９０】
水平方向、垂直方向、及び不規則方向の運動のうちの１つ又は２つ以上を該運動の加速又は減速と結合させることが可能である。加速又は減速方向の運動は、該運動に関連するメニューセレクション又はユーザインタフェイス画面の変化をスピードアップさせ（加速）又はスピードダウンさせる（減速）ことが可能である。一例として、ユーザは、最初にモバイル通信設備102をゆっくりと垂直方向下方へ移動させ、その結果として表示中のイメージ又は画面をゆっくりとズームインさせることが可能である。ユーザが垂直方向下方への運動を加速させた際に、ズームイン速度を増大させることが可能である。
【００９１】
モバイル通信設備102の運動にリンクされたモバイル検索アプリケーションの表示ナビゲーションは、以下の１つ又は２つ以上のナビゲーションを含むことが可能である：検索結果、メニュー、E-mailメッセージのリスト、製品リスト、カレンダー、連絡先リスト、ドキュメントリスト、フォルダリスト、アプリケーションリスト、及び地図等。
【００９２】
アルゴリズム設備144は、ユーザの入力を問題という形で受容し、検索空間内で入手できる一組の全ての考え得る解決策を適用することにより前記問題を評価することが可能である。最も基本的な態様では、アルゴリズム設備144は、検索空間内で入手できる最も直観的な１つ又は２つ以上の解決策からなる素朴で情報の不足した検索アルゴリズムを適用することが可能である。代替的に、アルゴリズム設備144の検索時間及びリソース割り当てを最小限にするために、アルゴリズム設備144は、検索空間の要素に関する情報を利用する経験則に基づき、情報に基づくアルゴリズムを採用することが可能である。該アルゴリズムは、クエリの頻度、クリック又はクリックスルーの頻度、クエリの速さ；検索開始サイト、店頭訪問サイト、又はモバイルウェブサイト；コミュニティタギング；又はモバイルユーザスコアリングに基づいて；又はドメイン制限（例えば「espn.com」のみ）に基づいて、ユーザに対して表示172するためのコンテンツを昇格させ又は降格させる働きをすることが可能である。
【００９３】
アルゴリズムは、モバイル通信設備102に固有の情報についてインデックスを作成するよう設計することが可能である。例えば、アルゴリズムは、モバイルタグ（例えば、WML、xHTML-MP、MIMEタイプ（テキスト等）、WAP、及び／又はWML、又はモバイル固有ヘッダ）のみを探すことが可能である。アルゴリズムはまた、ページ幅、ページの重さ（例えばイメージ数及びバイトサイズ）、画面解像度及び色能力、フォントタイプ及びサイズ、クライアントサイドのレンダリング能力、ページの複雑さ（例えばモバイル通信設備102と互換性のない特徴又はモバイル通信設備102に固有の特徴）等といった因子を含む、コンテンツとモバイル通信設備102の表示装置172の能力との間の美的互換性を判定することが可能である。この互換性情報は、人気データ（例えば、WAPゲートウェイ、編集スコアリング、及び／又はトラフィックマーケットデータ）等の他の情報と混合させることも可能である。
【００９４】
アルゴリズム設備144は、ユーザ入力及び／又は検索結果の解析、リファイン、又はフィルタリングのための、協調フィルタリングプロトコル、カテゴリフィルタリング、推薦システム、及び／又はその他の処理設備を含むことが可能である。協調フィルタは２ステップのプロセスを用いることが可能である。第１ステップ中に、アクティブなユーザのレーティングパターンと類似するレーティングパターンを有する他のユーザが識別される。第２に、これらの類似するユーザから取得されたレーティングが、アクティブなユーザに対する関連性の情報を予測するための経験的な基礎を提供する。協調フィルタは、包括的プロセス及び排他的プロセスの両方とすることが可能であり、アクティブなユーザに関する関連情報を収集し、又は予測される情報セットから調和しない情報を削除する。
【００９５】
調和フィルタリングプロトコルは、一般に、大きなユーザグループからの嗜好データの収集を伴うものである。この嗜好データを統計的に解析して、類似する嗜好プロファイルを有するサブグループ又はサブグループのメンバーの特徴を識別することが可能である。様々な加重平均、ファジーロジック、又はその他の技術を使用して嗜好サブグループをサマライズし又はモデル化することが可能であり、及びそのモデル／サマリを用いて嗜好関数を生成することが可能である。次いで、この関数を使用して、新たなユーザを適当な嗜好サブグループに一致させることが可能である。実施形態では、かかる情報は、多くの個々のモバイル加入者特徴データセットから収集することが可能であり、及びそのデータは、多くのモバイル通信設備のユーザから収集することが可能である。例えば、ワイヤレスプロバイダ108は、その顧客の大きなグループから嗜好データを収集することが可能である。実施形態では、データは、非モバイルユーザから収集することが可能であり、及び他のオンライン活動又はオフライン活動から収集された嗜好情報に関するものとすることが可能である。
【００９６】
ユーザ嗜好は、ユーザ挙動その他の暗黙的な特徴から導出することが可能であり、又はモバイル通信設備のユーザにより明示的に規定することが可能であり、又はそれらの組み合わせとすることが可能である。ユーザが明示的に自身の（例えば、レストラン、本、ｅコマース、音楽、ニュース、ビデオ、フォーマット、オーディオ等の種類に関する）嗜好を提示する場合、該明示的な嗜好情報は、該ユーザの電話機に関連するモバイル加入者特徴データベースに格納することが可能である。ユーザは、活動（オンラインでの製品の購入、オンラインでのサイト訪問、モバイル通信設備からの発呼、別の設備からの発呼、コンテンツの参照、又は他の活動に携わること又は携わらないこと等）を介して嗜好を暗黙的に登録することが可能である。例えば、ユーザが製品を見て該製品を購入しないことに決めた場合には、該ユーザが該製品に興味がないという推論を導出することができ、この推論は、協調フィルタリングアルゴリズムの一部として使用することが可能である。更に、ユーザがモバイル通信設備で最近電話していた施設の種類から推論を導出することが可能である。ユーザが過去２週間にわたり自動車販売店に繰り返し電話をしていた場合には、該ユーザが現在自動車用品及び／又はサービスを探しているという推論を導出することが可能である。ユーザが訪問した全てのページ、及び各訪問の頻度及び／又は時間を記録することにより、ユーザの暗黙的嗜好を収集することも可能である。訪問したページを「1」と符号化し、及び未訪問のページを「0」と符号化する、２進符号化機構を使用して、ユーザベースの嗜好ベクトルを生成し、ユーザ内及びユーザ間のクラスタ嗜好又は類似性の両方について統計的に解析することが可能である。他の符号化技術が、共通性の大きさに沿って特定のサイトをグループ化することが可能であり、この場合には、任意数のユークリッド距離又はその他の距離及び／又は照合技術を使用して、ナビゲーション挙動が解析される。実施形態では、ユーザ嗜好データは、モバイル加入者特徴データベース内から収集することが可能である。実施形態では、ユーザ嗜好データは、モバイル加入者特徴データベース外から収集することが可能である。実施形態では、オフライン挙動もまた使用してユーザの嗜好の特徴付けが行われる。
【００９７】
暗黙的モバイル検索クエリは、関連するモバイルコンテンツをモバイル通信設備102へ配信するために少なくとも１つのパラメータに基づいてモバイル通信設備102から自動的に生成することが可能であり、この場合、その関連性は、モバイル通信設備102に関する情報に部分的に基づくものとすることが可能である。
【００９８】
検索クエリの自動生成は、暗黙的検索とすることが可能である。この暗黙的検索は、モバイル通信設備のコマンドのユーザ操作を必要としないことが可能である。例えば、メニューアイテムの選択、ボタンの押下、タッチスクリーンのアイコンの選択、ボイスコマンドの発行、又はモバイル通信設備102に関連するその他のコマンドの明示的な使用をユーザが行う必要をなくすことが可能である。
【００９９】
実施形態では、検索クエリの自動生成は、サーバ134により達成することも可能である。
【０１００】
実施形態では、パラメータを使用してモバイルコンテンツの関連性を部分的に判定することが可能である。パラメータは、モバイル通信設備102に関する情報とすることが可能である。この情報は、ユーザ特徴に関するものとすることが可能である。ユーザ特徴は、ユーザの年齢、性別、人種、宗教、市外局番、郵便番号、自宅住所、勤務先住所、請求書送付先住所、信用情報、家族情報、所得情報、誕生日、出生地、使用者、肩書、就労日数、及びユーザ特徴に関するその他の情報を含むことが可能である。例えば、ユーザ特徴「使用者」を使用して、自動生成されたニュースヘッドラインの検索クエリから導出された検索結果内のニュースヘッドラインの関連性を部分的に判定することが可能である。ユーザの使用者が自動車メーカーである場合には、自動車製造労働者の一時解雇に関するニュースヘッドラインは、中国での通貨変動に関するヘッドラインよりも関連性が高いと判定することが可能であり、及びユーザのモバイル通信設備102への配信を優先させることが可能である。同様に、ユーザの使用者のパラメータの結果として、該使用者の現在の株価に関する検索クエリを生成すること及びその情報をユーザのモバイル通信設備102へ配信することが可能である。
【０１０１】
実施形態では、パラメータは、ユーザ履歴、ユーザ取引、地理的ロケーション、地理的近接性、ユーザ装置、時刻、及びその他のユーザ特徴に関するものとすることが可能である。例えば、ユーザに関するパラメータは、年齢(27)、性別(女)、以前のユーザ取引(ジャズレコードの購入)、及び地理的ロケーション(ニューヨーク市)を含むことが可能である。自動生成された検索は、１つ又は複数のユーザ特徴に対する関連性によってランク付けされ、順序づけされ、索引付けされ、及び優先順位付けされた検索結果を返すことが可能である。この例では、ユーザが若くて女性でニューヨーク市に居住しジャズレコードを購入した経歴を有するという事実の結果として、ユーザのモバイル通信設備102へ配信するための関連するコンテンツの優先順位付けは、例えば、ジャズレコードを販売する小売店、ニューヨーク市内にあるジャズレコードを販売する小売店、該ユーザが歩いて行ける距離にあるジャズレコードを販売する小売店、といった具合となる。
【０１０２】
実施形態では、パラメータはまた、モバイル通信設備の特徴を含むことが可能であり、該特徴は、表示能力、表示サイズ、表示解像度、処理速度、オーディオ能力、ビデオ能力、キャッシュサイズ、ストレージ能力、メモリ容量、及びその他のモバイル通信設備の特徴からなるグループから選択することが可能である。モバイル通信設備102に関する情報は、ワイヤレスオペレータ、ワイヤレスサービスプロバイダ108、電気通信サービスプロバイダ、又はモバイル通信設備102に関連するその他のプロバイダにより提供することが可能である。更に、ジャズファンである上記ユーザの例では、ジャズアーティストの新しいビデオが一斉に入手可能となった場合に、自動生成されたクエリが、ユーザのモバイル通信設備102が適当なビデオ能力を有しているか否かを判定し、該モバイル通信設備102が適当なビデオ能力を有している場合に、該ユーザに前記ビデオをダウンロードする機会を提供することが可能である。
【０１０３】
実施形態では、関連するモバイルコンテンツは、モバイル通信設備102上にローカルにキャッシュすることが可能である。該ローカルにキャッシュされた情報を、新しい検索クエリに関する新しいコンテンツよりも先にロードすることが可能である。該ローカルにキャッシュされた情報は、期限に関連づけることが可能であり、該期限は、日付、時刻、該ローカルにキャッシュされた情報の以前の使用、又は該ローカルにキャッシュされた情報の期限を決定する他の特徴とすることが可能である。例えば、地理的ロケーション及び時刻のパラメータを使用すると、自動生成された検索クエリは、該ロケーションの当日の天気状況を含む結果を返すことが可能である。これらの結果は、同日の午後11:59という期限でモバイル通信設備102上にローカルにキャッシュすることが可能である。実施形態では、キャッシュされているビデオ等のコンテンツを以前に見たことを利用して、該コンテンツの許可された将来的な利用を判定することができる。例えば、キャッシュされたジャズアーティストのコンサートビデオをモバイル通信設備102上で５回だけ再生することを許可し、５回の再生後には該ビデオを期限切れにし、該ビデオを再び見るためには該ビデオを購入すべきことをユーザに要求することが可能である。
【０１０４】
実施形態では、関連性は、少なくとも部分的に統計的な関連づけに基づくものとすることが可能である。該関連性はスコアとすることが可能である。該統計的な関連づけは、モバイルコンテンツとモバイル通信設備102に関する情報との間の関連づけに関するものとすることが可能である。モバイル通信設備102に関する情報は、ユーザ履歴、ユーザ取引、地理的ロケーション、地理的近接性、ユーザ装置、時刻、ユーザ特徴、又はモバイル通信設備の特徴を含むことが可能である。ユーザ特徴は、年齢、性別、人種、宗教、市外局番、郵便番号、自宅住所、勤務先住所、請求書送付先住所、信用情報、家族情報、所得情報、誕生日、出生地、使用者、肩書、就労日数、及びその他のユーザ特徴からなるグループから選択することが可能である。モバイル通信設備の特徴は、表示能力、表示サイズ、表示解像度、処理速度、オーディオ能力、ビデオ能力、キャッシュサイズ、ストレージ能力、メモリ容量、及びその他のモバイル通信設備の特徴からなるグループから選択することが可能である。例えば、モバイル通信設備102は、地理的ロケーション（サンフランシスコ）、ユーザ履歴（以前に中華料理店に電話した）、及び時刻（午後７時）というパラメータに関連づけることが可能である。モバイル通信設備102は、検索クエリを自動生成し、レストラン、又は中華料理店、又は場所がサンフランシスコであること、又は午後７時に営業していること、又はそれらの幾つかの組み合わせに対するコンテンツの関連性に基づいて、該コンテンツの表示の優先順位付けを行うことが可能である。
【０１０５】
実施形態では、モバイル通信設備102に関する情報は、ワイヤレスオペレータ、ワイヤレスサービスプロバイダ108、電気通信サービスプロバイダ、又はその他のモバイル通信設備102に関連するプロバイダにより提供することが可能である。
【０１０６】
実施形態では、協調フィルタリングアルゴリズムの基本的な実施は、好ましいと評価した集合内のユーザの総数（好評度を含むことが可能）を記録することにより、又はサイトを繰り返し訪問したユーザの数を記録することにより、製品、サービス、業務、取引、又はウェブサイトの人気を追跡することを伴うものとなる。本質的に、このアルゴリズムは、以前のユーザが何を好んだか及び新たなユーザが何を好むかを推測するものである。実施形態では、加重平均プロセスを実施して、全体的なユーザデータセットについて全体的に不人気なレーティングを有する製品を全員が高くランク付けしたユーザのサブグループを切り出す。
【０１０７】
よりロバストな協調フィルタリング手順（K-最近傍アルゴリズムとも呼ばれる）は、以前のユーザの挙動に基づく「トレーニングデータセット」を使用して、新しいユーザからなる「ターゲットデータセット」のメンバーに対する関心変数を予測する。ユーザ嗜好データに加えて、該トレーニングデータセットは、モバイル加入者特徴データベース中に含まれているような更なる予測変数（例えば、年齢、所得、性別、誕生日、又は出生地等）を有することが可能である。関心変数は、購入した製品の種類や購入量等を含むことが可能である。ターゲットデータセット中の各行（単一のユーザデータ）毎に、該アルゴリズムは、トレーニングデータセットの「K」最近傍メンバーを探し出す。該アルゴリズムにより使用される近接性すなわち距離は、一般にユークリッド距離を測度とするものである。次に、該アルゴリズムは、K最近傍について関心変数の加重和を見つける（その重みは、計算された距離の逆数である）。次いでこのプロセスが、ターゲットデータセット中の残りの全ての行について繰り返される。この情報から将来の予測のためのモデルを導出することが可能である。ユーザ人口が増加した際に、新しい行を含むようにトレーニングデータセットを更新し、これにより、予測モデルの改訂に使用するためのユーザ嗜好のあらゆる変化を捕捉することが可能である。
【０１０８】
ユーザ嗜好グループの統計的なクラスタリングのために首尾良く使用することが可能な他の方法には、加重多数決、ベイズ予測、ピアソン積相関、及び因子解析が含まれる。
【０１０９】
上記で概説した協調フィルタリングの説明に加えて、以下のテキストは、協調フィルタリングに関する更なる情報のために参照することが可能なものである。
【０１１０】
Nakamura,A.及び Abe, N., 1998. Collaborative Filtering using Weighted Majority Prediction Algorithms in: Proceedings of ICML'98, 395-403. Morgan Laufman Eds.（付録A参照のこと）
協調フィルタリング、又は他の方法により決定される様々な情報の他の優先的な処理に加えて、又はそれらに代えて、非優先的又は客観的なタイプのデータを、モバイル通信設備102のユーザに関する更なるターゲット検索結果に利用することが可能である。例えば、ユーザのロケーションは、GPSシステム（又は他の位置情報サービス）を介して決定することが可能であり、このロケーションを使用して、協調フィルタリングを使用し又は使用せずに、結果をフィルタリングすることが可能である。実施形態では、時刻、装置のタイプ、時刻に関連する活動、ロケーションに関連する活動、及びインボイス活動といった要素を使用して検索を更にリファインすることが可能である。一実施形態では、かかる情報をカテゴリスタイルフィルタ（すなわちデータに基づいて結果を包含させ又は排除するよう設計されたフィルタ）で使用することが可能である。一実施形態では、かかる情報を協調フィルタアルゴリズムにより使用することが可能である。一実施形態では、協調フィルタアルゴリズムでの考慮を伴うことなく、かかる情報を使用して結果をフィルタリングすることが可能である。
【０１１１】
実施形態では、検索結果を取得する、検索クエリをリファインする、補正を行う、提案を行う、検索クエリの非曖昧化を行う、結果をカテゴライズする、明示的又は暗黙的な検索を実行する、フィルタリングを行う、協調フィルタリングを行う、又は本書で規定する他のプロセスを実行する、といったプロセスで使用されるデータは、データベース（例えばリレーショナルデータベース）に格納することが可能である。実施形態では、データは、検索し、関連づけし、リンクし、抽出し、若しくはその他の操作を行い、又は使用することが可能である。かかるデータの関連づけ及び検索に関する更なる情報については、以下の文献を参照されたい：IBM Almaden Research Center発行のSunita Sarawagi、Shiby Thomas、Rakesh Agrawalによる Integrating Association Rule Mining with Relational Database Systems: Alternatives and Implications（付録B参照のこと）。
【０１１２】
推薦システムは、ユーザのプロファイルからの情報を使用して、ユーザの興味を引き得る他の情報／製品に関する予測を行うことが可能である。推薦システムで使用されるデータは、明示的及び暗黙的なデータ収集の使用を介して取得することが可能である。明示的な収集は、例えば、アイテムのレーティング、製品のランク付け、嗜好の提示、及び好きなもの又はあまり好きでないもののリストアップを直接行う、ユーザから収集したデータを意味している。暗黙的な収集は、例えばユーザ挙動の副産物（オンラインストアで見た製品又は購入した製品等）として収集したデータを意味している。推薦システムは、収集したデータを他から収集した類似するデータと比較し、アクティブなユーザのための推薦アイテムのリストを求めることが可能である。
【０１１３】
提案は、ユーザがモバイル通信設備102に入力した各キーストロークに基づいて表示装置172に生成することが可能である。ワイヤレスプラットフォーム100の全体的な性能を最適化するために、提案は、モバイル通信設備102上にローカルにキャッシュし、及びサーバ更新の実行と組み合わせることが可能である。更新はまた、ユーザのキーストロークを必要とすることなくモバイル通信設備102のキャッシュメモリに供給することが可能である。更なる提案は、人気、クエリ活動の頻度、コンテンツ内の頻度、コンテンツの頻度の加速、購入の頻度、販売コンバージョンレート、並びにこれらの指標の何れかに生じるあらゆる変化に基づいて、コンテンツをランク付けすることにより、ユーザへ供給することが可能である。提案リストはまた、「Tyra Banks out of 1,2,3,」等の頻出する言葉を用いてデデュープし、例えばタイトル、アーティスト、又はイエローページ式分類法又はその他の主題編成によってカテゴライズすることにより、導出することができる。この提案は、モバイル通信設備102、モバイル加入者特徴112、結果設備、キャリアビジネスルール130、及び／又は検索アルゴリズム設備144に固有のものとすることが可能である。提案は、Java（登録商標）又はBREW（登録商標）アプリケーションで動的に表示させることが可能である。提案は、ブラウザ内に表示させることも可能である。例えば、ユーザが、BR SPをクエリとしてタイプした場合、これに応答するWAPページは、該ユーザがBritney Spears 又は Bruce Springsteen の入力を意図したか該ユーザに尋ねることが可能である。次いで、該ユーザは意図するクエリのリンクをクリックすることが可能となる。
【０１１４】
推薦は、モバイル通信設備102、モバイル加入者特徴112、結果設備、キャリアビジネスルール130、及び／又はスポンサー設備144に固有のものとすることが可能である。他の関連するコンテンツについてのユーザへの推薦の提供は、検索結果の表示172中に又は検索アイテムが選択された後に行うことが可能である。アイテム間の関係は、取引、検索、及びクエリ挙動に基づくものとすることが可能であり、及び組み合わせ販売製品（例えば、同じジャンル内のレコードアーティスト）又は追加の製品及びサービスのユーザへの提案（例えば、ユーザの都市環境での映画チケットの購入に次ぐタクシーサービスの提案）を含むことが可能である。クエリ分類は、イエローページ式分類法（例えば、レストラン又は医師、又は５桁の数字が郵便番号であると推論するもの）を用いることが可能であり、及びモバイル通信設備102、モバイル加入者特徴112、配信設備、非曖昧化設備140、及び／又はペアレンタル・コントロール150に固有のものとすることが可能である。ワイヤレスプラットフォーム100は、分類法に基づくクエリ分類へのキーワードマッピングを使用することが可能である。例えば、ユーザクエリ「ねじ回し」はカテゴリ「ハードウェア」へマッピングすることが可能である。このキーワードマッピングは、モバイル通信設備102、モバイル加入者特徴112、配信設備、非曖昧化設備、及び／又はペアレンタル・コントロールに固有のものとすることが可能である。
【０１１５】
結果設備148は、一般的なコンテンツ及びサービス、特定のコンテンツカタログ、キャリアのプレミアムコンテンツ、キャリアのポータルコンテンツ、装置ベースの結果、又は家庭用コンピュータのデスクトップ検索結果を含むことが可能である。結果設備148で提供される一般的なコンテンツ及びサービスは、ポッドキャスト、ウェブサイト、オンラインで入手可能な一般的なイメージ、オンラインで入手可能な一般的なビデオ、MCF用にトランスコードされたウェブサイト、又はモバイルブラウザ設備用に設計されたウェブサイトを含むことが可能である。特定のコンテンツカタログは、旅行、道案内、地図上に表示された結果、ホワイト及びイエローページ電話帳、映画の開演時間及びレビュー、比較ショッピング及び製品レビュー、天気、株価、一般知識に関する質問、言葉の定義、辞典、レストランのレビュー及び予約、WiFiホットスポットの場所、占星術、市外局番、郵便番号、スポーツの得点表、フライト時刻、ファンタジースポーツの統計データ、ドリンクレシピ、ピックアップ路線、ジョーク、実店舗内の情報（例えば在庫リスト）、モバイルさいふ、百科事典、アダルトコンテンツ、ギャンブルコンテンツ、及びFAQを含むことが可能である。結果設備148で提供されるキャリアのプレミアムコンテンツは、着信音（短音、和音、又はリアル音）、リングバック、音楽ストリーミング、MP3、ビデオ、ゲーム、スクリーンセーバー、携帯電話用に設計されたイメージ、モバイルブック、又はその他のモバイルアプリケーションを含むことが可能である。キャリアのポータルコンテンツは、ニュース（現在のトップ記事、エンターテイメント、ビジネス、テクノロジー、及び金融等）、スポーツ、天気、株価、及び会計情報を含む。結果設備148で提供される装置ベースの結果は、メッセージング（SMS、MMS、及びインスタントメッセージング等）、E-mail、チャット、PIM（アドレスブック）、及びモバイルさいふ用の通貨サービスを含むことが可能である。最後に、家庭用コンピュータのデスクトップ検索結果は、テキスト文書、PDF（Portable Document Format）文書、注釈付き地図を含む様々な形式の地図、又は類似する設備、スプレッドシート、プレゼンテーション、写真及びイメージ、ウェブページ、E-mail、IM、及びチャットを含むことが可能である。
【０１１６】
検索結果の順序づけ及び表示は、モバイル通信設備102、モバイル加入者特徴112、配信設備、非曖昧化設備、ペアレンタル・コントロール150、検索アルゴリズム設備144、キャリアビジネスルール158、及び／又はスポンサーシップ設備162に基づくものとすることが可能である。表示するコンテンツの順序は、１つのカテゴリ内で入手できるコンテンツの量に基づくものとすることも可能である。表示172は、モバイル通信設備102の画面サイズに基づいて変更することが可能であり、及びサウンドその他のマルチメディアコンテンツは、モバイル通信設備102の能力に適合させることが可能である。コンテンツの順序づけ及び表示は、コンテンツの種類、アーティスト、日付、又は概念（例えば、自動車としての「Jaguar」又は動物としての「jaguar」）によって編成することが可能であり、また他のカテゴリをモバイル検索ホスト設備114内での推論から導出することが可能である。順序づけに加えて、コンテンツは、表示172内での重みづけによって強調し又は強調を減じることが可能である。例えば、重みづけは、サイズ、動き、対称性の欠如、派手な色、音、マルチメディア、又はコンテンツを強調するための他の手段の使用を介して、生じさせることが可能である。スポンサードリンクの場合には、出来高最適化（例えばクリック×入札費用）のための機会が存在し得る。
【０１１７】
ペアレンタル・コントロール105の機能は、ユーザアカウントが作成される時点でワイヤレスプロバイダ108により設定することが可能である。ペアレンタル・コントロールを変更し又は修正するために、及びパスワード保護を入力し／変更するために、ウェブベースのインタフェイスを使用することが可能である。代替的に、ペアレンタル・コントロールは、モバイル通信設備102内に含まれるインタフェイスを介して管理することも可能である。
【０１１８】
プライバシー設備152は、慎重に扱うべきユーザデータを暗号化するための暗号化設備といったユーザプライバシーを保護するための１つ又は２つ以上の設備を含むことが可能である。該プライバシー設備152はまた、望ましくないコンテンツ（不要な営利目的のメール、スパム、スパイウェア、ウィルス等）からユーザを保護するための設備を含むことが可能である。プライバシー設備は、例えば、結果を露呈させる前にかかるコンテンツをフィルタリングすることが可能であり、又は、別の実施形態では、ユーザの信用情報を露呈させる可能性の低い、又は望ましくないコンテンツを返す可能性の低い、修正されたクエリを提案することが可能である。プライバシー設備152は、ワイヤレスプロバイダ108とのセキュアチャネル（VPN等）と同様の態様で機能することが可能である。このセキュアチャネルは、慎重に扱うべき情報をセキュアに共有することを可能にする。
【０１１９】
取引セキュリティ設備154は、更なるプライバシー及びペアレンタル・コントロール 設定、ワイヤレスショッピングの保護のための取引セキュリティ設定、及びディジタル著作権の管理を含むことが可能である。実施形態では、かかる設備は、パスワードベースのセキュリティ、パブリックキー／プライベートキー設備、又はモバイル通信設備102を使用して実行される取引の参加者の真正性を確保するための他の適当なセキュリティプロトコルを含むことが可能である。
【０１２０】
ワイヤレスプロバイダ108のキャリアビジネスルール158は、モバイル検索ホスト設備114に関連するもの又はモバイル検索ホスト設備114に含まれるものとすることが可能である。かかるルールは、ユーザがアクセスすることができるコンテンツ（例えば「ウォールド・ガーデン」対「非ウォールド・ガーデン」）、スポンサーロゴ及びリンクが配置されるユーザインタフェイス内の場所、含まれるスポンサー設備、広告の棚卸しのルール、及びユーザによる取引のカテゴリを（例えば、アクセス条件、使用者コントロール、ペアレンタル・コントロール等に基づいて）許可しオークションを管理するルールを支配することが可能である。検索結果で生じる複製情報の例では、好適なプロバイダのコンテンツに他よりも高い優先順位を与えることが可能である。
【０１２１】
モバイル通信設備102上に存在する音声認識160に加えて、モバイル検索ホスト設備114内に音声認識を含めることが可能であり、該音声認識は、精確な音声認識のために、ソフトウェアアルゴリズム及びハードウェアベースのソリューションの両者を使用することが可能である。
【０１２２】
スポンサーシップ設備162は、関連するユーザに対してコンテンツを表示するための料金をワイヤレスプロバイダ108に支払ったスポンサーからのプレミアムコンテンツを格納する。スポンサーの情報は、ユーザが訪問したウェブサイトへリンクさせ（すなわちペイ・パー・クリック）又は電話にリンクさせる（すなわちペイ・パー・コール）ことが可能である。スポンサー情報は、テキストのみ、写真という形のグラフィック情報、グラフィックアートデザイン、又はビデオ、並びにそれらの様々な組み合わせの情報を含むことが可能である。スポンサー情報はまた、対話型ソフトウェアアプリケーション（すなわちゲーム）又は特殊な着信音（例えばジャム音）という形をとることが可能である。スポンサー情報は、該スポンサー情報と、ユーザの検索クエリ、結果リスト、アイテム又はカテゴリ、及びユーザが訪問したウェブサイトとの関係に基づいて、ユーザに対して表示することが可能である。ウェブページは、シンジケート広告のためのコンテンツ又はシンジケート広告のためのリンクを表示することが可能である。更に、図１に示すワイヤレス検索プラットフォーム100は、上述した種類のスポンサー情報を別個のデータベース128に収容することが可能である。
【０１２３】
暗黙的クエリ設備164は、明示的検索クエリではなくユーザ活動に基づいて関連するコンテンツの表示をユーザに提供する。例えば、GPSデータで、ロケータ設備110は、携帯電話のユーザがスポンサーのレストランの近くにいることを示すことができる。更に、モバイル通信設備102及び／又はワイヤレス通信設備に含まれる時計は、夜であることを示すことが可能である。予測アルゴリズムは、この情報を組み合わせて、ユーザが該ユーザの近くにあり夕食を買うことができるレストランに関心を示しているという暗黙的クエリを作成し、次いで該ユーザのモバイル通信設備102へコンテンツ（広告、電話番号、メニュー、レビュー）を配信して直ちに表示させることが可能である。他の暗黙的クエリは、同様に、ユーザのペアレンタル・コントロール150、キャリアビジネスルール158、及び結果設備148等のうちの１つ又はそれらの組み合わせに基づくものとすることが可能である。
【０１２４】
図１に示すワイヤレス検索プラットフォーム100は、インターネットに接続されたサーバ134及びデータベース138を含むことが可能である。インターネットを介してワイヤレスプラットフォーム100に接続されたデータベース138は、ユーザが取引する個々のビジネスウェブサイト等の情報を格納することが可能である。
【０１２５】
図１に示すワイヤレス検索プラットフォーム100は、ワイヤレスキャリアビジネスルール130を格納するデータベースを含むことが可能である。キャリアビジネスルール130は、ワイヤレスプロバイダ108の経済的な関心またはスポンサー128の重要性に基づいて広告コンテンツ（以下のウォールド・ガーデン・コンテンツ132を参照）を優先順位付けすることが可能である。更なるキャリアビジネスルール130は、本書又は引用した文献に記載されているものを含むことが可能である。
【０１２６】
図１に示すワイヤレス検索プラットフォーム100は、「ウォールド・ガーデン」コンテンツ132を格納したデータベースを含むことが可能である。ウォールド・ガーデン・コンテンツ132は、ワイヤレスプロバイダ108が例えばユーザのクリックスルー又はコンテンツのダウンロード（例えば、着信音、壁紙、リングバック、音楽、ビデオ）に基づいて更なる収益を導出するコンテンツとすることが可能である。この更なる収益のため、ワイヤレスプロバイダ108は、そのキャリアビジネスルール130を介して、この有益なコンテンツに対し、それと等しい関連性を有するがワイヤレスプロバイダ108にとって経済的な利益のない検索結果よりも高い優先順位を与えることを保証することが可能となる。
【０１２７】
図２は、ユーザクエリを操作してユーザに配信される結果を生成するための複数のプロセスを示す概略図200である。図示の実施形態でクエリモード202に入る。該クエリモードは、アクティブなユーザにより入力された明示的クエリという形をとることが可能であり、又はユーザによってではなく該ユーザ及び／又は該ユーザの挙動（例えばGPSロケーション）に関連する何らかの特徴によって開始される暗黙的クエリとすることが可能である。ユーザにより明示的に行われるクエリ入力208の開始は、関連する暗黙的クエリ204から導出される更なる情報と対にすることが可能である。クエリ入力208の明瞭さに応じて、該クエリは、訂正244、非曖昧化240、又はリダイレクション250を必要とする可能性がある。該クエリ入力208はまた、更なる処理に先立ち、推薦248、提案242、又はカテゴライズ254と対にすることが可能である。クエリ入力208の開始がテキストではなく声により行われる場合には、これを音声認識252プログラムと連携させることが可能である。検索を最適化させるために使用される一部又は全てのプロセスは、モバイル通信設備に関する情報（例えば、モバイル加入者特徴情報、ロケーション、時刻、フィルタアルゴリズム等）を使用してリファインすることが可能である。
【０１２８】
最初の明示的及び／又は暗黙的クエリが作成されると、該クエリ212が処理されて最初の結果が取り出される（214）。クエリ212と最初に取り出された結果214は、更なるフィルタリング258及び集約260を受けることが可能である。ウォールド・ガーデン・コンテンツ262及びスポンサードコンテンツ220をクエリ212に添付して、ユーザに合わせた結果222を該ユーザへ提示することが可能である。該結果222は、次いで更なるスポンサー224のメッセージ及び広告の配布をトリガすることが可能である。ペイ・パー・クリック（PPC）スポンサー228からの情報を該結果にリンクさせて、スポンサーのサービス、電話番号、住所、営業時間、及び販売等についてユーザが迅速に知ることを可能にすることができる。クエリ入力の開始(208)が、例えばリダイレクション(250)を受けた場合には、クエリステージ212に戻り、又は該クエリに基づく結果222を直ちにユーザに提示することが可能である。結果が取り出されると、その表示172に先立ち、スパイダーを使用して模擬互換性試験を実行することにより、ユーザのモバイル通信設備102との互換性についてコンテンツをテストすることが可能であり、該模擬互換性試験中に、多岐にわたる市販のワイヤレス通信設備（ユーザのモバイル通信設備102のタイプを含む）の処理特性がエミュレートされて、結果セット内のコンテンツのうちユーザのモバイル通信設備102と互換性のあるものが判定される。
【０１２９】
クエリ結果222は、表示(232)に先立って順序づけする(230)ことが可能であり、該順序づけは、例えば、スポンサー224、モバイル加入者特徴、モバイル通信設備に関する情報、ロケーション、キャリアルール、フィルタ結果、及び／又はウォールド・ガーデン262の特性に基づいて行うことが可能である。結果222が表示される(232)と、ユーザは、その情報を用いて対話／取引234を行う（例えば、発呼する、リンクをクリックする、又はオンライン注文をする）ことが可能となり、次いで該対話／取引234が図１に示すワイヤレスプラットフォーム100を介してワイヤレスに配信される(238)。
【０１３０】
図１を再び参照すると、ワイヤレス通信設備104は、機器筐体、アンテナ、アンテナ支持構造、及び、無線、マイクロ波、又はその他の通信のための信号の受信又は送信に使用される任意の関連する設備とすることが可能である。アンテナは、ポール、パネル、ロッド、反射盤、又は無線信号の送信又は受信に使用される同様の装置を含むことが可能である。アンテナは、無線信号を360度の放射パターンで送受信する全方向式アンテナ（「ホイップ」アンテナ等）、無線信号を360度未満の特定の指向特性で送受信する指向性アンテナ（「パネル」アンテナ等）、又はパラボラアンテナ（「ディッシュ」アンテナ等）、特定の指向特性で無線通信信号の送受信を行うボウル形装置とすることが可能である。ワイヤレス通信設備に含めることが可能な他のアンテナは、支持構造を除いた高さ又は幅が約30cm（12インチ）未満のテストモバイルアンテナ及びグローバルポジショニングアンテナ等の副アンテナ装置である。
【０１３１】
１つ又は２つ以上のワイヤレスプロバイダ108は、単一のワイヤレス通信設備104上に機器を取り付けることが可能である。
【０１３２】
ワイヤレス通信設備を構成することが可能な装置の他の例として、格子型塔、アンテナ及び関連する機器を支持するための金属製の交差ストリップ又はバーからなるワイヤレス通信支持構造、支持構造からなるワイヤレス通信設備104であるモノポール、並びに音声及びデータの送受信の助けとなる全ての機器を含む関連する機器が挙げられる。かかる機器は、ケーブル、導管及びコネクタ、支柱、モノポール、格子型塔、木製支柱、又は支え綱付き塔を含むことが可能である（但しこれらには限定されない）。
【０１３３】
ワイヤレスプロバイダ108は、ワイヤレス通信サービスを提供する、営利目的の、非営利目的の、又は政府の団体を含むことが可能である。ワイヤレスプロバイダ108は、セルラー、AWS（Advanced Wireless Services）スペクトル、広帯域PCS、狭帯域PCS、ページング、ワイヤレス通信（WCS）、ワイヤレス医療用遠隔測定法（WMTS）、特殊モバイル、私有地用モバイル、海上用モバイル、小電力無線サービス（LPRS）、狭域通信（DSRC）、218-219MHz、220MHz、700Mz保護周波数帯、空地（Air-Ground）、アマチュア、航空、基本的な交換電話、広帯域無線サービス（BRS）、市民無線（CB）、商用免許プログラム、教育用広帯域サービス（EBS）、家庭用無線サービス（FRS）、一般的な移動無線、工業用／業務用無線プール、高度道路交通システム（ITS）、ITFS（Instructional Television Fixed  Services）教育用広帯域幅サービス、下位700MHz、医療用移植通信（MICS）、マイクロ波、ミリ波70-80-90GHz、マルチポイント配信（MDS/MMDS）、多目的無線サービス（MURS）、オフショア、パーソナルロケータビーコン（PLB）、パーソナル無線、公安、ラジコン無線サービス（R/C）、及び地方サービス等を含む（但しこれらには限定されない）多岐にわたるワイヤレス技術及び／又はスペクトルを利用したサービスを含むことが可能である。
【０１３４】
ロケータ設備は、モバイル通信設備102と共に動作して、該モバイル通信設備の現在の地理的ローケーション又はその他のロケーションを識別することが可能である。ロケータ設備110は、例えば、地理的にタグ付けされた個人識別データ又は個人識別データの使用を介してワイヤレス装置の地理的ロケーションを特定するために使用することが可能である。地理的にタグ付けされた個人識別データは、位置情報サービスの使用を介して特定のロケーションにリンクされた個人識別データを示すものである。個人識別データは、個人を一意に且つ確実に識別するために使用することができる情報であり、名前、住所、電話番号、E-mailアドレス及びアカウント、又はその他の個人識別番号、並びに個人を識別するためにリンクされたあらゆる関連データ（例えば、ワイヤレスプロバイダ108により格納されているアカウントデータ）を含む（但しこれらには限定されない）。地理的なロケーションに加えて、又はそれに代えて、ロケータ設備110は、他のユーザに対する近さ、ネットワークロケーションに対する近さ、又は他のユーザに対する（例えば直線上の）位置といった、他のロケーションを識別することが可能である。
【０１３５】
上述のように、モバイル加入者情報は、モバイル加入者特徴データベース112内にアクセス可能な形で格納することが可能である。該情報は、モバイル通信設備102、ワイヤレスプロバイダ108、又は他のユーザ及び／又は該情報の操作者から、直接アクセスすることが可能である。更に、モバイル加入者データベース112には、モバイル通信設備102、モバイル通信設備のユーザ（例えばワイヤレスサービスプロバイダ108の顧客）、及びワイヤレスサービスプロバイダ108その他の有用な情報のソースに関連する情報をロードすることが可能である。モバイル加入者情報は、モバイル通信設備102に関する情報と連携して使用することが可能である。例えば、モバイル加入者情報は、モバイル通信設備を使用した所望の検索ターゲットへのユーザの一層良好なアクセスに資するために使用することが可能である。実施形態では、ユーザは、キーワード（又は非曖昧化された語句、修正された語句、提案された語句、又は本書に記載するその他の語句）に基づいて検索を実行することが可能であり、モバイル加入者特徴情報の一部又は全てを、特定のユーザに対して検索をリファインし又はカスタマイズする一方法として、前記キーワードに加えて使用することが可能である。例えば、ユーザの年齢、ロケーション、時刻、過去のモバイル通信設備のトランザクション（例えば、発呼、クリック、又はクリックスルー）を使用して、該ユーザが一層関心を示すものを予測することが可能である。実施形態では、価値のあるものとして予測された情報を検索結果の上部にリストアップすることが可能であり、かかる情報は、生成された結果のみとすることが可能であり、又は何らかの態様で強調することが可能である。モバイル加入者特徴情報は、例えばアルゴリズム設備144と連携して使用することが可能である。モバイル加入者特徴情報は、カテゴリフィルタ、又はかかる情報に従って検索結果をリファインするために使用される他のフィルタと連携して使用することが可能である。
【０１３６】
別の例として、モバイル加入者特徴データベース112内に格納されているモバイル加入者情報は、本書で更に詳細に説明するように暗黙的検索で使用することが可能である。ワイヤレスプロバイダは、ユーザのロケーション、時刻、（例えば、モバイル通信設備102に関する他のトランザクション（例えば電話活動又はウェブ活動）の解釈を介して）好き嫌いに関する情報を取得することが可能であり、及びワイヤレスプロバイダは、モバイル通信設備に明らかに関係する情報のダウンロードを、かかる情報をユーザが欲することを見込んで、容易化することが可能である。例えば、ロケーション設備110は、モバイル通信設備のロケーションを特定することが可能である。該ロケーションには、該ロケーションが特定された時刻を関連づけることが可能である。該ロケーション情報には、モバイル通信設備に関する電話番号を介して、他のモバイル加入者特徴情報を関連づけることが可能である。ロケーションは、マサチューセッツ州ケンブリッジのハーバード・スクエアとすることが可能である。時刻は、午後6:30とすることが可能であり、ユーザは、それとほぼ同じ時刻に過去２ヶ月で10回だけ中華料理店へ電話をかけている場合がある。これは、以前のクエリに基づいて又は発呼の履歴により判定することが可能であり、次いでこれを逆検索して将来のクエリに対する関連性をチェックすることが可能である。
【０１３７】
この情報を使用して、システムは、ユーザが中華料理店での夕食に関心を持っていると推論し、ハーバードスクエアの地域における中華料理店に関する情報をダウンロードすることが可能である。更に、夕食カテゴリその他の結果に関する情報を提示することが可能である。実施形態では、この一群のユーザ関連情報を、スポンサーデータベース128に格納されているスポンサー情報と関連して使用して、ユーザへ提示する結果の一部又は全てをスポンサー提供情報とすることが可能である。該スポンサー情報は、ユーザ関連情報に基づく検索結果オークションの結果とすることが可能であり、又は該スポンサー情報は、例えばスポンサードリンクがペイ・パー・コール・スポンサードリンクである、地方のレストランに関するものとすることが可能である。
【０１３８】
明示的又は暗黙的な情報のモバイル通信設備での検索又はその他の形態の検索のためにモバイル加入者特徴情報を使用することができる多数の方法が存在し、幾つかのかかる実施形態を以下で一層詳細に示す。
【０１３９】
上述のように、スポンサーデータベース128は、情報の検索、情報の提示、情報のアクセス、又はモバイル通信設備102に関連する他の活動で使用するために該スポンサーデータベース128内にアクセス可能な形でスポンサー情報を格納することが可能である。実施形態では、スポンサー情報は、シンジケート化スポンサーリンク、広告、コンテンツ、又はその他の情報をモバイル通信設備102上に提示するために使用することが可能である。
【０１４０】
スポンサー提供の結果は、モバイル通信設備102上の広告スペースのオークションの結果としてモバイル通信設備102のユーザへ提示することが可能である。該オークションは、キーワードベース、用語ベース、フレーズベース、又はアルゴリズムベースのものとすることが可能であり、又は、情報、サイト、コンテンツ等を検索クエリ若しくは問い合わせに関連づける他の何らかのシステムとすることが可能である。例えば、モバイル通信設備102のユーザは、検索クエリを入力することによりネットワーク検索を行うことが可能であり、該クエリ、又は何らかの関連する形のクエリ（例えば、クエリの非曖昧化、クエリの訂正、クエリに関連する提案）は、最高入札者がそのコンテンツを広告するための高い権利を受けるオークションを介して処理することが可能である。コンテンツは、モバイル通信設備に関する表示装置上にスポンサードリンクとして提示することが可能である。該スポンサードリンクは、強調表示し、優先順位付けし、又はその他の態様で提示することが可能である。実施形態では、スポンサー提供情報は、モバイル通信設備のユーザが訪れたサイト上に提示することが可能である。例えば、ユーザは、スポンサードリンク以外のリンクをクリックする可能性がある。そのウェブサイトコンテンツがモバイル通信設備上に表示された際に、該スポンサードリンクに関する情報もまた表示することが可能であり、これによりユーザが該スポンサードリンクをクリックする更なる機会が提供される。
【０１４１】
実施形態では、モバイル通信設備102のユーザは情報の検索を行うことが可能であり、又は、関連情報の検索（例えば暗黙的検索）を、ユーザがかかる情報を欲していることを見込んで行うことが可能であり、及び提示される結果には、スポンサードリンク、コンテンツ、又はその他の情報を含めることが可能である。スポンサードコンテンツは、オークション（例えば、キーワードベースのオークション、アルゴリズムベースのオークション、ロケーションベースのオークション、モバイル加入者特徴ベースのオークション、又は検索クエリからの情報等の情報が他の情報（ロケーション又はモバイル加入者特徴等）と組み合わされる組み合わせオークション）の結果とすることが可能であり、及びスポンサードコンテンツは、優先順位付けされた態様、強調表示された態様、独占的な態様、又は他の何らかの態様で、モバイル通信設備に関連する表示装置上に提示し及び表示することが可能である。
【０１４２】
実施形態では、スポンサー情報は、オークションの結果としてモバイル通信設備102に提示することが可能である。実施形態では、スポンサー情報は、ペイ・パー・コール・リンク又はコンテンツとして提示することが可能である。ペイ・パー・コールの実施形態では、モバイル通信設備102上に情報を掲示する権利のためのオークションが存在しなかっ可能性がある。該情報は、それが関連すると思われるため又は他の何らかの理由により、提示された可能性がある。かかる場合には、スポンサーに関連する特別な電話番号をモバイル通信設備のユーザに提示することが可能である。該特別な電話番号に電話がかけられた際に、該電話の受け手（例えば、製品又はサービスのベンダ）には、該電話を受けて該情報の掲示者（例えば、ワイヤレスサービスプロバイダ）に手数料を支払うか又は該電話を拒否するかの選択肢が提示される。別の幾分か類似するシナリオでは、ベンダは、最初の電話を無料で受けること、又は該電話について後に代金を支払い又は請求されることが可能であるが、紹介を所望する場合には、かかる料金を将来的には受け入れなければならない。モバイル通信設備102のユーザは、該モバイル通信設備102のアドレスブックにスポンサー提供の電話番号又は紹介された電話番号を格納することが可能であり、該電話番号が発呼される度にワイヤレスサービスプロバイダがその紹介料の支払いを受けることが可能である。実施形態では、紹介／スポンサー料は、使用と共に安くし、使用と共に高くし、又は使用と共に一定に維持することが可能である。実施形態では、紹介／スポンサー料は、時間その他のパラメータと共に変更することが可能である。実施形態では、ペイ・パー・コール電話番号はオークションプロセスの結果である。広告シンジケーションは、モバイル通信設備102、モバイル加入者特徴112、配信設備、及び／又はペアレンタルコントロール150によって分割することが可能である。
【０１４３】
本発明の特徴は、ウェブサイトがモバイル通信設備（例えば携帯電話）へ提示される際に該ウェブサイトにモバイルコンテンツを追加することが可能なシンジケーションプログラムに関するものである。かかるシンジケーションは、ワイヤレスオペレータ、ワイヤレスサービスプロバイダ、若しくは電気通信プロバイダによって決定することが可能であり、又はオプトインプロセスを介してウェブサイトの所有者の判断で行うことが可能である。該オプトインプロセスは、ワイヤレスプロバイダ、モバイル検索プロバイダ、又はその他の関連する団体への入会を伴うことが可能である。該オプトインプロセスはまた、ウェブサイト上のタグの挿入を伴うことが可能である。モバイルコンテンツは、指定されたURL又は複数のURLについて、ウェブサイトページに自動的に追加することが可能である。該モバイルコンテンツの追加は、モバイルコンテンツが配置されるべきページ上の指示を伴うことなく行うことが可能である。タグその他の符号化情報をウェブサイト内に含ませて、モバイル通信設備への配信時に該サイト上の何処にモバイルコンテンツを配置すべきかを示すことが可能である。シンジケーションプロセスは、コンテキストベースの関連性、又は挙動ベースの関連性とすることが可能であり、又は関連するモバイルコンテンツをサイトに関連づける２つの技術の組み合わせに基づくものとすることが可能である。サーバアプリケーション（例えば、WAPサーバアプリケーション、WAPゲートウェイ、モバイルアプリケーションゲートウェイ等）は、ウェブサイトがタグ付けされていてもタグ付けされていなくても、モバイル通信設備への配信時にモバイルコンテンツを該ウェブサイトへ自動的に追加することが可能である。該モバイルコンテンツは、ウェブコンテンツ配置オークション、又は、どのコンテンツをその提示時にキーワード、話題、及びウェブサイト等に関連づけるかを判定するための他のプロセスを伴うことが可能である。
【０１４４】
ウェブサイトに対するモバイルコンテンツの自動的なシンジケーションは、シンジケーションに使用することができるモバイルコンテンツの関連性を判定するためにウェブサイトに関するコンテキスト情報を使用することに少なくとも部分的に基づくものとすることが可能である。ウェブサイトに関連づけることができるコンテキスト情報は、該ウェブサイト上に配置されているキーワード、用語、又はフレーズ、該ウェブサイトへのインバウンドリンク、該ウェブサイトからのアウトバウンドリンク、該ウェブサイトに関するクリックパターン及びクリックスルー（該ウェブサイト上に現れるスポンサードコンテンツに関するクリックパターン及びクリックスルーを含む）、メタデータ、ウェブサイトを使用する時刻、時間、深さ、及び頻度を含むウェブサイトの使用パターン、該ウェブサイトのホスト、該ウェブサイトに関する検索バーティカル、及びウェブサイトのコンテンツのその他の兆候を含むことが可能である。
【０１４５】
ウェブサイトに関するコンテキスト情報は、少なくとも部分的に関連性に基づくウェブサイトに対するシンジケーション及び提示のために利用することができるモバイルコンテンツに関連づけることが可能である。シンジケーションに利用できるモバイルコンテンツは、ワイヤレスオペレータ、ワイヤレスサービスプロバイダ、電気通信プロバイダ、及びモバイル検索プロバイダ等により提供されるコンテキストシンジケーションプログラムに参加しているモバイルコンテンツのスポンサーのプールから導出することが可能である。代替的に、シンジケーションに利用できるモバイルコンテンツは、コンテキストシンジケーションプログラムの外部から導出し、及びコンテキストシンジケーションプログラムの潜在的な参加者に提示するためのモバイルスポンサーキャンペーンの生成に使用することが可能である。
【０１４６】
ウェブサイト及びシンジケーションに利用可能なモバイルコンテキストに関するコンテキスト情報の関連性は、関連性スコアの使用を介して示すことが可能である。該関連性スコアは、ウェブサイトに関するコンテキストデータパラメータとモバイルコンテンツパラメータとの間の統計的な関連性の数値的な概略とすることが可能である。該関連性スコアは、ワイヤレスオペレータ、ワイヤレスサービスプロバイダ、モバイル検索プロバイダ、又は電気通信サービスプロバイダによってモバイルコンテンツに割り当てられた独自のスコアとすることが可能である。ウェブサイトに関するコンテキストデータパラメータは、リストに標準化することが可能である。モバイルコンテンツは、コンテキストデータパラメータリスト内の各要素毎に関連性スコアを受容することが可能である。例えば、着信音ダウンロード広告等のモバイルコンテンツは、複数のウェブサイトの各々毎に関連性スコアを受容することが可能である。「エンターテイメント」ウェブサイトは、「天気」ウェブサイトよりも高い関連性スコアを受容することが可能である。同様に、「音楽」に関するインバウンドリンクのコンテキスト情報は、「ペット」に関するインバウンドリンクよりも高い関連性スコアを受容することが可能である。人気の中国語の歌から導出した着信音に関するモバイルコンテンツは、「サーバホスト＝アルゼンチン」よりも「サーバホスト＝中国」のコンテキスト情報に一層高い関連性スコアを受容することが可能である。また、コンテキスト情報パラメータ「キーワード＝着信音」又は「キーワード＝音楽ダウンロード」は、着信音に関連するシンジケート化されたモバイルコンテンツに一層高い関連性を有するものとしてスコアづけすることが可能である、といった具合である。シンジケート化モバイルコンテンツの関連性スコアは、モバイルコンテンツ関連性辞書に格納することが可能である。
【０１４７】
ウェブサイトに対してモバイルコンテンツを自動的にシンジケート化するプログラムは、該ウェブサイトに関するコンテキスト情報に対するモバイルコンテンツの関連性に基づくものとすることが可能である。モバイルコンテンツのシンジケート化の自動化は、ウェブサイトに関する関連する電子的な情報（例えばメタデータ）に少なくとも部分的に基づくものとすることが可能である。メタデータ内に含まれるのは、ウェブサイトのコンテキストデータパラメータのモバイルコンテンツデータパラメータとの関連性に関する情報とすることが可能である。メタデータが関連性情報を含み得る態様に関する多数の例のうちのほんの一部として、ウェブサイトへの関連性を示すメタデータ（例えば「着信音」）、及びウェブサイトに対してモバイルコンテンツをシンジケート化するために必要なコンテキストデータパラメータに関する最小の関連性スコアを示すメタデータ等が含まれる。メタデータは、ウェブサイトに対する関連するモバイルコンテンツを識別し、受容し、及び提示するために、モバイルコンテンツ関連性辞書と連絡することが可能である。
【０１４８】
実施形態では、ウェブサイトに関連する団体が自動シンジケーションプログラムを選択（オプトイン）することが可能である。該オプトインは、ワイヤレスオペレータ、ワイヤレスサービスプロバイダ、モバイル検索プロバイダ、又は電気通信プロバイダに関連して行うことが可能である。該オプトインは、セルフサービスウェブサイトを介して、自動シンジケーションプログラムを実行する団体を介して、郵送された勧誘書を介して、電話勧誘を介して、又はウェブサイトタグ等を介して行うことが可能である。ウェブサイトに関する団体が該プログラムにオプトインすると、該自動シンジケーションプログラムは、自動シンジケーションを開始させるために該団体のウェブサイト内の電子的なタグの関連づけを行うことが可能である。該自動シンジケーションプログラムは、WAPサーバ、WAPゲートウェイ、モバイルアプリケーションゲートウェイ、リモートサーバ、及びモバイル通信設備（例えば電話機）にページを提供するサーバ等と連携して動作することが可能である。実施形態では、オプトインプロセスは、ターゲットウェブサイトをシンジケーション指示タグでタグ付けすることを伴う。例えば、ウェブサイトオペレータは、モバイル通信設備（例えば電話機）へ提示された際にシンジケートされるべきことを示すシンジケーション指示タグでウェブサイト（及びその関連するページの各々）をタグ付けすることが可能である。該タグはまた、ページ上のモバイルコンテンツの位置を示すことが可能である。オプトインウェブサイトは、タグを挿入せず、モバイルコンテンツがページ上に自動的に現れることを可能にするように、選択することが可能である。モバイル通信設備へウェブサイトをダウンロードするよう設計されたサーバアプリケーション（例えばWAPサーバ、WAPゲートウェイ、及びモバイルアプリケーションゲートウェイ等）は、ウェブサイトを読み込んでシンジケーション指示タグを探すことが可能であり、又は参加（オプトイン）するよう要求されたURLのデータベースにウェブサイトロケーションを関連づけることが可能である。サーバは、サイトがシンジケート化モバイルコンテンツを含むべきことを確認すると、該サーバは、該ウェブサイトにモバイルコンテンツを自動的に追加する。該サイトのタグ付けプロセスは、ワイヤレスプロバイダサイト又はモバイル検索プロバイダサイトへ行って適当なタグを取得することを含むことが可能である。実施形態では、タグは、任意数の様々な団体又は情報源によって提供することが可能である。例えば、タグは、サードパーティのタグ付けウェブサイトにより提供することが可能である。実施形態では、タグの形式は既知のものとすることが可能であり、該タグをサイト管理者が挿入することが可能である。
【０１４９】
自動シンジケーションプログラムは、ウェブサイトの団体に提供される、均一料金、歳入分与、又は無料のサービスプログラムとすることが可能である。自動シンジケーションプログラムは、ウェブサイトの団体へ提供される料金分配サービスプログラムを含むことが可能であり、この場合には、該団体は、ワイヤレスオペレータ、ワイヤレスサービスプロバイダ、電気通信プロバイダ、自動シンジケーションプログラムを実行するモバイル検索プロバイダ、サーバサービスプロバイダ、及び／又はトランザクションに含まれるその他の団体と、収益を分かち合うことになる。料金は、自動シンジケーションプログラムに参加しているモバイルコンテンツのスポンサーから得ることが可能である。料金は、モバイルコンテンツのスポンサー、競争入札プロセス、オークション、又は均一料金サービス等から得られる。料金体系及び入札は、データパラメータに関連する関連性スコアに基づくものとすることが可能である。
【０１５０】
実施形態では、ウェブサイトは、シンジケーションのためにタグ付けすることが可能であり、及び無料、均一料金、歳入分与方式、又はサーバアプリケーションがウェブページをシンジケートする際に行う他の方式をとることが可能である。ウェブサイトをシンジケートするために使用されるコンテンツは、オークションその他のかかる方式を介して提供されたものとすることが可能であり、シンジケーションアプリケーションについて受容される料金は、サイト所有者、モバイル通信設備へサイトを配信するワイヤレスプロバイダ、サーバオペレータ、及び／又はトランザクションに含まれる他の団体を含む、多数の団体と分かち合うことが可能である。
【０１５１】
代替的に、ウェブサイトにシンジケートされるモバイルコンテンツは、ウェブサイトのみ又はウェブサイトのみよりも広範な一組のコンテンツを検索することを可能にする、検索ボックスを含むことが可能である。
【０１５２】
ウェブサイトに関連するコンテキスト情報に基づく自動シンジケーションプログラムに関して上述したように、自動シンジケーションプログラムは、モバイル通信設備のユーザに関する挙動情報に基づくものとすることが可能である。挙動情報に基づく自動シンジケーションプログラムでは、モバイルコンテンツの関連性スコアは、ユーザ履歴、取引履歴、地理的ロケーション、ユーザ装置、時刻、モバイル加入者特徴、モバイル通信設備特徴、及び／又は本書に記載するような他のユーザ情報のうちの少なくとも１つを含む（但しこれらには限定されない）ユーザの挙動データパラメータに基づくものとすることが可能である。モバイル通信設備は、電話機、携帯電話、セルラー電話、及びGSM電話とすることが可能である。
【０１５３】
本書の実施形態の多くはシンジケート化されたウェブサイトに関連して説明されているが、かかる技術は他の形態のネットワークコンテンツにも適用されることが理解されよう。例えば、該技術は、ウェブページ、ウェブページの一部、イメージ、ビデオ、映画、スキン、グラフィカルユーザインタフェイス、プログラムインタフェイス、ウェブコンテンツ、ダウンロード可能コンテンツ、及びその他のかかるコンテンツのシンジケーションに使用することが可能である。
【０１５４】
実施形態では、キャリアルールデータベースは、検索技術、検索手法、検索可能コンテンツのロケーション、ウォールド・ガーデン・ルール、ガーデン外ルール、ネットワーク外検索ルール、ネットワーク内検索ルール、検索結果提示ルール、スポンサー提示ルール、スポンサー検索ルール、スポンサールール、コンテンツ提示ルール、及び、モバイル通信設備102上での情報の検索、表示、順序づけ、及び／又は提示に関連する他の情報及びルールに関する情報を含む。
【０１５５】
キャリアビジネスルールは、例えば、検索語の非曖昧化又は訂正を如何に行うか、入力され又は提出されたクエリの結果としてどの検索語を提案すべきか、如何なる結果を如何なる順序で提示すべきか、又はスポンサーを如何に選択し又は提示すべきか、についての案内を提供することが可能である。キャリアビジネスルールは、ネットワーク内データベース（例えばウォールド・ガーデン・コンテンツ132）を検索すべき場合、及びネットワーク外データベース（例えばサーバ134を介してデータベース138）を検索すべき場合についての案内を提供することが可能である。例えば、ワイヤレスプロバイダ108は、モバイル通信設備102のユーザに音楽、ビデオ、着信音、壁紙、及びスクリーンセーバー等をウォールド・ガーデン・コンテンツ132のネットワーク内データベースから注文させたい場合があり、一方、該ワイヤレスプロバイダは、現在のニュースをネットワーク外ソースから入手したい場合がある。次いで、ワイヤレスプロバイダは、これらのルールを設定し、該ルールをキャリアビジネスルールデータベース130に格納することが可能である。次いで、これらのルールは、検索、提示、又は順序づけの際にワイヤレスプロバイダにより（又は随意選択的にモバイル通信設備102又はその他の関連する設備から）、又は本発明による他のパラメータにより、アクセスすることができる。
【０１５６】
ウォールド・ガーデン・データベース132は、本発明の一態様によれば、ワイヤレスプロバイダ及びモバイル通信設備102に関連づけることが可能である。該ウォールド・ガーデン132は、ユーザが許可されたワイヤレスコンテンツへのアクセスのタイプを判定するキャリアビジネスルール130のサブセットを指すものである。ウォールド・ガーデンは、許可されるコンテンツの範囲を、ワイヤレスプロバイダ108により決定された所定のコンテンツセットへと制限することが可能である。例えば、ワイヤレスプロバイダ108は、サードパーティからのコンテンツにライセンスを供与し、該プロバイダの加入者に該ライセンスが供与されたコンテンツのバンドルパッケージを提供する一方で、その他のコンテンツへのアクセスを制限することが可能である。ワイヤレスプロバイダ108は、コンテンツレイアウト、認証、ロイヤルティ・トラッキング及びレポート、請求、サービス品質等を該プロバイダのキャリアビジネスルールを介して指示することが可能であり、又はこの機能をサードパーティへ外部委託することが可能である。ウォールド・ガーデン132は、ワイヤレスプロバイダ108が、その加入者へ、該加入者のワイヤレス基本アカウントの一部としてコンテンツ一式を提供することを可能にし、これにより、ライセンスが供与されたコンテンツパッケージ内の個々のライセンス製品について加入者が個々に支払いを行う必要が無くなる。ウォールド・ガーデン132は、加入者に対して利用可能となるコンテンツの選択を制限する。典型的には、ワイヤレスプロバイダ108は、該プロバイダ自身とライセンスが供与されたコンテンツプロバイダとの間での歳入分割という形でコンテンツの配布について補償を受ける。
【０１５７】
ウォールド・ガーデン132に関し、コンテンツ配布のモデルは、ゲーテッド・ガーデン・モデルである。ゲーテッド・ガーデンでは、ワイヤレスプロバイダ108は、仮想トールゲートを作成することが可能であり、該ゲートを通してサードパーティが該ワイヤレスプロバイダの加入者へ独自のコンテンツを提供することが可能となる。その見返りとして、ワイヤレスプロバイダ108は、該プロバイダの加入者がサードパーティのコンテンツにアクセスすることから得られた収益を分かち合う。ウォールド・ガーデン132とは異なり、ゲーテッド・ガーデン・モデルでは、ワイヤレスプロバイダ108は典型的には、コンテンツにアクセスする問題に関してコンテンツ又はカスタマサービスについて責任は負わない。
【０１５８】
アルゴリズム設備144は、検索、検索結果の順序づけ、又は結果及びスポンサー提供の結果等の表示に関する情報を組み合わせるためのアルゴリズムを含む、あらゆるタイプのアルゴリズムを実行することが可能である。例えば、アルゴリズム設備は、モバイル通信設備102上で入力された検索クエリ内へモバイル加入者特徴を如何に組み込むかを規定するためのアルゴリズムを含むことが可能である。該アルゴリズムは、例えば、検索クエリと連携して使用するための情報、暗黙的検索で使用するための情報、検索の様々な部分に提供する重み（例えば、暗黙的検索ではロケーションが高い重みを受ける）、許容可能なスポンサー、結果の順序づけ態様、結果の表示態様（例えば強調表示）、及び／又は検索に関連する他のパラメータを決定することが可能である。アルゴリズム設備144はまた、スポンサーシップアルゴリズム、オークションに関するアルゴリズム、ペイ・パー・クリックに関するアルゴリズム、ペイ・パー・コールに関するアルゴリズム、又は本書で説明するような検索の開発に関する他のアルゴリズムを含むことが可能である。
【０１５９】
アルゴリズム設備144は、ユーザクエリに基づいて多数の考え得る解決策を評価するために使用されるソフトウェアツールとすることが可能である。一組の全ての考え得る解決策は、検索空間と呼ぶことができる。一般に、アンインフォームド検索は、比較的単純な、検索空間の直接走査のための、ブルートフォース検索又は「ナイーブ」検索アルゴリズムを採用することが可能である。これとは対照的に、インフォームド検索アルゴリズムは、検索中に検索空間の構造に関する知識を適用するためにヒューリスティックスを使用することが可能である。アルゴリズム設備142で使用することが可能な考え得るアルゴリズムは、アンインフォームド検索、インフォームド検索、ツリー検索、リスト検索、アドバーサリアル検索、制約充足法、包括的検索、確率的検索、焼き鈍し法、文字列検索、タブー検索、及び／又は横串検索を含む（但しこれらには限定されない）。
【０１６０】
ペアレンタルコントロール設備150は、特定のタイプの（ユーザにより定義された）好ましくないコンテンツへのアクセスを制限するソフトウェアベースの手段とすることが可能である。該ペアレンタルコントロール設備150は、不適切なコンテンツをフィルタリングし及び遮断するためのマルチレベル及び／又はダイナミックウェブフィルタリング技術を含むことが可能である。ペアレンタルコントロール設備150は、ワイヤレス検索プラットフォーム100又はモバイル通信設備102の他の機能にリンクすることが可能である。例えば、ペアレンタルコントロール設備150は、好ましくないコンテンツを遮断する際に、不適切なウェブブラウジング、インスタントメッセージング、及びチャットセッション等について、E-mailによる通知又は携帯電話による警告を送ることが可能である。包括的なログレポートが子供の活動を要約することが可能である。ペアレンタルコントロール設備150はまた、モバイル通信設備102又はインターネットをユーザが使用することが許可される総時間の制御、ウェブベースのE-mailアカウントのフィルタリング、及び好ましくないポップアップ広告の遮断等を行うための手段を含むことが可能である。
【０１６１】
音声認識設備160は、マシン又は装置（例えば携帯電話）が、人が話した言葉を理解して話されたコマンドを実行することを可能にする、ソフトウェアコンポーネントとすることが可能である。典型的には、人の声が装置により受信されてアナログ音声へと変換される。次いで該アナログ音声が、例えばアナログ・ディジタル変換器を使用してディジタル形式へと変換され、該ディジタルデータが音声認識技術を使用して解釈される。一般に、これは、単語又は音節の語彙を格納したディジタルデータベースを、その格納されているデータを前記装置により受信された前記ディジタル音声信号と比較する手段と共に使用して行われる。一意のユーザのスピーチパターンを（ローカル又はリモートの）ハードディスクドライブ又はその他の記憶装置に格納し、プログラムが実行される際にその全て又は一部をメモリ中にロードすることが可能である。比較手段は、例えば、相関づけ又はその他の離散フーリエ変換又は統計的な技術を使用して、格納されているパターンをアナログ・ディジタル変換器の出力と比較することが可能である。
【０１６２】
音声認識設備160の能力（語彙、速度、及び解析することができるディジタルサンプルの長さ等）は、該音声認識設備160のハードウェア能力（メモリ容量、サンプリングレート、及び処理速度等）並びに比較に用いるアルゴリズムの複雑さによって制約され得る。
【０１６３】
暗黙的クエリ設備164は、ユーザの現在の活動、特徴、及び／又はユーザの装置特徴に基づいてコンテキスト依存型クエリを自動的に生成することが可能である。例えば、暗黙的クエリ設備164は、インターネットリンク、音楽ファイル、E-mail、及びアクティブなユーザのクエリに関連するその他の素材であってユーザが特に問い合わせていないものを取り出すことが可能である。ユーザのモバイル通信設備102にリンクされた他のデータ（例えば、ロケータ施設110から取得された地理的ロケーション）を使用して、（ユーザの以前のインターネットの使用に基づいて）ユーザが関心を示すと思われる店についての暗黙的クエリを、ユーザの一般的な設備で開始させることが可能である。暗黙的クエリ設備は、モバイル通信設備のユーザがかかる情報を欲することを見込んで、コンテンツを収集しモバイル通信設備102上にダウンロードすることが可能である。検索クエリに先立って結果を提供するこの技術は、例えばコンテンツの配信速度を高めるために使用することが可能である。
【０１６４】
クライアントアプリケーションインタフェイスは、モバイル通信設備102に関連づけることが可能である。該クライアントアプリケーションインタフェイスは、モバイル通信設備上のプロセッサ（及びオペレーティングシステム）を介して動作するソフトウェアプログラムとすることが可能であり、該プログラムは、モバイル通信設備で使用されるプロセスを容易化し及び／又は表示装置172を介して情報を生成することが可能である。クライアントアプリケーションインタフェイスは、本書で説明するプロセス及び装置に関連する多数の機能を実行することが可能である。例えば、クライアントアプリケーションインタフェイスは、検索クエリ入力設備を生成し、音声起動設備と関連して動作し、モバイル通信設備上の送受信回路と関連して動作し、モバイルホスト設備114と関連して動作し、モバイル通信設備上のグラフィカルユーザインタフェイスを生成し、又はモバイル通信設備及び／又は本書に開示するシステム及びプロセスに関する別の機能を実行することが可能である。クライアントアプリケーションインタフェイスは、モバイル通信設備上でのグラフィカルユーザインタフェイスの生成といった幾つかの機能を実行することが可能である。別の機能は、カーソルその他のインタフェイスがラインアイテム上をホバリングし又はそれ以外の態様で該アイテムと相互作用している際に該アイテム（例えば、カテゴリ、ダウンロード設定、又はオプション等）を拡張させることとすることが可能である。別の機能は、視覚的合図（例えば、矢印、多面矢印、プラス記号等）により階層を表し、該視覚的合図が選択された際にサブアイテムを下方へ出現させることとすることが可能である。別の機能は、階層をラインアイテムとして表し、サブアイテムを有する別画面に選択的にスクロールさせることとすることが可能である。別の機能は、ウェブページのクリックパターンを追跡するのと全く同様にユーザクリックの追跡を可能とする手段を提供することとすることが可能である。別の機能は、モバイル通信設備に付随するカメラを使用して、画面上でのナビゲーション（例えば、アイテムの選択を容易化するためのピクチャ、地図、又はテキスト上での上下左右のスクロール等）のための方法として電話機の運動を追跡することとすることが可能である。別の機能は、滑らかな視覚的遷移（例えば階層画面の動き及びラインアイテムの拡張）を提供することとすることが可能であり、これは、更なる視覚的な指示を提供することにより利用及び販売を増大させ得るものである。別の機能は、アイコンに関するツールヒントを提供することとすることが可能である。該ツールヒントは、例えば、所定のホバー時間に達した後に提示することが可能であり、又はアクションアイコンの近くに視覚的合図が存在することが可能である。別の機能は、キャッシュされた提案が既に表示されている間にバックグランドで提案をダウンロードすることとすることが可能である。別の機能は、キャッシュされている提案の次に表示するために提案をダウンロードすることとすることが可能である。別の機能は、（例えば提案と同様に動作する）結果をキャッシュすることとすることが可能である。別の機能は、プリインストールされたキャッシュ済の提案で動作することとすることが可能である。別の機能は、ソフトウェア更新通知を行うこととすることが可能であり、この場合、ユーザは更新を行うための選択肢を有することが可能である。別の機能は、通知の提示とすることが可能である。かかる通知は、例えば、何百万ものハンドセットが同じ時刻に更新しようとすることを回避するために段階的に行うことが可能である。クライアントアプリケーションインタフェイスは、異なるバージョンのソフトウェアを必要とすることなく多数のモバイル通信設備の変種を扱うよう設計することが可能である。クライアントアプリケーションインタフェイスは、アプリケーション内にビットマップを配置することなく色の深みを与えるよう階調シェーディング及び／又はディザリングを生成することが可能である。これは、ダウンロードを容易にすべく（例えば、ダウンロード速度を高くするために）アプリケーションサイズを縮小させるために提供することが可能である。別の機能は、多言語サポートを提供することとすることが可能である。別の機能は、ユーザが友人に結果又はアイテム結果を送ることを可能にすることとすることが可能である（例えばこれは本書で示すあらゆる配信設備に適用することが可能である）。別の機能は、ページロード速度を増大させ及びネットワークコストを最低限にするために結果のページネーションを提供することとすることが可能である。別の機能は、ローカルに格納されている履歴を検索して各リスト画面からの迅速なアクセスを可能にすることとすることが可能である。クライアントアプリケーションインタフェイスは、キャリアのブランドを含むように設計することが可能であり、該キャリアのブランドは、カラーにすることが可能であり、及びロゴを提示することが可能である。別の機能は、異なるモバイル通信設備、キャリアのネットワーク速度、ユーザのデータプラン、又はその他の状況を許容すべく、異なるデータ転送モードを提供することとすることが可能である。別の機能は、大画面という不動産を必要とすることなく及びアプリケーションの継続的な双方向性を可能にするために、バックグランドでのネットワーク活動に関するかすかな視覚的合図を提供することとすることが可能である。別の機能は、構成及び／又は外観をカスタマイズすることが可能なスキンを変更できる検索アプリケーションを提供することとすることが可能であり、又はクライアントアプリケーションインタフェイスをローカルでスキンを変更可能なものとすることが可能である。別の機能は、モバイル通信設備102に関する情報に基づく動的なフォントの選択及び表示を提供することとすることが可能である。別の機能は、モバイル通信設備102に関する情報に基づく画面の動的な再構成を提供することとすることが可能である。別の機能は、表示されているカテゴリ及びそれに関連する結果を用いた一般的な話題の入力を提供して、限られたクエリ入力設備120にクエリ全体をタイプ入力する必要なく該クエリの残りの選択を行うことを可能にすることとすることが可能である。別の機能は、モバイル通信設備の能力に関する情報に基づいて動的なキャッシュサイズを提供し又は関連づけることとすることが可能である。別の機能は、検索経験を介して情報を予めダウンロードする（例えばコンテンツタイプを選択する前にバックグランドで結果をダウンロードする）こととすることが可能である。別の機能は、変化するデータ使用パターン又はその他の因子に基づいて高速及び低速ネットワーク通信を提供する（例えばモバイル通信設備が低速ネットワークに結合されている場合にバックグランドでより多くのトランザクションを処理する）こととすることが可能である。別の機能は、提案の組み合わせを使用したクエリ構成を提供することとすることが可能である。クライアントアプリケーションインタフェイスは、本書で概説した機能及び設備並びにモバイル通信設備の他の従来の機能と連携して、該モバイル通信設備上で必要に応じて他の機能を実行することが可能である。他の機能は、動的なメモリ管理を用いることとすることが可能であり、詳細には、装置の能力に基づいて、及び該装置の他の記憶要件（例えば電話機における他のアプリケーション又はコンテンツ）に基づいて、以前の画面、プリフェッチ情報、又はキャッシュデータのためにより多く又はより少ないメモリを使用することとすることが可能である。別の機能は、ユーザの許可の下でアプリケーションを自動的に更新することとすることが可能である。この特定の機能は、同時に更新する必要がないことを全ての装置に強要することのない段階的な態様で配置することが可能である。
【０１６５】
ワイヤレス検索プラットフォーム100において、モバイル通信設備102は、キャッシュ（キャッシュメモリ又はキャッシュとして構成されたメモリの一部等）を含むことが可能である。該メモリは、ハードディスクドライブ、スタティックメモリ、又は不揮発性メモリとすることが可能である。該メモリは、モバイル通信設備102内に永久的に配設することが可能であり、又はメモリカードのように取り外し可能なものとすることが可能である。
【０１６６】
前記キャッシュは、モバイル通信設備102のユーザによるアクションの結果としてアクセスされ及び該モバイル通信設備102の表示装置上に提示されることが可能なモバイルコンテンツ等の提案を含むことが可能である。該キャッシュされた情報は、モバイル通信設備102に対するサービスのプロバイダによるアクション又は該モバイル通信設備102上で実行している自動化アプリケーションによるアクションの結果としてアクセスされ及び提示されることが可能である。提案は、モバイル通信設備102上にローカルにキャッシュし、及びネットワーク更新の実行と相まってワイヤレスプラットフォーム100の全体的な性能の最適化を容易にすることが可能である。
【０１６７】
キャッシュ内に格納されたデータは、ユーザにより直接入力することが可能である（例えば、ユーザ名、住所、検索クエリ）。代替的に、キャッシュに格納されるデータは、モバイルネットワークを介して、サーバ134、ワイヤレスプロバイダ108、又はモバイル検索ホスト設備114から転送することが可能である。キャッシュされたデータは、モバイル通信設備102への転送に先立って圧縮することが可能であり、及びモバイル通信設備102上で受信した後に解凍することが可能である。該データは、受信時に解凍することが可能であり、又はデータがその提示のためにアクセスされる際に解凍することが可能である。
【０１６８】
キャッシュされるデータは、スポンサードコンテンツ、スポンサードリンク、スポンサードコール、ダウンロード可能なコンテンツ、オーディオストリーム、ビデオ、グラフィック要素、イエローページ又はホワイトページ等の索引といった、モバイルコンテンツとすることが可能である。モバイルコンテンツのキャッシングは、ユーザクエリ又は入力に応答するために必要となった際のコンテンツの高速アクセス及び表示を容易にする。
【０１６９】
モバイル通信設備102のクライアントアプリケーションインタフェイスは、キャッシュされた提案が表示されている間にバックグランドで提案をダウンロードすることが可能である。別のクライアントアプリケーションインタフェイスの機能は、キャッシュされた提案の次のネットワーク提案をダウンロードし表示することとすることが可能である。クライアントアプリケーションインタフェイスは、検索結果をキャッシュする（例えば、提案のキャッシングと同様に動作する）ことが可能であり、又は予めインストールされたキャッシュ済の提案を用いて動作することが可能である。
【０１７０】
モバイル通信設備102へダウンロードされることになる提案、情報、及びモバイルコンテンツは、人気、クエリ活動の頻度、コンテンツ内の頻度、コンテンツの頻度の加速、購入の頻度、販売コンバージョンレート、並びにそれら指標に生じるあらゆる変化に基づいてコンテンツをランク付けすることにより、サーバ134又はモバイル検索ホスト設備114によって生成することが可能である。
【０１７１】
提案は、ユーザにより入力されたクエリに応じてキャッシュから取り出すことが可能である。キャッシュが提案の完全なリストを提供することができない場合には、サーバ134又はモバイル検索ホスト設備114へ要求を送ることが可能である。しかし、提案の要求は、キャッシュ内の関連する提案の量にかかわらずモバイル通信設備102によって送ることが可能である。これにより、キャッシュされた提案を更新された状態に維持することが容易となる。これらの更新された提案は、キャッシュされた提案と共に表示することが可能であり、次いで該更新された提案をキャッシュしてそれ以降の提案をスピードアップさせることが可能である。該更新された提案は、以前にキャッシュされた提案に補充し又はそれと置換することが可能である。以前にキャッシュされた提案は、新しい提案の方がランクが高い場合にそれと置換することが可能である。
【０１７２】
モバイル通信設備102上にキャッシュされる提案、コンテンツ、及びその他の情報は、キャッシングの日付スタンプ又はタイムスタンプにより識別することが可能である。クライアントアプリケーションインタフェイスの一機能は、キャッシュされている情報の年齢に基づいて該情報の更新を要求することとすることが可能である。一例として、かかる機能は、キャッシュされた提案が48時間毎に又はそれよりも短い間隔で更新されることを確実にすることが可能である。
【０１７３】
モバイル通信設備102のキャッシュメモリリソースを効率的に使用するために、サーバは、キャッシュされている提案が他の提案又はユーザ特徴に対してもはや十分に高いランクを有していないためモバイル通信設備102上に格納し続けることができないことを示す情報を用いて、該キャッシュされている提案の更新のための要求に応答することが可能である。かかる例では、クライアントアプリケーションインタフェイスは、適当なキャッシュされている情報を削除してそれ以降の検索又はクエリに応じて現れることがないようにし、及び他の用途のためにメモリを解放することが可能である。キャッシュされている情報が旧いことをサーバが示すことになるクエリを検出した際に、サーバ134は、新しい提案、情報、及びコンテンツ等をモバイル通信設備102へダウンロードしてキャッシュさせることも可能である。
【０１７４】
提案、モバイルコンテンツ、又は情報は、明示的検索を介して又は暗黙的検索を介して、モバイル通信設備102のキャッシュへダウンロードすることが可能である。明示的検索の一例として、ユーザがモバイル通信設備102のユーザインタフェイス内に検索クエリを入力して検索を要求することが挙げられる。暗黙的検索としては、ユーザクエリ入力を伴うことなくモバイル通信設備102のクライアントアプリケーションインタフェイスによるクエリの結果として実行された検索活動、又はサーバ134もしくはモバイル検索ホスト設備114上で実行されている１つ又は２つ以上のアプリケーションによるクエリの結果として実行された検索活動が挙げられる。暗黙的検索は、スケジュールに基づいて、モバイル通信設備102のロケーションの変化に基づいて、及びモバイル通信設備102のキャッシュメモリ内にキャッシュされている情報の年齢に基づいて、トリガすることが可能である。一例として、ユーザのロケーションは、該ユーザが異なる町へ移動したとき等に変化し得る。このロケーションの変化は、以前のユーザの挙動（おそらくはこのロケーションに入った際の他のユーザの挙動を含む）に基づいて確立された基準を満たす地方のレストランの暗黙的検索をトリガすることが可能である。
【０１７５】
キャッシュされている提案等の情報の提示は、ユーザによる検索クエリの結果とすることが可能である。該検索クエリとモバイル通信設備102のキャッシュ内の以前にダウンロードした結果との間に一致関係が存在する場合、以前にダウンロードした結果を提示することが可能である。その検索結果がモバイル通信設備102のメモリから提示されるため、ユーザは、これを非常に速い検索又は広帯域幅の接続であると認識する。
【０１７６】
また、キャッシュされた提案は、ユーザがワイヤレスネットワークに接続できない場合であってもユーザに提示することが可能であり、これにより、ユーザは、該ユーザのモバイル通信設備102にキャッシュされている重要なネットワーク情報へのアクセスを獲得することが可能となる。
【０１７７】
キャッシュされている情報は、カテゴライズされたグループで、サムネイル形式で、又はプレビュー形式（例えば、可聴着信音によるプレビュー、テキストの抜粋、ビデオの抜粋、又はオーディオファイルの抜粋）で提示することが可能である。
【０１７８】
クライアントアプリケーションインタフェイスは、バックグランドで処理を行い又は処理を発生させることが可能である。例えば、実施形態では、結果セット全体が読み出されるのを待つことなくモバイル通信設備102へ結果を提示することが可能である。実施形態では、特定の結果を提示し表示すると共に、その提示又は表示の処理に他の結果を含めることが可能である。この結果のバックグランド処理は、モバイル通信設備102へ結果を提示することができる速度を高めることが可能である。実施形態では、特定の結果のカテゴリを他のカテゴリよりも前にモバイル通信設備102に提示することが可能である。例えば、イメージは、着信音と比較して、そのダウンロード、処理、及び／又は収集に一層多くの時間を要する可能性があり、このため、着信音のカテゴリ又は個々の着信音を、イメージの結果又はイメージのカテゴリの提示前または提示中に、モバイル通信設備102へ提示することが可能である。
【０１７９】
図３は、本発明の一態様による、モバイル通信設備102及びデータソース（モバイル加入者特徴データベース112等）に関連する非曖昧化設備140についての一般化した非曖昧化プロセスを示している。該非曖昧化設備140は、曖昧なユーザクエリから一層高い明瞭性を引き出すための手段である。図３に概略的に示すように、クエリ入力120は、ワイヤレス通信設備104及び／又はワイヤレスプロバイダ108を介して非曖昧化設備140へと処理することが可能である。図３に示す例は、モバイル加入者特徴データベース112に接続された非曖昧化設備140を示しているが、非曖昧化設備140は、任意数の他のデータソース（例えば、キャリアビジネスルール130、コンテンツウォールド・ガーデン132等）に接続することが可能である。同様に、非曖昧化は、非曖昧化設備140以外の設備（例えば、ペアレンタルコントロール設備150又はアルゴリズム設備144）を介して処理することが可能である。図３に示すように、非曖昧化設備140は、ワイヤレス通信設備104又はワイヤレスプロバイダ108からクエリを受信することが可能であり、及び該クエリをモバイル加入者データベース112に格納されているユーザに関する既知の情報（例えば、年齢、性別、過去のインターネットの使用等）にリンクさせることが可能である。この（元のクエリ入力120に結合された）追加の情報は、曖昧でないクエリを処理することを可能にする。例えば、ユーザは、「Royals」というクエリ入力120を入力することが可能である。このクエリ入力120は、ワイヤレス通信設備104又はワイヤレスプロバイダ108を介して、（データの中でも特にユーザの居住地「Kansas City, Missiouri」を含む）モバイル加入者データベース112に接続された非曖昧化設備140へと処理することが可能である。該非曖昧化設備140は、この人口統計学的な情報をクエリ入力120「Royals」にリンクさせて、ユーザが「Swedish Royals」ファミリー（スウェーデン王室）よりも「Kansas City Royals」野球チームに関する情報を探している可能性が高いと予測する（すなわち非曖昧化する）ことが可能である。非曖昧化は、品詞非曖昧化、語意非曖昧化、フレーズ識別、名前入力認識、又は全文解析を含むことが可能である。品詞非曖昧化は、クエリ中の各単語に品詞タグ（例えば、名詞、動詞、形容詞）を割り当てる処理を指すものである。各単語に品詞タグを割り当てることによって、装置は、文脈により各単語について推論を引き出すことができる。例えば、単語「house」は名詞又は動詞となり得る。この単語に適当な品詞タグをタグ付けすることにより、ユーザクエリに関する更なる情報及びその最終的な目的を導出することが可能となる。語意非曖昧化は、複数の意味を有する単語をソートする処理を指している。フレーズ識別は、フレーズ内の各単語を他の単語に関連づけて個々の単語の文脈を導出する処理を指している。名前入力認識は、特定の名称、場所、国等を指す正しい名詞の認識を一般に指している。全文解析は、文を小さな単位に分解してその各々の文法的な役割及びその他の単位との関係を識別する処理である。上述その他の技術を非曖昧化設備140内で用いて、ユーザの意図する検索又は検索文字列の意味を推論することが可能である。
【０１８０】
図４は、モバイル通信設備102と、支援クエリ形成2400に使用することが可能なクエリ支援設備210との間の対話的な処理を示している。ユーザがクエリ入力120をモバイル通信設備102へ提出すると、理解し易くて有用な（１つ又は２つ以上の）結果セットを生成するのに十分な支援クエリ形成2400のために、訂正244処理が必要となり得る。この処理は、クライアントサイド102で及び／又はモバイル通信設備104内で生じることが可能である。訂正244処理の一部として、モバイル通信設備102のタイプに固有の情報を（例えば、該装置が独自の配信能力を有しており、かかる能力と互換性のある結果セットを導出するためにクエリを訂正する必要がある場合に）使用することが可能である。モバイル加入者特徴データベース112に格納されている情報、ロケーション情報2408、又は時間情報2410を訂正244処理で使用することも可能である。
【０１８１】
例えば、ユーザは、クエリ支援設備210が処理を開始することができるように、ワイヤレス通信設備104を介して送信されるクエリ入力120「Coltrain」を提供することが可能である。クエリ支援設備210が他のデータソースにリンクされているため、訂正244処理の一部として、フィルタアルゴリズム設備144からの情報をクエリ入力120にリンクさせて、より有用な検索クエリを生成する処理で使用するための一層多くの情報を提供することが可能である。この例では、ユーザのフィルタアルゴリズム設備144は、オンライン購入の履歴、製品名、番号、購入量、及び購入日時といった情報を使用することが可能である。フィルタアルゴリズム設備144に関連するデータベース内には、サックス奏者「John Coltrane」により記録されたコンパクトディスクの多数の最近の購入の履歴が存在することが可能である。元のユーザクエリ入力120「Coltrain」は既知の単語ではないため、クエリ支援設備210は、フィルタアルゴリズム設備144の購入履歴に収容されているユーザ固有データを考慮して、ユーザが「Coal Train」又は「Soul Train」等ではなく「Coltrane」に関する情報を探している、といった訂正244を予測することが可能である。様々な実施形態、又は一実施形態における特定のユーザ検索では、クエリ支援設備210は、これらの追加のデータ設備のうちの１つを含むこと、複数のデータ設備を含むこと、又はかかるデータ設備を全く含まないことが可能である。
【０１８２】
ユーザのクエリ入力120は、空の結果セット又は蓋然性の低い結果セットを返す可能性がある。この場合には、検索設備は、モバイル通信設備102と連携して、訂正244を自動的にトリガし、空でない又は一層高い蓋然性を有する結果セットが配信されるまで代替的なクエリ入力120を繰り返し循環することが可能である。
【０１８３】
実施形態では、モバイル通信設備102に関する情報に基づくユーザのクエリ入力に続いて追加の推薦を行うことが可能である。例えば、モバイル加入者特徴、キャリアビジネスルール、又はスポンサー情報は、クエリ入力と相まって、ユーザのための関連する推薦を提示することが可能である。該推薦は、クエリ入力の検索結果と対にすることが可能であり、又は該検索結果の表示前に又はその表示後に提示することが可能である。
【０１８４】
ユーザの以前の検索活動及び検索結果は、ユーザのための推薦を生成するために使用することが可能である。以前の検索活動は、取引、検索クエリ、ウェブサイトへの訪問、及びモバイル通信設備102上でユーザにより開始されたその他の活動を含むことが可能である。モバイル通信設備102の地理的なロケーションは、ユーザの現在の地理的な近傍におけるスポンサー情報（例えば製品及びサービス）を含む（がこれには限定されない）推薦を生成することが可能である。現在時刻を他の情報とは別個に又は他の情報と共に使用してユーザ推薦を生成することが可能である。例えば、正午であるという独立した事実は、ランチを提供するレストランに関する推薦を生成することが可能である。この情報をモバイル通信設備のロケーションにより更にフィルタリングして、ユーザのすぐ近くにあるレストランのみを推薦することが可能であり、及び、加入者の特徴により更にフィルタリングして、ユーザの人口統計学的プロファイルと類似した人口統計学的プロファイルを有するレストランの顧客によって高いレーティングを受けておりユーザの現在の近くにありランチを提供する一部のレストランのみを推薦することが可能である。上記のレストランの例の場合のように、有意義な推薦を生成するための同様の処理を他のサービス及び製品（旅行、食料、劇場、スポーツ、エンターテイメント、映画、会社、仕事、銀行、郵便局、郵便施設；ガソリンスタンド、タクシー、バス、電車、自動車、空港、ベビーシッター、及びその他のサービス及び製品の提供者（薬局、ドライブスルーレストラン、バー、クラブ等）のロケーション及び方向、映画及びエンターテイメントの時刻；ニュース；及びローカル情報を含む）に適用することが可能である。
【０１８５】
支援クエリ形成2400の様々な態様は、ユーザ又はプロバイダの制御下でアクティブにし又は非アクティブにすることが可能である。例えば、（特定の個人の電話番号等の）特定の検索を行うユーザは、支援クエリ形成2400で生成される訂正又は提案であって、正しいが普通ではない名前のスペルを一層普通でよくある対象に置換しようとする訂正又は提案を抑止することを望む可能性がある。このため、一態様では、支援クエリ形成システムのためのユーザインタフェイスは、該システムで利用可能なツールの異なるそれぞれを選択的にアクティブにするための制御を含むことが可能である。該ツールは、例えば、上述の推薦、予測、非曖昧化、カテゴライズ等を含むことが可能である。別の態様では、上述のワイヤレスプロバイダ108等のサービスプロバイダ又はモバイル通信設備102は、前記ツールのうちの選択されたものを、特別な顧客（全サービス込みの顧客又はプレミアム顧客等）に付加価値サービスとして提供することが可能であり、又は、アラカルトベースで個々に又はパッケージで提供することが可能である。かかる実施形態では、クエリ支援は、例えば、ウェブサイト、携帯電話データアクセス、又は電話ボイスアクセスを使用して、顧客が要求することが可能であり、また毎月の繰り返しといった定期購読ベースで、又は毎日、もしくは検索する毎に、要求することが可能である。
【０１８６】
図５は、更なるデータソース（モバイル加入者特徴データベース112、フィルタアルゴリズム設備144、ロケーションデータベース2408、及び／又は時刻データ2410）とのクエリ入力120の関連づけに基づくクエリ結果の順序づけ500、表示502、及びスポンサーシップ504の優先順位付けのための一般化された処理を示している。該順序づけ500、表示502、及びスポンサーシップ504の優先順位付けは、必要に応じて、これらの追加のデータ設備のうちの１つを伴い、複数のデータ設備を伴い、又はデータ設備を全く伴わないことが可能である。
【０１８７】
実施形態では、本書に記載する方法及びシステムは、本書及び引用文献に記載されている特徴112の何れかを含むモバイル加入者特徴112に基づく最適化された検索を提供するよう適合させることができる。このため、これらの方法及びシステムは、モバイル装置用に適合された検索機能を提供し、及び該検索機能をモバイル装置の加入者の特徴に基づいて適合させることを含むことが可能であり、この場合、前記加入者特徴は、モバイル装置サービスのキャリアにより維持されているモバイル加入者データ設備から少なくとも部分的に導出される。
【０１８８】
実施形態では、適合化される検索機能は、暗黙的クエリ、アクティブクエリ、非曖昧化動作、読み出し機能、フィルタリング機能、提示機能、ルーティング機能、又は、検索の開始、処理、もしくは完成または検索結果の提示に関する他の機能又は動作とすることが可能である。
【０１８９】
一実施形態では、検索機能は、年齢に基づいて適合化されることが可能である。年齢に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。例えば、モバイル通信設備102が実行中の暗黙的クエリ204を有しており、モバイル通信設備102のユーザインタフェイスを見たとき、該ユーザのために自動的に予め形成されたクエリの結果を該ユーザが見るようにすることが可能である。暗黙的クエリ204は、ユーザの年齢に基づくものとすることが可能であり、例えば、同じ日に同様の年齢の人が最も頻繁に実行したクエリを実行することが可能である。例えば、十代の若者は、音楽グループ又は映画に関する暗黙的クエリ204を有し、成人は、重大ニュースに関する暗黙的クエリを有する可能性があり、及び退職者は、金融市場に関連する情報に関する暗黙的クエリを有する可能性がある。年齢に適合化された検索機能は、アクティブクエリに関連して動作することも可能であり、例えば、所与のクエリが、年齢に適した、年齢でフィルタリングされた、年齢でランク付けされた、又は年齢で非曖昧化された、結果を返すことが可能である。例えば、「Pink」が入力されたとき、ユーザが30歳を越えている場合には「Pink Floyd」に関する結果を返し、ユーザが30歳未満である場合には女性アーティスト「Pink」に関する結果を返すことが可能である。かかる曖昧さを解決するようユーザに要求することが可能であり、又は該曖昧さを該ユーザについて自動的に解決することが可能である。このため、年齢に適合化された検索機能をモバイル通信設備に設けることが可能である。実施形態では、ユーザの年齢は、モバイル加入者特徴112を格納しているモバイル加入者データ設備から取得することが可能である。
【０１９０】
一実施形態では、検索機能は、性別に基づいて適合化することが可能である。性別に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。性別は、ワイヤレスサービスのキャリアのデータベース等の、モバイル加入者特徴112を格納しているデータベースを参照することにより判定することが可能である。性別に適合化された検索機能は、例えば暗黙的クエリ204を知らせることが可能であり、例えば、その日にその性別にとって最も人気のある検索の結果を提示することが可能である。同様に、性別により情報を得た非曖昧化処理210により、結果を非曖昧化することが可能である。例えば、検索処理は、ユーザが女性である場合に女性向けサイトのデータベースでクエリを実行し、一方、ユーザが男性である場合には男性向けサイトでクエリを実行することが可能である。同様に、非曖昧化処理210は、性別に基づいて結果をフィルタリングすることが可能である。例えば、「uprights」等のクエリは、女性ユーザには電気掃除機に関する結果を返し、男性ユーザにはフットボールのキッカーに関する結果を返すことが可能である。
【０１９１】
一実施形態では、検索機能は、民族性に基づいて適合化することが可能である。民族性に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。例えば、暗黙的クエリ204は、民族グループのメンバーで最も人気のある結果を生成することが可能である。検索又はクエリ形成処理は、ターゲットとなる民族グループに関する結果を検索することが可能である。非曖昧化処理210は、（クエリ形成時または結果の読み出し又は提示時に）民族性に基づいて非曖昧化を行うことが可能である。例えば、「paris」に関するクエリは、フランス人にはフランスのパリに関する結果を返し、一方、アメリカ人にはパリス・ヒルトンに関する結果を返すことが可能である。民族性情報は、モバイル加入者特徴112のデータベースから取得することが可能であり、又はユーザがユーザインタフェイスで入力することが可能である。
【０１９２】
一実施形態では、検索機能は、宗教又は文化的な親和性に基づいて適合化することが可能である。宗教に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。その情報は、モバイル加入者特徴112のデータベースから取得することが可能であり、アプリケーション又はトランザクションに基づいてキャリアにより取得することが可能であり、又はユーザの過去の挙動又は検索に基づいて推論することが可能である。宗教に適合化された検索機能は、例えば、同じ宗教的な所属のメンバー間で最も人気のある暗黙的クエリを実行することが可能である。宗教に適合化された非曖昧化設備は、宗教的な所属に基づいてクエリの非曖昧化を行うことが可能である。例えば、「Muhammed」に関するクエリは、イスラム教のメンバーには預言者に関する情報を返すことが可能であり、一方、宗教的な所属を有さない人にはボクサーに関する情報を返すことが可能である。
【０１９３】
一実施形態では、検索機能は、市外局番に基づいて適合化することが可能である。市外局番により適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。例えば、所与の市外局番を有するユーザは、同じ市外局番のメンバーによる他の検索に基づく暗黙的クエリ結果を受信することが可能である。また、市外局番（又はその他のロケーション情報）に基づいて、クエリを非曖昧化し、又は結果をフィルタリングし、ソートし、若しくは提示することが可能である。例えば、市外局番270で「Paris」を入力したユーザはParis,Tennesseeに関する結果を受信することが可能であり、市外局番310で「Paris」を入力したユーザはParis,Hiltonに関する結果を受信することが可能であり、市外局番617で同単語を入力したユーザはParis,Franceに関する結果を受信することが可能である。
【０１９４】
一実施形態では、検索機能は、自宅住所に基づいて適合化することが可能である。自宅住所に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。上記の市外局番に適合化された検索機能の例の場合のように、暗黙的クエリ、非曖昧化、又は結果は、ユーザの自宅住所（例えばキャリアのモバイル加入者特徴112のデータベースから取得できる情報）のロケーションに基づいて変更することが可能である。
【０１９５】
一実施形態では、検索機能は、勤務先住所に基づいて適合化することが可能である。勤務先住所に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。例えば、ユーザは、該ユーザの使用者からの他のクエリと同じ暗黙的クエリ204の結果（例えば、該使用者について言及したプレスリリース）を見ることが可能である。非曖昧化設備210は、勤務先住所に基づいて曖昧さを解決する（ユーザの助けを含む）ことが可能である。例えば、General Electricの所在地に勤務先住所を有するユーザは、検索エンジンで単語「light」を入力した際に、その会社に関する結果を受信することが可能であり、一方、異なる勤務先住所を有するユーザは、照明製品に関する結果を受信することが可能である。この場合も、勤務先住所情報は、例えばワイヤレスサービスのキャリアにより維持されているような、モバイル加入者特徴112のデータベースから取得することが可能である。
【０１９６】
一実施形態では、検索機能は、請求書送付先住所に基づいて適合化することが可能である。請求書送付先住所に基づいて適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。請求書送付先住所情報は、例えばワイヤレスサービスのキャリアにより維持されているような、モバイル加入者特徴112のデータベースから取得することが可能である。請求書送付先住所に適合化された検索機能は、例えば、同じ請求書送付先住所を有する他のユーザと同様の暗黙的クエリ（例えば、該請求書送付先住所に存在する企業に関連するクエリ）の結果を提示することが可能である。同様に、請求書送付先住所に基づいて、クエリを非曖昧化し、又は結果をフィルタリングし、ソートし、提示し、若しくはルーティングすることが可能である。例えば、大企業の所在地に請求書送付先住所を有するユーザには、その企業に関連する結果を提示することが可能であり、一方、請求書送付先住所として自宅住所を有するユーザは、その場所の一般的な区域におけるユーザに合わせて生成された結果を受信することが可能である。
【０１９７】
実施形態では、ユーザの自宅住所、市外局番、若しくは請求書送付先住所に関する情報、又はその他のロケーション情報を、ロケーション設備110により決定されるユーザの現在のロケーションに関する情報と組み合わせて、例えば、ユーザが、該ユーザの自宅又は勤務先の近くにいるかを判定することが可能である。該判定結果が真である場合には、ユーザは、それらの環境の一方に適したクエリ結果を受信する（例えば仕事中には仕事関連の情報を受信し、自宅にいる場合には消費者情報を受信する）ことが可能である。ユーザが自宅及び勤務先から遠く離れている場合には、該ユーザは、（暗黙的クエリにより又は検索の結果として）該ユーザが位置しているロケーションにおける旅行に関連する結果（例えば、ホテル、レンタカー、及びレストラン情報）を受信することが可能である。同様に、自宅から離れた場所にいるユーザは、該ユーザの旅行者としての状態に基づいて生成された暗黙的クエリ又は同状態に基づいて非曖昧化された部分的なクエリを有することが可能である。例えば、部分的な入力「hot」は、自宅の近くにいるユーザには「shopping bargains」を返し、一方、旅行中のユーザには「hotels」を返すことが可能である。
【０１９８】
一実施形態では、検索機能は、クレジットカード情報に基づいて適合化することが可能である。クレジットカード情報に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。クレジットカード情報は、モバイル加入者特徴112のデータベースから、又はクレジットカード提供者から取得することが可能である。該情報は、貸方残高又は信用限度等に関する情報を含むことが可能である。例えば、暗黙的クエリは、ユーザの利用可能な貸方残高に基づいて結果を提示することが可能であり、例えば、貸方残高が低くて信用限度が高いユーザには、高価な製品に関する検索又は結果を提示することが可能であり、一方、貸方残高が高くて信用限度が低いユーザには、財務カウンセラーに関する検索又は結果を提示することが可能である。
【０１９９】
一実施形態では、検索機能は、パスワードに基づいて適合化することが可能である。パスワードに適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。このため、モバイル検索設備は、パスワードにより保護された検索能力を含むことが可能であり、例えば、ユーザが正しいパスワードを入力した場合にのみ特定のタイプのコンテンツについて検索を許可することが可能である。例えば、着信音又はビデオクリップ等のウォールド・ガーデン・コンテンツは、モバイル加入者特徴112のデータベースに格納されているパスワードをユーザが入力した場合にのみ利用可能とすることが可能である。
【０２００】
一実施形態では、検索機能は、家族情報（例えば、母の旧姓、兄弟姉妹の数、配偶者の有無等）に基づいて適合化することが可能である。家族情報に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。例えば、ユーザの家族又は友人が最近実行したものと同様の検索又は結果を提示する暗黙的検索を実行することが可能である。非曖昧化処理210は、家族情報に基づいて動作することが可能であり、例えば、家族のメンバーにより行われた検索に基づいて、又は家族の状態に基づいて、クエリの曖昧さを解決することが可能である。同様に、結果は、家族情報に基づいて、フィルタリングし、ソートし、提示し、又はルーティングすることが可能である。例えば、単語「custody」についての検索は、離婚したユーザには子供の親権に関する結果を導き、一方、結婚しているユーザには資産管理口座に関する結果を提示することが可能である。
【０２０１】
一実施形態では、検索機能は、出生地に基づいて適合化することが可能である。出生地に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。このため、出生地に基づく暗黙的な検索は、出生地が同じ他のユーザ又は該出生地の近くに現在住んでいるユーザと同様の検索又は結果を含むことが可能である。同様に、出生地に基づいて、結果をフィルタリングし、又はクエリを非曖昧化することが可能である。例えば、入力「derby」は、ケンタッキー州で生まれたユーザには競馬に関する結果を取り出し、一方、その他の場所で生まれたユーザには帽子に関する結果を取り出すことが可能である。
【０２０２】
一実施形態では、検索機能は、運転免許情報に基づいて適合化することが可能である。運転免許情報に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。運転免許情報は、年齢及び住所情報を含むことが可能であり、これらは、本書で提供する様々な年齢及びロケーションベースの検索機能によって意図されるように使用することが可能である。また、運転免許情報は、身長、体重、髪の色、目の色、視覚状態等を含むことが可能である。例えば、同様の外観を有する人と同様の結果をユーザに提示することが可能である。
【０２０３】
一実施形態では、検索機能は、雇用データに基づいて適合化することが可能である。地位に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。雇用データは、ワイヤレスサービスのキャリアにより維持されているようなモバイル加入者特徴112のデータベースから取得することが可能である。雇用データは、例えば、会社の役員、特定のタイプ（例えば、販売及びマーケティング、サプライチェーン・マネジメント、金融、人材等）又はレベル（例えば、共同経営者、部長、副社長等）の従業員、就労日数、又はその他の状態等の、ユーザの状態を示すことが可能である。例えば、暗黙的クエリ204は、他の会社で同様の地位にあるユーザにより実行された検索の結果と同様の結果を提示することが可能である。同様に、ユーザの地位に基づいて、クエリの非曖昧化を行い、又は、結果を取り出し、ソートし、フィルタリングし、提示し、又はルーティングすることが可能である。例えば、「incentive」を入力した販売部長は、自身の使用者の製品に関する宣伝に関する情報を受信することが可能であり、人事部長は、従業員の労働意欲を高めるストック・オプションに関する情報を受信することが可能である。
【０２０４】
一実施形態では、検索機能は、使用者に基づいて適合化することが可能である。使用者に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。使用者に適合化された暗黙的クエリは、同じ日又は近い日に同じ使用者の従業員により実行された他の検索の結果と同様の結果を示すことが可能である。使用者に適合化された非曖昧化設備204は、使用者の状態に基づいてクエリ又は結果に関する曖昧さを解決することが可能であり、使用者に適合化された検索機能は、モバイル加入者特徴112のデータベースから取得されるような使用者の特徴に基づいて、結果の取り出し、ソート、提示、又はルーティングを行うことが可能である。例えば、使用者が米国特許庁であるユーザは、クエリ「application」に応じて特許手続に関する情報を受信することが可能であり、一方、使用者がMicrosoftである場合には、それと同じクエリに応じてソフトウェアアプリケーションに関する情報を受信することが可能である。
【０２０５】
一実施形態では、検索機能は、年収に基づいて適合化することが可能である。年収に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。年収は、ワイヤレスサービスのキャリアにより維持されているようなモバイル加入者特徴112のデータベースから取得することが可能である。このため、暗黙的クエリ204は、同様の年収の所得による検索、又は該年収についての人口統計学的な特徴に適するよう設計された検索についての結果を提示することが可能である。例えば、中間所得の個人には、中堅の価値観に基づく自動車についての結果を提示することが可能であり、一方、高所得の個人には、高級品や休暇等についての結果を提示することが可能である。年収に基づいて、非曖昧化設備204はクエリに関する曖昧さを解決することが可能であり、検索機能は結果の取り出し、ソート、提示、又はルーティングを行うことが可能である。例えば、クエリ「boat」は、中間所得の個人には、通勤用の船のスケジュールについてクエリを実行し又は結果を公開することが可能であり、一方、高所得の個人には、ヨットについてクエリを実行し又は結果を提示することが可能である。
【０２０６】
年収に適合化された検索の場合と同様に、一実施形態では、所得層に基づいて検索機能が適合化される。所得層に適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。
【０２０７】
一実施形態では、検索機能は、購入したアイテムに基づいて適合化される。購入アイテムに適合化された検索機能は、暗黙的クエリ、アクティブクエリ、非曖昧化動作、読み出し機能、フィルタリング機能、提示機能、ルーティング機能、又は、検索の開始、処理、又は完成に関する他の機能又は動作とすることが可能である。購入アイテムは、モバイル通信設備102を使用して行われた取引を示すような、キャリアにより維持されているデータベースから取得することが可能である。例えば、取引履歴に基づいて、暗黙的クエリを実行して結果を提示することが可能であり、例えば、コンピュータ等を最近購入した個人に対して周辺機器及びソフトウェアアプリケーションに関する結果を提示することが可能である。同様に、ユーザが購入したアイテムに基づいて、クエリの非曖昧化を行い、又は、検索結果を取り出し、ソートし、提示し、又はルーティングすることが可能である。例えば、自動車を最近購入し及びユーザインタフェイスに「自動車」を入力したユーザは、その自動車の登録や保険の取得等に関する情報を受信することが可能であり、一方、最近自動車を買いに行ったが購入しなかったユーザは、自動車の人気度を示す結果を受信することが可能である。
【０２０８】
一実施形態では、検索機能142は、友人及び家族情報（モバイル加入者特徴112のデータベースに格納されている上述のタイプのあらゆる情報を含む）に基づいて適合化することが可能である。友人及び家族情報に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、家族のメンバー又は友人のクエリ結果と同様の暗黙的クエリ164結果をユーザに提示することが可能である。友人及び家族情報に基づいて、ユーザクエリの非曖昧化を行い、又は、検索結果の取り出し、ソート、提示、又はルーティングを行うことが可能である。例えば、ユーザインタフェイスに「sister」を入力したユーザは、姉妹の最も最近の検索により取得された結果を受信することが可能であり、一方、友人及び家族を有さないユーザは、修道女に関する結果を受信することが可能である。
【０２０９】
一実施形態では、検索機能142は、請求金額に基づいて適合化することが可能である。請求金額に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、請求金額が減少しているユーザには、より多くのモバイルサービスを取得するための提案を提示することが可能であり、一方、請求金額が非常に高いユーザは、ワイヤレスサービスの費用を低減させることになる選択を行うことに関する情報を受信することが可能である。
【０２１０】
一実施形態では、検索機能142は、平均請求総額に基づいて適合化することが可能である。平均請求総額に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、現在の請求金額が平均を超えているユーザには、倹約に関する結果を提示することが可能であり、一方、現在の請求金額が平均よりも低いユーザには、他のサービス又はコンテンツ（ウォールド・ガーデン・コンテンツ132等）を購入する機会を提示することが可能である。
【０２１１】
一実施形態では、検索機能142は、支払履歴に基づいて適合化することが可能である。支払履歴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、遅延なく支払をしているユーザは、更なるサービスの提案を受信することが可能であり、一方、支払いが遅延しているユーザは、催促を受信することが可能であり、又は債務管理に関する結果を受信することが可能である。同様に、支払履歴が好ましいユーザには、より高価な商品及びサービスに関する結果を提示することが可能である。
【０２１２】
一実施形態では、検索機能142は、定時支払履歴に基づいて適合化することが可能である。定時支払履歴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、定時に支払いを行っている極めて良好な記録を有するユーザには、該ユーザの支払履歴が好ましい状態であり続けるという予測に基づき、有利な提案（報奨又は昇格等）を提示することが可能である。
【０２１３】
一実施形態では、検索機能142は、オンライン利用額に基づいて適合化することが可能である。オンライン利用額に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。該利用額は、ワイヤレスサービスプロバイダにより維持されているデータベースから取得することが可能である。オンライン利用額を使用して暗黙的クエリ164の結果を生成することが可能である。例えば、ヘビーユーザには、他のヘビーユーザと同様の結果（より専門的な種類の結果等）を提示することが可能であり、非ヘビーユーザには、より一般的な結果（ニュースヘッドライン等）を提示することが可能である。オンライン利用額に基づいて、クエリの非曖昧化を行い、又は、結果を取り出し、ソートし、提示し、又はルーティングすることが可能である。例えば、「blog」を入力したヘビーオンラインユーザには、その日の最も人気のあるブログを送ることが可能であり、一方、ライトユーザには、ブログ現象について説明したより一般的な結果を提示することが可能である。
【０２１４】
一実施形態では、検索機能142は、オンライン対話期間に基づいて適合化することが可能である。該期間に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、暗黙的クエリ164 204では、長い対話の履歴を有するユーザに一層複雑な又は広範な結果セットを提示することが可能であり、一方、短い対話の履歴を有するユーザには基本的な情報のみを提示することが可能である。同様に、非曖昧化設備204、又は結果の取り出し、ソート、提示、若しくはルーティングを行う検索機能142は、かかる処理をオンライン対話の期間に基づいて行うことが可能である。例えば、対話が長いユーザには、長い記事や科学研究等を提示することが可能であり、一方、対話期間が短いユーザには、ニュースヘッドライン等のみを提示することが可能である。同様に、例えば、「football」を入力した短期間のユーザは、その日のスコアを受信することが可能であり、長期間のユーザは、フットボールに関する記事を受信することが可能である。
【０２１５】
一実施形態では、検索機能142は、オンライン対話回数に基づいて適合化することが可能である。該対話に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、暗黙的クエリ204では、多くの対話の履歴を有するユーザに一層多くの結果を提示することが可能であり、一方、少ない対話の履歴を有するユーザに最も関連する結果のみを提示することが可能である。同様に、非曖昧化設備204、又は結果の取り出し、ソート、提示、若しくはルーティングを行う検索機能142は、かかる処理を、ワイヤレスプロバイダ108のデータベースにより示されるようなオンライン対話の回数又は頻度に基づいて行うことが可能である。例えば、対話が多いユーザには、長い結果セットを提示することが可能であり、一方、対話が少ないユーザには、最も関連する結果のみを提示することが可能である。同様に、例えば、「Peter」を入力した高頻度のユーザは、その日のニュースにおけるその名前の使用に関連する情報のみを受信することが可能であり、一方、低頻度の訪問者は、Peter the GreatからPete Townsend及びPeter Rabbitにわたる、より一般的な結果を受信することが可能である。
【０２１６】
一実施形態では、検索機能142は、家族状態及び家族情報に基づいて適合化することが可能である。該家族情報に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、暗黙的検索は、独身のユーザに対してデート又は恋愛関係に関する結果を提示することが可能であり、一方、既婚のユーザは子供の養育に関する結果を受信することが可能である。同様に、非曖昧化処理210、又は結果の取り出し、ソート、提示、若しくはルーティングを行う検索機能142は、家族状態及び家族情報を使用することが可能である。例えば、「love」を入力した独身ユーザは、デート及び恋愛関係に関する結果を受信することが可能であり、一方、既婚ユーザは、記念日に関する情報を受信することが可能である。
【０２１７】
一実施形態では、検索機能142は、子供の数に基づいて適合化することが可能である。該子供の数に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。子供の数は、ワイヤレスプロバイダ108により維持されているようなモバイル加入者特徴112のデータベースから取得することが可能である。暗黙的クエリ204は、子供の数に基づいて実行することが可能である。例えば、子供のいないユーザは、他の因子に基づく結果を受信することが可能であり、一方、４人の子供がいるユーザは、子育て又は教育資金商品に関する暗黙的クエリ204の結果を受信することが可能である。同様に、子供の数に基づいて、クエリの非曖昧化を行い、又は、結果を返し、格納し、提示し、又はルーティングすることが可能である。例えば、「cold」を入力した子供のいるユーザは、風邪の発症に関する健康関連情報を受信することが可能であり、一方、子供のいないユーザは、一般的な天気情報を受信することが可能である。
【０２１８】
一実施形態では、検索機能142は、買物の習慣（例えば、Mobile Lime等の技術を使用して行う商品及びサービスの参照又は購入）に基づいて適合化することが可能である。該買い物の習慣に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、音楽に関する買い物を頻繁にするユーザには、暗黙的検索204で音楽向けコンテンツを提示することが可能であり、一方、該暗黙的検索は、買い物の習慣が異なる他のユーザには異なるアイテムを提示することが可能である。同様に、買い物の習慣に基づいて、クエリの非曖昧化を行い、又は、結果を返し、ソートし、提示し、又はルーティングすることが可能である。例えば、頻繁に書籍を購入する者には、クエリインタフェイスに「King」が入力された際にStephen Kingの本を提示することが可能であり、一方、頻繁に音楽を購入する者にはElvis Presleyに関する結果を提示することが可能である。
【０２１９】
一実施形態では、検索機能142は、クリックストリーム情報に基づいて適合化することが可能である。該クリックストリームに適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。クリックストリーム情報は、モバイル通信設備102上に格納することが可能であり、又は、ワイヤレスプロバイダ108又は該ワイヤレスプロバイダ108に代わって活動している団体により維持されているデータベース又はサーバといったリモートロケーションに格納することが可能である。クリックストリームに適合化された検索機能142は、過去の挙動に基づいて暗黙的クエリ204を実行する（例えば、ユーザが最近モバイル通信設備102を使用して自動車を見ている場合には新車に関するクエリを実行する）ことが可能である。同様に、クリックストリーム情報に基づいて、クエリの非曖昧化を行い、又は、結果を返し、ソートし、提示し、又はルーティングすることが可能である。例えば、クエリ設備に部分的なURLを入力したユーザは、最近訪問したウェブサイトへ導くことが可能であり、一方、その他のユーザは、曖昧さを解決するための処理へ導くことが可能である。クリックストリーム情報は、広範な挙動及び特徴を推論するために使用することが可能である。このため、本書に記載する他の実施形態は、クリックストリーム情報からの１つ又は２つ以上のモバイル加入者特徴112の導出と連携して行うことが可能である。例えば、ユーザが20歳の女性向けのサイトを訪問したことをクリックストリーム情報が示している場合には、該情報を使用してユーザの性別を推論することができ、その後、本書に記載する性別に適合化された検索機能142の様々な実施形態を利用することが可能となる。
【０２２０】
一実施形態では、検索機能142は、装置タイプに基づいて適合化することが可能である。該装置タイプに適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、装置のタイプに適した結果を取り出すと共に他の結果をフィルタリング除去するように暗黙的クエリを実行することが可能である。例えば、モバイル通信設備102がビデオレンダリング能力を有していない場合には、ビデオ関連の結果をプロセスからフィルタリング除去することができる。同様に、装置タイプに基づいて、クエリの非曖昧化を行い、又は、結果を取り出し、ソートし、提示し、又はルーティングすることが可能である。例えば、装置と互換性のあるウォールド・ガーデン・コンテンツ132の結果をユーザに提示することが可能である。クエリの入力時に、ユーザは、装置で見ること／ダウンロードすることが可能なコンテンツアイテムを含むと共に他のコンテンツを除外するようにフィルタリングされた結果を受信することが可能である。モバイル加入者特徴112のデータベースから取得することが可能な装置タイプは、他のアイテムを推論するために使用することも可能である。例えば、特定の装置が特定の年齢又は性別のユーザに最も人気がある場合があり、この場合、本書に記載した年齢に適合化された検索機能142に関して説明したものと同様の態様で結果を適合させることができる。
【０２２１】
一実施形態では、検索機能142は、装置バージョンに基づいて適合化することが可能である。該装置バージョンに適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。装置バージョンは、ワイヤレスプロバイダ108により維持されているようなモバイル加入者特徴112のデータベースから取り出すことが可能である。例えば、暗黙的クエリは、特定のバージョンの装置に適した結果を取り出すと共にその他の結果をフィルタリング除去するよう実行することが可能である。例えば、モバイル通信設備102がビデオレンダリング能力を有していない場合には、ビデオ関連の結果をプロセスからフィルタリング除去することができる。同様に、装置バージョンに基づいて、クエリの非曖昧化を行い、又は、結果を取り出し、ソートし、提示し、又はルーティングすることが可能である。例えば、装置の正しいバージョンと一致するウォールド・ガーデン・コンテンツ132の結果をユーザに提示することが可能である。クエリの入力時に、ユーザは、装置のバージョンで見ること／ダウンロードすることが可能なコンテンツアイテムを含むと共に他のコンテンツを除外するようフィルタリングされた結果を受信することが可能である。モバイル加入者特徴112のデータベースから取得することが可能な装置バージョンは、他のアイテムを推論するために使用することも可能である。例えば、特定の装置バージョンが特定の年齢又は性別のユーザに最も人気がある場合があり、この場合、本書に記載した年齢に適合化された検索機能142に関して説明したものと同様の態様で結果を適合させることができる。
【０２２２】
一実施形態では、検索機能142は、装置特徴に基づいて適合化することが可能である。該装置特徴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。装置特徴は、ワイヤレスプロバイダ108により維持されているようなモバイル加入者特徴112のデータベースから取り出すことが可能である。特徴は、装置のタイプ、装置上で実行しているアプリケーション（例えば、写真を表示し、ビデオをレンダリングし、音楽を再生する能力等）を含むことが可能である。例えば、暗黙的クエリは、特定のバージョンの装置の特定の特徴に適した結果を取り出すと共にその他の結果をフィルタリング除去するよう実行することが可能である。例えば、モバイル通信設備102が写真イメージング能力を有していない場合には、写真関連の結果をプロセスからフィルタリング除去することができる。同様に、装置特徴に基づいて、クエリの非曖昧化を行い、又は、結果を取り出し、ソートし、提示し、又はルーティングすることが可能である。例えば、装置の正しい特徴と一致するウォールド・ガーデン・コンテンツ132の結果をユーザに提示することが可能である。クエリの入力時に、ユーザは、装置の特徴のために見ること及び／又はダウンロードすることが可能なコンテンツアイテムを含むと共に他のコンテンツを除外するようフィルタリングされた結果を受信することが可能である。例えば、.mp3ファイルを再生する装置を有するユーザは、「bruce」に関するクエリの入力時に音楽ファイルを受信することが可能であり、一方、音楽能力を有さないユーザは、Bruce Springsteenに関するウェブ検索結果を受信することが可能である。モバイル加入者特徴112のデータベースから取得することが可能な装置特徴は、他のアイテムを推論するために使用することも可能である。例えば、特定の装置特徴が特定の年齢又は性別のユーザに最も人気がある場合があり、この場合、本書に記載した年齢に適合化された検索機能142に関して説明したものと同様の態様で結果を適合させることができる。
【０２２３】
一実施形態では、検索機能142は、使用パターン（ロケーション、時刻、又はその他の変数に基づくものを含む）に基づいて適合化される。該使用パターンに適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。例えば、ユーザが週末にレストランを頻繁に検索している場合には、暗黙的クエリ204が週末にレストラン検索を行うことが可能である。同様に、同じクエリ、例えば「rest」は、週末にはレストラン（restaurant）関係の結果を返し、業務時間中には（特にユーザがソフトウェアエンジニアであることを使用パターンが示す場合には）再構成されたテキスト（restructured text）に関する結果を提示することが可能である。このため、非曖昧化処理210、又は結果の取り出し、ソート、提示、又はルーティングを行うための検索機能142は、使用パターンを用いてそれらの機能を達成することが可能である。使用パターンは、ワイヤレスプロバイダ108により維持されているようなモバイル加入者特徴112のデータベースから取得することが可能である。広範な使用パターンを使用して（暗黙的及び明示的）クエリの形成及び結果の取り出し及び編成を支援することが可能である。アルゴリズム設備144は、かかる機能を支援するために使用パターンを解析するのに適した１つ又は２つ以上のモジュール又はエンジンを含むことが可能である。例えば、アルゴリズム設備144は、時刻、曜日、月日、通日、営業日パターン、休日パターン、時分、トランザクションを取り巻くパターン、着呼又は発呼を取り巻くパターン、クリック及びクリックスルーのパターン、通信（例えば、インターネット、E-mail、及びチャット）のパターン、及びワイヤレスプロバイダ108又はインターネットサービスプロバイダにより収集されるデータから識別することができる他のあらゆるパターンに基づいて、使用パターンを解析することが可能である。使用パターンは、回帰法（最小二乗法等）、ニューラル・ネット・アルゴリズム、学習エンジン、ランダム・ウォーク法、モンテカルロ・シミュレーション等といった、様々な予測アルゴリズムを使用して解析することが可能である。例えば、使用パターンは、ユーザが休日中に多数の業務関連の電話をかけていることを（例えばユーザが職場にいて一日中電話していることを判定することにより）示すことが可能である。かかるユーザには好適には、休暇に関連するコンテンツを提示することが可能であり、例えば、暗黙的クエリ204で、ホテル、レンタカー、又は空の旅のプロモーションを示すこと、又は明示的クエリ（非曖昧化される部分クエリ又は曖昧なクエリを含む）に応じてかかるアイテムを優先的に提示することが可能である。例えば、かかるユーザは、部分クエリ「hot」を入力したことに応じてホテル（hotel）情報を受信することが可能であり、一方、他のユーザは、天気情報を受信することが可能である。かかる一実施形態では、検索機能142は、電話の使用に基づいて適合化することが可能である。該電話の使用に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２２４】
一実施形態では、検索機能142は、装置及び／又は加入者の一意の識別子に基づいて適合化することが可能である。該識別子に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。ここで、使用パターンに適合化された検索機能142の場合のように、該識別子を使用して検索設備142でユーザを識別して、ターゲットを絞ったクエリ、非曖昧化、及び結果を実施できるようにすることが可能である。
【０２２５】
ワイヤレス検索プラットフォーム100は、該ワイヤレス検索プラットフォーム100に直接識別子を提示したユーザへ情報を提供するために使用することが可能である。直接識別子に関連するモバイルコンテンツを提供する方法は、直接識別子の入力を受容するようにモバイル通信設備102をユーザが制御すること、及び該ユーザのモバイル通信設備102上に表示するために該直接識別子の入力を使用してモバイルコンテンツ又は該モバイルコンテンツに関連する情報を受信することを含むことが可能である。
【０２２６】
モバイル通信設備102は、携帯電話、セルラー電話、又はGSM電話等の電話機、又は本書に記載するその他のモバイル通信設備102とすることが可能である。モバイル通信設備102を使用して直接識別子を取得することが可能である。
【０２２７】
直接識別子は、様々な方法で取得することが可能である。モバイル通信設備102のユーザは、該モバイル通信設備102のユーザインタフェイスを介して直接識別子を表すテキストを入力することが可能である。該ユーザは、代替的に、直接識別子を表す文字及び／又は数字をモバイル通信設備102のマイクに対して音声入力する（例えば話す）ことが可能である。ユーザは、直接識別子の全文、文字、及び／又は数字、又はそれらの一部（例えば可視部分）を入力することが可能である。
【０２２８】
モバイル通信設備102は、本書に記載するカメラ付き電話のようにカメラを含むことが可能である。ユーザは、電話機のカメラを使用して直接識別子のイメージを捕捉するために、モバイル通信設備102上で実行されている直接識別子入力アプリケーションを用いることが可能である。
【０２２９】
代替的に、直接識別子のイメージは、ワイヤレス通信設備104を介してモバイル通信設備102により受信することが可能である。モバイル通信設備102が直接識別子を含むイメージを受信することが可能な例は、EMSピクチャメッセージ、ピクチャID、ビデオメッセージ、又はテレビ電話を含む。代替的に、直接識別子のイメージは、メモリ拡張スロット、赤外線ポート、又はUSBポートを含む本書に記載するようなモバイル通信設備102上の適当なポートを介して、及びPicBridgeを介して、入力することが可能である。モバイル通信設備102が直接識別子のイメージを受信することができる他のソースは、モバイルサービスプロバイダ108（ワイヤレス通信設備104を介して）、モバイル加入者特徴データベース112、及びモバイル検索ホスト設備114、又はインターネット等からのストリーミングマルチメディアを含む。直接識別子は、新規に取得することが可能であり、又はモバイル通信設備102のハードディスクドライブ等の記憶装置から読み出すことが可能である。
【０２３０】
モバイル通信設備102は、バーコードスキャナ、２Dコード又は３Dコードスキャナ、又はRFIDスキャナを備えることが可能である。モバイル通信設備102のユーザは、本書に記載するようなスキャナを使用して直接識別子を取得することが可能である。
【０２３１】
代替的に、直接識別子を取得してそれをモバイル通信設備102へ転送することを目的として、カメラ又は任意のスキャナをモバイル通信設備102に対してリモートに接続することが可能である。
【０２３２】
モバイル通信設備102により取得される直接識別子は、幾つかのフォーマット及び実施形態のうちの１つ又は２つ以上を選択することが可能である。直接識別子は、二次元コード等のバーコード、３Dコード（例えば「凸凹」コード）、３DIコード（例えば円形の３DIコード）とすることが可能である。バーコードは、アレイタグ、Aztecコード、スモールAztecコード、Codablock、Code 1コード、Code 16Kコード、Code 49コード、CP Codeコード、DataGlyphコード、Data Matrixコード、Datastrip Codeコード、Dot Code Aコード、hueCodeコード、Intacta.Codeコード、MaxiCodeコード、MiniCodeコード、PDF 417コード、Micro PDF 417コード、QRコード、SmartCodeコード、Snowflack Codeコード、SuperCodeコード、Ultracodeコード、マルチカラーコード、Quick Responseコード、又はUPCコードを含むグループから選択することが可能である。
【０２３３】
代替的に、直接識別子は、RFIDとすることが可能である。RFIDは、EPC Gen 2、EPC Class 0+、EPC Class 1、UCODE EPC 1.19、ISO 18000-6b、I-CODE1、I-CODE SLI、My-d(HF)、ISO 15693、Picotag、Tag-It、Tag-it HF、Tagsys、EPC(HF)、及びTag-it HF-I等のフォーマットを含むことが可能である。バーコード及びRFIDタグの他のフォーマット及び実施形態が存在する可能性があり、及び（カスタムフォーマット及び実施形態を含めて）実施することが可能である。本書で開示するフォーマット及び実施形態は、典型的な例を意図したものであり、このため、かかる他のフォーマット及び実施形態もまた本書に含まれるものとする。
【０２３４】
モバイル通信設備102は、直接識別子をデコードすることが可能であり、又は、直接識別子（又は直接識別子を含むイメージ）をサーバ134、モバイル検索ホスト設備114、ワイヤレスプロバイダ108等へ送信してデコードさせることが可能である。直接識別子を部分的に又は完全にデコードして、モバイルコンテンツを送るための直接識別子の主体に関する情報、又はモバイル通信設備102のユーザインタフェイスが表示するためのモバイルコンテンツに関する情報を、十分な量だけ見出すことが可能である。モバイル通信設備102は、直接識別子の一部をデコードして、該一部を、該一部及び該直接識別子を、又は該一部及び該直接識別子を含むイメージを、送信することが可能である。
【０２３５】
直接識別子は、該直接識別子の主体に関する一次出所情報を含むことが可能である。該一次出所情報は、製品名、型番、シリアル番号、メーカー名、所有者名、バンド名、スポーツイベント、公開イベントタイトル、日付、ロケーション、招待コード、映画タイトル、URL等を含むことが可能である（但しそれらには限定されない）。一次出所情報は、省略し、要約し、圧縮し、又はエンコードすることが可能である。
【０２３６】
直接識別子はまた、直接識別子の主体に関する二次出所情報を含むことが可能である。該二次出所情報は、製品カテゴリ、製品価格範囲、又は直接識別子の主体に関連する製品のリスト、前座、会場、音楽タイトルのリスト等を含むことが可能である。その関係は、カテゴリ、価格、消費者購入データ、音楽ジャンル等に基づくものとすることが可能である。
【０２３７】
直接識別子の一次及び／又は二次出所情報を使用して、該直接識別子の主体に関する更なる情報を受信することが可能である。これは、望ましいものであり、また、直接識別子の一次及び／又は二次出所情報がモバイルコンテンツに関する情報と比較するには不十分なものである場合に必要となる。直接識別子の主体に関する情報は、次の１つ又は２つ以上に関連する情報を含むモバイルウェブサイトを含むことが可能である：製品説明、製品レビュー、現在のロケーションでの在庫リスト、現在のロケーションでの価格、オンラインロケーションでの価格、ローカルなオフラインロケーションでの価格、オンラインロケーションでの在庫リスト、又はローカルなオフラインロケーションでの在庫リスト、公開イベント、個人イベント、有名人、政党、法律等。
【０２３８】
直接識別子の一次及び／又は二次出所情報及び／又は関連情報は、モバイルコンテンツに関する情報と比較することが可能である。該比較は、モバイル通信設備102において生じることが可能であり、又は、サーバ134若しくはモバイル検索ホスト設備114において生じることが可能である。該比較の結果として、比較した情報の一致が生じ得る。該情報は正確に又は部分的に一致する可能性があり、又は該情報の一部が正確に又は部分的に一致する可能性がある。
【０２３９】
モバイルコンテンツに関する情報は、モバイル通信設備102内に格納することが可能であり、又は、モバイル通信設備102の特徴、ユーザ特徴、ロケーション、現在のイベント、及び他のユーザの最近の比較活動に基づいて、動的にダウンロードすることが可能である。一例として、モバイル通信設備102を携行している第１のユーザが駅の近くにいる場合がある。ワイヤレス通信設備104の他のユーザ、又はサーバ134、又は前記第１のユーザに関連するモバイル検索ホスト設備114は、前記駅でポストされた直接識別子を最近取得し比較している可能性がある。他のユーザにより取得された直接識別子に関する情報と一致するモバイルコンテンツに関する情報は、前記第１のユーザのモバイル通信設備102へダウンロードすることが可能である。よって、該第１のユーザが他のユーザと同じ直接識別子を取得する場合には、一致する情報が第１のユーザのモバイル通信設備102上で入手可能となり、これにより該第１のユーザの該情報へのアクセスがスピードアップされる。これはまた、直接識別子を取得する時点でのワイヤレス通信設備104のダウンロード帯域幅に関する瞬時的な要求を低減させるものとなる。
【０２４０】
モバイルコンテンツに関する情報は、モバイルウェブサイトから送ることが可能であり、サマリ、キーワードのリスト、直接識別子の主体に関する情報の検索クエリの結果、コンテンツ・ウォールド・ガーデン情報132、少なくとも１つの類似した特徴を有する製品のリスト、互換性のある製品又はサービスのリスト等とすることが可能である。例えば、ユーザは、プラズマテレビについての直接識別子を取得することが可能である。該直接識別子に関連する情報の比較の結果として、プラズマテレビに関するメーカーのウェブページをモバイル通信装置102上に表示させることが可能である。しかし、該比較の結果として、異なる機種のプラズマテレビ等の関連製品、サラウンドシステム等のアクセサリ、延長保証の提案、娯楽施設用設備、TV壁取付用マウント、プラズマテレビのレビュー、プラズマテレビ技術に関するホワイトペーパー等を提示することが可能である。
【０２４１】
ユーザに提示するためのモバイルコンテンツ関連情報の選択は、直接識別子の主体に関する情報への関連性に少なくとも部分的に基づくものとすることが可能である。一例として、直接識別子に関連する情報は、Chrysler等のメーカー名とすることが可能である。この結果として、メーカー名Chryslerを共有するモバイルコンテンツに関する情報を提示することが可能となる。別の例では、直接識別子の主体に関連する情報は、ビーチチェア等の製品や該ビーチチェアの小売価格を含むことが可能である。この例では、ユーザへ提示されるモバイルコンテンツに関する情報は、同程度の小売価格の代替的なビーチチェア、又はビーチチェアの代替的な地元の供給元、又はそれらの組み合わせを含むことが可能である。別の例では、直接識別子の主体に関連する情報は、イエローページのカテゴリに合わせることが可能であり、該イエローページのカテゴリでリストアップされている他の製品のモバイルコンテンツに関連する情報をユーザに提示することが可能である。別の例では、ユーザが電子製品の小売店にいる。該ユーザは、ポータブルDVDプレーヤの直接識別子を取得し、該DVDプレーヤの製品レビューが該ユーザに提示される。
【０２４２】
ユーザにモバイルコンテンツに関連する情報を提示することに加えて、該ユーザにモバイルコンテンツを提示することが可能である。該モバイルコンテンツは、広告、スポンサードリンク、スポンサードコール、ダウンロード可能コンテンツ、オーディオストリーム、ビデオ、又はグラフィック要素とすることが可能である。一例では、ユーザは、主体がカントリー及びウェスタン・バンドである直接識別子を取得することが可能である。該ユーザには、該バンドの近日中に行われるコンサートツアーのチケットを注文するための電話番号を提示することが可能である。代替的に、該ユーザは、該直接識別子の主体に関する更なる情報についての電話を受けることが可能である。該電話は、自動的に情報を提供し、自動情報システムとの対話を可能とし、又は前記バンドに関する情報についてのオペレータとすることが可能である。
【０２４３】
一実施形態では、検索機能142は、コンテンツ参照履歴に基づいて適合化される。該参照履歴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。参照履歴は、携帯電話上のデータベース又はキャッシュ等のモバイル通信設備102上のローカル設備により取得することが可能であり、又はインターネットサーバ等の中央設備もしくは電話サービスの中央局で取得することが可能である。かかるデータは、例えば、モバイル加入者特徴112のデータベースから取り出すことが可能である。参照履歴は、実施形態では、アルゴリズム設備144により解析されて、例えば、コンテンツの参照パターンに基づいて挙動が推論される。実施形態では、参照履歴は、モバイル通信設備102を使用して参照したコンテンツを含むことが可能である。他の実施形態では、参照履歴は、ワイヤレスプロバイダ108である同一団体により提供される他のコンテンツに関する履歴を含むことが可能である。例えば、かかるプロバイダは、DSL又はケーブルを介してテレビコンテンツを提供し、インターネットコンテンツを家庭へ提供し、又はその他のコンテンツを提供することが可能である。かかる全てのコンテンツに関する参照履歴を解析して、検索機能142の改善に資する（暗黙的クエリの開発、明示的クエリを用いた曖昧さの解決、及び、検索結果の取り出し、ソート、フィルタリング、提示、及びルーティングに関する支援を含む）ことが可能である。例えば、特定の参照者が「２４」の最初の６話を見たが第７話を見損ねたことをモバイル加入者特徴112のデータベースが示す場合には、要素「２４」に関する検索により第７話のオンラインソースを取り出すことが可能であり、一方、同様のクエリを入力した他のユーザは、その番組の一般的な情報もしくは24時間営業のフィットネスセンターに関する情報を受信することが可能である。参照履歴は、全てのタイプのコンテンツ（例えば、テキスト、データ、音楽、オーディオ、サウンドファイル、ビデオ、放送コンテンツ等）との全てのタイプのやりとり（例えば、ダウンロード、聴取、クリックスルー、サンプリング等）を含むものとして理解されるべきである。
【０２４４】
一実施形態では、検索機能142は、ユーザにより参照され／参照されなかった提示されたコンテンツに基づいて適合化される。拒否されたコンテンツに適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。拒否されたコンテンツに関する情報は、例えば、ワイヤレスプロバイダ108により維持されているようなモバイル加入者特徴112のデータベースから取得することが可能であり、該ワイヤレスプロバイダ108は、（例えば、コンテンツを見るためのオプションが明示的に拒否されることにより、又は該コンテンツを見る機会が繰り返し生じる場合等に該コンテンツが暗黙的に拒否（無視）されることにより）提示されて拒否された他の様々なコンテンツソースのプロバイダとすることも可能である。ワイヤレスプロバイダ108は、かかる参照履歴へ頻繁にアクセスする。これは、同じキャリアがテレビ、インターネット、及びその他のコンテンツソースも提供するからである。拒否されたコンテンツをアルゴリズム設備144で解析して、暗黙的クエリの形成や明示的クエリの解決を支援し、及び、結果の取り出し、ソート、フィルタリング、提示、及びルーティングを支援することが可能である。例えば、ユーザが音楽向け番組コンテンツを（携帯電話で、TVで、又はインターネットで）一貫して拒否する場合又は見ることができなかった場合には、語「U2」に関するクエリは、ソビエト時代の偵察機に関する情報を返すことが可能であり、一方、他のユーザには、かかるクエリは、ロックグループU2に関するコンテンツを返すことになる。使用パターンを解析する場合のように、広範なアルゴリズム（学習アルゴリズム、回帰分析、ニューラルネット等を含む）を使用して、クエリ及び結果の操作に資する拒否されたコンテンツのパターンを理解することが可能である。
【０２４５】
一実施形態では、検索機能142は、ダウンロードされたコンテンツ及びプログラムに基づいて適合化される。ダウンロード履歴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。ダウンロードされたコンテンツ及びプログラムは、例えば、形態電話の使用、テレビの視聴、インターネットの使用、E-mailの使用等に基づいて、モバイル加入者特徴112のデータベースから判定することが可能である。かかるコンテンツ及びプログラムは、その解析を行って、使用パターンに適合化された検索機能142について上述した態様で使用することが可能である。かかる一実施形態では、検索機能142は、聞かれた及び／又はダウンロードされたビデオ、音楽、及びオーディオに基づいて適合化される。この場合も、コンテンツのアクションに適合された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。別のかかる実施形態では、検索機能142は、視聴されたテレビに基づいて適合化される。テレビの視聴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。別のかかる実施形態では、検索機能142はテレビ加入に基づいて適合化される。該加入に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。かかる一実施形態では、検索機能142は、鑑賞／ダウンロードのタイミング及び期間に基づいて適合化される。該鑑賞／ダウンロードのタイミング及び期間に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２４６】
一実施形態では、検索機能142は、モバイルコンテンツ用に特に調整された大容量でスケーラブルで冗長な検索エンジンとすることが可能である。該エンジンは、Javaで実施することが可能であり、及び二重アーキテクチャで配置することが可能であり、この場合、提示ロジックがウェブサーバ上で実行され、該ウェブサーバが、検索サーバに対して実際の検索要求を渡すことにより返された結果をフォーマットする。検索サーバは、全文メタデータインデックスからの結果をサードパーティ（パートナー）のAPIからの結果とブレンドする独自のアルゴリズムを使用することが可能である。該検索エンジンには、クエリAPIを介してアクセスすることが可能である。クエリは、一組のワードであり、おそらくは特定のフィールドに制限され、コンテンツタイプ、カテゴリ、及びフォーマットに関する制限と組み合わせられる。
【０２４７】
実施形態では、検索設備142は、ランキングアルゴリズムを使用することが可能であり、該ランキングアルゴリズムは、全文関連性（例えば、TFIDF（Term Frequency / Inverse Document Frequency）又はその変種もしくは強化版を用いたもの）、ワード順及び近接性スコア、（しきい値を用いた）一致語数スコア、（全体的な又は特定層内の）人気、編集上のブースト、及び分野毎のブーストのうちの１つ又は２つ以上を含む、複数の特徴を含むことが可能である。ワイヤレスプロバイダ108は、編集上のブーストを制御することが可能である。
【０２４８】
本発明の一態様では、モバイルコンテンツを再検討して、該コンテンツをモバイル通信設備102へ提示すべきか否かを判定するために使用することができる関連性を生成することが可能である。代替的に、該関連性を使用して、モバイル通信設備102へ提示されたコンテンツの少なくとも幾つかの部分をモバイル通信設備102のユーザへ提示すべきか否かを判定することが可能である。モバイルコンテンツは、ブログ、スポーツ、ギャンブル、ソーシャルネットワーキング、旅行、ニュース、コミュニティ、教育、製品、サービス、政府等のうちの１つ又は２つ以上に関連することが可能である。一例では、公務員により使用されるモバイル通信設備102へギャンブルに関連するモバイルコンテンツが提示されるのを防止することが可能である。
【０２４９】
モバイルコンテンツの再検討は、アルゴリズム上の再検討とすることが可能である。該アルゴリズム上の再検討は、モバイルコンテンツへのインバウンドリンク、モバイルコンテンツからのアウトバウンドリンク、モバイルコンテンツのテキスト、モバイルコンテンツのキーワード、モバイルコンテンツのリンク構造、モバイルコンテンツに関連するメタデータ、及び本書に記載するモバイルコンテンツのその他の特徴の再検討を含むことが可能である。
【０２５０】
アルゴリズム上の再検討の一部としてモバイルコンテンツ内のアウトバウンドリンクを再検討して関連性を判定することが可能である。アウトバウンドリンクは、モバイルコンテンツであって、ブラックリストに載っており、ホワイトリストに載っており、又は未だ再検討されていない、モバイルコンテンツにリンクしている可能性がある。ブラックリストに載っているコンテンツへのアウトバウンドリンクは、モバイル通信設備102へ提示された該リンクがディセーブルされるように編集することが可能である。代替的に、該リンクをモバイル通信設備102へ提示しないことが可能である。アウトバウンドリンクがホワイトリストに載っているモバイルコンテンツに対するものである場合には、該リンクを、モバイル通信設備102へ提示されるコンテンツに含めることが可能である。ブラックリストに載っているコンテンツへのアウトバウンドリンクを有するモバイルコンテンツを再検討する結果として、該再検討されたモバイルコンテンツをブラックリストに載せることが可能である。
【０２５１】
再検討されたモバイルコンテンツのアウトバウンドリンクが未だ見ていないモバイルコンテンツを指している場合には、該リンクされているコンテンツを再検討できるように該アウトバウンドリンクを従わせることが可能である。該リンクされているコンテンツが不適切なもの又はブラックリストに載っているものであると判定された場合には、該アウトバウンドリンクを含むモバイルコンテンツをブラックリストに載せることが可能である。
【０２５２】
アルゴリズム上の再検討の一部としてモバイルコンテンツ内のテキストを再検討して関連性を判定することが可能である。テキストをパースしワード及びフレーズのリストと比較して関連性を判定することが可能である。Microsoft Natural Language Processorにより用いられているような言語処理技術を使用してテキストを処理してテキストのコンテキストを導出することも可能である。該導出されたコンテキストを既知のコンテキストと比較して関連性を判定することが可能である。モバイルコンテンツのテキストのアルゴリズム上の再検討に様々な既知の検索アルゴリズムを適用して該テキストの関連性を判定することが可能である。モバイルコンテンツのテキストのアルゴリズム上の再検討には、ワード・スタビング、ワード・エイリアシング、ミススペリングの変種等の技術を適用することも可能である。
【０２５３】
アルゴリズム上の再検討の一部としてモバイルコンテンツのキーワード又はメタデータを再検討して関連性を判定することが可能である。キーワード及び／又はメタデータは、検索エンジン及びウェブクローラにとって可視的なものとなり得るため、コンテンツの重要な特徴を表すことが可能なものである。一例として、急進的な政治的行動主義に関連する１つ又は２つ以上のキーワードを含むウェブサイトを、それらキーワードを探索するアルゴリズム上の再検討により検出することが可能である。ウェブサイトは、かかるキーワードの照合に基づいて、ブラックリストに載せ、ホワイトリストに載せ、又は関連性スコアを割り当てることが可能である。
【０２５４】
モバイルコンテンツの再検討から生成された関連性は、所定範囲内の数字等のスコアにより表すことが可能である。関連性スコアの範囲は、ホワイトリストに載っているコンテンツからブラックリストに載っているコンテンツにまで及ぶことが可能であり、該関連性スコアは、ホワイトリストに載せるのを妨げる特徴をモバイルコンテンツが含んでいる程度を示すものとなる。ブラックリストに載っているモバイルコンテンツがモバイル通信設備102へ提示されるをの防ぐことが可能である。ホワイトリストに載っているモバイルコンテンツは、モバイル通信設備102へ完全に提示できるようにすることが可能である。
【０２５５】
関連性スコアは、モバイルコンテンツの１つ又は２つ以上の特徴の再検討を複合したものとすることが可能である。例えば、各特徴を再検討して、例えばホワイトリストに載っている特徴には「０」、ブラックリストに載っている特徴には「１」といった値を割り当てることが可能である。参照したウェブサイトの10個の特徴に関する例では、関連性スコア「２」を有する第１のモバイルコンテンツは、ホワイトリストに載せることができない幾つかの特徴を有するモバイルコンテンツを示し、一方、関連性スコア「８」を有する第２のモバイルコンテンツは、ブラックリストに載っている特徴を高いパーセンテージで有しているモバイルコンテンツを示すことが可能である。ユーザは、モバイル通信設備102へ提示されるべきモバイルコンテンツに関する最大関連性スコアを識別することが可能である。この例では、ユーザが、モバイルコンテンツの提示のための最大関連性スコアを４に設定した場合、第１のモバイルコンテンツは提示され、第２のモバイルコンテンツは提示されないことになる。更に、ユーザは、モバイル通信設備102へ提示するためにホワイトリストに載せるべきコンテンツに関する最大関連性スコアを指示することが可能である。ユーザが、ホワイトリストのための最大関連性スコアを２に設定した場合には、第１のモバイルコンテンツはホワイトリストに載せられることになる。しかし、ユーザが、ホワイトリストのための最大関連性スコアを１に設定した場合には、第１及び第２のモバイルコンテンツは何れもホワイトリストに載せられないことになる。
【０２５６】
モバイル通信設備102のユーザは、どのモバイルコンテンツをモバイル通信設備102へ提示することが可能であるかの判定に関連するポリシー又はプリファレンスを識別することが可能である。ワイヤレスプロバイダ108は、この個人的なポリシー又はプリファレンスを、ユーザのモバイル通信設備102へ提示するためのモバイルコンテンツを再検討する際に、適用することが可能である。一例として、個人的なポリシー又はプリファレンスは、モバイル通信設備102へ提示されることになる検索結果から除外すべき外国語のモバイルコンテンツを識別することが可能である。
【０２５７】
ワイヤレスプロバイダ108は、モバイル通信設備102へ提示すべきモバイルコンテンツの適切性を判定するコンテンツポリシーを有することが可能である。該コンテンツポリシーは、ユーザのモバイル通信設備102へ提示されるモバイルコンテンツに適用されるべき適切性の１つ又は２つ以上の特徴を該モバイル通信設備102の該ユーザが選択できるようにすることが可能である。一例として、ユーザは、成人向けの内容に関する適当性の特徴を選択することが可能である。該例では、成人向けの内容を含むモバイルコンテンツは、モバイル通信設備10への提示が阻止されることになる。このため、不適切であると判定されたコンテンツは、ワイヤレスプロバイダ108を介してモバイル通信設備102へ提示されないことが可能となる。
【０２５８】
モバイルコンテンツの編集上の再検討をアルゴリズム上の再検討と組み合わせることが可能である。編集上の再検討は、リンク、イメージ、ビデオ、オーディオ、及びその他の特徴といった、モバイルコンテンツの特徴を識別することが可能である。モバイルコンテンツは、アルゴリズム上の再検討及び編集上の再検討の組み合わせにより判定された関連性に基づいてモバイル通信設備102へ提示することが可能である。モバイルコンテンツの編集上の再検討は、ワイヤレスプロバイダ108又は他の何らかの団体により実行することが可能である。
【０２５９】
編集上の再検討はまた、モバイル通信設備102の有用性を改善することが可能な置換を含むことが可能である。一例では、表示特性に起因して特定のモバイル通信設備102への提示に適さない関連するコンテンツを有するウェブサイトへのリンクを、該モバイル通信設備102への提示に適した関連するコンテンツを有するウェブサイトへのリンクに置換することが可能である。
【０２６０】
一実施形態では、検索機能142は、例えば、部分ワード照合、提案、及びモバイル通信設備102の互換性を使用することにより、モバイル入力方法に関して最適化することが可能である。部分ワード照合を人気スコアと組み合わせることにより、ユーザにとって最善の考え得る結果を提供することが可能である。部分ワード照合は、複数のワードフレーズにも有効なものである。このため、「ro st」に関する検索は、「Rolling Stones」と一致する結果を提案することが可能である。提案は、推薦される検索ストリングである。例えば、クエリストリング「piz」の場合、提案は「pizza」とすることが可能である。提案は、最も少ない文字数を有する所望の検索タームをユーザが入力することを可能にする。提案は、エンジンにより提供することが可能であり、及び性能向上のためローカルにキャッシュすることが可能である。
【０２６１】
実施形態では、モバイル通信設備102は、該モバイル通信設備102の能力に合わせて検索エンジンの結果をカスタマイズすることが可能である。例えば、検索エンジンは、装置にとって不適切な検索結果（例えば、互換性のない着信音）を提示しないことが可能である。互換性情報を判定することができない場合には、特定のハードウェア又はソフトウェアを必要とする結果が一層低いランキング又はスコアを受容することが可能である。推薦エンジンが、追加的に又は代替的に、推薦を算出する際の属性の１つとして装置タイプを使用することが可能である。
【０２６２】
実施形態では、ユーザが検索経験を入力した場所に基づいて検索設備142がコンテキストクエリを選択することが可能となるようにコンテンツを分離させることが可能である。例えば、着信音エリアから検索を入力したユーザは、着信音に制限された結果を受信することが可能である。更に、ワイヤレスプロバイダ108は、多数のコンテンツパートナーを有する可能性があり、特定の状況では特定のコンテンツパートナーに検索を制限することを望む可能性がある。例えば、ワイヤレスプロバイダ108は、特定のパートナーからのコンテンツしか検索しないエンターテイメントセクションの検索ボックスを提供することを望む場合があり、この場合、旅行セクションの検索ボックスは異なるコンテンツを検索することになる。検索設備142は、特定の１パートナー又は一組のパートナーに結果を制限することが可能である。
【０２６３】
実施形態では、コンテンツインデックスを構築するためにエンドユーザに発見サービスを提供することが可能である。このインデックスは、コンテンツ要素の明示的なデータフィードにより、又はコンテンツに関するメタデータを含むウェブ又はWAPサイトのスパイダリングにより、データを投入することが可能である。データフィードは、ワイヤレスプロバイダ108からの規則的にスケジューリングされたデータ転送により提供することが可能である。フィードは、コンテンツ、分類法、及びトランザクション履歴データからなることが可能である。コンテンツは、ハンドセットの能力、プレビュー、価格、アーティスト、大きさ、購入場所その他に関するメタデータを含む１レコード／アイテムを含むことが可能である。分類法は、データ要素について使用されるカテゴライズシステムの記述を含むことが可能である（コンテンツ及び分類法データは場合によっては別個に分配され、場合によっては１つのデータファイルへと混合される）。トランザクション履歴は、一意の加入者をその者が対話したコンテンツ要素に関連づけるデータを含むことが可能である。コンテンツ及び分類法のフィードを処理して各要素に関連するメタデータを抽出することが可能である。このメタデータから検索インデックスを構築することが可能である。データフィードは、所定時刻に実行されるようスケジューリングすることが可能であり、又は要求に応じてトリガすることが可能である。ワイヤレスプロバイダ108が複数の言語でコンテンツを供給する場合には、言語固有のコンテンツの各集合は、別個のデータフィードとして設定することが可能である。コンテンツデータフィードは、１アイテムにつき１レコードを含む単一のXML又はCSVファイルとすることが可能である。
【０２６４】
実施形態では、アイテムの編集上のカテゴライズを生成するキャリアの場合に、コンテンツデータフィードを分類法データフィードとブレンドすることが可能である。分類法データフィードは、ワイヤレスプロバイダ108のコンテンツの特定の分類法を記述することが可能である。例えば、Britney Spearsの「Oops, I did it again」の着信音は、カテゴリ「Pop」及び「Female Vocalists」内に存在する可能性がある。分類法フィードは、単一のXML又はCSVファイルからなることが可能である。
【０２６５】
ワイヤレス検索プラットフォーム100は、モバイルコンテンツのインデクシングのための方法に関連づけることが可能である。この場合、モバイルコンテンツは、モバイル通信設備102へ配信され、提示され、及び／又は提示されるよう適合化されることが可能な、あらゆるコンテンツを指すことが可能なものである。このモバイルコンテンツは、本書に記載され及び／又は本書で引用した文献に記載されているあらゆるコンテンツを含むことが可能である。このモバイルコンテンツは、ウォールド・ガーデン・コンテンツ132、追加の又はリモートのサーバ132及び／又はそのデータベース138により提供されるコンテンツ、ワイヤレスプロバイダのデータ設備124（本書では「別のデータ設備124」とも称す）からのコンテンツ及び／又は該データ設備124に格納されているコンテンツ等を含むことが可能である（但しそれらには限定されない）。モバイルコンテンツのインデクシング法の実際の具体的な結果は、モバイルコンテンツのインデックスであり、この場合、モバイルコンテンツにモバイル通信設備の互換性の指示が関連づけられる。該互換性の指示は、特定のモバイル通信設備、モバイル通信設備のタイプ、モバイル通信設備のメーカー、オペレーティングシステム、オーディオシステム、表示システム、ビデオシステム、テキスト再生システム、又は本書に記載するような他のパラメータとの、コンテンツの互換性の指示とすることが可能である。
【０２６６】
モバイルコンテンツは、ワイヤレス検索プラットフォーム100の観点からすれば、ウェブページを出所とすることが可能である。この開示では、用語「ウェブページ」は、データの全てのインスタンス、フォーマット、タイプ、及び変種を含むよう可能な限り広範に解釈されるべきである。このため、ウェブページは、例えば、HTML又はDHTMLファイル、（例えばSOAP又はRPC-XMLを介した）ウェブサービスによりコンピューティング装置へ提供される結果、RSSフィードを介して受信した情報、IMAP,POP3,SMTP等のE-mailプロトコルを介して受信したデータ、ピア・ツー・ピア情報共有設備を介して受信したコンテンツ、SMSメッセージ、リレーショナルデータベースのテーブル若しくはその中のエントリ、モバイル通信設備102により受信され、生成され、提示され、及び／又は提示されるよう適合化されることが可能な情報等を含むことが可能である（但しこれらには限定されない）。ウェブページ識別子は、ウェブページを識別することが可能である。例えば、この識別子は、名称、URL、URI、DOI、パーマリンク、メッセージ識別子、一意の識別子、GUID（Globally Unique Identifier）、一時的な識別子、永続的な識別子等とすることが可能である（但しこれらには限定されない）。
【０２６７】
モバイルコンテンツのインデクシング方法の第１ステップは、コンテンツを含むウェブページを発見することからなることが可能である。この発見プロセスは、一度だけ、定期的に、時々、手動入力に応じて、又は自動的に、実行することが可能である。実施形態では、一例としての追加の又はリモートのサーバ134が、該発見プロセス及び／又はウェブページを提供することが可能である。一般に、ワイヤレス検索プラットフォーム100に関連するあらゆるコンピューティング装置が、発見プロセス及び／又はウェブページを提供することが可能である。発見プロセスが手動入力を伴う場合には、発見プロセスのプロバイダは、人のユーザを有し及び該ユーザにユーザインタフェイスを提供することが可能であり、この場合、該ユーザは該ユーザインタフェイスを介して手動入力を提供する。ウェブページの発見の実際の具体的な最終的な結果は、該発見プロセスのプロバイダで１つ又は２つ以上のウェブページ識別子を受信することとすることが可能である。
【０２６８】
実施形態では、発見プロセスはスパイダリングからなることが可能である。自律エージェント又はソフトウェアエージェントは該スパイダリングを提供することが可能である。このエージェントは、ウェブクローラ、ウェブスパイダ、アント等とすることが可能である。例えば、スパイダリングは、エージェントが既知のURLのウェブページを読み出すことから開始することが可能である。そのウェブページは、他のウェブページへのハイパーリンク又は参照を含むことが可能である。スパイダリングは、該エージェントが該他のウェブページを読み出すことを続行することが可能であり、該他のウェブページもまた他のウェブページへのハイパーリンク又は参照を含み得るものである。スパイダリングは、それらのウェブページを読み出すエージェントが該エージェントにより同様に処理されることを続行することが可能である。スパイダリングの多くの他の例及び実施形態がこの開示から理解され、かかる例及び実施形態を本発明に包含させることが意図されている。
【０２６９】
実施形態では、発見プロセスは、ゲートウェイデータ（例えば、WAPゲートウェイデータ、モバイルサーバのゲートウェイデータ、サーバのゲートウェイデータ、及び／又はワイヤレスプロバイダのゲートウェイデータ）の処理を含むことが可能である。ゲートウェイデータは、WAPゲートウェイ、又はその他のかかる設備、ワイヤレス通信設備104、追加の又はリモートのサーバ134、又はワイヤレス検索プラットフォーム100に関連する他のあらゆるサーバ又は設備に関連づけることが可能である。ゲートウェイデータは、モバイル通信設備102と、設備、サーバ、又はデータソースとの間で通信される、あらゆるメッセージを含むことが可能であり、この場合には、該通信中に、例えばWAPデータフォーマットとHTTPデータフォーマットとの間でメッセージが変換される。ゲートウェイデータはまた、WAPゲートウェイに関連するあらゆるデータを含むことが可能である。かかるデータは、コンフィギュレーション、アップタイム、能力、ネットワーク、プロトコル、ワイヤレスプロバイダ108、ワイヤレス通信設備104、モバイル通信設備102、モバイル検索ホスト設備114、追加の又はリモートのサーバ134等に関連づけることが可能である（但しそれらには限定されない）。発見プロセスにより受信され又は送信された情報の一部又は全てをWAPゲートウェイデータとすることが可能である、ということが理解されよう。このため、コンテンツを含むウェブページの発見は、WAPゲートウェイデータを処理することにより達成することが可能である。
【０２７０】
実施形態では、発見プロセスは、自己提出を含むことが可能である。ウェブページのプロバイダは、該ウェブページの識別子を発見プロセスのプロバイダへ提出することが可能である。この自己提出は、手動入力を伴うことが可能であり、この場合、ウェブページのプロバイダのユーザが該ウェブページのためのウェブページ識別子を該プロバイダのユーザインタフェイスに入力する。代替的に、該自己提出は、自動的なものとすることが可能であり、この場合には、ウェブページのプロバイダが、発見プロセスのプロバイダへウェブページ識別子を自動的に提出する。加えて、又は代替的に、ウェブページのプロバイダは、一組の識別子を提出することが可能である。例えば、該一組は、１つのサイトマップから構成することが可能であり、該サイトマップは、１つのウェブサイトに関する複数のウェブページの識別子を含むことが可能である。ウェブページのプロバイダは、これらウェブページの何れでも提供することが可能である。前記一組の識別子は、平坦な配列、階層的な配列、リレーショナル配列、オブジェクト-リレーショナル配列、又はその他の配列で表すことが可能である。該一組の識別子は、フラットファイル、XMLファイル、又はその他のファイル又はデータ表現として実施することが可能である（但しそれらには限定されない）。自己提出の他の多くの例が理解されよう。
【０２７１】
自己提出を含む発見プロセスの特定の実施形態では、発見プロセスのプロバイダへ１つのウェブページ識別子又は一組のウェブページ識別子を提供することに支払いを関連づけることが可能である。特に、ウェブページのプロバイダに関連する企業又は事業体は、発見プロセスのプロバイダに関連する企業又は事業体へ支払いを提供することが可能である。この支払いは、無制限の提出を可能にする一時払い、特定数の提出を可能にする一時払い、提出が行われる度に発生し及び提出の特徴に応じて変動し得る使用毎支払い、限られた期間中に無制限の提出を可能にする期間又は定期加入向け支払い、限られた期間中に特定数の提出を可能にする期間又は定期加入向け支払い等とすることが可能である。該支払いは、随意選択、要求、プリペイド、延納、完済、分割払い、信用取引、借方記入、交渉、定額、変額等とすることが可能である。一例では、支払いは、モバイルコンテンツのインデックスを作成するペイドインクルージョンサービスに関するものとすることが可能であり、この場合、モバイルコンテンツは、支払いに関する提出で識別されるウェブページを出所とするものである。
【０２７２】
発見プロセスがウェブページ識別子を受信した後、該発見プロセスは、識別されたウェブページを出所とするモバイルコンテンツを記録することが可能である。この記録は、URI、MIMEタイプ、ファイルサイズ、解像度、忠実度、圧縮フォーマット、ファイルフォーマット、ディジタル著作権管理（DRM）による制限、又はモバイルコンテンツの他のあらゆる特徴又は側面、の判定及び格納を含むことが可能である。この記録の実際の具体的な結果は、これら特徴及び側面の指示を含むデータ要素であるモバイルコンテンツプロファイルとすることが可能である。
【０２７３】
モバイルコンテンツは、スポンサードリンク、スポンサードコール、ダウンロード可能コンテンツ、オーディオストリーム、ビデオファイル、ビデオストリーム、グラフィック要素、検索クエリの結果等とすることが可能である。コンテンツが検索クエリの結果である場合、該検索クエリは、モバイル通信設備102（例えば、電話の類、携帯電話、セルラー電話、GSM電話等とすることが可能（但しそれらには限定されない））により開始することが可能である。
【０２７４】
モバイルコンテンツのインデクシング方法における次のステップは、モバイル通信設備102のタイプに基づいてモバイルコンテンツの互換性を判定することからなることが可能である。互換性の判定は、該モバイルコンテンツのインデクシング方法の判定プロセスにより提供することが可能である。該判定プロセスは、モバイルコンテンツが発見された際にその発見プロセスに続いて実行することが可能である。この場合には、発見プロセス中の１ステップが、モバイルコンテンツに関するモバイルコンテンツプロファイルを判定プロセスに提供することが可能である。代替的に、判定プロセスは、個々のアイテムが発見されるや否やその時々に実行し、それ以外の場合には発見プロセスと特定の時間的な関係を有さないことが可能である。この場合、発見プロセス中の１ステップは、モバイルコンテンツに関するモバイルコンテンツプロファイルを待ち行列に入れることが可能である。この待ち行列から、判定プロセス中の１ステップが、モバイルコンテンツプロファイルを取り出すことが可能である。実施形態では、追加の又はリモートのサーバ134が判定プロセスを提供することが可能である。一般に、ワイヤレス検索プラットフォーム100に関連するあらゆるコンピューティング設備は、判定プロセスを提供することが可能である。判定プロセスを提供するコンピューティング設備（又は追加の又はリモートのサーバ134）は、発見プロセスを提供する同設備又はサーバ134と同じであっても同じでなくても良い。
【０２７５】
判定プロセスは、モバイルコンテンツプロファイルを、モバイル通信設備102のタイプに関連する能力及び特徴と比較することが可能である。これら能力及び特徴は、モバイルコンテンツプロファイル又はその要素に関連づけることが可能である。該能力及び特徴は、データ要素として実施することが可能であり、これは、追加の又はその他のサーバ134、そのデータベース138、ワイヤレスプロバイダのデータ設備124、追加のデータ設備170、データ設備118、又はその他のデータ設備、コンピューティング設備、又はワイヤレス検索プラットフォーム100の要素により提供することが可能である。モバイルコンテンツプロファイルを能力及び特徴と比較する場合、判定プロセスは、該能力及び特徴の全てがモバイルコンテンツプロファイルと一致するか確認する試験を行うことが可能である。この試験結果が否定である場合には、判定プロセスは、該プロファイルに関連する種類のモバイルコンテンツを、第２のプロファイル（前記能力及び特徴の全てに一致するもの）に関連する第２の種類のモバイルコンテンツに適合化するための方法が存在するか確認する試験を行うことが可能である。この試験結果が否定である場合には、判定プロセスは否定的な結果を返すことが可能である。この試験結果が肯定である場合には、判定プロセスは、肯定的な結果を返すことが可能である。適合化可能である場合、該肯定的な結果は、コンテンツを適合化するための方法のコードその他の指示から構成される。いずれにせよ、肯定的な結果はモバイルコンテンツプロファイルを構成する。判定プロセスの実際の具体的な結果が、返される結果となる。
【０２７６】
モバイルコンテンツプロファイルに関連する能力及び特徴は、MIMEタイプに関連づけることが可能である。MIMEタイプは、RFC1521、RFC1522、RFC1550、RFC1590、RFC1847、RFC2045、RFC2046、RFC2049、RFC2387、RFC3023、又はこれらRFCを廃れさせる後続のあらゆるRFCに準拠したものとすることが可能である。MIMEタイプは、モバイルコンテンツが、過去、現在、又は将来のIANAに登録されたMIMEメディアタイプ（要求されたが認可されていないものを含む）の何れかから構成されていることを示すことが可能である。IANAに登録されたMIMEメディアタイプの全てについては、ウェブサイトhttp://www.iana.org/assignments/media-types/に記載されている。実施形態では、MIMEタイプは、text/vnd.wap.wml又はtext/HTMLのコンテンツタイプを示すことが可能である。
【０２７７】
モバイルコンテンツプロファイルに関する能力及び特徴は、モバイル通信設備の識別子（ブラウザ識別ストリング、モバイル加入者特徴、又はユーザエージェントストリング等）に関連づけることが可能である。実施形態では、ユーザエージェントストリングは、モバイル通信設備102のブランド及び／又はモデル識別子、アプリケーションの名称及び／又はバージョン、ホストオペレーティングシステムの名称及び／又はバージョン、ホストオペレーティング言語、互換性フラグ、バージョントークン、プラットフォームトークン等を、テキスト又はバイナリ表現にしたものとすることが可能である。
【０２７８】
実施形態では、ブラウザ識別ストリングは、モバイル通信設備102内のウェブブラウザ又はWAP対応アプリケーションを識別することが可能であり、モバイル加入者特徴は、モバイル通信設備102に関連づけされたモバイル加入者の通話履歴とすることが可能であり、ユーザエージェントストリングは、モバイル通信設備102内のユーザエージェント（例えばE-mailエージェント又はクライアント）を識別することが可能であり、アプリケーションの名称及び／又はバージョンは、モバイル通信設備102内のアプリケーションの名称及び／又はバージョンとすることが可能であり、ホストオペレーティングシステムの名称及び／又はバージョンは、モバイル通信設備102内のオペレーティングシステムの名称及び／又はバージョンとすることが可能であり、互換性フラグ、バージョントークン、及びプラットフォームトークンは、ユーザエージェントストリングの構造要素とすることが可能である。
【０２７９】
モバイルコンテンツプロファイルに関する能力及び特徴は、WURFL（Wireless Universal Resource File）又はそこで指定されているあらゆる基準、ブラウザ、オペレーティングシステム、ユーザビリティの要素等に関連づけることが可能である。
【０２８０】
実施形態では、ユーザビリティの要素は、W3Cモバイルコンテンツ規格、XHTMLのサポート、メタデータガイドライン（タイトル、記述、キーワード等に関するものとすることが可能）の順守、テキスト強調ルール（ボールド体テキスト要素、イタリック体テキスト要素、アンダーラインテキスト要素等に関するものとすることが可能）、イメージ使用ガイドライン（イメージ高さ、イメージ幅、イメージ解像度、複数のイメージのうちの幾つかのイメージ、イメージフォーマット、一組のイメージの逐次のイメージダウンロード順等とすることが可能）、ページ重さルール（10又は数Kbyteへの総ページサイズの縮小、テーブルサイズの縮小、ページに関するコメントを削除することによるテキストの縮小、タブ又はスペースもしくは段落区切り文字を挿入することによるページ構成の最小化、ファイル名の短縮、CSSクラス名の短縮、及びCSS ID名の短縮等に関するものとすることが可能）とすることが可能である。
【０２８１】
モバイルコンテンツのインデクシング方法の最終ステップは、モバイルコンテンツのインデックスを生成することからなることが可能である。インデックスの生成は、モバイルコンテンツのインデクシング方法のインデックス生成プロセスにより提供することが可能である。該インデックス生成プロセスは、判定プロセスが肯定的な結果を返したときに該判定プロセスに続いて実行することが可能である。この場合、判定プロセス中の１ステップがインデックス生成プロセスに該肯定的な結果を提供することが可能である。代替的に、インデックス生成プロセスは、判定プロセスが肯定的な結果を返すや否やその時々に実行され、それ以外の場合には生成プロセスと特定の時間的な関係を有さないことが可能である。この場合、判定プロセス中の１ステップは、該肯定的な結果を待ち行列に入れることが可能である。この待ち行列から、インデックス生成プロセス中の１ステップが該肯定的な結果を取り出すことが可能である。実施形態では、追加の又はリモートのサーバ134の例がインデックス生成プロセスを提供することが可能である。一般に、ワイヤレス検索プラットフォーム100に関連するあらゆるコンピューティング設備が、インデックス生成プロセスを提供することが可能である。インデックス生成プロセスを提供するコンピューティング設備（又は追加の又はリモートのサーバ134）は、発見プロセス又は判定プロセスを提供する設備又はサーバ134と同じであっても同じでなくても良い。
【０２８２】
該肯定的な結果に少なくとも部分的に基づいて、インデックス生成プロセスは、該肯定的な結果のモバイルコンテンツプロファイルに関連するモバイルコンテンツのインデックスを自動的に生成することが可能である。様々な実施形態において、例えば、このデータ要素は、以下のものを表し又はそれらに関連するものとすることが可能である（但しそれらには限定されない）：ハッシュ値、優先順位、関連性、市場、カテゴライズ、分類、レーティング、格付け、ランキング、指定、査定、評価、鑑定、マーク、スコア、値、参照、色、コード、アイコン、位置、プリファレンス、提案、ヒント、手掛かり、相互参照、モバイルコンテンツプロファイルに関連するモバイルコンテンツの代替的な実施形態、かかる実施形態への参照、かかる実施形態を提供するウェブサービスへの参照、モバイルコンテンツプロファイルのURIのための代替的なURI、階層内の位置、階層、互換性フラグ、フラグ、タグ、キーワード、翻訳、音訳、同義語、反意語、同音異義語、尺度、使用統計、人気、ピア・レビュー、採点（10段階評価等）、星評価（五つ星評価等）、値、将来の値、過去の値、見積もり、予測、素人用語、業界用語、口語表現、好適な名称、ニックネーム、正式名称、出所、宛先、ロケーション、時刻、日付、作成者、修正者、サイズ、ファイルサイズ、解像度、色相、色、強度、ビット深度、ファイルタイプ、プロトコル、要件、アイテム、アクション、ロケーション、理由、方法等。
【０２８３】
複数のインデックスを生成することが可能である。実施形態によっては、複数のインデックスを、該インデックスの値に基づいて順序づけすることが可能である。一例では、該値はランクであり、該ランクに基づいて複数のインデックスが順序づけされる。
【０２８４】
モバイルコンテンツのインデックスは、ワイヤレス検索プラットフォーム100に関連するあらゆるデータベース又はデータ設備等（但しこれには限定されない）のデータベース又はデータ設備に格納することが可能である。モバイルコンテンツのインデックスは、一元化され又は分散された態様で格納することが可能である。モバイルコンテンツのインデックスは、複製され、アーカイブされ、圧縮され、解凍され、送信され、受信され、解釈され、処理され、利用され、又はその他の態様でワイヤレス検索プラットフォーム100のあらゆる要素に関連づけることが可能である。一例では、モバイルコンテンツのインデックスは、モバイル通信設備102のユーザにより又は該ユーザに代わって提出されたクエリに応じて該ユーザに提供される関連情報を表すことが可能である。
【０２８５】
コンテンツのインデクシングのための処理の多数の実施形態を実施し得ることが理解されよう。これら実施形態は、モバイルコンテンツのインデクシング方法全体を実施するものであってそのプロセスの全てを含むモノリシックコンピュータプログラムの単一の例、おそらくは負荷平衡又はフェイルオーバー構成で配置されるモノリシックコンピュータプログラムの複数の例、複数のモジュール式コンピュータプログラムの各々の例であって、各コンピュータプログラムが全てではなく幾つかのプロセスを実施するがそれらプログラムが全体として全プロセスを実施するもの、複数のモジュール式コンピュータプログラムの各々の少なくとも１つの例であって、同じプログラムの複数の例が負荷平衡又はフェイルオーバー構成で配置されているもの、複数のモジュール式コンピュータプログラムの各々の例であって、それらの例が同一の設備又はサーバ134上に存在するもの、複数のモジュール式コンピュータプログラムの各々の例であって、それらの例のうちの一部又は全てが異なる設備又はサーバ134上に存在するもの、複数のモジュール式コンピュータプログラムの各々の少なくとも１つの例であって、該例が同一の設備又はサーバ134上に存在するもの、複数のモジュール式コンピュータプログラムの各々の少なくとも１つの例であって、それらの例の一部又は全てが異なる設備又はサーバ134上に存在するもの、モノリシックコンピュータプログラムの複数の例であって同一の設備又はサーバ134上に存在するもの、モノリシックコンピュータプログラムの複数の例であって、該例の一部又は全てが異なる設備又はサーバ134上に存在するものを含む（但しこれらには限定されない）。
【０２８６】
実施形態では、モバイルコンテンツのモバイル通信設備との互換性に少なくとも部分的に基づいて該モバイル通信設備にウェブコンテンツが提示される。該互換性は、モバイル通信設備に関する情報（例えば、モバイル加入者特徴、ワイヤレスプロバイダにより格納されている情報、又はモバイル通信設備上にローカルに格納されている情報）の試験を介して判定することが可能である。モバイル通信設備に関する情報が判定されると、モバイル通信設備に関する情報とモバイルコンテンツとの間の比較を判定することが可能となる。モバイルコンテンツが互換性を有するものであると判定された場合には、該モバイルコンテンツをモバイル通信設備へ配信することが可能となる。モバイルコンテンツの配信は、モバイル通信設備へのコンテンツの配置に関するオークションの結果とすることが可能であり、この場合、コンテンツのスポンサーである広告主が互換性のあるコンテンツの配信について支払いを行うことになる。この方式は、起こり得る互換性という問題が故に、モバイルコンテンツの予測されるコンバージョンレートを改善するために使用することが可能なものである。
【０２８７】
上記で特定し説明した様々なステップは変更することが可能であり、それらステップの順序は、本書で開示する技術の適当な用途に合わせて変更することが可能である、ということが理解されよう。全てのかかる変更及び修正は、本開示の範囲内に含めることが意図されている。このため、様々なステップの順序の描写及び／又は説明は、特定の用途によって必要とされない限り、明言しない限り、又は文脈から明らかでない限り、それらステップの特定の実行順序が必要であるように理解されるべきではない。
【０２８８】
実施形態では、トランザクション履歴データは、特定のユーザに関する特定の挙動を列挙することが可能である。これは、人気情報を計算するために使用することが可能であり、及び推薦エンジンへの入力として使用することが可能である。このデータフィードは、コンテンツのインデックスが通常のデータフィードを介して又はスパイダリングによって構築されているか否かにかかわらず使用することが可能である。この情報のための一般的なフォーマットは、Apacheログフォーマット（Apache Log Format）である。
【０２８９】
実施形態では、全文関連性がTFIDFメトリックを計算することが可能であり、この場合には、全体的なアイテムセット内のワードの頻度が関連性スコアに影響を与える。実施形態では、「ストップワード」を使用して検索結果の関連性を改善することが可能である。ストップワードは、ドキュメントの全体的なランキングに寄与せず、検索されず、又はクエリの策定に使用されない、ワードとすることが可能である。ストップワードを明示的に使用しない検索設備142は、それにもかかわらず、他のワードよりも関連性に与える影響が一層小さい特定のワードを指定することが可能である。実施形態では、検索設備142は、クエリ解析を使用して、特定のコンテキストにおける特定のクエリを用いた特定のバーティカルを識別することが可能である。このため、「ice cream」に関する検索が、一般的なウェブページよりもローカルなリスト結果を選ぶことが可能である。
【０２９０】
一実施形態では、検索機能142は、キャリアから購入したサービス（例えば、電話回線、テレビパッケージ、ワイヤレスサービス、DSL、ケーブルサービス、ブロードバンドサービス、データサービス、及びその他のサービス）に基づいて適合化される。該キャリアのサービスに適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。かかる情報は、ワイヤレスプロバイダ108（様々な他のサービスのプロバイダとすることも可能）により格納されているような、モバイル加入者特徴112のデータベースから取り出すことが可能である。該他のサービスを例えばアルゴリズム設備144により解析して、検索機能142（暗黙的クエリの提示、曖昧なクエリの解決、又は結果の取り出し、ソート、フィルタリング、提示、若しくはルーティングを含む）を実行する際のユーザの意図に関する情報を推論することが可能である。例えば、ユーザが、DSLを有しており、プレミアムスポーツテレビパッケージを購入しており、及びスポーツ関連サイトをブックマークしている場合には、該ユーザに、その日のスポーツ結果を取り出す暗黙的クエリを提示することが可能である。同様に、「Jason」を入力した場合、かかるユーザは、Red Sox又はVaritekに関する結果を受信することが可能であり、他のユーザは、「13日の金曜日」シリーズの映画又は「JASON foundation」に関する情報を受信することが可能である。この場合も、アルゴリズム設備144は、広範な技術（単純なカテゴリベースの推論、学習アルゴリズム、ニューラルネット、回帰分析、及びその他の統計的な技術を含む）を使用して、クエリ形成に関連する様々なサービスを如何に購入するかについての推論を引き出すことが可能である。かかる技術は、ユーザの嗜好が同様の特徴を有する他のユーザとどのように協調するかを判定するための（本書の他の部分や引用した文献に記載されているような）協調フィルタリング技術を含むことが可能である。
【０２９１】
一実施形態では、検索機能142は、トランザクション履歴に基づいて適合化される。該トランザクション履歴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２９２】
一実施形態では、検索機能142は、例えば、被呼者の電話番号又は識別子、市外局番等の電話番号の一部、又は交換機を使用して発呼された電話の履歴に基づいて適合化される。該電話履歴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２９３】
一実施形態では、検索機能142は、例えば、被呼者の電話番号又は識別子、市外局番等の電話番号の一部、又は交換機を使用して受信された電話に基づいて適合化される。該電話の受信に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２９４】
一実施形態では、検索機能142は、ユーザに電話した者又はユーザが電話した者のモバイル加入者特徴112に基づいて適合化される。これは、例えば、使用パターン、使用プラン、モバイル装置タイプ、ファームウェア、能力等、並びに、入手可能な範囲で、及び概略的に上述したような、その者に関する人口統計学的な情報やその他の情報を含むことが可能である。該特徴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２９５】
一実施形態では、検索機能142は、通話時間に基づいて適合化される。該通話時間に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２９６】
一実施形態では、検索機能142は、電話を介して行われた通信の履歴に基づいて適合化される。該通信履歴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２９７】
一実施形態では、検索機能142は、インターネットの使用に基づいて適合化される。これは、例えば、URL又は特定のIPアドレスの履歴、並びにそれらに関する主題的又は意味的な情報を含むことが可能である。該インターネットの使用に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２９８】
一実施形態では、検索機能142は、E-mailの使用に基づいて適合化される。該E-mailの使用に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０２９９】
一実施形態では、検索機能142は、インスタントメッセージングに基づいて適合化される。この適合化（及び本書で論じるその他の適合化）は、特定の装置、特定の時刻、特定の曜日、特定の季節等に固有のかかる使用に基づくものとすることが可能であり、又は、他の因子にかかわらずユーザに関連する全てのトラフィックに基づくものとすることが可能である。該インスタントメッセージングの使用に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０３００】
一実施形態では、検索機能142は、チャット（及びこれらの技術により通信した団体）に基づいて適合化される。該チャットの使用に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０３０１】
一実施形態では、検索機能142は、各通話時に地理／ロケーション情報とリンクして行われた通話の履歴に基づいて適合化される。該ロケーション及び通話履歴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０３０２】
一実施形態では、検索機能142は、電話番号のログに基づいて適合化される。該電話番号のログに適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０３０３】
一実施形態では、検索機能142は、クリック及びクリックスルー（又はその他のキーストローク若しくはそれと等価なユーザインタフェイス（ボイス起動式アクションを含む））の履歴に基づいて適合化される。該ユーザアクションの履歴に適合化された検索機能142は、暗黙的クエリ164、アクティブクエリ、非曖昧化動作、読み出し機能、フィルタリング機能、提示機能、ルーティング機能、又は、検索の開始、処理、又は完成に関する他の機能又は動作とすることが可能である。
【０３０４】
図６は、本発明の原理によるモバイル通信検索設備142を示している。この実施形態では、ワイヤレスプロバイダ108は、ボイスゲートウェイ602を介してモバイル通信設備102からのボイスアクセスを容易化する。該ボイスゲートウェイ602は、例えば電気通信ルータとすることが可能である。モバイル通信設備102により発信され又は受信された音声電話に関する情報は、アクセス情報データベース608に格納することが可能である。アクセス情報データベース608にボイスアクセス情報が格納されると、該情報は、個人用フィルタ144により取り出すことが可能となり、該個人用フィルタ144は、ボイス起動情報を処理して、該アクセスに関する更なる情報を取得することが可能である。例えば、個人用フィルタ144は、モバイル通信設備102により受信され又は該モバイル通信設備102から発信された通話について逆電話番号プロセスを実行して、通話した施設及び個人に関する情報を判定することが可能である。かかる情報はまた、該通話をした時刻、該通話の時間、該通話を開始した者等と組み合わせることが可能である。音声電話に関する情報を更に処理することが可能であり、又はユーザの嗜好を示す情報から推論を行うことが可能である。例えば、ユーザが、ランチタイムにほぼ毎日テイクアウトレストランに電話をかけている場合には、該ユーザが、昼食のためにテイクアウトできるところに更に多くの電話をかけようとしていると推論することが可能である。同様に、ユーザが、過去２週間で異なる新車ディーラーに10回電話をかけている場合には、該ユーザが自動車を買いたいと思っていると推論することが可能である。該情報を協調型フィルタ（個人用フィルタ144内の１プロセス）と連携して使用して、他の人々の同様の挙動に基づいて将来の挙動又は好き嫌いを予測することも可能である。
【０３０５】
アクセス情報は、インターネットゲートウェイ604を介したインターネット活動に基づいて収集することも可能である。検索クエリやクリックスルー等を追跡し、個人用フィルタ144からの取り出しに備えてアクセスデータベース608に格納することが可能である。ボイス情報の場合のように、ウェブ対話データを操作して将来の挙動や好き嫌いを予測することが可能である。インターネット挙動の監視では、ガーデン内活動及びガーデン外活動を追跡することが可能である。
【０３０６】
ロケーション情報及び時刻情報を追跡してロケーション情報データベース612に格納することも可能である。ボイス情報及びウェブ対話情報の場合のように、ロケーション及び時刻情報もまた個人用フィルタ144により使用することが可能である。
【０３０７】
個人情報、又はワイヤレスプロバイダ108にユーザアカウントを設定するために使用される情報といった、ユーザ情報112は、個人用フィルタ144によりアクセスすることが可能なデータベース内に保持することが可能である。
【０３０８】
該個人用フィルタ144は、モバイル通信設備102から検索クエリを受信し、データベース612,112,608の各々から情報を抽出し、該情報の全てを最適化アルゴリズムを介して処理し、該最適化された検索を実行して結果を得ることが可能である。同様に、結果を取得し、個人用フィルタ144を使用して該結果を他のモバイル通信関連情報と共に処理し、及びモバイル通信設備102に対してフィルタリングされた結果を生成することが可能である。
【０３０９】
データベース612,112,608は、別個のデータベースとして示したが、リレーショナルデータベースのように、それらを組み合わせて１つ又は２つ以上のデータベースとすることが可能である、ということが理解されよう。個人用フィルタ144は、ワイヤレスプロバイダ108のドメイン内に存在するものとして示したが、個人用フィルタ144は、モバイル通信設備102上や他の関連する設備内を含め、他の場所に存在することが可能である、ということが理解されよう。
【０３１０】
図７Ａ−７Ｃは、本書に記載するシステムと共に使用することが可能な様々なフォームファクタのモバイル通信設備を示している。図７Ａは、チョコバー型又は開放型の携帯電話を示している。図７Ｂは折り畳み式電話を示しており、図７Ｃはスライド式電話を示している。
【０３１１】
図８Ａ−８Ｃは、本書に記載するシステムと共に使用することが可能な様々なフォームファクタのモバイル通信設備を示している。図８Ａは、タッチスクリーン及びフルQWERTYキーボードを有するPDA電話を示している。図８Ｂは、２文字／キーのキーパッドを有するPDA電話を示している。図８Ｃは、キーボードが現れるスライド式電話を示している。
【０３１２】
図９Ａ−９Ｄは、モバイル通信設備102上での検索に関連するユーザインタフェイス画面400の進行を示している。該ユーザインタフェイス画面は、上述したクライアントアプリケーションインタフェイスにより生成することが可能である。スクリーンショット９Ａで開始し、クエリ入力設備120が提供される。該画面には、ロゴ902をラベル付けすることが可能であり、提案ボックス908を提供することが可能である。このインタフェイスに基づく一例として、省略された検索クエリ「Br Sp」を検索クエリ入力設備120内にタイプすることが可能である。非曖昧化設備140（同図には図示せず）は、個人用フィルタ144と協働して、該部分的に入力されたタームの非曖昧化を行う。更に、提案設備は、部分的に入力された検索クエリに対する提案が検索ボックス908内に提示されるように動作する（同図には図示せず）ことが可能である。提案の最初のページが所望の検索クエリを含まない場合には、下矢印924を動かすことにより、更なる結果を表示させることが可能である。ナビゲーション設備910（例えば、モバイル通信設備102の表面上の多方向ジョイスティック型キーパッド、タッチスクリーン、キーパッド等）を配設することが可能である。該ナビゲーション設備910を（黒い矢印で示す下位置で）使用して「Britney Spears」を強調表示させることが可能である。「Britney Spears」が強調表示されると（910）、ナビゲーション設備912を（中央の黒い正方形で示すように）使用して選択してそのカテゴリを（右側の黒い矢印で示すように）拡張させることが可能である。提案「Britney Spears」が選択されて拡張されると、検索結果のカテゴリ914を提示することが可能となる。
【０３１３】
実施形態では、ワイヤレス検索プラットフォーム100のユーザは、モバイル通信設備102にクエリを入力することが可能である。ユーザがこのクエリを入力すると、ワイヤレス検索プラットフォーム100の方法は、該クエリのうちモバイル通信設備102が受容した部分を処理する。この処理は、該クエリに関連するコンテキストを考慮に入れることが可能である。この処理に基づいて、ワイヤレス検索プラットフォーム100は、検索バーティカルに関連し得る期待される検索クエリの順序づけされたリストを生成する。該順序づけされたリストは、モバイル通信設備、ユーザ特徴、ユーザ履歴、ユーザトランザクション、地理的ロケーション、ユーザ装置、時刻、及び／又はモバイル通信設備の特徴、に関連する情報等の因子に少なくとも部分的に基づいて順序づけすることが可能である。この因子に基づく順序づけは、関連性（例えば関連性スコア）又はモバイルコンテンツと因子との間の関連を表すために使用することが可能な他の何らかの値に少なくとも部分的に基づいて実行することが可能である。順序づけされたリストは、モバイル通信設備のユーザへ検索クエリの提案を提示するための提案辞書として使用することが可能である。
【０３１４】
例えば、晩にボストンにいるユーザが、フレンチレストランを探したい場合がある。該ユーザは、検索バーティカル「レストラン」をモバイル通信設備上で入力し、該検索バーティカルに関連する検索ボックス内に「フレンチ」をタイプ入力することが可能である。ワイヤレス検索プラットフォーム100は、提案辞書内にある考え得る提案のうち該ユーザの検索クエリに適したものとなり得るものを判定するためにモバイル通信設備に関連する因子を使用することが可能である。これらの因子は、「時刻＝午後８時」、「ロケーション＝ボストン」を含むことが可能である。提案辞書は、「時刻」及び「ボストン」の各々の関連性に少なくとも部分的に基づいて、検索バーティカル「レストラン」内のモバイルコンテンツに関連性スコアを割り当てることが可能である。ボストンにあるレストランには高い関連性を割り当てることが可能である。ミズーリにあるレストランには低い関連性を割り当てることが可能である。同様に、午後８時に営業しているレストランには高い関連性を割り当てることが可能であり、午後８時に顧客対応をしないレストランには低い関連性を割り当てることが可能である。モバイル通信設備に関連する複数の因子及びモバイルコンテンツとの多数の関連性を考慮した累積的な関連性を判定するために関連性スコアを組み合わせることが可能である。引き続き上記の例において、提案辞書から導出された、ユーザへ提示するためのコンテンツの順序づけされたリストは、以下のレストランを、ユーザに対する下降する累積的な関係でランク付けすることが可能である：（i）午後８時に営業しているボストンにあるレストラン；午後８時に営業していないボストンにあるレストラン。前記プラットフォームは、ボストンにない（それ故、該ユーザとの関連性が非常に低い）レストランを全て省略すること、又は提示される検索結果の極めて低い階層に提示することが可能である。提案される検索クエリの順序づけされたリストを提示する方法及びシステムの他の多くの例及び実施形態が本開示から理解され、かかる例及び実施形態を本発明の範囲に含めることが意図されている。
【０３１５】
モバイル通信設備102の現在のロケーションに関する情報を、モバイル検索アプリケーションにより使用して、該ロケーションに関連するモバイルコンテンツを含む検索結果を受信することが可能である。モバイル通信設備102が第２のロケーションを入力した際に、モバイル検索結果が該第２のロケーション情報に少なくとも部分的に基づいて更新され、及び該第２のロケーションに関連する検索結果を提示するために使用することが可能である。実施形態では、モバイル検索アプリケーションは、モバイル通信設備の追跡、第１のロケーションに少なくとも部分的に基づく検索結果の提示、及び第２のロケーションに少なくとも部分的に基づく更新された検索結果の提示を含むことが可能である。
【０３１６】
モバイルコンテンツは、スポンサードコンテンツ、スポンサードリンク、スポンサードコール、ダウンロード可能コンテンツ、オーディオストリーム、ビデオ、又はグラフィック要素とすることが可能である。検索結果は、モバイル通信設備102（電話、携帯電話、セルラー電話、及び／又はGSM電話を含む）により開始することが可能である。
【０３１７】
実施形態では、モバイル通信設備102のロケーションは、該モバイル通信設備102に関連する一意の識別子に従って判定することが可能である。一意の識別子は、電話番号、電話番号の市外局番、請求書送付先住所、及び／又は請求書送付先住所の郵便番号とすることが可能である（但しこれらには限定されない）。
【０３１８】
実施形態では、モバイル通信設備102のロケーションは、特定のモバイル通信設備102のロケーション座標に従って判定することが可能である。該ロケーション座標は、GPS、三角測量、及び／又はWiFi三角測量を介して判定することが可能である。該ロケーションはまた、ユーザにより入力されたロケーション又は複数のロケーション（例えば、１つ又は２つ以上の州又は１つ又は２つ以上の市を含む地理的な領域）により判定することが可能である。
【０３１９】
実施形態では、モバイル通信設備102のロケーションは、指定されたロケーションからの距離により判定することが可能である。
【０３２０】
例えば、モバイル通信設備102のユーザは、第１のロケーションから「レストラン」と題するテキスト検索クエリを開始させることが可能である。ワイヤレスプロバイダ、ワイヤレスオペレータ、及び／又は電気通信プロバイダは、ユーザのモバイル通信設備102に関する情報に基づいて該モバイル通信設備102の位置を特定することが可能である。ユーザの自宅住所がマサチューセッツ州ボストン・ハノーバーストリートであるとする。GPSロケーション、三角測量、及びWiFI三角測量は、該ユーザが現在マサチューセッツ州ボストン・ハノーバーストリートの近くにいることを示すことが可能である。該ユーザが、ボストンにある携帯電話の基地局から特定の距離にいることを特定することが可能であり、これは、該ユーザがマサチューセッツ州ボストン・ハノーバーストリートの近くにいることと同じである。代替的に、該ユーザは、自分の現在のロケーションを、ハノーバーストリートにいるものとして自分で入力することが可能である。このロケーション情報を使用して、マサチューセッツ州ボストン・ハノーバーストリート又はその近くにあるレストランに関する検索結果を専ら提示し、又は同結果をハノーバーストリートから離れた場所にある他のレストランに優先して提示することが可能である。引き続きこの例において、夜遅くに該ユーザが第２のロケーションに移動しており、及び夕食のためのレストランを探したい場合がある。この場合も、モバイル通信設備102のクエリ入力設備120にテキスト入力「レストラン」が入力される。上述のモバイル通信設備102のロケーションを判定するための手段と同じ手段のうちの１つ又は全てを使用して、検索結果は、ユーザの第２のロケーションの近くにあるレストランに関する情報を表示することが可能である。
【０３２１】
実施形態では、本書で開示するモバイル検索アプリケーションは、モバイル通信設備のロケーションを受信すること、及び予測された将来のロケーションに基づいてモバイル通信設備に検索結果を提示することを含むことが可能である。モバイル通信設備のロケーションは、以前の複数のロケーションの関係に少なくとも部分的に基づく予測された将来のロケーションにより判定することが可能である。該複数のロケーションの関係は、移動軌跡を予測するために使用することが可能である。該移動軌跡は、時刻に関する情報と結合させることが可能である。将来の複数のロケーションにおける滞在のタイミング及びそれらの関係を使用して移動速度を予測し、次いで該移動速度を使用して、予測される将来のロケーションへの到着時刻を予測することが可能である。予測される将来のロケーションへの予測される到着時刻を使用して、モバイル通信設備のキャッシュにモバイルコンテンツを予めロードして、該予測された将来のロケーション又はその近くに到着したときに表示させることが可能である。
【０３２２】
実施形態では、モバイル通信設備のロケーションは、経路との関連性に少なくとも部分的に基づいて判定することが可能である。経路は、街路、ハイウェイ、鉄道線路、地下鉄線路、バス経路、飛行経路、レクリエーションコース等とすることが可能である。経路は、反復により確立することが可能であり、及びモバイル通信設備のユーザに関連づけることが可能である。かかる反復される経路は、職場への通勤、職場からクライアントの職場への移動、友人の住居への移動、家族の住居への移動、営業所（例えば食料品店）への移動等を含むことが可能である（但しこれらには限定されない）。
【０３２３】
例えば、州間ハイウェイで移動する者は、近づきつつある出口にあるレストランを探したい可能性がある。ワイヤレスプラットフォーム100は、上述した方法の何れかを使用して、モバイル通信設備102のロケーションを一定の時間間隔で記録して、モバイル通信設備102のユーザが現在従っている動線又は軌跡を確立することが可能である。この軌跡は、上述したような既知の経路と比較することが可能である。この場合、ユーザの経路は、州間ハイウェイ経路と一致することが可能である。この情報を使用して、モバイル通信設備の将来のロケーションを予測することが可能である。ロケーションが一定の時間間隔で取得されるため、この情報を各ロケーション間の移動距離と組み合わせて移動速度を予測することが可能である。該予測された移動速度は、予測された将来のロケーションと相まって、州間旅行者により入力された「レストラン」に関する検索結果が、該ユーザが移動している経路に沿っているレストランを、専ら又は優先的に提示することを可能とする。移動方向も既知であるため、旅行者に距離的には近いがその出口を該旅行者が既に通過してしまったレストランを除外し、又は一層低い優先順位で提示することが可能である（単純に近づきつつある出口にあるレストランを訪問するよりも出口を通過してしまったレストランへ戻る方が困難であるため）。
【０３２４】
実施形態では、予測される将来のロケーションへの予測される到着時刻を使用して、モバイル通信設備のキャッシュにモバイルコンテンツを予めロードして該予測される将来のロケーション又はその近くに到着したときに表示させることが可能である。
【０３２５】
ワイヤレス検索プラットフォーム100は、期待される検索クエリの順序づけされたリストを作成し、該リストを提案される検索クエリとしてユーザへ提示するための方法に関連づけることが可能である。提案される検索クエリは、モバイル通信設備102へ配信され、モバイル通信設備102により提示され、及び／又はモバイル通信設備102へ提示されるよう適合化されることが可能な、あらゆるクエリを称するものであることが可能である。これらのクエリは、本書及び／又は本書で引用するドキュメントに記載されたあらゆるクエリを含むことが可能である。これらのクエリは、クエリ入力システム120、ボイス入力システム122、検索設備142、アルゴリズム設備144、及びワイヤレス検索プラットフォーム100の他のあらゆる要素を含み又はそれらに関連づけることが可能なものである。この方法の実際の具体的な結果は、検索クエリの順序づけされたリストのユーザへの提示である。
【０３２６】
期待される検索クエリはモバイル検索提案辞書に関連づけることが可能である。該辞書は、期待される検索クエリを論理的及び／又は物理的にグループ化したものとすることが可能である。該辞書は、追加の又はリモートのサーバ134、そのデータベース138、又はワイヤレス検索プラットフォーム100に関連する他のあらゆるデータベース又はデータ記憶設備（モバイル通信設備102の記憶装置を含むが、これには限定されない）内に存在することが可能である。該辞書は、自動的に又は手作業で作成することが可能である。該辞書内の期待される検索クエリは、設備による迅速な取り出し又は検索のために、インデックスが作成され、又は順序づけされ、ソートされ、若しくは関連づけされることが可能である。期待される検索クエリは、部分的なクエリの完成、クエリに対する修正（例えばスペルミスの修正）、及びクエリに概念的に関連するクエリ等、に関連するものとすることが可能である。
【０３２７】
実施形態では、ユーザは、モバイル通信設備102のクエリ入力システム120を介してテキストストリングとしてクエリ入力を提供することが可能である。ユーザがクエリ入力を提供している間に該クエリ入力のうちワイヤレス通信設備102に提供された部分はサブストリングクエリ入力と呼ばれる。最終的に、ユーザは、クエリの入力を終え、その時点では該サブストリングクエリ入力及びクエリ入力は同じものとなる。また、ユーザは、ボイス入力システム122を介してクエリ入力を音声で行うことが可能である。この場合には、「サブストリングクエリ入力」は口頭でのクエリのうち該ボイス入力システム122により受信された部分であることが理解されよう。
【０３２８】
実施形態では、ワイヤレス検索プラットフォーム100のユーザは、モバイル通信設備102へクエリを入力することが可能である。該ユーザがクエリを入力したとき、又はクエリが提出された際、ワイヤレス検索プラットフォーム100の方法は、該クエリのうちモバイル通信設備102が受容した部分を処理することが可能である。この処理は、該クエリが完全な形態のクエリでないことを判定することが可能である。この処理に基づいて、ワイヤレス検索プラットフォーム100は、該部分的に形成されたクエリを含む検索クエリのリストを生成することが可能である。これらの生成された検索クエリは、例えば、関連性スコア又はその他の何らかの値といった、少なくとも１つの因子に従ってリスト内で順序づけすることが可能である。次いで、該リストは、検索タームのリストとしてユーザに提示することが可能となり、ユーザは、該クエリの残りを入力する代わりに該検索タームのうちの１つを選択することが可能である。一例では、ユーザはフレンチレストランを見つけることを望んでいる。該ユーザは、モバイル通信設備102のクエリ入力フィールドに「F」、「r」、「e」を入力することが可能である。該ユーザが更なる文字を入力する機会を得る前に、ワイヤレス検索プラットフォーム100は、それらの文字（部分的に形成されたクエリ）を処理して、完成した検索タームのリストを生成することが可能であり、該リストは、アルファベット順にする（すなわち因子に基づいて順序づけする）ことが可能である。システムは次いで、該完成した検索タームのリストをユーザへ提示することが可能である。制限ではなく例示のため、このリストは、「French Market」、「French Restaurant」、「French Wine」である。１文字ずつクエリを完成させるのではなく、ユーザは該リストから「French Restaurant」を選択することが可能である。提案される検索クエリの順序づけされたリストを提示するための方法及びシステムの多くの他の例及び実施形態を本開示から理解することが可能であり、かかる例及び実施形態を本発明に包含させることが意図されている。
【０３２９】
ワイヤレス検索プラットフォーム100は、モバイル通信設備102から部分的な検索クエリを受信し、完成した検索タームの順序づけされたリストを生成し、該リストを選択のためにユーザへ提示する、という方法に関連づけることが可能である。完成した検索タームは、モバイル通信設備102へ配信され、モバイル通信設備102により提示され、及び／又はモバイル通信設備102へ提示されるよう適合化されることが可能な、あらゆるタームとすることが可能である。これらの検索タームは、本書及び／又は本書で引用するドキュメントに記載されたあらゆる検索タームを含むことが可能である。
【０３３０】
検索クエリは、クエリ入力フィールド（例えば、名前フィールド、住所フィールド、日付フィールド、製品名フィールド、製品番号フィールド、数字フィールド、音声認識フィールド、バイオメトリックフィールド、グラフィックフィールド等（但しこれらには限定されない））に関連づけることが可能である。モバイル通信設備102への完成した検索タームの提示は、クエリ入力フィールドに関連づけることが可能である。例えば、ユーザが住所フィールドにクエリを入力している場合に、該住所フィールドに視覚的及び機能的に関連づけられたドロップダウンリストが、完成した検索タームのリストを表示することが可能である（但しこれには限定されない）。
【０３３１】
実施形態では、ユーザは、モバイル通信設備102のクエリ入力システム120（クエリ入力フィールドとすることも可能）を介してテキストストリングとしてクエリ入力を提供することが可能である。ユーザがクエリ入力を提供している間に、該クエリ入力のうちワイヤレス通信設備102に提供された部分は、サブストリングクエリ入力と称することが可能である。最終的に、ユーザは、クエリの入力を終え、その時点では該サブストリングクエリ入力及びクエリ入力は同じことである。該サブストリングクエリ入力は、未完成の又は完全に形成されなかった検索クエリとすることが可能である。
【０３３２】
実施形態では、ユーザは、ボイス入力システム122を介してクエリ入力を声で入力することが可能である。この場合、「サブストリングクエリ入力」は、口頭でのクエリのうち該ボイス入力システム122により受信された部分であることが理解されよう。
【０３３３】
実施形態では、ユーザは、バーコード、イメージ、スキャンされた値、又はクエリ入力システム120により受容することが可能な他のあらゆる入力としてクエリ入力を提供することが可能である。この場合、クエリは、１つ又は２つ以上のバーコード、１つ又は２つ以上のイメージ、１つ又は２つ以上のスキャンされた値、及び／又は１つ又は２つ以上の他の値とすることが可能である。クエリ入力が提供されている際に、クエリ入力システム120は、一連のバーコード、イメージ、スキャンされた値、及びその他の値を受容する。この場合、「サブストリングクエリ入力」は、クエリ入力システム120により受容されたものであることが理解されよう。
【０３３４】
検索クエリは、ブラウザベースの（WAP）対話又はクライアントアプリケーションベースの対話から導出することが可能である。クライアントアプリケーションベースの対話は、BREWアプリケーション又はJavaアプリケーションとすることが可能である。
【０３３５】
生成された検索クエリの順序づけは、モバイル通信設備102に関する情報に少なくとも部分的に基づくものとすることが可能である。モバイル通信設備102に関する情報は、年齢、性別、人種、宗教、市外局番、郵便番号、自宅住所、勤務先住所、請求書送付先住所、信用情報、家族情報、所得情報、誕生日、出生地、使用者、肩書、及び就労日数等からなるグループから選択されたユーザ特徴とすることが可能である。代替的に、又は追加的に、該情報は、ワイヤレスオペレータにより提供され、ワイヤレスサービスプロバイダにより提供され、及び電気通信サービスプロバイダにより提供される、ユーザ履歴、ユーザトランザクション、地理的ロケーション、ユーザ装置、時刻、モバイル通信設備の特徴、とすることが可能である。モバイル通信設備の特徴は、表示能力、表示サイズ、表示解像度、処理速度、オーディオ能力、ビデオ能力、キャッシュサイズ、ストレージ能力、及びメモリ容量等からなるグループから選択することが可能である。
【０３３６】
モバイル通信設備102は、電話、携帯電話、セルラー電話、及びGSM電話等からなることが可能である。モバイル通信設備102に関する情報は、ワイヤレスオペレータ、ワイヤレスサービスプロバイダ108、及び電気通信サービスプロバイダ等により提供することが可能である。
【０３３７】
上記で特定し説明した様々なステップは変更することが可能であり、各ステップの順序は本書で開示する技術の特定の用途に合うよう変更することが可能である、ということが理解されよう。かかる変更及び修正の全ては、本開示の範囲内に含まれることが意図されている。このため、様々なステップの順序の描写及び／又は説明は、特定の用途によって必要とされない限り、明示的に言及しない限り、又は文脈から明らかでない限り、それらのステップにとって特定の実行順が必要であると理解されるべきではない。
【０３３８】
代替的な実施形態では、ユーザは、バーコード、イメージ、スキャンされた値、又はクエリ入力システム120により受容することが可能な他のあらゆる入力として、クエリ入力を提供することが可能である。この場合、クエリは、１つ又は２つ以上のバーコード、１つ又は２つ以上のイメージ、１つ又は２つ以上のスキャンされた値、及び／又は１つ又は２つ以上の他の値からなることが可能である。クエリ入力が提供されている際に、クエリ入力システム120は、一連のバーコード、イメージ、スキャンされた値、及びその他の値を受容する。この場合、「サブストリングクエリ入力」は、クエリ入力システム120により受容されたものであることが理解されよう。
【０３３９】
実施形態では、ワイヤレス検索プラットフォーム100の方法又はシステムは、ワイヤレス通信設備102のユーザがクエリを提供した際に、モバイル検索提案辞書にアクセスすることが可能である。ここで、該モバイル検索提案辞書へのアクセスは、クエリ入力に関連する期待される検索クエリのリストの作成に向けて行われ、該クエリ入力は、クエリ入力システム120に関連するモバイル通信設備102上で実行されているクライアントアプリケーションを介してワイヤレス検索プラットフォーム100へ提供することが可能である。該クライアントアプリケーションは、検索アプリケーション、ロケーションベースの検索アプリケーション、WAPアプリケーション、モバイルアプリケーション、又はモバイル通信設備102に関連する他のあらゆるアプリケーションを含むことが可能である。他の実施形態では、ワイヤレス検索プラットフォーム100の方法は、ユーザがクエリの提供を完了したときにモバイル検索提案辞書にアクセスすることが可能である。いずれにせよ、該方法又はシステムは、期待される検索クエリをモバイル検索提案辞書から受容する。これは、クエリ入力だけでなく該入力に関連する因子も考慮に入れることが可能である。実施形態では、これは、コンテンツの分類法の範囲内での分類とすることが可能な検索バーティカルとすることが可能である。該因子は、時刻、日付、ロケーション、又は他のあらゆる時間的、地理的、物理的、若しくは概念的なコンテキスト、モバイル通信設備に関する情報、ユーザ特徴、ユーザ履歴、ユーザトランザクション、ユーザ装置、及び／又はモバイル通信設備の特徴とすることが可能である。該因子を考慮に入れることにより、該方法又はシステムは、クエリ入力に関連する１つ又は２つ以上の因子及びモバイルコンテンツの両方に関連する期待される検索クエリをモバイル検索提案辞書から抽出することが可能となる。これは、次いで、ユーザが提供しているサブストリングクエリ入力と同じコンテキストに関連する提案される検索クエリをもたらす。
【０３４０】
検索バーティカルは、コンテンツの分類法に関連づけることが可能であり、及び一般的な検索とすることが可能であり、又は、着信音、イメージ、ゲーム、イエローページ、天気、ホワイトページ、ニュース・ヘッドライン、WAPサイト、ウェブサイト、映画開演時刻、スポーツスコア、株価、フライト時刻、地図、方向、価格比較、WIFIホットスポット、貨物追跡、ホテル料金、ファンタジースポーツ通算成績、占星術、回答、辞書、市外局番、郵便番号、エンターテイメント、ブログ等の検索に関するものとすることが可能である。
【０３４１】
期待される検索クエリのリストの順序づけは、検索クエリの人気又はモバイル通信設備102に関する情報といった因子に基づくものとすることが可能である。
【０３４２】
モバイル通信設備102に関する情報は、年齢、性別、人種、宗教、市外局番、郵便番号、自宅住所、勤務先住所、請求書送付先住所、信用情報、家族情報、所得情報、誕生日、出生地、使用者、肩書、及び就労日数等からなるグループから選択されたユーザ特徴とすることが可能である。代替的に又は追加的に、該情報は、ワイヤレスオペレータにより提供され、ワイヤレスサービスプロバイダにより提供され、及び電気通信サービスプロバイダにより提供される、ユーザ履歴、ユーザトランザクション、地理的ロケーション、ユーザ装置、時刻、モバイル通信設備の特徴とすることが可能である。モバイル通信設備の特徴は、表示能力、表示サイズ、表示解像度、処理速度、オーディオ能力、ビデオ能力、キャッシュサイズ、ストレージ能力、及びメモリ容量等からなるグループから選択することが可能である。
【０３４３】
提案される検索クエリは、人の言語に関連するものとすることが可能であり、ハンドセットに関連するものとすることが可能であり、入力ボックスに関連するものとすることが可能であり、モバイル通信設備のタイプに関連するものとすることが可能であり、WAPクエリとすることが可能であり、Java文字シーケンスとすることが可能であり、BREW文字シーケンスとすることが可能である。人の言語は、英語、スペイン語、ドイツ語、フランス語、イタリア語、ポルトガル語、日本語、中国語、ロシア語、ヒンディー語、ウルドゥー語等とすることが可能である（但しこれらには限定されない）。入力ボックスは、住所ボックス、名前ボックス、E-mailボックス、テキストボックス、数字ボックス、英数字ボックス、検索エンジン、曲名ボックス等とすることが可能である（但しこれらには限定されない）
モバイル通信設備は、電話、携帯電話、セルラー電話、及びGSM電話、又はその他の形態のワイヤード又はワイヤレス通信装置とすることが可能である。
【０３４４】
提案される検索クエリ又はそのリストの提示は、クエリ入力、サブストリングクエリ入力、ボイスクエリ、又はクライアントアプリケーションに入力された文字によって、開始させることが可能である。
【０３４５】
上記で特定し説明した様々なステップは変更することが可能であり、該ステップの順序は、本書で開示する技術の特定の用途に合うよう変更することが可能である、ということが理解されよう。かかる変更及び修正は、本開示の範囲内に含まれることが意図されている。このため、様々なステップの順序の描写及び／又は説明は、特定の用途によって必要とされない限り、明示的に言及しない限り、又は文脈から明らかでない限り、それらのステップにとって特定の実行順が必要であると理解されるべきではない。
【０３４６】
上記のプロセス及びそのステップは、ハードウェア、ソフトウェア、又は特定の用途に適したそれらの組み合わせで実施することが可能である、ということが理解されよう。該ハードウェアは、汎用コンピュータ及び／又は専用のコンピューティング装置を含むことが可能である。該プロセスは、１つ又は２つ以上のマイクロプロセッサ、マイクロコントローラ、埋め込み型マイクロコントローラ、プログラム可能なディジタル信号プロセッサ、又はその他のプログラム可能な装置、並びに内部及び／又は外部メモリで実施することが可能である。該プロセスは、追加的に又は代替的に、特定用途向け集積回路、プログラマブルゲートアレイ、プログラマブルアレイロジック、又は電子的な信号を処理するよう構成することが可能な他のあらゆる装置で実施することが可能である。更に、該プロセスは、Ｃ等の構造化プログラミング言語、Ｃ＋＋等のオブジェクト指向プログラミング言語、又は他のあらゆる高級又は低級プログラミング言語（アセンブリ言語、ハードウェア記述言語、及びデータベースプログラミング言語及び技術を含む）を使用して作成されたコンピュータ実行可能コードとして実現することが可能であり、該コンピュータ実行可能コードは、上記装置のうちの１つ、並びに、複数のプロセッサ及びプロセッサアーキテクチャの異種の組み合わせ、又は異なるハードウェア及びソフトウェアの組み合わせにおいて実行されるように、格納され、コンパイルされ、又は翻訳されることが可能なものである、ということが理解されよう。同時に、処理は、多数の方法でワイヤレス検索プラットフォーム及び／又はコンピュータにわたって分散させることが可能であり、又は機能の全てを１つの専用のスタンドアロン装置その他のハードウェアに統合させることが可能である。全てのかかる順列及び組み合わせは、本開示の範囲内とすることが意図されている。
【０３４７】
また、上述のプロセスに関連するステップを実行するための手段は、上記のハードウェア及び／又はソフトウェアのうちの任意のものを含むことが可能である、ということが理解されよう。別の側面では、各プロセスは、上記の個々のプロセスステップ及びその組み合わせを含めて、１つ又は２つ以上のコンピューティング装置上で実行された際にそのステップを実行する、コンピュータ実行可能コードで実施することが可能である。
【０３４８】
以下の議論では、用語「デッキ」は、ガーデン内コンテンツを指すために、又は随意選択的に、明示的に相関づけされたコンテンツアイテムの別個のグループを指すために、一般に使用されるが、「モバイルウェブ」はWAPサイトを一般に指し、「ウェブ」は公開されたウェブ検索結果を一般に指している。このため、以下の説明では、ガーデン内コンテンツ、一般的なモバイル装置コンテンツ、及び一般的なウェブコンテンツが区別されるよう努力している。しかし、これらの区別は、必ずしも排他的なものではなく、及び以下の議論に厳密に従うものではなく、このため、それら用語の何れについても、文脈が、その意味を広くし又は狭くすることを示唆し又は必要とするものとなる、ということが理解されよう。
【０３４９】
ナビゲーション設備により示したように、カテゴリ「Deck」が選択され拡張されて、該カテゴリ「Deck」に関連するサブカテゴリ920が現れる。この場合も、ユーザは、該サブカテゴリを選択して（この実施形態では「Music」が選択される）更なるカテゴリ又は結果へと掘り下げることができる。
【０３５０】
図１０Ａ及び図１０Ｂは、モバイル通信設備102のユーザインタフェイスからの検索に関連する画面の進行の幾つかの更なるスクリーンショットを示している。検索結果が選択され(1002)（この場合には「Britney Spears」に関する歌曲）、該歌曲が選択されると、配信に関するオプションをユーザに提示することが可能である。例えば、歌曲を視聴するためのプレビューオプション1004をユーザに提示することが可能である。また、コンテンツの用途1008を示すコンテンツに関連するオプションをユーザに提示することが可能であり、これにより、該コンテンツを適切にフォーマットし、インストールし、及び適当な１つ又は２つ以上のアプリケーション又は１つ又は２つ以上の装置に関連づけることが可能となり、及び／又は異なるファイルタイプ1010のオプションをユーザに提示することが可能である。
【０３５１】
実施形態では、結果は、該結果が取り出される際に、その結果セット全体が取り出されるのを待つことなく、モバイル通信設備102へ提示することが可能である。実施形態では、他の結果が提示及び表示プロセスの最中である間に、特定の結果を提示し及び表示することが可能である。この結果のバックグランド処理は、モバイル通信設備102に結果を提示することができる速度を増大させることが可能である。実施形態では、特定のカテゴリの結果を他のカテゴリの前にモバイル通信設備102へ提示することが可能である。例えば、イメージは、着信音に比べて、そのダウンロード、処理、及び／又は収集により多くの時間を要するため、イメージ結果又はイメージカテゴリが提示のためにローカルにロードされる前またはそのロード中に、着信音のカテゴリ又は個々の着信音をモバイル通信設備102へ提示することが可能である。
【０３５２】
図１１は、モバイル通信設備102のユーザ1104が該ユーザのモバイル通信設備102を使用して関連する検索結果を取得したい場合のシナリオを示している。検索を行う前に、該ユーザの風貌、該ユーザの容姿、該ユーザの電話習慣、該ユーザのウェブ習慣、他の人々の習慣に関する情報、オプションが提示された際の他の人々の挙動についての推論に関する情報、及びこの特定のユーザ1104に対する結果の開発で使用することが可能な他の情報が、既に存在する。例えば、ユーザは、ワイヤレスサービスプロバイダ108と直接に又は他の設備を介して接続することが可能である。ワイヤレスサービスプロバイダ108と対話することにより、ユーザは、公開コンテンツ138、ワイヤレスサービスプロバイダ108のドメインの境界内の情報、ウォールド・ガーデン・コンテンツ132、キャリアルール130、モバイル加入者特徴情報112、スポンサー情報128、時刻（例えば、現地時刻、又は他の地域に関する時刻）、及びロケーション設備110により示され又はロケーション設備110を介して提供されるロケーション情報といった情報をインターネットを介して取得することが可能である。この情報の一部又は全てをモバイル検索ホスト設備114内の個人用フィルタ144（例えば協調フィルタ）を介して処理して、検索クエリ又は（フィルタ）結果を、モバイル通信設備102のユーザ1104へ提示する前にリファインすることが可能である。
【０３５３】
図１に関して示したように、モバイル検索ホスト設備114は、個人用フィルタ144（例えば協調フィルタ）を含むことが可能である。該個人用フィルタ144は、関連する複数のデータベースのうちの１つからの情報及び／又はそのロケーション情報と共に、モバイル通信設備102から入力され送信された検索クエリに関連して使用することが可能である。個人用フィルタ144は、他の検索者から収集した情報（例えば協調フィルタリング）並びにユーザに関する情報（例えばデータベース112からのモバイル加入者特徴情報又はロケーション情報）に基づいて望ましい結果を予測するアルゴリズムを使用することが可能である。
【０３５４】
図１１の図示に関する暗黙的検索のシナリオは以下の通りである。人1104が午後7:00に通りを歩いている。モバイル通信設備102のロケーションは、GPSシステムを使用して（すなわちロケーション設備110に関連して）判定される。次いで該ロケーションが格納される。暗黙的検索は、次の何れかの理由により開始される：定期的な暗黙的検索の時刻になった；ユーザが結果をすぐに探そうとしていることをユーザ習慣が示している；広告の配信に関心のある広告主174が存在する；現地で売り出しがある；近くで活動が存在する；又は他の一時的な活動が存在する；又は暗黙的検索を開始させるための他の理由。検索が開始されると、格納されているロケーション情報をモバイル検索ホスト設備へ送信することが可能である。モバイルホスト検索設備142はまた、他の関連するソース（例えばモバイル加入者特徴112データベース112、スポンサー情報データベース128、キャリアルール130）から情報を収集することが可能である。モバイル検索ホスト設備は、ユーザのロケーション、時刻、及び／又はモバイル検索ホスト設備114に対して利用可能となる幾つかのデータソース（例えば、モバイル加入者特徴情報112データベース112、スポンサーデータベース128、コンテンツ132、キャリアルール130、及び公開ウェブコンテンツ138）に関する他の情報に関連して、モバイル検索ホスト設備114内の個人用フィルタに基づいて検索を実行する準備が整った状態となる。情報の全ては、ユーザ1104が夕食を食べる通例の時刻であることを示すことが可能であり、このため、モバイル検索ホスト設備114は、夕食に関連する結果をモバイル通信設備102へ提供することが可能である。これらの結果において、スポンサーは、該スポンサーの情報をユーザのモバイル通信設備102に入れるために検索マーケティングオークションに参加している可能性がある。例えば、ビル1102C内にあるレストランが、ユーザ1104が位置している別のビル1102Cから約８ｍ（５マイル）以内の夕食に関するキーワードオークションの最高入札者である場合、該ユーザ1104が提示されたレストラン情報と対話した際に、前記レストランがスポンサーとなってモバイル通信設備102上に表示することを望んだ情報が表示されることになる。該情報は、ユーザが、かつて生じていない可能性のある検索結果を見ることを決心するまで提示されない。ユーザ1104が、モバイル通信設備102へダウンロードされたスポンサー提供の結果と対話しない場合には、スポンサーは、該スポンサードコンテンツのためにワイヤレスサービスプロバイダ108へ料金を支払う必要があってもなくても良い。ユーザ1104が、モバイル通信設備102へダウンロードされたレストラン情報と対話した場合、該レストランは、ワイヤレスサービスプロバイダ108へ料金を支払う必要があってもなくても良い。
【０３５５】
引き続き、この暗黙的検索のシナリオにおいて、ユーザは、モバイル通信設備102上で結果モード又は検索モードに入ることが可能である。結果モードでは、検索を必要とすることなく結果が現れることが可能である。このモードでは、ユーザについて分かっている以前の情報（例えば、ロケーション、時刻、及びモバイル加入者情報）が全て与えられている場合には、該ユーザが関心を示し得る情報を該ユーザに単純に提示することが可能である。検索モードでは、ユーザは、検索クエリを入力することが可能であり、該検索クエリと以前にダウンロードした結果との間に関連性が存在する場合には、該以前にダウンロードした結果を提示することが可能である。該検索結果がローカルメモリから提示されるため、ユーザはこれを非常に速い検索又は広帯域幅接続としてとらえ得る。
【０３５６】
提示された以前にダウンロードした結果は、レストランからのスポンサードリンクを含むことが可能であり、ユーザは、該スポンサードリンクを（例えばそれをクリックすることにより）アクティブにすることが可能である。アクティブにされ、又はクリックされ、又は対話が行われると、レストランに関する情報をユーザに提示することが可能となる。該情報は、連絡先情報（例えば、電話、住所、E-mail、URL）並びにレストランの説明を含むことが可能である。ユーザには、該レストランのウェブサイトの一般的な部分、又はユーザ1104専用の空間を提示することが可能である。例えば、レストランは、ユーザが一定時間内にレストランに到着した場合にクーポン又はその他の特売を提示することが可能である。ユーザが近辺にいることを知り、及びレストランの人の出入りの量を知ることにより、該レストランは、よりターゲットを絞った販売提案を提供することが可能となる。
【０３５７】
同様に、ビル1102B内の書店は、ユーザ1104が近辺におりamazon.com等の検索履歴を有しているため、該ユーザに広告を行いたい場合がある。該レストランは、該書店が開店している時間内にビル1102Bの近辺にいる人々であって書籍の購入に関連する活動（例えば、amazon.comの検索、オンラインでの書籍の購入、又は頻繁に旅行すること）の履歴を有する人々に関するモバイル通信設備102の広告スペースのオークションに入会し参加することが可能である。
【０３５８】
ビル1102D内の花屋は、同様の技法を用いて、近辺にいる適当なユーザをターゲットにすることが可能である。
【０３５９】
暗黙的検索を伴う実施形態について図１１に関して説明したが、同一または同様の技法を明示的検索に適用することが可能であることが理解されよう。例えば、ユーザ1104が、オフィスビル1102Aの近辺にいて、該オフィスビル1102Aを探している場合がある。該ユーザ1104は、該オフィスビル1102Bの名称を用いて検索クエリを入力することが可能であり、該オフィスビルの名称を該ユーザのロケーション及び時刻と結びつけて該ユーザのためのターゲット検索結果をより良いものとすることが可能である。
【０３６０】
図１１の実例に関連する明示的検索のシナリオは、次のようなものとすることが可能である。人1104が午後７時に通りを歩いている。モバイル通信設備102のロケーションは、GPSシステムを使用して（すなわちロケーション設備110に関連して）判定される。次いで該ロケーションが格納される。明示的検索は、ユーザ1104により開始させることが可能である。検索が開始されると、前記格納されたロケーション情報をモバイル検索ホスト設備へ送信することが可能である。モバイルホスト検索設備142はまた、他の関連するソース（例えばモバイル加入者特徴データベース112、スポンサー情報データベース128、又はキャリアルール130）から情報を収集することが可能である。モバイル検索ホスト設備は、ユーザのロケーション、時刻、及びモバイル検索ホスト設備114に対して利用可能となる幾つかのデータソース（例えば、モバイル加入者特徴112データベース112、スポンサーデータベース128、コンテンツ132、キャリアルール130、及び公開ウェブコンテンツ138）に関する他の情報に関連して、モバイル検索ホスト設備114内の個人用フィルタに基づいて検索を実行する準備が整った状態となる。該検索は、個人用フィルタ及びその他の関連するフィルタリング情報と関連して実行して結果を取得することが可能である。これらの結果において、スポンサーは、該スポンサーの情報をユーザのモバイル通信設備102に入れるために検索マーケティングオークションに参加している可能性がある。例えば、ビル1102C内にあるレストランが、該ビル1102Cから約８ｍ（５マイル）以内の夕食に関するキーワードオークションの最高入札者であり、このため、該レストランがスポンサーとなってモバイル通信設備102上に表示することを望んだ情報は、該ユーザ1104が提示されたレストラン情報と対話した場合に表示されることになる。ユーザ1104が、モバイル通信設備102へダウンロードされたスポンサー提供の結果と対話しない場合には、スポンサーは、ポストする権利のためにワイヤレスサービスプロバイダ108へ料金を支払う必要があってもなくても良い。ユーザ1104が、モバイル通信設備102へダウンロードされたレストラン情報と対話した場合、該レストランは、ワイヤレスサービスプロバイダ108へ料金を支払う必要があってもなくても良い。
【０３６１】
提示された以前にダウンロードした結果は、レストランからのスポンサードリンクを含むことが可能であり、ユーザは該スポンサードリンクを（例えばそれをクリックすることにより）アクティブにすることが可能である。アクティブにされ、又はクリックされ、又は対話が行われると、該リンクは、レストランに関する情報をユーザに提示することが可能となる。該情報は、連絡先情報（例えば、電話、住所、E-mail、URL）並びにレストランの説明を含むことが可能である。一実施形態では、該情報は、予約をするためのフォーム又はアクティブコントロール（ボタン等）を含むことが可能である。ユーザには、該レストランのウェブサイトの一般的な部分、又はユーザ1104専用の空間を提示することが可能である。例えば、レストランは、ユーザが一定時間内にレストランに到着した場合にクーポン又はその他の特売を該ユーザに提示することが可能である。ユーザが近辺にいることを知り、及びレストランの人の出入りの量を知ることにより、該レストランは、よりターゲットを絞った販売提案を提供することが可能となる。
【０３６２】
同様に、ビル1102B内の書店は、ユーザ1104が近辺にいてamazon.com等の検索履歴を有しているため、該ユーザに広告を行いたい場合がある。該レストランは、該書店が開店している時間内にビル1102Bの近辺にいる人々であって書籍の購入に関連する活動（例えば、amazon.comの検索、オンラインでの書籍の購入、又は頻繁に旅行すること）の履歴を有する人々に関するモバイル通信設備102の広告スペースのオークションに入会して参加している場合がある。
【０３６３】
実施形態では、検索結果は、モバイル通信設備102のユーザ1104、モバイル通信設備102、及びロケーションに関する情報、及び／又は個人用フィルタに関連して本書で説明したような他の情報に基づき、該ユーザにターゲットを絞って、該ユーザへ提示される。実施形態では、該情報はまた、より良いターゲット広告のために使用することが可能であり、スポンサーにより提供される広告は、オークション広告機構への支払いを介してモバイル通信設備102へ提供することが可能である。かかる機構は、Google,Inc（Mountain View,CA）によるデスクトップ機能を有するGoogle AdWords及びAdSenseと類似したものとすることが可能である。
【０３６４】
図１１に関連する別の例によれば、ユーザ1104は、ペイ・パー・コール・リンクを含む検索結果を受信することが可能であり、この場合、その電話に関連するベンダ（典型的にはその電話を受ける会社）は、ペイ・パー・コール番号を介して電話を受けた際に料金を支払う。例えば、ユーザ1104は、花に関する結果を求めて検索を行い、ビル1102D内にある花屋に関する電話番号及びおそらくは他の連絡先情報を受信することが可能である。該リンクは、（図１１に関して例示した暗黙的検索の例及び明示的検索の例で示したように）ユーザ、モバイル通信設備102、及び／又はモバイル加入者特徴情報に関する情報に関連した個人用フィルタを伴うプロセスを介した検索の処理結果として提供することが可能である。ユーザが花屋の電話番号をアクティブにすると、該花屋は、一定の料金で該電話を受けることが可能であり、又は該電話を拒否することが可能である。
【０３６５】
ワイヤレス検索プラットフォーム100は、モバイル通信設備102の検索クエリからのキーワード、及び該ワイヤレス検索プラットフォーム100内に格納されている情報を使用して、ユーザに関連するスポンサー提供のモバイルコンテンツをモバイル通信設備上に表示させることが可能である。ワイヤレス検索プラットフォーム100内に格納されている情報は、個人的なユーザ情報、モバイル通信設備を用いたユーザの挙動パターン、モバイル通信設備の特徴等を含むことが可能である。かかるユーザ情報へのアクセスは、検索クエリのキーワード内容と相まって、ユーザに対するモバイルコンテンツ配信の関連性を増大させ、及びユーザがスポンサー提供のモバイルコンテンツと対話する蓋然性を高めることが可能である。スポンサー提供のモバイルコンテンツは、電話番号と共にモバイル通信設備102上に表示することが可能であり、これにより、表示されたコンテンツについて更に知るため、購入するため、又は他の何らかの電話ベースの活動をするために、ユーザが該電話番号に電話することが可能となる。次いで、ユーザ対話を追跡することが可能であり、次いでサービスプロバイダは、対話毎ベースでの収入源として、モバイルコンテンツのスポンサー及び／又はサービスのユーザに課金することが可能である。
【０３６６】
スポンサー提供のモバイルコンテンツは、広告又はその他の形態のスポンサードコンテンツとすることが可能である。広告は、ワイヤレス検索プラットフォーム100のスポンサーにより提供されるサービス（例えば、新しい携帯電話機種、追加サービス、アクセサリ等、又は、電子機器、家庭用品、自動車、化粧品等の消費者製品、又は、不動産等の購入、大学の授業料、タイム・シェア、休暇等のためのサービス）に関するものとすることが可能である。他の形態のスポンサードコンテンツは、政治的な広告、宗教的なメッセージ、地域活動等とすることが可能である。スポンサードコンテンツは、入札プロセスと関連づけることが可能である。ワイヤレス検索プラットフォーム100は、ユーザについて収集された情報を検索クエリ内のキーワードと共に使用して、ユーザに最も関連するモバイルコンテンツを判定することが可能である。
【０３６７】
ユーザとの関連性は、検索クエリ中のキーワードに少なくとも部分的に基づくものとすることが可能である。キーワードとの関連性の例として、自動車ショーに関する検索クエリの結果として、自動車に関する広告が生じ、日焼けの処置に関する検索クエリの結果として、サンタンローションに関する広告が生じ、又はスキーコンディションについての情報に関する検索クエリの結果として、山中にあるタイム・シェア・コンドミニアムに関する広告が生じ、又は選挙結果に関する検索クエリの結果として、政党に関するスポンサードコンテンツが生じることが可能である。
【０３６８】
実施形態では、ユーザとの関連性は、モバイル通信設備に関する情報に少なくとも部分的に基づくものとすることが可能であり、該情報は、例えば、年齢、性別、人種、宗教、市外局番、郵便番号、自宅住所、勤務先住所、請求書送付先住所、信用情報、家族情報、所得情報、誕生日、出生地、使用者、肩書、及び就労日数等のユーザ特徴；モバイルコンテンツとの過去の対話、訪問したウェブサイト、及び電話の使用形態等のユーザ履歴；購入及びサービスに関するユーザトランザクション；地理的ロケーション；時刻及び使用時間；表示能力、ビデオ能力、キャッシュサイズ、ストレージ能力、及びメモリ容量等のモバイル通信設備の特徴；又はその他のかかる情報を含むことが可能である。モバイル通信設備に関する情報との関連性の幾つかの例を以下に挙げる。自動車ショーに関する検索クエリの結果として、該ユーザが若い男性でスポーツカーを購入する余裕のある収入を有しているためスポーツカーが該ユーザに一層関連するものとなり得ることを該ユーザに関する個人情報が示すため、スポーツカーに関する広告が生じ、又は、関節炎の治療に関する検索クエリの結果として、該ユーザが高齢者であり該ユーザが睡眠を助けるものを最近検索しており及び病院から電話していることを該ユーザについての情報が示すため、電動リクライニングベッドに関する広告が生じ、又は、インテリア設計に関する検索クエリの結果として、該ユーザが若い女性で自宅に住んでおり最近大学を検索し訪問していることを該ユーザについての情報が示すため、インテリア設計に関する大学のプログラムに関するスポンサードコンテンツが生じ、更に、ユーザの携帯電話が高解像度形式の広告を受容できる新型であることを該ユーザのモバイル通信設備の特徴が示していることより、選択された関連する広告を一層高解像度の形式で該モバイル通信設備上に提示することが可能である。
【０３６９】
ユーザがモバイルコンテンツにより提供される電話番号に電話をかけるよう説得された際に、該ユーザは、ハイパーリンクをクリックし、手動で電話番号をダイヤルし、ボイスコマンドを使用してモバイル通信設備に電話番号を入力し、又は他の何らかの方法を使用して該提供された電話番号に電話をかけることが可能である。ハイパーリンクは、表示されているコンテンツ上のハイパーリンクされた電話番号、又は表示されているコンテンツ上のハイパーリンクされたイメージをクリックすることを伴うことが可能である。ユーザは、表示されている電話番号を後に使用するために格納することを選択することが可能であり、又は該電話番号を手動でダイヤルすることが可能である。ユーザが電話をかけた際に、ワイヤレス検索プラットフォーム100は次いで、スポンサーであるエージェントに対する後の請求のためにその対話を格納し追跡することが可能である。スポンサー提供のモバイルコンテンツは、ユーザが該電話の料金を支払うことを要求することが可能である。ユーザが料金を支払う電話は、株式情報、ファンクラブ最新情報、スポーツ情報等とすることが可能である。ユーザが料金を支払う電話の場合、ワイヤレス検索プラットフォーム100は、スポンサーとなるサービスに対して提供されるサービスの一部としてユーザのアカウントに直接請求することが可能である。
【０３７０】
モバイルペイ・パー・コール対話の別の例は、モバイル検索プラットフォーム100に格納されているユーザの情報が、該ユーザが、42歳、男性、既婚で、３人の幼児をもち、家を所有していることを示している、ユーザとすることが可能である。該ユーザのモバイル通信設備102の情報は、該ユーザの装置が旧型で低解像度のモバイルコンテンツしか処理できないことを示している。更に、最近のユーザの活動は、おもちゃについての検索クエリを示している。該ユーザは、次いで、テントのレンタルについての新しい検索クエリを入力する。また、モバイル検索プラットフォーム100のデータベースは、サマータイムであることを示している。これらの情報が与えられると、モバイル検索プラットフォーム100は、幼児のための戸外での誕生日パーティーを支援するための供給物について高い関連性を示す。モバイル検索プラットフォーム100は次いで、地元のパーティレンタル店からの空気注入式のウォータースライドに関する広告をユーザのモバイル通信設備100へ配信する。該広告は、ユーザの装置の能力に適合するよう低解像度で表示される。該広告内に電話番号が提供され、該電話番号は、ユーザが後の使用に備えて格納し、直ちに電話するためにクリックし、手動でダイヤルする、といったものとすることが可能である。ユーザが電話をかけると、モバイル検索プラットフォーム100は、その対話を追跡し、該ユーザが前記表示された電話番号と対話したことについて前記パーティレンタル店に手数料を請求することが可能である。
【０３７１】
モバイルペイ・パー・コール対話の別の例は、モバイル検索プラットフォーム100に格納されているユーザの情報が、該ユーザが18歳の女性で自宅に住んでいることを示している、ユーザとすることが可能である。該ユーザのモバイル通信設備102の情報は、該ユーザの装置が新型でビデオコンテンツを表示できることを示している。更に、最近のユーザの活動は、様々なロックバンドのメンバーについての情報を求めた検索クエリ及びロックビデオのダウンロードを示している。該ユーザは、次いで、Dave Matthew's Bandのメンバーに関する情報についての新しい検索クエリを入力する。この情報が与えられると、モバイル検索プラットフォーム100は、ロックバンドに関する新しい音楽及びコンサートについての広告に高い関連性を示す。モバイル検索プラットフォーム100は次いで、Dave Matthew'sの地方コンサートのチケットに関する広告をユーザのモバイル通信設備100へ配信する。該コンサートの日時並びに該チケットがまだ入手可能であることを強調するオーディオ及びテキストと共に、短いミュージックビデオとしてモバイルコンテンツが配信される。該モバイルコンテンツは、コンサートチケットの購入に関する更なる情報を得るためのハイパーリンクを電話番号と共に示す。ユーザは、この時点で、モバイルコンテンツを後の取り出しに備えて格納し、又は更なる情報を求めて直ちに接続することが可能である。ユーザが電話をかけると、モバイル検索プラットフォーム100は、その対話を追跡し、該ユーザが前記表示された電話番号と対話したことについて前記コンサートチケットを販売している代理店に手数料を請求することが可能である。モバイル検索プラットフォーム100はまた、モバイル・ペイ・パー・コール機能を使用してチケットを購入することについてのサービス手数料としてユーザのモバイルアカウントに直接手数料を請求することが可能である。
【０３７２】
本発明の実施形態では、方法及びシステムは、モバイル通信設備のユーザインタフェイス内にリンクを提示することを含むことが可能であり、この場合、該リンクは、コンピュータネットワークを介して入手することが可能な市販品へのリンクとすることが可能であり、このため関係者が該リンクのスポンサーとなることが可能となる。該リンクは、販売用の商品又はサービスアイテム、宣伝、コンテンツアイテム、広告、又は商品又はサービスのベンダ等の商業提供者の他の素材に対するものとすることが可能である。該リンクは、例えば、ｅコマースサイト上のアイテム、オークションサイト、逆オークションサイト、ニュースサイト、情報サイト、又は、ウェブコンテンツや他のネットワーク上にあるコンテンツ等のコンピュータネットワーク上のその他のコンテンツに対するものとすることが可能である。該リンクは、様々なｅコマース機能（例えば、シングルクリック購入、入札、ターゲット広告、即時購入（例えば「buy it now」）、クリック又はトランザクションの追跡、紹介の追跡、アフィリエイトプログラム機能等を可能にする機能）を含み又はそれらに関連づけることが可能である。実施形態では、該リンクは、携帯電話等のモバイル通信設備102のユーザインタフェイスでユーザへ提示されるスポンサードリンクである。該スポンサードリンクは、暗黙的クエリ164と連携して提示すること（及びかかるクエリに関連させること）が可能である。該スポンサードリンクは、明示的クエリの入力（又はかかるクエリの部分的な入力）に応じて提示することが可能である。該スポンサードリンクは、モバイル通信設備102のユーザが電話をかけた際又はその他の行動を行った際に提示することが可能である。該スポンサードリンクは、例えば、クエリに応じて実行された検索機能142に応じて、結果の取り出し、結果のソート、結果のフィルタリング、結果の提示、又は結果のルーティングを行う際に、提示することが可能である。
【０３７３】
実施形態では、リンクのスポンサーとなる権利は、複数のスポンサー候補間での入札プロセスを介して取得することが可能である。該入札プロセスは、自動化することが可能であり、これにより、入札（又は、入札価格積立金、最終競売価格等）を、リンクに関する他のスポンサー候補により行われた他の入札とオークション形式で自動的に比較することが可能となる。他の実施形態では、入札は、受け入れるために必要とされる価格を満たすことしか必要としない。アルゴリズム設備144は、特定のリンクのスポンサーとなるための入札を「勝ち取る」ことに関係する１つ又は２つ以上のリンクを判定することが可能である。入札は、ユーザインタフェイス内の特定の位置で、又はナビゲーションシーケンスの特定の時点で（例えば、ホームページで、検索画面で、電話をかけた後に、トランザクションを実行した後に、特定画面へのナビゲーションの後に、暗黙的クエリ164の提示時に、明示的クエリの入力時に、結果の取り出し時に、結果のルーティング時に、及び／又は取引完了時に）、リンクを提示するためのものとすることが可能である。入札は、リンクを特定のコンテンツ（例えば、特定の形式のクエリ、特定の結果、又は特定のコンテンツアイテム）に関連づけるために行うことが可能である。例えば、ゴルフ用具を販売しているスポンサーは、暗黙的又は明示的クエリが用語「ゴルフ」、「ティー」、又は「パー」を使用する場合に必ずリンクのスポンサーとなるために入札を行う可能性があり、一方、ビデオコンテンツを販売しているスポンサーは、クエリが用語「映画」、「フィルム」、「シネマ」、又は「ショー」を使用する場合にリンクのスポンサーになろうとする可能性がある。実施形態では、入札プロセスは、リンクの提示と時間的に近接して発生することが可能である。
【０３７４】
実施形態では、広告は、モバイル通信設備のクエリ設備からウェブページ要求を受信し、該モバイル通信設備に関する情報を受信し、及び該モバイル通信設備に関する情報に少なくとも部分的に基づいてウェブページに少なくとも１つの広告を関連づける、という各ステップに少なくとも部分的に基づいてモバイル通信設備へ提示することが可能である。例えば、モバイル通信設備のユーザは、「Sonny Rollins」に関する検索クエリを開始することが可能である。該ユーザのモバイル通信設備へ提示される可能性のある検索結果は、Sonny Rollinsの音楽ＣＤや彼のパフォーマンスのビデオ等のための広告及びウェブサイトを含むことが可能である。モバイル通信設備に関する情報（例えば、そのビデオストリーミング能力）は、ユーザのモバイル通信設備へ成功裏に提示することができる広告／ウェブページを判定するために使用することが可能である。次いで、この情報を使用して、ユーザのモバイル通信設備の表示装置で提示することができるウェブページ及び広告を対にすることが可能である。
【０３７５】
特定の実施形態では、リンクのスポンサーとなるための権利は、オークション（オンラインオークションとすることが可能）を介して取得される。
【０３７６】
実施形態では、リンクは、クエリの非曖昧化版に関連づけて、クエリの関連性が評価された後にのみリンクが現れるようにすることが可能である。
【０３７７】
実施形態では、スポンサードリンクは、モバイル通信設備102を使用して実行された検索を介して取り出された結果に関連づけることが可能である。例えば、最高ランクの検索結果のうちの１つがワード「ディジタルカメラ」を使用している場合にのみ、カメラのベンダに関するリンクが現れることが可能である。
【０３７８】
実施形態では、スポンサードリンクは、モバイル通信装置を使用して実行された検索機能142を介して取り出された結果のソートに関連づけることが可能である。例えば、関連する結果がそのソート後（例えばランク付け又は非曖昧化プロセスの結果としてソートされた場合等）に十分に高くランク付けされた場合にのみ、リンクにスポンサーをつける（入札プロセスの後を含む）ことが可能である。
【０３７９】
実施形態では、スポンサードリンクは、モバイル通信装置を使用して実行された検索機能142を介して取り出された結果のフィルタリングに関連づけることが可能である。例えば、特定タイプの結果がフィルタリングにより除去された後にのみ、スポンサードリンクが現れるようにすることが可能である。例えば、フランスのパリへの旅行のスポンサーは、Paris Hiltonに関する結果が除去された後にユーザに結果が提示される場合にのみ、リンクのスポンサーとなるために入札することが可能である。
【０３８０】
実施形態では、スポンサードリンクは、モバイル通信装置を使用して実行された検索機能142を介して取り出された結果の提示に関連づけることが可能である。例えば、特定の結果が（例えば特定のコンテンツを提示するための特定の装置の能力に基づいて）修正され又はフィルタリングされる場合には、関連する結果をモバイル通信設備上に提示することができる場合にのみ、スポンサードリンクにスポンサーをつけることが可能である。例えば、スポンサーは、サンプルビデオをレンダリングする能力のある装置への提示についてのみ、ヨガの指導ビデオへのリンクのスポンサーとなるために入札することが可能である。
【０３８１】
実施形態では、スポンサードリンクは、モバイル通信装置を使用して実行された検索機能142を介して取り出された結果のルーティングに関連づけることが可能である。例えば、アルゴリズム設備144が特定タイプの結果をルーティングするルールを含む場合に、スポンサードリンクをかかるルールの実行に関連づけることが可能である。例えば、ペアレンタル・コントロール150に関するルールは、子供が不適切なコンテンツにアクセスしようとしていると思われた場合に、コンテンツ又はメッセージを両親にルーティングすることが可能である。スポンサードリンクは、ペアレンタル・コントロール・ソフトウェア又はサービスの提供者が該ルーティングされた結果に関連づけされたリンクを提示することを可能にする。
【０３８２】
実施形態では、まだリンクのスポンサーになっていない者の市販品に対して該リンクを提供することが可能である。次いでその者に該リンクを継続的に提示するスポンサーとなる機会を提案することが可能である。実施形態では、継続して該リンクのスポンサーとなるための提案は、ユーザが該リンクを実行したのと同時に又はその際に営利団体に提示することが可能である。実施形態では、かかる提案は、リンクの継続的なスポンサーシップのため、又は少なくとも１つの追加のリンクのスポンサーシップのための、オークション又は入札プロセスに参加するための、営利団体に対する招待を含むことが可能である。
【０３８３】
実施形態では、営利団体へのリンクは、市販品の提供者に関する電話番号を含むことが可能である。実施形態では該電話番号を専用の電話番号とすることが可能であり、該専用の電話番号は、ユーザが該番号に電話をかけた際に、何らかの報酬（スポンサードリンクベース、オークションベース、ペイ・パー・コール・ベース等とすることが可能）を支払うことを営利団体が同意することの引き換えにリンクを継続するという提案を含む仲介メッセージを該営利団体へ伝えることが可能である。
【０３８４】
実施形態では、一般化されたプロセスを使用して、クエリ情報をモバイル加入者特徴112データベース112からの少なくとも１つの要素と対にすることにより、ユーザクエリ入力120の非曖昧化を行うことが可能である。ユーザがモバイル通信設備102を介してクエリ入力120を提出すると、該クエリは、ワイヤレス通信設備104へ、次いでワイヤレスプロバイダ108へとワイヤレスにルーティングされる。該ワイヤレスプロバイダ108は、次いで、該ユーザクエリ入力120に関連するモバイル加入者特徴112データベース112内に格納されているデータを要約することが可能である。関連性は、語義的な類似、時間的な因子、及びクエリ入力120の内容とモバイル加入者特徴112データベース112内で発見された内容との間の地理的及び／又は人口統計学的な一致に基づくものとすることが可能である。この情報がリンクされると、非曖昧化設備140は、ユーザのクエリ入力120の考え得る最善の意味を解明してその１つ又は２つ以上の結果をワイヤレスプロバイダ108及びワイヤレス通信設備104を介してモバイル通信設備102へ送り返してユーザに対して表示させる(172)よう処理を行うことが可能である。
【０３８５】
モバイル加入者特徴112データベース112内に格納することが可能な代表的な要素として、ロケーション、ユーザに関する個人情報、ウェブ対話、E-mail対話、メッセージング対話、請求履歴、支払履歴、典型的な請求金額、時刻、オンライン対話時間、オンライン対話回数、家族の状態、職業、取引、以前に入力した検索クエリ、ロケーションの履歴、電話番号、装置識別子、以前にダウンロードしたコンテンツのタイプ、以前に見たコンテンツ、及び訪問したサイトが挙げられる。
【０３８６】
同様に、クエリ入力120は、ユーザのモバイル通信設備102の特徴（例えば、一意の電話番号、装置識別子、又はその他の一意の識別子）、モバイル通信設備102内に格納されている情報（例えば、該装置のメモリ内に格納されている情報）、又はサーバに関連するデータベース上に格納されている情報に基づいて、非曖昧化することが可能である。
【０３８７】
実施形態では、モバイル検索ホスト設備114を使用して、モバイル通信設備102のユーザにクエリ入力120に基づく更なる関連する１つ又は２つ以上の結果セットを提供することが可能である。例えば、モバイル通信設備102は、メモリのキャッシュ2300を有することが可能であり、該キャッシュには、該モバイル通信設備102の特徴、ユーザのプロファイル、及びユーザ挙動履歴（例えば、通話、訪問したウェブサイト、検索クエリ、クエリの頻度、コンテンツをダウンロードする頻度、イベントの頻度の変化、及び購入の頻度）といった、顕著な情報が格納される。
【０３８８】
この情報は、設定された時間間隔でモバイル通信設備102からワイヤレス通信設備104へ、次いでユーザのワイヤレスプロバイダ108へ又はモバイル検索ホスト設備114へ直接に、自動的にリフレッシュして送信することが可能である。モバイル検索ホスト設備114内で、１つ又は２つ以上の結果セットにおいて更なる提案をユーザへ提供するためにクエリ内容を精査するアルゴリズム設備144により、クエリ内容をフィルタリングすることが可能である。例えば、クエリ入力120でユーザにより使用されたタームの頻度をアルゴリズム設備144により使用し、キーワードの同様の頻度のインデクシング、又はクエリターム及び結果の人気に基づいて、関連する結果を提案することが可能である。ユーザがこのクエリ入力120を修正すると、キャッシュ2300は、その内容を、非曖昧化設備140、検索設備142、又はモバイル検索ホスト設備114内の他の設備内でのリアルタイム処理のために、モバイル検索ホスト設備114へ暗黙的に送信することが可能である。
【０３８９】
モバイル検索ホスト設備114内の更なる設備を使用して、クエリ入力120に有意性を追加することが可能である。例えば、非曖昧化設備140は、キーワード、ワードの頻度、及び／又はワードの組み合わせに基づいてクエリ入力120をカテゴライズすることが可能であり、これにより、タイトル、アーティスト、及びイエローページタイプのカテゴリ等のカテゴリを結果的に得ることが可能となる。また、キャリアビジネスルール158、ペアレンタル・コントロール150、及びスポンサーシップ設備162を使用して、それらの検索クエリ及びそれらに関連する検索クエリ及び／又は１つ又は２つ以上の結果セットについて提案を生成することが可能である。
【０３９０】
モバイル通信設備102と非曖昧化ステップ210との間の対話的なプロセスを使用して明確なクエリ形成2400を行うことが可能である。ユーザがモバイル通信設備102へクエリ入力120を提出する際に、訂正プロセス244は、分かり易くて有用な１つ又は２つ以上の結果セットを生じさせるのに十分な明確なクエリ形成2400のために必須のもの又はそれに資するものとなることが可能である。該訂正プロセス244の一部として、モバイル通信設備102のタイプに固有の情報を使用することが可能であり、例えば、装置が独自の配信能力を有する場合には、かかる能力と互換性のある結果セットを導出するためにクエリの訂正が必要となる。また、モバイル加入者特徴データベース112又はペアレンタル・コントロール設備150に格納されている情報は、訂正プロセス244と統合させることが可能である。実施形態では、検索エンジンは、一般的なスペルミス（モバイル経験に特有のスペルミス（例えば「2nite」）を含む）に関する訂正を自動的に提案することが可能である。
【０３９１】
ユーザのクエリ入力120は、空の結果セット又は蓋然性の低い結果セットを返す可能性がある。この場合には、検索設備142は、モバイル通信設備102と連携して、訂正プロセス244を自動的にトリガし、空でない又は蓋然性の高い結果セットが配信されるまで、代替的なクエリ入力120を繰り返し循環することが可能である。
【０３９２】
実施形態では、より最近追加され又は更新されたアイテムは、その新しさを示す優先順位を受容することが可能である。
【０３９３】
実施形態では、モバイル通信設備102に関する情報に基づき、ユーザのクエリ入力120に続いて更なる推薦を行うことが可能である。例えば、モバイル加入者特徴112、キャリアビジネスルール130、又はスポンサー情報は、クエリ入力120と連携して、ユーザのための関連する推薦を提案することが可能である。該推薦は、クエリ入力120の検索結果と対にすることが可能であり、又は該検索結果の表示に先立ち又はその表示に続いて提示することが可能である。
【０３９４】
ユーザの以前の検索活動及び検索結果を使用して、該ユーザのための推薦を生成することも可能である。以前の検索活動は、トランザクション、検索クエリ、ウェブサイトへの訪問、通話、及び／又はモバイル通信設備102上でユーザが開始する他の活動を含むことが可能である。モバイル通信設備102の地理的なロケーションは、ユーザの現在の地理的な近傍におけるスポンサー情報（例えば製品及びサービス）を含む（但し、これには限定されない）推薦を生成することが可能である。現在時刻を他の情報とは無関係に又は他の情報と共に使用してユーザ推薦を生成することが可能である。例えば、正午であるという独立した事実は、ランチを提供するレストランに関する推薦を生成することが可能である。この情報をモバイル通信設備102のロケーションにより更にフィルタリングして、ユーザのすぐ近くにある前記レストランのみを推薦することが可能であり、及び加入者の特徴により更にフィルタリングして、該ユーザのプロファイルに類似した人口統計学的なプロファイルを有するレストランの客によって高い格付けを受けているユーザの近所にあるランチを提供するレストランの一部のみを推薦することが可能である。上記のレストランの例の場合のように、意味のある推薦を生成するための同様のプロセスを他のサービス及び製品に適用することが可能であり、かかるサービス及び製品には、輸送（航海、タクシー、バス、列車、自動車、空港等）、食料及び飲料（食料品店、ドライブスルーレストラン、バー等）、エンターテイメント（劇場、スポーツ、映画、クラブ等）、ビジネス（会社、職場、銀行、郵便局、及びその他の郵送及び輸送施設等）、消費者ニーズ（ガソリンスタンド、ドラッグストア又は衣料品店、ベビーシッター、駐車場等）、及び現地固有の情報（方向、ロケーション、開始時刻、ニュース等）が含まれる。
【０３９５】
実施形態では、検索カテゴリの分類は、モバイル通信設備102に関連する表示装置上の検索クエリに関連して提示される。
【０３９６】
実施形態では、クエリ入力120は、クエリカテゴリの分類法及び分類スキーマ（例えば、イエローページ電話帳の分類法）へとマッピングすることが可能である。
【０３９７】
実施形態では、結果は、モバイル通信設備102に関する情報と関係するクエリ入力120の提出に基づいて取り出すことが可能である。この情報は、モバイル加入者特徴112、キャリアビジネスルール130、及びスポンサー情報を含むことが可能である。それらのデータベースに格納されている更なる情報は、検索クエリと１つ又は２つ以上の結果セットの表示とを制限する検索パラメータを形成することが可能であり、該制限は、情報を省略し、情報を優先順位づけし（例えば他の全ての前にスポンサーリンクを提示し）、検索結果セットのサブセットを強調表示し、又はスポンサーオークションに基づいて情報の表示を順序づけする（すなわち、最高入札者を最初に提示する）ことにより行われる。スポンサーオークションの場合、スポンサーは、該スポンサー自身の製品、サービス、及びそれらへのリンクに関連づけたいキーワードに入札することが可能である。
【０３９８】
実施形態では、結果は、モバイル通信設備102に関する情報に少なくとも部分的に基づくクエリ入力120に関連して順序づけすることが可能である。この情報は、モバイル加入者特徴112、検索アルゴリズム設備144、ペアレンタル・コントロール150、キャリアビジネスルール130、及び／又はスポンサー情報を含むことが可能である。スポンサー情報に基づくクエリ入力120に関する結果の順序づけは、クエリ入力で使用したキーワードにスポンサーを関連づけることにより、及び／又はスポンサーコンテンツにクエリ入力を関連づけることにより、行うことが可能である。クエリ入力120がスポンサーの１つ又は２つ以上のキーワード又はコンテンツと一致する場合、該スポンサーの情報を検索結果表示において優先的に表示し、強調表示し、又はその他の態様でクエリ入力120に関する他のコンテンツよりも優位性を持たせることが可能である。スポンサーとのキーワードの関連づけは、キーワードとの唯一の関連づけ又は共有された一定頻度のキーワードの関連づけ（例えばキーワードの一回おきの発生）を入札者が競り合うオークションを介して生じることが可能である。更に、該オークションプロセスは、結果的に得られるスポンサーコンテンツの表示のサイズ（例えばモバイル通信設備102上でのユーザの総表示スペースのパーセンテージとして表されるサイズ）及び結果の表示に対するマルチメディアコンテンツの追加（グラフィクス、オーディオ、又はビデオストリームの追加等）を決定するための入札を含むことが可能である。
【０３９９】
クエリ結果はまた、モバイル通信設備102の能力に少なくとも部分的に基づいて順序づけすることが可能であり、この場合、該能力とは、オーディオ、ビジュアル、処理、又は画面の能力である。
【０４００】
実施形態では、クエリ入力120は、モバイル通信設備102に関する情報（モバイル加入者特徴112、検索アルゴリズム設備144、個人用フィルタ、ペアレンタル・コントロール150、キャリアビジネスルール130、又はスポンサーシップ情報等）に少なくとも部分的に基づいて予測テキストを生成することにより行うことが可能である。更に、予測テキストは、モバイル通信設備102のSMS変換及び／又はキーパッドシーケンス変換に基づくものとすることが可能である。更に、T9エラーを修正することが可能である。例えば、ユーザが「Britney」を探して2748639をダイヤルした場合、T9はそれを「Britney」ではなく「Argumenw」と解釈する可能性がある。
【０４０１】
実施形態では、ボイスベースのクエリ入力120をモバイル通信設備102に関する情報（例えばSMS変換に少なくとも部分的に基づくボイス解釈）に関連づけることが可能である。
【０４０２】
実施形態では、オークションをクエリ入力120に関連づけることが可能である。オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサーの結果を優先し又は強調することが可能である。
【０４０３】
実施形態では、検索クエリがモバイル通信設備102上で入力されて結果が該モバイル通信設備102に関する画面上に提示され、及びスポンサードリンクに関連してトランザクションが実行され、この場合、該トランザクションは、該スポンサードリンク上でのユーザのクリックにより、又はダウンロード可能コンテンツの購入等の商取引をユーザが行うことにより、生じることが可能である。
【０４０４】
実施形態では、収集されたコンテンツをモバイル通信設備102へ提示することが可能である。コンテンツは、スパイダを介して収集することが可能であり、例えば、着信音コンテンツ、音楽コンテンツ、又はビデオコンテンツを含むことが可能である。該スパイダは、モバイル通信設備102の能力とのコンテンツの互換性を判定することが可能である。互換性は、一連の模擬的なモバイル通信設備102の試行を実行し、その結果を使用して好ましさを基準にサイトから結果を抽出することにより判定することが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供されることになる。
【０４０５】
実施形態では、スパイダを使用して、コンテンツとモバイル通信設備の能力との互換性を判定することが可能である。例えば、スパイダは、特定のタイプのモバイル通信設備とコンテンツプロバイダにより提供されるコンテンツとの間の互換性のレベルを検出するために、該特定のタイプのモバイル通信設備として該コンテンツプロバイダを訪れることが可能である。更に、モバイル店舗等のコンテンツプロバイダは、モバイル通信設備の各タイプ又は各クラス毎に異なるコンテンツを提供することが可能である。スパイダは、コンテンツプロバイダを訪れて、所与のプロバイダのコンテンツクラスとモバイル通信設備のタイプ又はクラスとの関連性を判定することが可能である。
【０４０６】
実施形態では、スパイダは、モバイル通信設備のタイプ又はクラスに固有であるウェブページコンテンツ品質（例えば、HTMLタグ、色深度、イメージ数、イメージサイズ等）を検出することにより、モバイル通信設備のタイプとのコンテンツの互換性を判定することが可能である。互換性データがスパイダにより編集されると、該データをデータベースに格納し、及び該データを検索エンジンと連携して使用して、互換性のあるコンテンツのみ、又は最も互換性の高い入手可能なコンテンツを、検索クエリを送信したモバイル通信設備へ送ることにより、コンテンツの提示を最適化することが可能である。
【０４０７】
モバイルコンテンツは、それをモバイル通信設備102上でユーザに対して適切な提示を行うことを可能とするために特定の能力を必要とする可能性がある。しかし、少なくとも幾つかの特定の能力は、モバイル通信設備102上では利用することができない場合がある。ユーザに対して適切な提示を行わなかった場合には、モバイルコンテンツは、ユーザにとって価値がなく関心を引かないものとなり得る。該不適切な提示は、代替的に、提示エラー等のユーザにとっての不都合を生じさせる可能性があり、又はモバイル通信設備102の誤動作を生じさせ得るものとなる。該誤動作は、ユーザがモバイル通信設備102のユーザインタフェイスを介してモバイルコンテンツと対話したことに応じた不正動作を含む。かかる誤動作の結果として、ユーザにとっての様々な下流側の問題が生じる可能性がある。これは、その不適切な応答が、モバイル通信設備102のコンフィギュレーション、インタフェイス、又はその他の特徴の変更を含み得るからである。
【０４０８】
モバイルコンテンツの特徴は、モバイル通信設備102との互換性に関して解析することが可能である。各特徴は、１つ又は２つ以上の互換性基準に基づいてランク付けすることも可能である。一例として、モバイルコンテンツの特徴は、ワイヤレス通信の基本機能を含むことが可能である。かかる特徴は、最小限の程度の互換性を満たすことのみに基づいてランク付けすることが可能である。別の例では、モバイル通信設備102で提示される場合に先進的な能力を可能にするモバイルコンテンツの特徴は、該能力を有するモバイル通信設備102のためにのみランク付けすることが可能である。その他のモバイルコンテンツの特徴は、全てのモバイル通信設備102のためにランク付けすることが可能である。
【０４０９】
モバイルコンテンツの互換性の基準は、モバイル通信設備102のメーカー又は製造ラインといった基準に基づいて変動し得るものである。例えば、特定のメーカー又は製造ライン又は型番を対象とするモバイルコンテンツ（例えば、BIOSアップグレード）の特徴は、他のメーカーのモバイル通信設備102で使用するためにランク付けされることはない。
【０４１０】
モバイルコンテンツのランクは、該モバイルコンテンツの複数の特徴のうちの何れか又は全てのランキングを含むことが可能である。コンテンツの特徴のランキングは、複数のランキングを加算してモバイルコンテンツランク合計を生成することを含む、様々な態様で組み合わせることが可能である。各特徴を重み付けして、全ての特徴が合計ランクに等しく寄与しないようにすることが可能である。モバイルコンテンツランク合計は、単一の特徴のランクを表すことも可能である。
【０４１１】
モバイルコンテンツランキングはまた、ランキング範囲（１〜10等）に基づいて互換性の程度の指示を提供することが可能である。代替的に、ランキングは、二値のyes又はnoによる互換性基準を提供することが可能である。該ランキングは、１つのモバイルコンテンツが複数のランキングを有することが可能となるように、特定のモバイル通信設備102の型番に関連づけることが可能である。一例では、モバイル通信設備102の機種Ａは、第１のモバイルコンテンツに存在する複数の特徴の一部をサポートし、一方、機種Ｂは、その特徴の全てをサポートすることが可能である。他のモバイルコンテンツと比べて、機種Ｂについては第１のモバイルコンテンツを他のモバイルコンテンツよりも高くランク付けすることが可能であり、機種Ａについては他のモバイルコンテンツを第１のモバイルコンテンツよりも高くランク付けすることが可能である。
【０４１２】
ワイヤレスプロバイダ108は、モバイルコンテンツランキングを使用して、モバイル通信設備102へ提供するためのモバイルコンテンツを選択することが可能である。互換性のあるモバイルコンテンツは、ユーザが該コンテンツと対話することを可能とし、これによりユーザがスポンサードコンテンツに対して積極的に応答する機会が増大する。モバイルコンテンツが互換性を有さず又は低い互換性を有する場合には、ユーザが該コンテンツと対話することが全くできなくなる可能性がある。それ故、モバイル通信設備102との一層高い互換性を有するモバイルコンテンツは、ワイヤレスプロバイダ108にとって一層大きな価値を有するものとなる。これは、かかるコンテンツを配信する場合の方が、互換性が低い又は欠如しているコンテンツを配信する場合よりも、コンテンツのスポンサーが一層高い手数料を支払い得るからである。
【０４１３】
モバイルコンテンツは、広範なモバイル通信設備102で適切に表示することが可能な基本的なフォーマットのビデオ及びオーディオといった特徴を含むことが可能である。しかし、これらの特徴をモバイルコンテンツに適合させて、該適合されたビデオをサポートする能力を有するモバイル通信設備102が、より一層の満足感、時間及びフラストレーションの低減、又は単純にビデオを見ることを可能にすることを、ユーザに提供することが可能となるようにすることも可能である。
【０４１４】
モバイルコンテンツの解析は、HTMLソース等のモバイルコンテンツのソースの調査を含むことが可能である。該ソースの構文及び構成は、モバイル通信設備102の特性又は特徴と比較することが可能なモバイルコンテンツの特徴に関する情報を表すものとなり得る。かかる比較は、モバイル通信設備102とのモバイルコンテンツの互換性の評価を生じさせ得るものである。例えば、モバイルコンテンツのソース内のリンクであって特定タイプのデータファイル（ビデオ、オーディオ等）にリンクするリンクは、該モバイルコンテンツを適切に提示するためにモバイル通信設備102に特定の能力が必要であることを示すことが可能である。モバイルコンテンツの構文は、モバイル通信設備102のリソースに対する特定の機能又はコマンドを表すことが可能である。これらのコマンド及び／又は該コマンドに含まれる引数を、モバイル通信設備102によりサポートされるコマンド及び／又は引数のリストと比較し、その結果として互換性を解析することが可能となる。
【０４１５】
モバイルコンテンツに対するリンクその他の参照は、互換性に関する情報を提供することも可能である。音楽ファイルフォーマットMP3は標準規格であり、iPodはMP3フォーマットのファイルをサポートしているが、iPodのベンダによりオンラインで提供されている音楽ファイルは、MP3規格と完全な互換性を有していない。その結果として、それらのファイルは、MP3ファイルをサポートする他のベンダのモバイル通信設備102と互換性のないものとなる。リンクを調べてモバイルコンテンツの考え得る所有者を判定することにより、互換性を判定することが可能である。
【０４１６】
モバイルコンテンツ内のリンクは、該モバイルコンテンツの他の部分を参照することが可能であり、かかる場合、該リンクはファイルタイプ又は所有者を含まない可能性がある。このため、モバイルコンテンツの他の特徴を解析することにより、互換性の基準を提供することが可能である。かかる特徴の１つは、モバイルコンテンツのサイズである。モバイル通信設備102上のメモリ設備118の一部は、モバイルコンテンツの格納を提供することが可能である。しかし、モバイル通信設備102に格納することができるモバイルコンテンツの量は限られている。それ故、モバイルコンテンツとモバイル通信設備102との互換性の基準をモバイルコンテンツのサイズとすることが可能である。ユーザへの提示のためにモバイル通信設備102へのストリーミングをサポートするモバイルコンテンツは、小さなコンテンツ格納容量を有するモバイル通信設備102におけるコンテンツ格納制限を克服することが可能である。
【０４１７】
モバイルコンテンツは、該モバイルコンテンツの特性を記述し又は該特性を含むメタデータを含むことが可能である。該メタデータは、コンテンツ（オーディオ、ビデオ等）のサイズ、タイプ、サポートされる特定の機能（ストリーミング等）といった情報を含むことが可能である。モバイルコンテンツの解析は、メタデータの調査に少なくとも部分的に基づくものとすることが可能である。メタデータは、様々なモバイル通信設備102との互換性のランキングを含むことが可能である。該ランキングは、コンテンツの所有者により、又はワイヤレスプロバイダ108等の第三者により、生成することが可能である。
【０４１８】
モバイルコンテンツのランキングは、モバイル検索プラットフォーム100の１つ又は２つ以上のメモリ設備に格納することが可能である。該ランキングが確実に最新のものとなるように、モバイルコンテンツを時折解析してランキングを更新することが可能である。この解析は、モバイルコンテンツを解析するよう構成されたコンピュータプログラムによりコンテンツを処理することにより自動化することが可能である。該コンピュータプログラムは、本書で開示するようにサーバ134上で実行することが可能である。
【０４１９】
モバイル通信設備102は、モバイルコンテンツと共に該モバイルコンテンツに関するランキングを受信して、該モバイル通信設備102が該ランキングを使用して該モバイルコンテンツを提示すべきか否かを判定できるようにすることが可能である。該判定は、ランク付けされたモバイルコンテンツの提示に関するユーザの嗜好に少なくとも部分的に基づくものとすることが可能である。該判定はまた、モバイルコンテンツの所有者の嗜好に少なくとも部分的に基づくものとすることも可能であり、該モバイルコンテンツの所有者の嗜好は、モバイルコンテンツまたは該モバイルコンテンツのメタデータ内に提供することが可能である。ユーザは、モバイル通信設備102との互換性が低いモバイルコンテンツの提示を可能とする選択を行うことが可能であるが、コンテンツの所有者は、該コンテンツを該ユーザに対して不完全な状態で提示するのではなく該ユーザに該コンテンツを提示しないことを好む可能性がある。本書で開示するモバイル通信設備102のモバイルコンテンツ提示リソース（表示リソース、オーディオリソース等）は、モバイルコンテンツ、ランキング、メタデータ、ユーザの嗜好、及び所有者の嗜好等の一部又は全てを評価して提示の決定を行うことが可能である。
【０４２０】
実施形態では、スポンサードリンクは、該スポンサードリンクに関連するベンダが接続を選択的に受容し又は検索結果（スポンサーの電話番号を含む）を選択的に受容することを可能にするモバイル通信設備102に関連する表示装置上に表示することが可能であり、この場合、該スポンサーの電話番号が、電話され及び応答された電話番号のうちの少なくとも１つであるとき、商取引が行われる。
【０４２１】
実施形態では、コンテンツは、モバイル通信設備102に関する情報に少なくとも部分的に基づいて該モバイル通信設備102へ配信することが可能であり、それ以降のコンテンツは検索クエリの結果として生成することが可能である。提示されるコンテンツは、モバイル通信設備102のロケーションに関連する情報（レストラン、エンターテイメント、劇場、及び開演時刻等）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、時刻及び／又はモバイル通信設備102のロケーションの変化に従って定期的に更新することが可能である。
【０４２２】
実施形態では、モバイル通信設備102上での１つ又は２つ以上の検索クエリ入力に次ぐクリックスルー動作に基づいてワイヤレスキャリアレポートを生成することが可能である。該レポートは、検索結果の品質、キーワード管理、及び収入に関する情報を含むことが可能であり、及び使用されるモバイル通信設備102のタイプによって分割することが可能である。
【０４２３】
実施形態では、モバイル通信設備102のアイドル画面で提示される検索ボックス中にクエリ入力120を行うことが可能である。
【０４２４】
実施形態では、モバイル互換ページランクに基づいて結果を生成するよう構成された検索設備142に検索クエリを入力することが可能である。該モバイル互換ページランクは、モバイル通信設備102の画面及び処理能力とのページの互換性から、又は１つ若しくは２つ以上のページの複雑性から、導出することが可能である。
【０４２５】
実施形態では、クエリ入力120と少なくとも１つのモバイル加入者特徴との関係を生成することが可能である。該モバイル加入者特徴112は、ロケーション、個人情報、ユーザのウェブ対話の履歴、及びその他の特徴を含むことが可能であり、これは、加入者やモバイル装置等に関する他のデータと組み合わせて使用することも可能である。
【０４２６】
実施形態では、位置情報サービスを使用して、クエリ入力120とモバイル通信設備102のロケーションとの関係を生成することが可能である。該関係は、少なくとも１つのクエリ入力120とロケーション及び時刻との関係とすることも可能である。ロケーションは、GPSシステム又はセルラー電話の三角測量サービスにより提供することが可能である。
【０４２７】
実施形態では、モバイル通信設備のユーザが比較ショッピングを行うために該モバイル通信設備のロケーションを使用することが可能である。例えば、電子機器を探しているユーザに、該ユーザのモバイル通信設備の現在位置から所与の距離内にある電子機器の小売店に関する連絡先情報（ウェブアドレス、住所、E-mailアドレス、電話番号等）を提供することが可能である。店の販売品を比較するために、店のオンライン在庫及びオフライン（実店舗の）在庫の両方をモバイル通信設備のユーザへ提示することが可能である。
【０４２８】
インターネットは、例えば、消費者がオンラインで見つけることができる製品説明及び製品ランキングを使用して、比較ショッピングシステムのための及び方法を提供する。しかし、インターネットベースのシステム及び方法は、モバイル用途には適合できない可能性があり、このため、かかるシステム及び方法を用いた比較ショッピングは、静止したロケーションで行われる。本書に記載するのは、モバイル用途に有利に適合される比較ショッピングのためのシステム及び方法である。本書に記載し例示するシステム及び方法は、モバイル通信設備102の特徴を利用したものである。モバイル通信設備102を使用することにより、消費者は、コンピュータ又はインターネット接続に依存することなく製品を特定し比較することが可能となる。モバイル通信設備102の特徴については上記で詳述した通りである。モバイル通信設備102を本書に記載するシステム及び方法の他の要素と組み合わせて使用することにより、活動的なモバイルライフスタイルを有する消費者にとって望ましいモバイル比較ショッピングが可能となる。これらのシステム及び方法に関する更なる説明を図１を部分的に参照して以下で行う。
【０４２９】
実施形態では、消費者は、モバイル通信設備102に製品選択を入力することにより、モバイル比較ショッピングシステムをアクティブにすることが可能である。上記で詳述したように、モバイル通信設備102は、ワイヤレス通信が可能なあらゆる装置とすることが可能である。消費者は、特定のタイプのモバイル装置に適したあらゆる入力プロセスを使用してモバイル通信設備102に製品選択を入力することが可能である。該製品選択は、テキスト、ボイス、接触（例えばタッチスクリーン）、光学式読み取り（例えばバーコード）、イメージ認識、又はクリック信号（例えばクリックスルー）を使用して行うことが可能である（但しこれらには限定されない）。該製品選択は、明示的又は暗黙的検索を介して行うことが可能である。
【０４３０】
例えば、消費者は、新しいコンピュータを探してモバイル比較ショッピングを行いたい場合がある。該消費者は、検索クエリ「laptop computer」を入力することが可能であり、これにより製品選択のための検索結果のリストが提供され、次いで該消費者は、該リストから、更なるショッピング比較情報を所望するラップトップのタイプを選択することができる。代替的に、該検索結果をPCベースのシステム及びMacベースのシステムに従って編成して、該消費者が、更なるショッピング比較情報を所望するラップトップの特定のタイプに到達すべくクリックスルーするために一方のカテゴリを選択する必要があるようにすることが可能である。
【０４３１】
別の例として、消費者は、更なるショッピング比較情報を所望する製品を見ている店舗内に該消費者自身の携帯電話のカメラ又はそれに匹敵する装置を持ち込むことが可能である。該消費者は、該製品のディジタル写真を撮影して該写真をイメージ認識設備へ電子的に提出し、該イメージ認識設備において該写真を特定の製品のイメージと比較して、製品選択のための基礎を提供することが可能である。また、該消費者が、バーコードを撮影し、又はバーコードリーダーを装備したモバイル通信設備102を使用して、該製品のバーコードによって製品選択の基礎が提供されるようにすることも可能である。
【０４３２】
製品選択設備に対する製品選択の提出に応じて、モバイル比較ショッピングシステムは、かかる製品を販売し又は該製品選択に関連する製品を販売するマーチャントを特定することが可能である。ラップトップコンピュータに関する検索クエリに応じて、例えば、モバイル通信設備102は、該製品を販売するベンダ（例えば、BestBuy, CompUSA, University Computers）のリストを提供することが可能である。代替的に、モバイル通信設備102は、ユーザが選択するためのベンダのカテゴリ（例えば、小売、卸売り、大学を基礎とするもの）のリストを提供することが可能であり、該カテゴリが選択された際に、ユーザは、該カテゴリ内のベンダに関するデータを受信することが可能である。
【０４３３】
マーチャント又はベンダはサービスプロバイダとすることが可能であり、及び製品はサービスとすることが可能である、ということが当業者には理解されよう。例えば、歯科医に関するクエリは、歯科医の順序づけされたリストを提供することが可能であり、該順序づけは、モバイル通信設備102に関する情報に少なくとも部分的に基づくものとすることが可能である。また、製品に関するクエリは、関連性により又は他の任意の特徴により順序づけされた、関連する製品のリストを生成することが可能である。例えば、ラップトップコンピュータのクエリの場合、コンピュータアクセサリ及び周辺機器を販売しているマーチャントのリストを生成することが可能である。
【０４３４】
更に、マーチャントの順序づけされたリストは、ユーザにより入力された他の検索タームに従って、又はモバイル通信設備102に関連する他の任意の情報に従って、再順序づけすることが可能である、ということが理解されよう。例えば、所望の製品を販売するマーチャントのリストは、近接性、価格、営業時間、又はユーザにより提供される他の任意の特徴に基づいてソートし直すことが可能であり、該特徴は、モバイル通信設備102内に存在するもの、又は第三者により提供されたものとすることが可能である。一例として、ラップトップコンピュータを販売するマーチャントのリストは、特定の時刻（クエリの時刻又は他の何らかの時刻（例えば午前9時））に営業しているマーチャントのみを含むように間引くことが可能である。次いで、該リストを、価格、在庫、近接性、又は他の何らかの特徴に従ってソートし直すことが可能である。この例では、該リストを在庫に基づいてソートして、所望の製品を有するマーチャントのみをリストアップすることが可能である。
【０４３５】
実施形態では、多数の特徴を使用して、特定の製品を販売し又は特定のサービスを提供するマーチャントのリストをソートし又は順序づけることが可能である。モバイル通信設備102に関する情報は、ユーザにより入力されたユーザ特徴、又はモバイル通信設備102若しくは他の追跡システムにより追跡された使用情報、又は第三者（例えば、ワイヤレスオペレータ、ワイヤレスサービスプロバイダ、又は電気通信サービスプロバイダ）により提供された情報を含むことが可能である。
【０４３６】
実施形態では、マーチャントのリストを順序づけするために使用される情報は、ユーザにより直接提供される情報（ユーザ特徴等）を含むことが可能である。例えば、モバイル通信設備102は、医師のリストを順序づけするために人口統計学的な情報等のユーザ特徴を提供することが可能であり、すなわち、女性かつ35歳未満のユーザには、かかりつけの医者及び婦人科医を特集した順序づけされた医師のリストを提示することが可能であり、一方、65歳以上のユーザには、内科医又は心臓専門医を特集した順序づけされた医師のリストを提示することが可能である。モバイル通信設備102は、GPS等を介してモバイル通信設備102の地理的ロケーションを知ることにより、マーチャントのリストを近接性に従って順序づけすることが可能である。モバイル通信設備102はまた、ユーザの自宅住所、勤務先住所、及び郵便番号等を参照することにより、近接性に従ってマーチャントのリストを順序づけすることが可能である。モバイル通信設備102は、ユーザの健康保険制度に基づいて医師又は歯科医のリストをソートすることが可能である。
【０４３７】
実施形態では、マーチャントのリストの順序づけに使用される情報は、ユーザ履歴又はユーザトランザクションといったユーザにより間接的に提供された情報を含むことが可能である。ユーザにより間接的に提供される情報は、使用パターンから導出することが可能な全ての情報を含む。例えば、ラップトップコンピュータに関する検索は、ユーザがDellに対するテクニカルサポート電話の履歴を有する場合に、Dell以外の製品を販売しているマーチャントを優先させることが可能である。ラップトップコンピュータに関する検索は、ユーザがMac以外のAppleとの取引（例えばiTuneからの音楽の注文）を行ったことがある場合に、Mac製品を販売するマーチャントを優先させることが可能である。
【０４３８】
実施形態では、第三者により提供される情報を使用してマーチャントのリストを順序づけすることが可能である。コンテンツは、ワイヤレスプロバイダ108等の第三者によって提供することが可能であり、これは、品質ランキング、製品のコスト、スポンサー契約料、又はその他の順序づけシステムに従ってマーチャントを順序づけするものとなる。更に、順序づけされたマーチャントのリストは、販売された特定の製品、及び製品の特徴に基づいて、又は製品レビュー等の第三者情報によって、更に順序づけすることが可能である。順序づけされたマーチャントのリストは、価格又は製品在庫（オンライン又はオフライン）に関する入手可能な情報によって順序づけすることが可能である。
【０４３９】
実施形態では、第三者は、ユーザが加入することができる特定の順序づけサービスを提供することが可能である。ユーザは、ペイ・パー・ユース・ベースで又は継続的な会員として順序づけシステムへのアクセスを要求することが可能である。例えば、「Boston Magazine」を定期購読しているユーザは、「Best of Boston」リストに従って順序づけされたマーチャントのリストを得ることが可能である。別の例として、「Consumer Reports」を定期購読しているユーザは、マーチャントのリストを、該マーチャントが販売している製品の「Consumer Reports」ランキングに従って順序づけすることを要求することが可能である。ユーザはまた、「Consumer Reports」レーティング等の使い捨て式第三者レーティングを購入し、例えば、ラップトップコンピュータに関する検索クエリに応じて、特定のマーチャント及び／又は製品のリストの順序づけを行うことが可能である。この例では、使い捨て式「Consumer Reports」レーティングは、コンピュータ品質のランク順、ディペンダビリティ及びリライアビリティに基づく順序付け、及び価格に応じた順序づけ等を（該ランク順を生成する際に料金を支払うのと引き換えに）提供することが可能である。
【０４４０】
実施形態では、第三者ランキングシステムは、消費者にとってプライベートなコンテンツ及び／又はプライバシー保護されているコンテンツから引き出すことが可能である。運転中の車の近くにある薬局を探しているユーザは、該ユーザの医療記録にある処方情報に対応する薬剤の在庫の入手可能性に部分的に基づいて順序づけされたマーチャントのリストを受信することが可能である。かかる順序づけに使用される第三者データは、健康管理情報に関するプライバシー規制を受けることになる。患者は、データサービスに対して許可を与えることによりかかるサービスを選択することが可能であり、医療記録データを使用する場合には、該情報のプライバシーが保護されるように適切に暗号化されることになる。モバイル通信設備102を使用した比較ショッピングのための消費者に関する保護されたプライベートの又は秘密の情報の他の用途は、当業者には容易に想到されよう。
【０４４１】
実施形態では、消費者は、複数の第三者レーティング構造を含め、次いで比較ショッピング中にそれらを調和させ又は比較することを望む可能性がある。例えば、ラップトップに関する「Consumer Reports」ランキングを「PC World」ランキングと比較し又は調和させることが可能であり、これにより、両方のランキングシステムでトップランキングを有するラップトップ製品をリストの一番上に配置することが可能である。次いで、これらの製品を販売するマーチャントのリストを生成し、及び本書で説明したような他の基準（ユーザ特徴、使用パターン、第三者コンテンツ等）に従って順序づけすることが可能である。同様に、及び例証として、サービス及び／又はサービスプロバイダのリストは、第三者順序づけシステムにより順序づけすることが可能である。例えば、医師のリストは、「Board of Registry in Medicine」から入手可能な公開情報（医療ミスの申し立て、出版物の数、表彰の数、開業年数等）に従って、又は第三者ランキングシステム（「The Best Doctors in America」等）に従って、順序づけすることが可能である。
【０４４２】
実施形態では、モバイル通信設備102に関連する複数の順序づけパラメータの組み合わせを提供することが可能である。一例として、年齢及び職業等のユーザ特徴を使用して、コンピュータを販売するマーチャントを順序づけすることが可能であり、すなわち、特定のマーチャントにより販売されている特定のタイプのコンピュータを若い男性のグラフィックアーティストに適したものとしてランク付けすることが可能である。但し、中年女性の税理士については該ランキングは異なる可能性がある。次いで、結果的に得られたリストをユーザトランザクションに基づいてリファインして、若い男性のグラフィックアーティスト及び潜在的なMac消費者を、該ユーザの関心に訴え得る他の製品を販売したマーチャントへと方向付けるようにすることが可能である。例えば、オンライン注文パターン等のユーザトランザクションは、リストの順序をリファインするための情報を提供することが可能である。続いて、結果的に得られるマーチャントのリストを、他のパラメータにより順序づけすることが可能である。価格に敏感な若いグラフィックアーティストのために、順序づけパラメータとして価格を使用することが可能であり、一方、「Consumer Reports」を定期購読している中年の会計士は、順序づけパラメータとしてConsumer Reportsの「成績表」を使用することが可能である。順序づけシステムとモバイル通信設備102に関連するパラメータとの様々な組み合わせが本書の開示により熟慮されている。
【０４４３】
本書に記載するシステム及び方法を使用すると、ユーザは、モバイル通信設備102を使用して比較ショッピングを行うことが可能となる。ユーザに提供される製品選択及び順序づけされたマーチャントのリストから、及びユーザから直接的又は間接的に導出され又は第三者から導出された順序づけ基準から、ユーザが製品及びマーチャントを比較して購買決定を行うことが可能となる。
【０４４４】
実施形態では、フィルタアルゴリズムに関連して用いられるクエリ入力120に少なくとも部分的に基づいて結果を生成することが可能であり、ここで、該フィルタアルゴリズムは、ワイヤレスプロバイダ108により収集された情報を使用する。アルゴリズム設備144は、協調フィルタとすることが可能であり（この場合、検索はオープンウェブ検索）、又は推薦システムとすることが可能である。
【０４４５】
実施形態では、クエリ入力120は結果設備148を介して処理することが可能であり、この場合、該結果設備148は、モバイル通信設備102から導出された情報（モバイル加入者特徴112情報等）と関連するものとなる。
【０４４６】
実施形態では、検索クエリをモバイル通信設備102上で非曖昧化することが可能である。非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０４４７】
実施形態では、モバイル通信設備102上でのクエリ入力120は、該モバイル通信設備102上に存在するボイス認識設備160を介して部分的に処理することが可能である。代替的に、該ボイス認識設備160は、リモートサーバ上に存在することが可能であり、又は部分的にモバイル通信設備102上に存在し且つ部分的にサーバ上に存在することが可能である。
【０４４８】
実施形態では、モバイル通信設備102上でのクエリ入力120は、該モバイル通信設備102に関連する情報に関連して処理することが可能である。この情報は、モバイル通信設備102上にローカルに存在することが可能であり、又はリモートに（例えばモバイル加入者特徴112データベース内に）格納することが可能である。
【０４４９】
実施形態では、クエリ入力120は、モバイル通信設備102上で生成される結果を制限するためのペアレンタル・コントロール設備を提供するモバイル通信設備102上で処理することが可能である。該ペアレンタル・コントロール150は、サーバアプリケーションを介して、又はモバイル通信設備102を介して調整することが可能である。
【０４５０】
モバイル通信設備102上で見るために入手することが可能なコンテンツは、成人向けコンテンツを含む可能性があり、該成人向けコンテンツは、承認プロセスの使用を介して、ユーザの一部に対してのみその提示を制限することが可能である。一態様では、成人向けコンテンツの提示を可能にし又は制限する承認プロセスは、検索要求を受信し、モバイル通信設備に関する情報を受信し、及び、該モバイル通信設備102に関する情報に少なくとも部分的に基づいて、該モバイル通信設備が該検索要求に関する特定のタイプのモバイルコンテンツを受信することが承認されているか否かを判定する、という各ステップを含むことが可能である。モバイルコンテンツは、スポンサードコンテンツ、スポンサードリンク、スポンサードコール、ダウンロード可能コンテンツ、オーディオストリーム、ビデオ、グラフィック要素、又は他の形態の成人向けコンテンツとすることが可能である。モバイルコンテンツは、非成人向け及び成人向けを組み合わせた混合コンテンツである可能性がある。検索要求は、モバイル通信設備（電話、携帯電話、セルラー電話、及び／又はGSM電話を含む）により開始することが可能である。
【０４５１】
実施形態では、ポルノコンテンツ、賭博コンテンツ、ギャンブルコンテンツ、くじコンテンツ、又はその他の成人にとって適当であるモバイルコンテンツといった、成人向けコンテンツは、かかるコンテンツが意図する受け手であるモバイル通信設備102に関する情報を監視することにより制限することが可能である。該モバイル通信設備に関する情報は、年齢等のユーザ特徴とすることが可能である。該ユーザ特徴は、年齢、性別、人種、宗教、市外局番、郵便番号、自宅住所、勤務先住所、請求書送付先住所、信用情報、家族情報、所得情報、誕生日、出生地、使用者、職種、及び就労日数からなるグループから選択することが可能である。ユーザ特徴は、モバイル加入者特徴データベース内に格納することが可能である。モバイル通信設備に関する情報はまた、ユーザ履歴、ユーザトランザクション、地理的ロケーション、ユーザ装置、又は時刻を含むことが可能である。該通信設備に関する情報は、ワイヤレスオペレータ、ワイヤレスサービスプロバイダ、及び／又は電気通信プロバイダによって提供することが可能である。
【０４５２】
実施形態では、通信設備に関する情報は、モバイルコンテンツ権限情報とすることが可能である。該モバイルコンテンツ権限情報は、モバイル加入者特徴データベース112から導出することが可能である。該モバイルコンテンツ権限情報は、管理者による要求毎に記録をとることが可能である。
【０４５３】
本方法及びシステムの実施形態では、特定タイプのモバイルコンテンツを受信する権限がモバイル通信設備に与えられているか否かの判定は、モバイル通信設備のユーザに関する情報に少なくとも部分的に基づくものとすることが可能である。例えば、モバイル通信設備102のユーザがテキストクエリ入力「賭博」を入力する可能性がある。モバイル加入者データベース112に格納することが可能なモバイル通信設備102に関する情報は、該ユーザの年齢が30歳であることを示すことが可能である。この年齢が成年を越えているため、賭博に関する成人向けコンテンツを該ユーザのモバイル通信設備102上に提示する権限を与えることが可能である。代替的に、年齢等のユーザ特徴を使用して、ユーザが成人向けコンテンツを要求する前に権限情報を設定することが可能である。例えば、前記の例では、ユーザは成年を越えた年齢を有している。この情報は、モバイルコンテンツに関する検索要求を受信したか否かにかかわらず、該ユーザに関係するモバイル通信設備102上で成人向けコンテンツにアクセスする全般的な権限を該ユーザに許可することが可能なものとなる。この権限の付与は、ワイヤレスオペレータ、ワイヤレスプロバイダ、電気通信プロバイダ、個人（例えば保護者）、又はモバイル通信設備に提示する権限を与えるコンテンツを決定することに関心のある他のあらゆる関係者によって行うことが可能である。
【０４５４】
実施形態では、成人向けコンテンツを見る権限付与を個人により使用し、記録済の管理者の要求を用いて権限を設定するようにすることが可能である。例えば、保護者は、モバイル通信設備102上で成人向けコンテンツを子供に提示することが確実にできないことを望む可能性がある。該保護者は、該子供の電話機の管理者となり、ワイヤレスオペレータ、ワイヤレスプロバイダ、及び／又は電気通信プロバイダ等により維持されることが可能な権限付与設備にログオンすることが可能である。該権限付与設備にログオンした際に、該保護者にコンテンツタイプのメニューが提示されて、該保護者が各コンテンツタイプ毎に一意の権限レベルを設定することが可能となる。例えば、かかるメニューは分類法を含むことが可能である。かかる分類法は、「スポーツ」、「天気」、「ブログ」、「賭博」、「ニュース」、「ポルノ」、「健康」、「食品」といった一組の検索バーティカルを含むことが可能である（但しこれらには限定されない）。かかる分類法の範囲内で、保護者は、該検索バーティカルすなわちカテゴリからのコンテンツを子供のモバイル通信設備102に提示する権限を付与するか付与しないかを選択することが可能である。
【０４５５】
実施形態では、権限付与設備は、管理者が子供のモバイル通信設備102のクエリ入力設備120に入力された検索クエリから許容し又は阻止することができるキーワードを有することが可能である。例えば、管理者は、「team parlay」又は「betting line」等の賭博用語、ポルノに共通する明示的な参照、「power ball」、「pick 3」等のくじに関連する用語といった、成人向けコンテンツに一般に関連するキーワードを含むクエリ入力をクエリ入力設備が受容するのを阻止することが可能である。
【０４５６】
実施形態では、権限付与設備は、分類法ベースの権限付与の要素をキーワードベースの権限付与と組み合わせることが可能である。例えば、管理者は、検索バーティカル「ポルノ」に関係する性器を示す検索クエリから導出される検索結果の提示を阻止する一方で、検索バーティカル「健康」から導出された検索結果の提示を許可することを選択することが可能である。
【０４５７】
実施形態では、クエリ入力120は、プライバシー設備152を提供するモバイル通信設備102上で処理することが可能であり、該プライバシー設備152は、検索クエリに関連する個人情報又はその他の機密情報の損失からユーザを保護するためにモバイル通信設備102に付随するものである。
【０４５８】
実施形態では、クエリ入力120は、トランザクションセキュリティ設備154を提供するモバイル通信設備102上で処理することが可能であり、該トランザクションセキュリティ設備154は、クエリ入力120に関連するセキュアなトランザクションを可能にするよう構成された、モバイル通信設備102に付随するものである。該トランザクションセキュリティ設備154は、プライバシー152の保護を含むことが可能であり、及びペアレンタル・コントロール150又はディジタル著作権管理と連携して動作することが可能である。
【０４５９】
実施形態では、クエリ入力120は、キャリアビジネスルール130に関連して、及びモバイル通信設備102に関する情報に関連して、処理することが可能である。キャリアビジネスルール130は、ガーデン外コンテンツ、スポンサー情報、又はオークションを提示するウォールド・ガーデン結果を含むことが可能である。モバイル通信設備102に関する情報は、モバイル加入者特徴情報とすることが可能である。
【０４６０】
実施形態では、クエリ入力120は、モバイル通信設備102の表示装置上にスポンサー提供の結果を生成するモバイル通信設備102上で処理することが可能である。スポンサー提供の結果は、ペイドインクルージョン結果、オークション結果、又は（WAPサイト又は電話番号と関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、及びテキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関するものとすることが可能である。
【０４６１】
実施形態では、クエリ入力120をモバイル通信設備102上で非曖昧化することが可能であり、及びモバイル通信設備102に関する情報に部分的に基づいて関連するクエリを提案することが可能である。モバイル通信設備102に関する情報は、クエリの頻度、コンテンツのダウンロードの頻度、イベントの頻度の変化、及び購入の頻度とすることが可能である。この情報は、モバイル通信設備102上で装置キャッシュ内にローカルに格納することが可能であり、又はリモートに格納することが可能である。該キャッシュは、検索の非活動期間中に更新することが可能である。
【０４６２】
非曖昧化は、最初のクエリ入力120で使用されたタームの頻度に基づいて、又は使用されたタームのカテゴリ（例えば、タイトル、アーティスト、又はイエローページ式分類法）に基づいて、更なるクエリを提案することにより、生じさせることが可能である。提案は、モバイル通信設備102上での新しいキーストロークの入力に続いて更新することが可能である。非曖昧化はまた、モバイル加入者特徴112データベースに収容されている情報、クエリの作成に使用されたモバイル通信設備102のタイプ、キャリアビジネスルール130、検索アルゴリズム設備144、（結果又はクエリタームの人気に基づく）ターム頻度アルゴリズム、又はペアレンタル・コントロール150に基づくものとすることが可能である。
【０４６３】
実施形態では、非曖昧化されたクエリ入力120を、モバイル通信設備102に関する情報（例えば、装置能力）、モバイル加入者特徴112、又はペアレンタル・コントロール150に部分的に基づいて訂正することが可能である。非曖昧化中に、検索設備142から結果が全く受信されない場合には、その結果を表示する前にクエリを自動的に訂正することが可能である。検索設備142から受信した結果が蓋然性の低いものであると評価された場合には、モバイル通信設備102は、その結果の指示をその表示装置（例えば、携帯電話のLCD画面）上に提示することが可能である。
【０４６４】
実施形態では、クエリ入力120は、モバイル通信設備102に関する情報（例えば、加入者特徴、キャリアビジネスルール130、又はスポンサー情報）に部分的に基づいて推薦を作成することにより、モバイル通信設備102上で非曖昧化することが可能である。該推薦は、検索結果の提示に関連して該検索結果と同じ表示装置上に提示することが可能であり、又は、該検索結果の提示の前に又はその後に提示することが可能である。
【０４６５】
モバイル通信設備102上でのクエリ入力120の非曖昧化は、以前の検索活動とクエリ入力120から生成された検索結果との関係に基づいて推薦を提供することにより、生じさせることも可能である。以前の検索活動は、トランザクション、検索、又はその他のクエリ挙動を含むことが可能である。キャリアビジネスルール130を使用してクエリ入力120を非曖昧化することも可能であり、モバイル通信設備102のロケーション、時刻、クエリ入力120の時刻、又は個人用フィルタ（例えば、協調フィルタ）を使用することも可能である。例えば、ロケーション及び時刻情報の組み合わせは、交通手段（航海、タクシー、バス、列車、自動車、空港等）、食料及び飲料（食料品店、ドライブスルーレストラン、バー等）、エンターテイメント（劇場、スポーツ、映画、クラブ等）、ビジネス（企業、職場、銀行、郵便局、及びその他の郵送又は運送施設等）、消費者ニーズ（ガソリンスタンド、ドラッグストア又は衣料品店、ベビーシッター、駐車場等）、及び現地固有の情報（方向、ロケーション、開始時刻、ニュース等）を探しているユーザへ推薦を提供することが可能である。
【０４６６】
実施形態では、クエリ入力120をモバイル通信設備102上で非曖昧化することが可能であり、該非曖昧化された検索クエリに関する検索カテゴリの分類が、モバイル通信設備102に付随する表示装置上に提示される。
【０４６７】
実施形態では、クエリ入力120は、非曖昧化された検索クエリをカテゴリ分類法（例えばイエローページ式分類法）のクエリ分類へとマッピングすることにより、モバイル通信設備102上で非曖昧化することが可能である。
【０４６８】
実施形態では、クエリ入力120は、モバイル通信設備102に関する情報（例えば、モバイル加入者特徴112、キャリアビジネスルール130、又はスポンサー情報）に関連して非曖昧化された検索クエリに基づいて結果を取り出すことにより、モバイル通信設備102上で非曖昧化することが可能である。スポンサー情報を使用して、結果の表示パラメータを決定することが可能である。例えば、スポンサー情報に基づいて、結果を優先順位付けし、強調表示し、又は制限することが可能である。スポンサー情報は、ユーザのクエリ入力で使用され得るキーワードに関連づけるスポンサー情報を決定するための競争入札が行われるスポンサーオークションから部分的に導出することが可能である。
【０４６９】
実施形態では、検索クエリは、モバイル通信設備102に関する情報（例えば、モバイル加入者特徴112、検索アルゴリズム設備144、ペアレンタル・コントロール150、キャリアビジネスルール130、又はスポンサーシップ情報）に部分的に基づいて結果を順序づけすることにより、モバイル通信設備102上で非曖昧化することが可能である。スポンサー情報に基づく非曖昧化は、クエリ入力120で使用されるキーワードのスポンサー、又は結果的に得られる検索コンテンツのスポンサーを使用することにより行うことが可能である。スポンサードコンテンツは、優先的に表示し又は強調表示することが可能である。その優先順位付けに使用されるスポンサー情報は、ユーザのクエリ入力で使用し得る特定のキーワードにスポンサーのコンテンツを関連づけるための権利にスポンサーが入札するオークションの結果として生じることが可能である。
【０４７０】
他の非曖昧化順序づけルールは、結果カテゴリ内のコンテンツの量、キャリアビジネスルール130、モバイル加入者特徴112、検索アルゴリズム設備144、個人用フィルタ、ペアレンタル・コントロール150、スポンサーシップ情報、又はモバイル通信設備102の能力（例えば、表示画面サイズ、又はオーディオ、ビジュアル、若しくは処理能力）に部分的に関連するものとすることが可能である。
【０４７１】
実施形態では、クエリ入力120は、モバイル通信設備102に関する情報（例えば、キャリアビジネスルール130、モバイル加入者特徴112、検索アルゴリズム設備144、個人用フィルタ、ペアレンタル・コントロール150、又はスポンサーシップ情報）に部分的に基づいて予測テキストを生成することにより、モバイル通信設備102上で非曖昧化することが可能である。該予測テキストは、SMS変換又はキーパッドシーケンス変換を伴うことが可能であり、及びモバイル通信設備102に関する情報から導出されたカスタム生成辞書に部分的に基づくものとすることが可能である。
【０４７２】
実施形態では、曖昧なボイスクエリ入力120をモバイル通信設備102上で非曖昧化することが可能であり、この場合、該ボイスの解釈は、モバイル通信設備102に関する情報に部分的に基づくもの、ユーザに関する重み付けされた蓋然性に基づくもの、又はSMS変換に基づくものとなる。
【０４７３】
実施形態では、クエリ入力120は、該クエリに関するオークションを行うことにより、モバイル通信設備102上で非曖昧化することが可能であり、この場合、結果は、該オークションに部分的に基づくものとなる。オークションの結果を使用して、スポンサー提供の結果の表示の優先順位付けを行うこと、又は高額で入札したスポンサーからの情報を強調表示することが可能である。オークションの実行は、モバイル加入者特徴112、検索アルゴリズム設備144、個人用フィルタ、ペアレンタル・コントロール150、又はキャリアビジネスルール130に部分的に基づくものとすることが可能である。
【０４７４】
実施形態では、クエリ入力120は、モバイル通信設備102の画面上に結果を提示し、及びスポンサードリンクに関連してトランザクションを実行することにより、モバイル通信設備102上で非曖昧化することが可能である。ユーザがスポンサードリンクをクリックすることにより、又はダウンロード可能コンテンツを購入することにより、商取引が生じることが可能である。
【０４７５】
実施形態では、クエリ入力120は、収集されたコンテンツをモバイル通信設備102へ提示することにより、モバイル通信設備102上で非曖昧化することが可能である。該収集は、スパイダの使用を介して生じることが可能である。収集されたコンテンツは、着信音コンテンツ、音楽コンテンツ、又はビデオコンテンツを含むことが可能である。スパイダは、入手可能なコンテンツとユーザのモバイル通信設備102の能力との互換性を判定するために使用することも可能である。互換性は、模擬的なモバイル通信設備102の試行を介して判定することが可能であり、該試行中には、スパイダが（WAP互換コンテンツ又はコンテンツタイプに基づく）好ましさを基準としてサイトから結果を抽出する。
【０４７６】
実施形態では、クエリ入力120は、モバイル通信設備102上に表示するためのスポンサードリンクを選択し、及び該スポンサードリンクに関連するベンダが接続を選択的に受容することを可能にすることにより、モバイル通信設備102上で非曖昧化することが可能である。代替的に、クエリ入力120は、スポンサーの電話番号を含む検索結果を受信することにより、非曖昧化することが可能であり、該スポンサーの電話番号に電話がかけられて応答された際に商取引が行われる。
【０４７７】
実施形態では、非曖昧化されたコンテンツは、モバイル通信設備102に関する情報に部分的に基づいて該モバイル通信設備102へ配信することが可能である。提示されるコンテンツは、モバイル通信設備102のロケーションに関連する情報（例えば、レストラン、エンターテイメント、劇場、開演時刻）とすることが可能である。情報はまた、時刻、モバイル加入者特徴112、又はペアレンタル・コントロール150に関するものとすることが可能である。コンテンツは、広告を含むことが可能であり、及びモバイル通信設備102上にローカルに（例えば、キャッシュメモリ内に）格納することが可能であり、及び時刻及び／又はモバイル通信設備102のロケーションの変化に従って定期的に更新することが可能である。
【０４７８】
実施形態では、クリックスルー動作に基づいて、次いで、モバイル通信設備上での１つ又は２つ以上の非曖昧化された検索クエリ入力に部分的に基づいて、ワイヤレスキャリアレポートを生成することが可能である。該レポートは、検索結果の品質、キーワード管理、及び収入に関する情報を含むことが可能であり、及び使用されるモバイル通信設備102のタイプによって分割することが可能である。
【０４７９】
実施形態では、クエリ入力120は、モバイル通信設備102のアイドル画面で提示される検索ボックス内で非曖昧化することが可能である。
【０４８０】
実施形態では、モバイル通信設備102上のクエリ入力120設備に入力されるクエリ入力120を非曖昧化することが可能である。
【０４８１】
実施形態では、クエリ入力120は、モバイル互換ページランクに基づいて結果を生成するよう構成された検索設備142において非曖昧化することが可能である。該モバイル互換ページランクは、モバイル通信設備102の画面及び処理能力とのページの互換性から、又は１つ又は２つ以上のページの複雑性に基づいて、導出することが可能である。
【０４８２】
実施形態では、クエリ入力120と少なくとも１つのモバイル加入者特徴との関係を非曖昧化することが可能である。該モバイル加入者特徴112は、ロケーション、個人情報、ユーザのウェブ対話の履歴、又は複数の特徴（ロケーション及び時刻等）を含むことが可能である。
【０４８３】
実施形態では、位置情報サービスを使用してクエリ入力120とモバイル通信設備102のロケーションとの関係を生成することによりクエリを非曖昧化することが可能である。該関係は、少なくとも１つのクエリ入力120とロケーション及び時刻との関係とすることが可能である。ロケーションは、GPSシステム又はセルラー電話の三角測量サービスにより提供することが可能である。
【０４８４】
実施形態では、結果は、フィルタアルゴリズムに関連して使用された非曖昧化されたクエリ入力120に少なくとも部分的に基づいて非曖昧化することが可能であり、この場合、該フィルタアルゴリズムは、ワイヤレスプロバイダ108により収集された情報を使用する。アルゴリズム設備144は、協調フィルタとすることが可能であり（この場合、検索はオープンウェブ検索である）、又は推薦システムとすることが可能である。
【０４８５】
実施形態では、非曖昧化されたクエリ入力120は、結果設備148を介して処理することが可能であり、この場合、該結果設備148は、モバイル通信設備102から導出された情報（モバイル加入者特徴112情報等）に関連するものとなる。
【０４８６】
実施形態では、検索クエリをモバイル通信設備102上で非曖昧化することが可能である。非曖昧化は、モバイル通信設備102で又はサーバアプリケーションで行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０４８７】
実施形態では、クエリ入力120は、モバイル通信設備102上で非曖昧化することが可能であり、この場合、該クエリは、該モバイル通信設備102上に存在するボイス認識設備160を介して少なくとも部分的に処理することが可能である。代替的に、該ボイス認識設備160は、リモートサーバ上に存在することが可能であり、又は部分的にモバイル通信設備102上に存在し且つ部分的にサーバ上に存在することが可能である。
【０４８８】
実施形態では、クエリ入力120は、モバイル通信設備102に関する情報に関連して該クエリを処理するモバイル通信設備102上で非曖昧化することが可能である。この情報は、モバイル通信設備102上にローカルに存在することが可能であり、又はリモートに（例えばモバイル加入者特徴112データベース内に）格納することが可能である。
【０４８９】
実施形態では、クエリ入力120は、モバイル通信設備102上で生成される結果を制限するためのペアレンタル・コントロール設備を提供するモバイル通信設備102上で非曖昧化することが可能である。該ペアレンタル・コントロール150は、サーバアプリケーションを介して、又はモバイル通信設備102を介して調整することが可能である。
【０４９０】
実施形態では、クエリ入力120は、検索クエリに関連する個人情報又はその他の機密情報の損失からユーザを保護するためのモバイル通信設備102に付随するプライバシー設備152を提供するモバイル通信設備102上で非曖昧化することが可能である。
【０４９１】
実施形態では、クエリ入力120は、モバイル通信設備102に付随するトランザクションセキュリティ設備154を提供するモバイル通信設備102上で非曖昧化することが可能であり、この場合、該トランザクションセキュリティ設備154は、クエリ入力120に関連するセキュアなトランザクションを可能にするよう構成されている。該トランザクションセキュリティ設備154は、プライバシー152の保護を含むことが可能であり、及びペアレンタル・コントロール150又はディジタル著作権管理と連携して動作することが可能である。
【０４９２】
実施形態では、クエリ入力120の非曖昧化は、キャリアビジネスルール130に関連して、及びモバイル通信設備102に関する情報に関連して、処理することが可能である。キャリアビジネスルール130は、ガーデン外コンテンツ、スポンサー情報、又はオークションを提示するウォールド・ガーデン結果を含むことが可能である。モバイル通信設備102に関する情報は、モバイル加入者特徴情報とすることが可能である。
【０４９３】
実施形態では、クエリ入力120は、モバイル通信設備102の表示装置上にスポンサー提供の結果を生成するモバイル通信設備102上で非曖昧化することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、及びテキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関するものとすることが可能である。
【０４９４】
実施形態では、ペイ・パー・クリック及びペイ・パー・コールプログラムを、モバイル通信設備102上に統合させることにより、ワイヤレスプロバイダ108が、ターゲットを絞ったキーワードベースの広告及びコンテンツを、特定の商品及びサービスを探しているモバイルユーザへ、該ユーザが必要性を表明した瞬間に、配信することが可能となる。ペイ・パー・クリック広告は、「検索エンジンマーケティング」又は「キーワード広告」と呼ばれることが多く、能力給の原理で動作し、この手段を介して、広告主は、「クリック」（すなわちウェブサイトへの訪問）についてのみ料金を支払うことが可能となり、該広告主自身のテキストベースの広告を介して客を迎えることになる。企業は、その企業又は製品を最も良く表す特定の検索フレーズ（又は「キーワード」）に該企業の広告を設定する可能性がある。広告主は一般に、自身の広告に幾つかの異なるキーワードを使用して、該広告が現れることとなる検索の数を最大限にしようとする（例えば、Sonyは、検索フレーズ「DVDプレーヤ」、「テレビ」、「携帯電話」等について広告を行おうとする可能性がある）。検索エンジンマーケティングは、関連するキーワードで出現させるために広告主が「入札」するリアルタイムオークションベースの価格決定モデルを介して動作する。有料リストにおける広告主の位置すなわちランクは、入札価格によって決まり、最上位置は最高入札者のものとなる。キーワードの人気が広範囲にわたることに鑑みると、キーワードによって競争は大幅に変動し、すなわち、最も人気のあるキーワードの入札価格は、該キーワードが多くの広告主を惹きつけるため跳ね上がる。キーワードの競争は、製品の平均販売価格、顧客獲得コスト、及び競争相手の数を含む、幾つかの因子によって動かされる。広告主は、セルフサービス又は販売支援型ウェブインタフェイスを介して自身の広告を作成することが可能である。ウェブベースのペイ・パー・クリック製品の例として、Google AdWords、Yahoo! Search Marketing、MIVA、及び Lycos InSite（登録商標） AdBuyer が挙げられる。広告を作成する際に、広告主は、広告タイトル、URL、説明、及び／又はウェブサイトURLといった情報を供給することが可能である。ペイ・パー・コール広告は、検索機能142を生の電話による対話と組み合わせたものであり、結果的に地方の企業にとって強力なマーケティングの機会が生じることになる。
【０４９５】
ペイ・パー・コール広告は、次の点でペイ・パー・クリックと同じ原理で動作するものである：広告主が特定の検索結果又はディレクトリカテゴリで出現させるべく「入札」し、該広告主の広告を見た消費者が該広告主のリストアップされている電話番号（ユーザを企業の真の電話番号にリダイレクトする、システムにより生成される無料通話番号）に電話をかけた場合にのみ料金が請求される。有料の結果のリストにおける広告主の位置は、入札金額によって決まり、最高入札が最上位置をもたらすことになる。しかし、従来の検索広告とは異なり、ペイ・パー・コール広告は、適当なモバイル消費者を、彼らが特定の商品及びサービスを探しているまさにその瞬間に企業に直接結びつけることにより、比類なく高いレベルのユーザの「意思」に接近することが可能となる。ペイ・パー・コール・リストは、従来のディレクトリ又は「イエローページ」結果の上に提示することが可能である。
【０４９６】
実施形態では、第三者のペイ・パー・コール・インベントリをXMLフィードという形で供給することが可能であり、その各々は、キーワードの一致、広告主及び広告情報、入札価格、及び地理的フィルタ設定に関してクエリが生じる度に特定の結果データを返す。次いでこの情報がパースされて、「普通の」イエローページリストの一番上に積み重ねられる結果セット内にパッケージされる。出来高最適化アルゴリズムを使用して、各クエリに対する答えが関連性がありお金になる有料コンテンツセットとなることを確実にすることが可能である。該出来高最適化アルゴリズムは、幾つかの変数（関連性、地理、クリックスルー／コールスルーレート、及び入札価格を含む）を考慮して配置とランクを同時に決定する。関連性は、キーワード、ロケーション、及び最後に人口統計学的／行動的な因子を含むクエリストリング（広告で提供される情報及び／又は割り当てられたビジネスカテゴリと一致させることが可能）によって部分的に決定することが可能である。地理については、広告主により指定された個々の地理的領域（郵便番号、市、州）をサービスの対象とする企業のみを提示することが可能である。クリックスルー／コールスルーレートに関するアルゴリズムは、最良のクエリ一致の判定に、ユーザが実際に広告主に電話をかける頻度を考慮することも可能である。入札価格は、広告主により支払われた金額により部分的に決定される所与の広告の配置及びランクに関係するものである。
【０４９７】
実施形態では、広告主は、自身のモバイル検索ペイ・パー・クリック広告キャンペーンをユーザインタフェイスを介して作成し管理することが可能であり、該ユーザインタフェイスは、広告の作成を可能とし、該（１つ又は２つ以上の）広告に関連づけるキーワードの選択を可能とし、及び／又は該広告をアクセス可能にすべき（１つ又は２つ以上の）サービスエリアの選択を可能とし、広告主は、該サービスについて入札を行うことが可能となる。広告主は、例えば、広告タイトル、「ランディングページ」URL/アドレス（ユーザが連れて行かれることになるページ−表示されず）、「表示」URL/アドレス（広告内に表示されるべきアドレス）、及び広告の説明（1-2行：広告内に表示するためのもの）を含む、広告の独創的なコンテンツを入力することから始めることが可能である。広告主は次いで、広告を出現させるべきキーワード（検索フレーズ）を入力することが可能である。キーワードの入力方法は幾つか存在し、例えば、手動入力（広告主がキーワードを手作業でタイプ／コピーする）、キーワード提案ツール／シソーラスの使用（広告主は同義語又は関連するキーワード並びに推定月間検索量及び最高入札額を見ることができる）、及び／又はバルクアップロード（広告主は大量のキーワードを扱う場合に該キーワードをまとめてアップロードすることができる）が挙げられる。最後に、広告主は、１つ又は２つ以上の広告が一部のユーザのみ（例えば、特定の地理的領域に住んでいるユーザ、一組の人口統計学的なユーザ特徴を満たすユーザ、及び／又は特定のモバイル通信設備102を有しているユーザのみ）をターゲットとすることを希望することが可能である。
【０４９８】
広告主が、上記基準の１つ又は２つ以上を選択すると、該広告主は次いで、自身のウェブサイトへのクリックスルーについて支払う意思のある特定の価格又は最高の価格を設定することが可能である。入札は、所与の広告に関連づける各キーワードについて、又は、１つ又は２つ以上の広告の配置を目的として広告主により使用される他の基準もしくは複数の基準の組み合わせについてのものとすることが可能である。入札は、キーワードによって個々に行うことが可能であり、又は広告主が新しい広告のための全ての新しいキーワードについて１つの入札価格を付与することができる。広告主はまた、キーワードの競争を評価するため、及び自身の広告が所望の位置に現れることを確実にするために、ユーザインタフェイスを直接介して各キーワード毎に最高入札額を見ることが可能である。該入札プロセスは、「自動入札」機能を含むことも可能であり、該機能は、そのプラットフォームが広告主の入札を直接管理することを可能にするものである。例えば、広告の所望の位置と広告主が各クリック毎に支払う意思のある最高金額を指定することにより、広告主は、そのシステムに、市場勢力図を監視させ、及び所望の場所を確保するために必要となる（該指定した最高金額までであってそれを越えない）最低限の金額を支払うよう該広告主の入札を調節させることが可能である。
【０４９９】
実施形態では、広告主は、自身のモバイル検索ペイ・パー・コール広告キャンペーンをユーザインタフェイスを介して作成し管理することが可能であり、該ユーザインタフェイスは、広告の作成、該（１つ又は２つ以上の）広告に関連づける細目の選択、及び／又は該広告をアクセス可能にする（１つ又は２つ以上の）サービスエリアの選択を可能にするものであり、広告主は該サービスについて入札を行うことが可能である。広告主は、例えば、企業名、郵送先／連絡先住所、電話番号（広告主が電話を受けることを希望する番号：広告はシステムにより生成された無料電話番号を表示することが可能）、及び／又は広告の説明を含む、企業に関する一般的な連絡先情報を入力することから始めることが可能である。広告主はまた、日々の電話できる時間／スケジュールの設定（広告主は広告を出現させたい時刻を指定することが可能）、広告と共に出現する企業ロゴのアップロード、クーポン情報の入力（例えば、広告主は、特定の広告に到達したユーザのためのキャンペーン特有の割引を設定することが可能）を含む、各広告に関する追加の部分的な情報及び機能を入力することが可能である。広告主は次いで、広告を出現させるものとなるキーワード（検索フレーズ）を入力することが可能である。キーワードの入力方法は幾つか存在し、例えば、手動入力（広告主がキーワードを手作業でタイプ／コピーする）、キーワード提案ツール／シソーラスの使用（広告主は推定月間検索量及び最高入札額と共に同義語又は関連するキーワードを見ることができる）、及び／又はバルクアップロード（広告主は大量のキーワードを扱う場合に該キーワードをまとめてアップロードすることができる）が挙げられる。広告主は、１つ又は２つ以上の広告が一部のユーザのみ（例えば、特定の地理的領域に住んでいるユーザ、一組の人口統計学的なユーザ特徴を満たすユーザ、及び／又は特定のタイプのモバイル通信設備102を有しているユーザのみ）をターゲットとすることを選択することが可能である。広告主は、ペイ・パー・コールシステムを介して電話を受けた場合に必ず請求されることとなる特定の価格を設定することが可能である。広告主は、自身の広告が所望の位置に現れることを確実にすると共にその成果を最適化するために、各カテゴリ毎に競争相手の価格をリアルタイムで見る能力を得ることが可能である。
【０５００】
実施形態では、キーワード販売のスポンサーのリスト（ペイ・パー・クリック及びペイ・パー・コールの両方）は、その管理上及び編集上の再検討を経て、広告が、広告主により選択された事業及びカテゴリに関係するものとなること、及び該広告が、出来高最適化アルゴリズムによって適切な関連性を有するものであるとみなされることになることを確実にすることが可能である。
【０５０１】
実施形態では、ペイ・パー・クリック及びペイ・パー・コール広告の価格は、モバイル通信設備102のインタフェイスを介して電話が成功裏にかけられた場合にのみ広告主に料金を請求するという点で「成果に基づく支払い」とすることが可能である。繰り返しの電話、短い電話（例えば間違い電話又はその他の意図的でない電話）、及び／又は受話器を置き又は電話が切れた場合について、広告主に料金が請求されないように、プラットフォームを構成することが可能である。電話毎の一定料金に加え、何らかの特定の通話（例えば、所与の時間しきい値を越えた通話）に超過料金を課すことが可能である。
【０５０２】
モバイルコンテンツウェブサイトは、テキストを含むウェブページを含むことが可能である。該テキストは、ウェブページ上のナビゲーション又はアクティベーションリンクとは無関係なものとすることが可能であるが、該ウェブサイトの価値及び目的の有用な洞察を提供することが可能である。代替的に、該テキストは、ユーザ又は検索エンジンによりクリックされた際に該モバイルコンテンツウェブサイト内の異なるウェブページをオープンすることが可能なナビゲーションリンク（内部リンク）に関するものとすることが可能である。テキストは、ユーザ又は検索エンジンによりクリックされた際に該モバイルコンテンツウェブサイトの外部のウェブページをオープンすることが可能なナビゲーションリンク（外部リンク）に関するものとすることが可能である。テキストはまた、製品を注文するため、E-mailリストに登録するため、ビデオを見るため、及び１つ又は２つ以上のオプションを選択するためのリンクといった、アクションリンクに関するものとすることが可能である。
【０５０３】
モバイルコンテンツウェブサイト上の様々なテキストは、製品、サービス、業務、機能、又はモバイルコンテンツウェブサイトの目的に、１つ又は２つ以上の態様で関連する、ターム（ワード、フレーズ、表現等）を含むことが可能である。該テキストが、ほぼ完全な文で提示される場合には、該テキストは、その読みやすさのためには重要であるがモバイルコンテンツウェブサイトには関係のないタームも含むことが可能である。該テキストはまた、１つ又は２つ以上のアクションリンク（注文、又はユーザ名入力ウィンドウ等）に関係するがモバイルコンテンツウェブサイトの価値及び目的の有用な洞察を実質的に提供しないタームを含むことが可能である。
【０５０４】
モバイルコンテンツウェブサイトに関連するテキストの別の側面は、他のウェブサイトのページ上にある該モバイルコンテンツウェブサイトへのインバウンドリンクである。これらのインバウンドリンク及びそれらに関連するテキストは、該モバイルコンテンツウェブサイトの価値及び／又は目的に高度に関連するタームを含むことも可能である。
【０５０５】
モバイルコンテンツウェブサイトに関連するテキストの更に別の側面は、電話リストである。ホワイト若しくはイエローページの電話番号リスト又はオンラインディレクトリ等の他のディレクトリは、該モバイルコンテンツウェブサイトに関連するターム（及び連絡先情報）を含むことも可能である。
【０５０６】
モバイルコンテンツウェブサイトのスポンサーは、彼らのウェブサイトをモバイル通信ユーザへ宣伝することを望む可能性がある。モバイル通信ユーザは、該モバイルコンテンツウェブサイトについて学ぶことを望む可能性があり、このため、該ユーザは、モバイル検索サービスを使用して自分が興味のあるウェブサイトを識別する可能性がある。（特にウェブサイトに関連する）検索サービスにより使用される技術は、ユーザにより入力されたキーワードとウェブサイトに関連するタームとの照合である。このため、スポンサーは、モバイルコンテンツウェブサイトを解析して関連するタームを識別し、及びおそらくは最も人気があり又は有用なタームを識別するためにタームをランク付けするための、方法又はシステムを得ることを好む可能性がある。スポンサーは更に、関連するタームが、人気があり又は有用なキーワードに一層厳密に一致するように、解析システム又は方法を使用してウェブサイトのテキストを改善することが可能である。
【０５０７】
実施形態では、モバイルコンテンツウェブサイトを解析して該モバイルコンテンツウェブサイトで使用されている関連するタームを表すキーワードを識別する方法又はシステムを使用することが可能である。一例として、自動システムは、モバイルコンテンツウェブサイトの各ページを処理し、テキスト中のタームをカウントして、該ウェブサイトにおける各タームの個数を得ることが可能である。共通のターム（前置詞等）を除去する１つ又は２つ以上のフィルタを介した更なる処理の結果として、テキスト中の一意の関連するタームの個数を得ることができる。そのワードを複数のグループ（例えば、アクションリンク、内部リンク、及び外部リンク等に関係するターム）へと更に処理する結果として、モバイルコンテンツウェブサイトの関連するタームの解析結果を得ることが可能となる。該結果は、レポートとして要約することが可能であり、及びスポンサーへ提示することが可能である。
【０５０８】
実施形態では、該モバイルコンテンツウェブサイトキーワード／ターム解析レポートを、モバイル通信ユーザに対するモバイルコンテンツウェブサイトの広告及び／又は宣伝を含むマーケティングプログラムに組み込むことが可能である。該マーケティングプログラムは、スポンサー設備162をサポートするワイヤレスプロバイダ108により又は該ワイヤレスプロバイダ108に関連して提供することが可能であり、該スポンサー設備162を介して該マーケティングプログラムの少なくとも一部を管理することが可能となる。該マーケティングプログラムは更に、モバイルコンテンツウェブサイトへのインバウンドリンクに関連するテキスト（及び該リンク自体）及び電話リストに関連するテキストの解析を含むことが可能であり、これにより、モバイルコンテンツウェブサイトに関連するテキストの完全なビューが提供される。
【０５０９】
マーケティングプログラムはまた、スポンサーのウェブサイトを評価して、モバイル通信ユーザにより検索で頻繁に使用されることが分かっているキーワード及び／又はキーフレーズが現れる頻度を判定する、という処理を含むことが可能である。該キーワード及び／又はキーフレーズが既知になると、スポンサーのウェブサイトのコンテンツに対するキーワードの関連性を示すサイト関連性スコアを導出することが可能である。次いで、この関連性スコアを使用して、スポンサーがマーケティングプログラムを管理するのを支援することが可能である。スポンサーは、自身のコンテンツに対して最大の関連性を有するキーワード及び／又はキーフレーズに集中的に出資することが一層容易となると共に、該スポンサー自身のモバイルコンテンツウェブサイトの関連するタームもまたマーケティングプログラムにおいて適切に出資されることが確実となる。
【０５１０】
マーケティングプログラムはまた、１つ又は２つ以上のキーワード及びタームについての入札金額に関する１つ又は２つ以上の推薦又は選択を含むことが可能である。マーケティングプログラムの重要な特徴として、広告を行うことが挙げられ、該広告は、広告するコンテンツに関する提案、又はウェブサイトに関連づけされるべきターゲットURLを含むことが可能である。該提案されるコンテンツはウェブサイト内部のものとすることが可能であり、これにより、モバイルコンテンツウェブサイトの関連性スコアを増大させる（すなわち、より多くのモバイル通信ユーザをスポンサーのウェブサイトへ導くと思われる）キーワード又はキーフレーズに広告を組み合わせることが可能となる。
【０５１１】
関連するタームの選択は、ユーザのキーワード検索に応じてモバイル通信装置の表示装置172上に表示される、モバイルコンテンツのスポンサーの表示順、及びコンテンツの量を改善することが可能である。モバイル通信設備102上の表示順及び表示量は、スポンサードコンテンツの関連性に少なくとも部分的に基づくものとすることが可能である。例えば、関連性は、スポンサーのコンテンツにおけるタームとクエリ入力設備120でユーザが入力したキーワードとの一致に基づくものとすることが可能である。
【０５１２】
モバイルコンテンツのスポンサーのウェブサイトを解析することにより導出されるタームに加えて、マーケティングプランは、シソーラスを介して該タームを処理することにより自動的に提供される更なるキーワードを含むことが可能である。更に、該マーケティングプランは、スポンサーにより入力されたキーワード及びこれらキーワードのシソーラス・ルックアップを含むことが可能である。
【０５１３】
実施形態では、以前に生成されたキーワードの関連性を評価するために、モバイルコンテンツウェブサイトのコンテンツの変化を定期的に解析することが可能である。例えば、スポンサーは、以前にキーワードに関連づけされたウェブサイトコンテンツがもはや信頼できなくなる程度にウェブサイトを更新する（すなわち、更新されたコンテンツと既存のキーワードとがもはや高い関連性を有さない）可能性がある。これが生じると、システムは、キーワードの関連性が低下したことを示す警告をスポンサーへ送ることが可能であり、及びマーケティングプログラムにおいて出資されているキーワードの改訂を推薦することが可能である。
【０５１４】
実施形態では、クライアント装置に関する情報に部分的に基づいて、提案された検索クエリを訂正することにより、検索クエリを提案することが可能である。ユーザが、提案されたクエリ入力120を受信した際、理解し易くて有用な（１つ又は２つ以上の）結果セットを生成するのに十分な曖昧でないクエリ形成のために訂正プロセスが必須となり得る。該訂正プロセスの一部として、モバイル通信設備102のタイプに固有の情報を使用することが可能であり、例えば、該装置が独自の配信能力を有する場合には、かかる能力と互換性のある結果セットを導出するために、提案されたクエリの訂正が必要となり得る。また、モバイル加入者特徴112データベース又はペアレンタル・コントロール150設備に格納されている情報を該訂正プロセスと統合させることが可能である。
【０５１５】
提案されたクエリは、空の結果セット又は蓋然性の低い結果セットを返す可能性がある。この場合には、検索設備142は、モバイル通信設備102と連携して、訂正を自動的にトリガして、空でない又は蓋然性の高い結果セットが配信されるまで、代替的な提案されたクエリを繰り返し循環することが可能である。
【０５１６】
実施形態では、モバイル通信設備102に関する情報に基づき、提案されたクエリ入力120に続いて更なる推薦を行うことが可能である。例えば、モバイル加入者特徴112、キャリアビジネスルール130、又はスポンサー情報は、提案されたクエリ入力120と連携して、ユーザのための関連する推薦を提案することが可能である。該推薦は、提案されたクエリ入力120の検索結果と対にすることが可能であり、又は該検索結果の表示に先立ち又はその表示に続いて提示することが可能である。
【０５１７】
ユーザの以前の検索活動及び検索結果を使用して、該ユーザのための推薦を生成することも可能である。以前の検索活動は、トランザクション、検索クエリ、ウェブサイトへの訪問、及びモバイル通信設備102でユーザが開始する他の活動を含むことが可能である。モバイル通信設備102の地理的なロケーションは、ユーザの現在の地理的な近傍におけるスポンサー情報（例えば製品及びサービス）を含む（但しこれには限定されない）推薦を生成することが可能である。現在時刻を他の情報とは無関係に又は他の情報と共に使用してユーザ推薦を生成することが可能である。例えば、正午であるという独立した事実は、ランチを提供するレストランに関する推薦を生成することが可能である。この情報をモバイル通信設備102のロケーションにより更にフィルタリングして、現在ユーザのすぐ近くにある前記レストランのみを推薦することが可能であり、及び加入者の特徴により更にフィルタリングして、該ユーザのプロファイルに類似した人口統計学的なプロファイルを有するレストランの客によって高い格付けを受けている現在該ユーザの近所にあるランチを提供するレストランの一部のみを推薦することが可能である。上記のレストランの例の場合のように、意味のある推薦を生成するための同様のプロセスを他のサービス及び製品に適用することが可能であり、かかるサービス及び製品には、輸送（航海、タクシー、バス、列車、空港等）、食料及び飲料（食料品店、ドライブスルーレストラン、バー等）、エンターテイメント（劇場、スポーツ、映画、クラブ等）、ビジネス（会社、職場、銀行、郵便局、及びその他の郵送及び輸送施設等）、消費者ニーズ（ガソリンスタンド、ドラッグストア又は衣料品店、ベビーシッター、駐車場等）、及び現地固有の情報（方向、ロケーション、開始時刻、ニュース等）が含まれる。
【０５１８】
実施形態では、検索カテゴリの分類は、モバイル通信設備102に関連する表示装置上の提案された検索クエリに関連して提示することが可能である。
【０５１９】
実施形態では、提案されたクエリ入力120は、クエリカテゴリの分類法及び分類スキーマ（例えば、イエローページ電話帳の分類法）へとマッピングすることが可能である。
【０５２０】
実施形態では、結果は、モバイル通信設備102に関する情報と併せた提案されたクエリ入力120の提出に基づいて取り出すことが可能である。この情報は、モバイル加入者特徴112、キャリアビジネスルール130、及びスポンサー情報を含むことが可能である。これらのデータベースに格納されている更なる情報は、提案された検索クエリと１つ又は２つ以上の結果セットの表示とを制限する検索パラメータを形成することが可能であり、該制限は、情報を省略し、情報を優先順位づけし（例えば他の全ての前にスポンサーリンクを提示し）、検索結果セットの一部を強調表示し、又はスポンサーオークションに基づいて情報の表示を順序づけする（すなわち、最高入札者を最初に提示する）ことにより行われる。スポンサーオークションの場合、スポンサーは、該スポンサー自身の製品、サービス、及びそれらへのリンクに関連づけたいキーワードについて入札を行うことが可能である。
【０５２１】
実施形態では、結果は、モバイル通信設備102に関する情報に少なくとも部分的に基づいて提案されたクエリ入力120に関連して順序づけすることが可能である。この情報は、モバイル加入者特徴112、検索アルゴリズム設備144、ペアレンタル・コントロール150、キャリアビジネスルール130、及び／又はスポンサー情報を含むことが可能である。スポンサー情報に基づく提案されたクエリ入力120に関する結果の順序づけは、提案されたクエリ入力で使用したキーワードにスポンサーを関連づけることにより、及び／又はスポンサーコンテンツに提案されたクエリ入力を関連づけることにより、行うことが可能である。提案されたクエリ入力120がスポンサーの１つ又は２つ以上のキーワード又はコンテンツと一致する場合、該スポンサーの情報を検索結果表示において優先的に表示し、強調表示し、又はその他の態様で、提案されたクエリ入力120に関する他のコンテンツよりも優位性を持たせることが可能である。スポンサーとのキーワードの関連づけは、キーワードとの唯一の関連づけ又は共有された頻度のキーワードの関連づけ（例えばキーワードの一回おきの発生）を入札者が競り合うオークションを介して生じることが可能である。更に、該オークションプロセスは、結果的に得られるスポンサーコンテンツの表示のサイズ（例えばモバイル通信設備102におけるユーザの全表示スペースのパーセンテージとして表されるサイズ）及び結果表示に対してマルチメディアコンテンツ（グラフィクス、オーディオ、又はビデオストリーム等）を追加するためのオプションを決定するための入札を含むことが可能である。
【０５２２】
提案されたクエリ結果はまた、モバイル通信設備102の能力に部分的に基づいて順序づけすることが可能であり、この場合、該能力とは、オーディオ、ビジュアル、処理、又は画面能力である。
【０５２３】
実施形態では、クエリ入力120は、モバイル通信設備102に関する情報（モバイル加入者特徴112、検索アルゴリズム設備144、個人用フィルタ、ペアレンタル・コントロール150、キャリアビジネスルール130、又はスポンサーシップ情報等）に少なくとも部分的に基づいて予測テキストを生成することにより提案することが可能である。更に、予測テキストは、モバイル通信設備102のSMS変換及び／又はキーパッドシーケンス変換に基づくものとすることが可能である。
【０５２４】
実施形態では、ボイスベースのクエリ入力120をモバイル通信設備102に関する情報（例えばSMS変換に少なくとも部分的に基づくボイス解釈）に関連づけることにより、クエリ入力120を提案することが可能である。
【０５２５】
実施形態では、オークションを提案されたクエリ入力120に関連づけることが可能である。オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサー提供の結果を優先し又は強調することが可能である。
【０５２６】
実施形態では、検索クエリがモバイル通信設備102上で提案され、結果が該モバイル通信設備102に関する画面上に提示され、及びスポンサードリンクに関連してトランザクションが実行され、この場合、該トランザクションは、該スポンサードリンクをユーザがクリックすることにより又はダウンロード可能コンテンツの購入等の商取引をユーザが行うことにより生じることが可能である。
【０５２７】
実施形態では、収集されたコンテンツをモバイル通信設備102へ提示することにより、検索クエリを提案することが可能である。コンテンツ（例えば、着信音コンテンツ、音楽コンテンツ、又はビデオコンテンツ）はスパイダを介して収集することが可能である。該スパイダは、モバイル通信設備102の能力とのコンテンツの互換性を判定することが可能である。互換性の判定は、一連の模擬的なモバイル通信設備102の試行を実行し、その結果を使用して好ましさを基準としてサイトから結果を抽出することにより行うことが可能である。好ましさを基準とするため、WAP互換コンテンツサイトからの抽出が最初に提供され、又はモバイル通信設備102に関する情報に関連してコンテンツが収集されたコンテンツタイプサイトからの抽出が最初に提供される。
【０５２８】
実施形態では、クエリ入力120は、モバイル通信設備102に関連する表示装置上にスポンサードリンクを表示することにより提案することが可能であり、該スポンサードリンクは、該スポンサードリンクに関連するベンダが接続を選択的に受容すること又は検索結果（スポンサーの電話番号を含む）を選択的に受容することを可能にし、この場合、該スポンサーの電話番号が着呼し応答した電話番号のうちの少なくとも１つであるとき、商取引が行われる。
【０５２９】
実施形態では、コンテンツは、モバイル通信設備102に関する情報に少なくとも部分的に基づいて該モバイル通信設備102へ配信することが可能であり、及び提案された検索クエリの結果としてコンテンツを後に生成することが可能である。提示されるコンテンツは、モバイル通信設備102のロケーションに関連する情報（レストラン、エンターテイメント、劇場、及び開演時刻等）とすることが可能である。情報はまた、時刻、モバイル加入者特徴112、又はペアレンタル・コントロール150に関連するものとすることが可能である。コンテンツは、広告を含むことが可能であり、及びモバイル通信設備102上にローカルに格納することが可能である。例えば、コンテンツは、キャッシュメモリ内にローカルにキャッシュし、サーバアップデートとブレンドし、及び／又は、時刻及び／又はモバイル通信設備102のロケーションの変化に従ってバックグランドで（すなわち、ユーザのキーストロークを必要とすることなく）定期的に更新することが可能である。
【０５３０】
実施形態では、モバイル通信設備102上での１つ又は２つ以上の提案された検索クエリ入力に次ぐクリックスルー動作に基づいてワイヤレスキャリアレポートを生成することが可能である。該レポートは、検索結果の品質、キーワード管理、及び収入に関する情報を含むことが可能であり、及び使用されるモバイル通信設備102のタイプによって分割することが可能である。
【０５３１】
実施形態では、モバイル通信設備102のアイドル画面で提示される検索ボックス中に、クエリ入力120を提案することが可能である。
【０５３２】
実施形態では、モバイル通信設備102上に入力されたクエリに関連して検索クエリを提案することが可能であり、この場合、該提案は、モバイル通信設備102に関する表示装置上に提示することが可能な複数の提案である。
【０５３３】
実施形態では、モバイル通信設備102上のクエリ入力120設備に入力されたクエリ入力120を提案することが可能である。
【０５３４】
実施形態では、モバイル互換ページランクに基づいて結果を生成するよう構成された検索設備142に検索クエリを提案することが可能である。該モバイル互換ページランクは、モバイル通信設備102の画面及び処理能力とのページの互換性から、又は１つ若しくは２つ以上のページの複雑性から、導出することが可能である。
【０５３５】
実施形態では、クエリ入力120と少なくとも１つのモバイル加入者特徴との関係を生成することにより、検索クエリを提案することが可能である。該モバイル加入者特徴112は、ロケーション、個人情報、ユーザのウェブ対話の履歴、又はロケーション若しくは時刻等の複数の特徴を含むことが可能である。
【０５３６】
実施形態では、位置情報サービスを使用して、クエリ入力120とモバイル通信設備102のロケーションとの関係を生成することにより、検索クエリを提案することが可能である。該関係は、少なくとも１つのクエリ入力120とロケーション及び時刻との関係とすることも可能である。ロケーションは、GPSシステム又はセルラー電話の三角測量サービスにより提供することが可能である。
【０５３７】
実施形態では、フィルタアルゴリズムに関連して用いられるクエリ入力120に少なくとも部分的に基づいて結果を生成することにより、クエリを提案することが可能であり、この場合、該フィルタアルゴリズムは、ワイヤレスプロバイダ108により収集された情報を使用する。アルゴリズム設備144は、協調フィルタとすることが可能であり（この場合、検索はオープンウェブ検索）、又は推薦システムとすることが可能である。
【０５３８】
実施形態では、結果設備148を介してクエリ入力120を処理することにより、クエリ入力120を提案することが可能であり、この場合、該結果設備148は、モバイル通信設備102から導出された情報（モバイル加入者特徴112情報等）に関連するものとなる。提案されるクエリ及びそれに対応する結果は、コンテンツの人気ランクの変化、コンテンツに関するクエリの頻度、コンテンツに関連するクエリ活動の加速／減速、購入の頻度、高／低販売コンバージョンレート、及びコンテンツに関連するこれら尺度の変化、に適応させることが可能である。コンテンツは、頻繁なターム（例えば「Tyra Banks out of 1, 2, 3」)で「ディデュープ」し、及びタイトル、アーティスト、及び／又はイエローページ式分類法によってカテゴライズすることが可能である。
【０５３９】
実施形態では、検索クエリをモバイル通信設備102上で提案することが可能である。提案されたクエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０５４０】
実施形態では、クエリ入力をモバイル通信設備102上で提案することが可能であり、この場合、提案された検索クエリに関連する元の検索クエリは、モバイル通信設備102上に存在するボイス認識設備160を介して部分的に処理される。代替的に、該ボイス認識設備160は、リモートサーバ上に存在することが可能であり、又は部分的にモバイル通信設備102上に存在し且つ部分的にサーバ上に存在することが可能である。
【０５４１】
実施形態では、モバイル通信設備102上でクエリ入力120を提案することが可能であり、この場合、該モバイル通信設備102は、該モバイル通信設備102に関連する情報に関連して、提案されたクエリを処理する。この情報は、モバイル通信設備102上にローカルに存在することが可能であり、又はリモートに（例えばモバイル加入者特徴112データベース内に）格納することが可能である。
【０５４２】
実施形態では、クエリ入力120は、モバイル通信設備102上で生成される結果を制限するためのペアレンタル・コントロール設備を提供するモバイル通信設備102上で提案することが可能である。該ペアレンタル・コントロール150は、サーバアプリケーションを介して又はモバイル通信設備102を介して調整することが可能である。
【０５４３】
実施形態では、クエリ入力120は、検索クエリに関連する個人情報又はその他の機密情報の損失からユーザを保護するためのモバイル通信設備102に関連するプライバシー設備152を提供するモバイル通信設備102上で提案することが可能である。
【０５４４】
実施形態では、クエリ入力120は、モバイル通信設備102に関連するトランザクションセキュリティ設備154を提供するモバイル通信設備102上で提案することが可能であり、この場合、該トランザクションセキュリティ設備154は、クエリ入力120に関連するセキュアなトランザクションを可能にするよう構成されている。該トランザクションセキュリティ設備154は、プライバシー152の保護を含むことが可能であり、及びペアレンタル・コントロール150又はディジタル著作権管理と連携して動作することが可能である。
【０５４５】
実施形態では、キャリアビジネスルール130に関連して、及びモバイル通信設備102に関する情報に関連して、クエリ入力120を処理することにより、クエリを提案することが可能である。キャリアビジネスルール130は、ガーデン外コンテンツ、スポンサー情報、又はオークションを提示するウォールド・ガーデン結果を含むことが可能である。モバイル通信設備102に関する情報は、モバイル加入者特徴情報112とすることが可能である。
【０５４６】
実施形態では、クエリ入力120は、モバイル通信設備102の表示装置上にスポンサー提供の結果を生成するモバイル通信設備102上で提案することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０５４７】
実施形態では、モバイル通信設備102に関する情報に基づいて訂正されたクエリ入力120に続いて追加の推薦を行うことが可能である。例えば、モバイル加入者特徴112、キャリアビジネスルール130、又はスポンサー情報は、クエリ入力120と共に、ユーザのための関連する推薦を提案することが可能である。該推薦は、訂正されたクエリ入力120の検索結果と対にすることが可能であり、又は該検索結果の表示前に又はその表示後に提示することが可能である。
【０５４８】
ユーザの以前の検索活動及び検索結果は、ユーザのための推薦を生成するために使用することが可能である。以前の検索活動は、取引、検索クエリ、ウェブサイトの訪問、及びモバイル通信設備102上でユーザにより開始されたその他の活動を含むことが可能である。モバイル通信設備102の地理的なロケーションは、ユーザの現在の地理的な近傍におけるスポンサー情報（例えば製品及びサービス）を含む（がこれには限定されない）推薦を生成することが可能である。現在時刻を他の情報とは別個に又は他の情報と共に使用してユーザ推薦を生成することが可能である。例えば、正午であるという独立した事実は、ランチを提供するレストランに関する推薦を生成することが可能である。この情報をモバイル通信設備のロケーションにより更にフィルタリングして、ユーザのすぐ近くにあるレストランのみを推薦することが可能であり、及び、加入者の特徴により更にフィルタリングして、ユーザの人口統計学的なプロファイルと類似した人口統計学的プロファイルを有するレストランの顧客によって高い格付けを受けておりユーザの現在の近くにありランチを提供する一部のレストランのみを推薦することが可能である。上記のレストランの例の場合のように、意味のある推薦を生成するための同様のプロセスを独立して又は互いに関係して使用することが可能な他のサービス及び製品に適用することが可能であり、かかるサービス及び製品には、輸送（航海、タクシー、バス、列車、自動車、空港等）、食料及び飲料（食料品店、ドライブスルーレストラン、バー等）、エンターテイメント（劇場、スポーツ、映画、クラブ等）、ビジネス（会社、職場、銀行、郵便局、及びその他の郵送及び輸送施設等）、消費者ニーズ（ガソリンスタンド、ドラッグストア又は衣料品店、ベビーシッター、駐車場等）、及び現地固有の情報（方向、ロケーション、開始時刻、ニュース等）が含まれる。かかる情報を組み合わせることにより、複数の製品（例えば、同様のジャンルのレコーディング・アーティスト）間に組み合わせ販売の機会が存在する可能性があり、並びに、予測される需要に基づき新たな製品をユーザに提示する（例えば、ユーザが映画のチケットを購入した際にタクシーサービスを推薦する）ことが可能となる。
【０５４９】
実施形態では、検索カテゴリの分類は、モバイル通信設備102に関連する表示装置上の訂正された検索クエリに関連して提示することが可能である。
【０５５０】
実施形態では、訂正されたクエリ入力120は、クエリカテゴリの分類法及び分類スキーマ（例えば、イエローページ電話帳の分類法）へとマッピングすることが可能である。
【０５５１】
実施形態では、結果は、モバイル通信設備102に関する情報と関係する訂正されたクエリ入力120の提出に基づいて取り出すことが可能である。この情報は、モバイル加入者特徴112、キャリアビジネスルール130、及びスポンサー情報を含むことが可能である。これらのデータベースに格納されている更なる情報は、訂正された検索クエリと１つ又は２つ以上の結果セットの表示とを制限する検索パラメータを形成することが可能であり、該制限は、情報を省略し、情報を優先順位づけし（例えば他の全ての前にスポンサーのリンクを提示し）、検索結果セットの一部を強調表示し、又はスポンサーオークションに基づいて情報の表示を順序づけする（すなわち、最高入札者を最初に提示する）ことにより行われる。スポンサーオークションの場合、スポンサーは、該スポンサー自身の製品、サービス、及びそれらへのリンクに関連づけたいキーワードについて入札を行うことが可能である。
【０５５２】
実施形態では、結果は、モバイル通信設備102に関する情報に少なくとも部分的に基づいて訂正されたクエリ入力120に関連して順序づけすることが可能である。この情報は、モバイル加入者特徴112、検索アルゴリズム設備144、ペアレンタル・コントロール150、キャリアビジネスルール130、及び／又はスポンサー情報を含むことが可能である。スポンサー情報に基づく訂正されたクエリ入力120に関する結果の順序づけは、訂正されたクエリ入力で使用したキーワードにスポンサーを関連づけることにより、及び／又はスポンサーコンテンツに訂正されたクエリ入力を関連づけることにより、行うことが可能である。訂正されたクエリ入力120がスポンサーの１つ又は２つ以上のキーワード又はコンテンツと一致する場合、該スポンサーの情報を検索結果表示において優先的に表示し、強調表示し、又はその他の態様で提案されたクエリ入力120に関する他のコンテンツよりも優位性を持たせることが可能である。スポンサーとのキーワードの関連づけは、キーワードとの唯一の関連づけ又は共有された頻度のキーワードの関連づけ（例えばキーワードの一回おきの発生）を入札者が競り合うオークションを介して生じることが可能である。更に、該オークションプロセスは、結果的に得られるスポンサーコンテンツの表示のサイズ（例えばモバイル通信設備102におけるユーザの全表示スペースのパーセンテージとして表されるサイズ）及び結果表示に対するマルチメディアコンテンツ（グラフィクス、オーディオ、又はビデオストリーム等）の追加を決定するための入札を含むことが可能である。
【０５５３】
訂正されたクエリ結果はまた、モバイル通信設備102の能力に少なくとも部分的に基づいて順序づけすることが可能であり、この場合、該能力とは、オーディオ、ビジュアル、処理、又は画面能力である。
【０５５４】
実施形態では、クエリ入力120は、モバイル通信設備102に関する情報（モバイル加入者特徴112、検索アルゴリズム設備144、個人用フィルタ、ペアレンタル・コントロール150、キャリアビジネスルール130、又はスポンサーシップ情報等）に少なくとも部分的に基づいて予測テキストを生成することにより訂正することが可能である。更に、予測テキストは、モバイル通信設備102のSMS変換及び／又はキーパッドシーケンス変換に基づくものとすることが可能である。
【０５５５】
実施形態では、ボイスベースのクエリ入力120をモバイル通信設備102に関する情報（例えばSMS変換に少なくとも部分的に基づくボイス解釈）に関連づけることにより、クエリ入力120を訂正することが可能である。
【０５５６】
実施形態では、オークションを訂正されたクエリ入力120に関連づけることが可能である。オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサー提供の結果を優先し又は強調することが可能である。
【０５５７】
実施形態では、検索クエリがモバイル通信設備102上で訂正され、結果が該モバイル通信設備102に関する画面上に提示され、及びスポンサードリンクに関連するトランザクションが実行され、この場合、該トランザクションは、該スポンサードリンクをユーザがクリックすることにより、又はダウンロード可能コンテンツの購入等の商取引をユーザが行うことにより、生じることが可能である。
【０５５８】
実施形態では、収集されたコンテンツをモバイル通信設備102へ提示することにより、検索クエリを訂正することが可能である。コンテンツ（例えば、着信音コンテンツ、音楽コンテンツ、又はビデオコンテンツ）は、スパイダを介して収集することが可能である。該スパイダは、モバイル通信設備102の能力とのコンテンツの互換性を判定することが可能である。互換性は、一連の模擬的なモバイル通信設備102の試行を実行し、その結果を使用して好ましさを基準としてサイトから結果を抽出することにより、判定することが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供される。
【０５５９】
実施形態では、モバイル通信設備102に関連する表示装置上にスポンサードリンクを表示することによりクエリ入力120を訂正することが可能であり、該スポンサードリンクは、該スポンサードリンクに関連するベンダが接続を選択的に受容し又は検索結果（スポンサーの電話番号を含む）を選択的に受容することを可能にし、この場合、該スポンサーの電話番号が、着呼し及び応答された電話番号のうちの少なくとも１つであるとき、商取引が行われる。
【０５６０】
実施形態では、コンテンツは、モバイル通信設備102に関する情報に少なくとも部分的に基づいて該モバイル通信設備102へ配信することが可能であり、訂正された検索クエリの結果としてコンテンツを後に生成することが可能である。提示されるコンテンツは、モバイル通信設備102のロケーションに関連する情報（レストラン、エンターテイメント、劇場、及び開演時刻等）とすることが可能である。情報はまた、時刻、モバイル加入者特徴112、又はペアレンタル・コントロール150に関連するものとすることが可能である。コンテンツは、広告を含むことが可能であり、及びモバイル通信設備102上にローカルに（例えば、キャッシュメモリ内に）格納することが可能であり、及び、時刻及び／又はモバイル通信設備102のロケーションの変化に従って定期的に更新することが可能である。
【０５６１】
実施形態では、モバイル通信設備102上での１つ又は２つ以上の訂正された検索クエリ入力に次ぐクリックスルー動作に基づいてワイヤレスキャリアレポートを生成することが可能である。該レポートは、検索結果の品質、キーワード管理、及び収入に関する情報を含むことが可能であり、及び使用されるモバイル通信設備102のタイプによって分割することが可能である。
【０５６２】
実施形態では、モバイル通信設備102のアイドル画面で提示される検索ボックス中で、クエリ入力120を訂正することが可能である。
【０５６３】
実施形態では、モバイル通信設備102上に入力されたクエリに関連して検索クエリを訂正することが可能であり、この場合、該訂正は、該モバイル通信設備102に関する表示装置上に提示することが可能な複数の訂正である。
【０５６４】
実施形態では、モバイル通信設備102上のクエリ入力120設備に入力されたクエリ入力120を訂正することが可能である。
【０５６５】
実施形態では、モバイル互換ページランクに基づいて結果を生成するよう構成された検索設備142において検索クエリを訂正することが可能である。該モバイル互換ページランクは、モバイル通信設備102の画面及び処理能力とのページの互換性から、又は１つ又は２つ以上のページの複雑性から、導出することが可能である。
【０５６６】
実施形態では、クエリ入力120と少なくとも１つのモバイル加入者特徴との関係を生成することにより、検索クエリを訂正することが可能である。該モバイル加入者特徴112は、ロケーション、個人情報、ユーザのウェブ対話の履歴、又はロケーション若しくは時刻等の複数の特徴を含むことが可能である。
【０５６７】
実施形態では、位置情報サービスを使用して、クエリ入力120とモバイル通信設備102のロケーションとの関係を生成することにより、検索クエリを訂正することが可能である。該関係は、少なくとも１つのクエリ入力120とロケーション及び時刻との関係とすることが可能である。ロケーションは、GPSシステム又はセルラー電話の三角測量サービスにより提供することが可能である。実施形態では、モバイル通信設備102は、クエリの形成プロセス中に設備のロケーションをパラメータとして使用することを可能にするロケーションサービスを有することが可能である。インタフェイスは、ユーザが検出された設備のロケーションを使用すること又は該ロケーションをオーバーライドすることを可能にすることができる。
【０５６８】
実施形態では、フィルタアルゴリズムに関連して用いられるクエリ入力120に少なくとも部分的に基づいて結果を生成することにより、クエリを訂正することが可能であり、ここで、該フィルタアルゴリズムは、ワイヤレスプロバイダ108により収集された情報を使用する。アルゴリズム設備144は、協調フィルタとすることが可能であり（この場合、検索はオープンウェブ検索）、又は推薦システムとすることが可能である。
【０５６９】
実施形態では、結果設備148を介してクエリ入力120を処理することにより、クエリ入力120を訂正することが可能であり、この場合、該結果設備148は、モバイル通信設備102から導出された情報（モバイル加入者特徴112情報等）に関連するものとなる。
【０５７０】
実施形態では、検索クエリをモバイル通信設備102上で訂正することが可能である。該訂正されたクエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０５７１】
実施形態では、モバイル通信設備102上でクエリ入力を訂正することが可能であり、この場合、訂正された検索クエリに関連する元の検索クエリは、モバイル通信設備102上に存在するボイス認識設備160を介して部分的に処理される。代替的に、該ボイス認識設備160は、リモートサーバ上に存在することが可能であり、又は部分的にモバイル通信設備102上に存在し且つ部分的にサーバ上に存在することが可能である。
【０５７２】
実施形態では、モバイル通信設備102上でクエリ入力120を訂正することが可能であり、この場合、該モバイル通信設備102は、該モバイル通信設備102に関連する情報に関連して、訂正されたクエリを処理する。この情報は、モバイル通信設備102上にローカルに存在することが可能であり、又はリモートに（例えばモバイル加入者特徴112データベース内に）格納することが可能である。
【０５７３】
実施形態では、クエリ入力120は、モバイル通信設備102上で生成される結果を制限するためのペアレンタル・コントロール設備を提供するモバイル通信設備102上で訂正することが可能である。該ペアレンタル・コントロール150は、サーバアプリケーションを介して又はモバイル通信設備102を介して調整することが可能である。
【０５７４】
実施形態では、クエリ入力120は、検索クエリに関連する個人情報又はその他の機密情報の損失からユーザを保護するためのモバイル通信設備102に関連するプライバシー設備152を提供するモバイル通信設備102上で訂正することが可能である。
【０５７５】
実施形態では、クエリ入力120は、モバイル通信設備102に関連するトランザクションセキュリティ設備154を提供するモバイル通信設備102上で訂正することが可能であり、この場合、該トランザクションセキュリティ設備154は、クエリ入力120に関連するセキュアなトランザクションを可能にするよう構成されている。該トランザクションセキュリティ設備154は、プライバシー152の保護を含むことが可能であり、及びペアレンタル・コントロール150又はディジタル著作権管理と連携して動作することが可能である。
【０５７６】
実施形態では、キャリアビジネスルール130に関連して、及びモバイル通信設備102に関する情報に関連して、クエリ入力120を処理することにより、クエリを訂正することが可能である。キャリアビジネスルール130は、ガーデン外コンテンツ、スポンサー情報、又はオークションを提示するウォールド・ガーデン結果を含むことが可能である。モバイル通信設備102に関する情報は、モバイル加入者特徴情報とすることが可能である。
【０５７７】
実施形態では、クエリ入力120は、モバイル通信設備102の表示装置上にスポンサー提供の結果を生成するモバイル通信設備102上で訂正することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。実施形態では、地図／交通（最近の事故報告及び道路状況のチェック）；ショッピング比較（マーチャントの価格の検索、閲覧、及び比較）；PIMデータ（PIMデータはシングルクリックで発呼した電話番号や更新されたアドレス帳に見られる）；ホワイトページ（携帯電話から住所及び電話番号を見つける）；ニュース、天気、及びスポーツ（絶えず活動して詳報に遅れないようにする）；マルチメディアコンテンツ（ビデオの検索及びプレビュー）；映画（映画、開演時刻、劇場の探索及びチケットの購入）；最新旅行情報／航空機運航情報（フライト状況その他をチェック）；RSS及びブログ（RSSフィード及びブログの検索及び閲覧）；アダルト（成人向けコンテンツの検索）を含む、様々なコンテンツタイプを適合させることが可能である。
【０５７８】
実施形態では、モバイル通信設備102は、WAPブラウザの起動を必要とすることなく特定のインターネットコンテンツを表示できるものとすることが可能である。かかる場合には、コンテンツを直接表示させることが可能である。かかるコンテンツは、随意選択的に、（特にWAPコンテンツの処理が比較的遅い装置上で）優先ランキングを受信することが可能である。
【０５７９】
実施形態では、コンテンツは、検索カテゴリの分類で推薦が提示されるモバイル通信設備102上で検索クエリに関連して推薦することが可能である。該推薦は、随意選択的に、特定の結果ではなくカテゴリを指定することが可能である。
【０５８０】
実施形態では、モバイル通信設備102により受信される検索クエリは、少なくとも１つのカテゴリにカテゴライズすることが可能な検索結果を生成することが可能である。次いで該カテゴリは、更なる検索カテゴリを参照することにより、更なるバーティカル検索を受けることが可能である。例えば、モバイル通信設備102を使用してレストランについて実行される検索は、レストランのリストを生成し、次いで該リストを民族性に従って更にカテゴライズすることが可能である。レストランに関する最初の検索を実行した後、モバイル通信設備102のユーザは次いで中華料理のカテゴリを選択し、該カテゴリを使用して該最初の検索結果をフィルタリングすることが可能である。該カテゴライズされた検索の結果として得られるものは、中華料理店のリストとなり得る。次いで該リスト中のレストランのうちの１つを選択することにより、該レストランに適用することが可能なカテゴリを使用して、該レストランに関する更なる情報（ロケーション、営業時間、サンプルメニュー、該レストランのレビュー、該レストラン及びそのシェフに関するニュースクリップ、該レストランの方向等）をユーザが探すことが可能となる。ユーザは、モバイル通信設備102によって該レストランとリアルタイムで対話し、かかる対話を表すカテゴリを使用して、例えば、予約を行い、レストランの人員とチャットし、メニュー上のアイテムに関する情報を取得し、又は該レストランに関するニュースを受信することが可能となる。
【０５８１】
バーティカル検索における特定のレベルで複数の検索カテゴリを利用可能とすることが可能である。同様に、複数の検索レベルを利用可能とすることが可能である。更に、１つのバーティカルに沿った検索を該バーティカル外へと拡張させてホリゾンタル検索を可能とすることが可能である。上記の中華料理店について提供された情報を検討する際に、ユーザは、シェフ及びその経歴について更に知るために「シェフ」カテゴリを選択することが可能である。ユーザは次いで、該シェフがニューヨークでフランス料理の伝統的な修行を受けていたことを発見することが可能である。次いで該ユーザに更なる検索のためのカテゴリを提示することが可能である。該カテゴリの１つである「フランス料理」は、ユーザの検索を横方向にリダイレクトしてフランス料理に関する情報を識別することが可能である。「フランス料理」と同じレベルで提示される別のカテゴリを「ニューヨークレストラン」とすることが可能である。このカテゴリが選択された際に、ニューヨークレストラン又はニューヨークフランス料理店をリストアップした検索結果へユーザをリダイレクトすることが可能である。同じレベルで提示される別のカテゴリは、熟練したシェフのいる特定のレストランへユーザを方向付けることが可能であり、これにより、ユーザは、レストラン、そのメニュー、その現在の総料理長、そのメニュー、又はそのワインのペアリングの推薦に関する情報の検索へと掘り下げることが可能である。この新たな検索において、カテゴリ「ワイン」は、検索を更に方向付けし又は焦点を合わせ直して、ユーザが、レストランで提供されるワインに関する情報、提案されるワインのペアリングに関する情報、又はソムリエ及びその経歴に関する情報を探すことができるようにすることが可能である。当業者には、モバイル通信設備102に提示されるカテゴリに基づいて利用可能となる検索戦略の潜在的な範囲が理解されよう。
【０５８２】
実施形態では、検索結果カテゴリは、語句またはアイコンその他のイメージ等のグラフィック表現で表すことが可能である。ターム「ボストン」を使用した検索は、ボストン関連の結果のリストを生じさせることが可能であり、次いで該リストを更に複数のカテゴリ（例えば、旅行、宿泊施設、ショッピング、観光、仕事、エンターテイメント）へと編成することが可能である。該検索結果に、特定のカテゴリの結果の数を示す数字的な表示を添えることが可能である。これらのカテゴリの各々は、モバイル通信設備102の画面上の表題又はアイコンにより表すことが可能である。ユーザは、該表題又はアイコンと対話することにより更なる検索を行うために、タッチパッド、タッチスクリーン、カーソル、又はその他の選択装置によって、１つのカテゴリを指定することが可能である。例えば、飛行機アイコン上をクリックすることにより、ボストンから妥当な距離内にある空港の名前（例えば、Logan International、Providence、Hartford、Bedford）をユーザに提示することが可能である。ユーザがそれら空港の表題のうちの１つを選択した場合に、例えば、Providence空港に対して航空座席予約を行うことが可能なオンライン旅行サービスのリストを該ユーザに提示することが可能である。カテゴリ内の個々の結果をハイパーリンクに関連づけて、該ユーザがクリックしたハイパーリンクに対応する特定の航空会社の予約センターに該ユーザを導くことができるようにすることが可能である。ハイパーリンクはまた、検索結果をサブカテゴリへと区分化することを可能にする。例えば、空港の表題上のクリックにより、２つのカテゴリ選択肢（１つは従来のキャリア、もう１つはバジェットキャリア（ローコストエアライン））を生成することが可能である。ユーザへ提示される各カテゴリは、そのカテゴリ内の航空会社のリストに接続することが可能な１つ又は複数のハイパーリンクを含む。
【０５８３】
更に、実施形態では、ユーザへ提示される検索結果及びカテゴリは、関連性に基づいてソートすることが可能である。該関連性は、特定のユーザについて明示的に規定することが可能である。該関連性はまた、過去のユーザのコンテンツとの対話に関連する情報に基づくものとすることが可能である。以前の出張で、特定の一組の航空会社での移動、特定の一組のレンタカー業者を介した自動車のレンタル、特定の一組のホテルでの宿泊、及び特定タイプのレストランでの夕食を伴った旅行者は、同じ航空会社、レンタカー業者、ホテルチェーン、及びレストランタイプを優先させたボストンへの旅行に関する情報を受信することが可能である。実施形態では、特定の検索に表題を付けて、その検索結果を保存し又は後に分かるようにすることが可能である。
【０５８４】
実施形態では、モバイル通信設備102に提示される検索結果のカテゴリは、最大数の結果を含むものとすることが可能である。家庭用の引越業者を探しているユーザは、自身の検索によって最大限の考え得る引越業者の選択肢が提供されることを望む場合がある。該ユーザは次いで、該検索結果を、価格、Better Business Bureauによる格付け、及び公開されている消費者による格付け等を含む、他のカテゴライズ方法に基づいてソートすることを望む可能性がある。別の実施形態では、提示されるカテゴリは、最小数の結果を含むものとすることが可能である。緊急救命室の検索は、有利にも多数のフィルタリング特徴を含み、このため、該検索により、例えば、近くにあり及びユーザを苦しめている特定の状態を扱うことができる施設の非常に短いリストを生成することが可能となる。
【０５８５】
モバイル通信設備102上で行われる検索は、更なるカテゴライズを必要とする全般的な結果のリストを提供することが可能である。「旅行 ボストン」を検索したユーザは、多数の異なるカテゴリ（例えば、宿泊施設、エンターテイメント、ショッピング）に含まれる関連する結果のリストを取得することが可能である。実施形態では、上述したような、検索結果を編成するための、一組のカテゴリを提案することが可能である。該提案されたカテゴリは、語句で又はイメージを介してリストアップすることが可能である。次いで、該カテゴリを更にサブカテゴライズすることが可能である。例えば、「宿泊施設」アイコンをクリックすることにより、検索結果をリファインすることが可能である。次いで、「宿泊施設」のカテゴリを、例えば価格に従って更にカテゴライズすることが可能である。カテゴリとしてリストアップされるものとして、おおよその宿泊料金が挙げられ、又は、エコノミー、中間、高価、及びラグジュアリーといった一般的な記述が挙げられる。ラグジュアリーカテゴリを選択したユーザは、ラグジュアリー宿泊施設に一般に付随する特徴（例えば、部屋の特徴、追加サービス、資産の属性、付随するアメニティ施設（スパ、ゴルフ等））に基づいて更に検索を行うことが可能であり、かかる特徴は、ユーザがラグジュアリーカテゴリを選択した際に提案され及びソートされることになる。エコノミーカテゴリを選択したユーザは、そのタイプの宿泊施設に関連する異なる特徴に基づいてソートすることが可能である、ということが理解されよう。
【０５８６】
本書に記載するシステム及び方法に従ってカテゴライズされる検索結果は、階層、分類法、又はその他のユーザにより規定された一組の優先順位付けに従って編成することが可能である。実施形態では、これらのシステム及び方法は、検索及び検索カテゴリをモバイル通信設備102上で取り出し順序づけすることを可能にする。
【０５８７】
実施形態では、検索クエリは、カテゴリ分類法（例えばイエローページ式分類法）のクエリ分類へとマッピングされることが可能であり、及び該マッピングされた検索クエリに関連するコンテンツを推薦することが可能である。
【０５８８】
実施形態では、結果は、モバイル通信設備102に関する情報に関連する検索クエリに基づいて取り出すことが可能である。この情報は、モバイル加入者特徴112、キャリアビジネスルール130、及びスポンサー情報を含むことが可能である。これらのデータベースに格納されている更なる情報は、提案された検索クエリと１つ又は２つ以上の結果セットの表示とを制限する検索パラメータを形成することが可能であり、該制限は、情報を省略し、情報を優先順位づけし（例えば他の全ての前にスポンサーリンクを提示し）、検索結果セットの一部を強調表示し、又はスポンサーオークションに基づいて情報の表示を順序づけする（すなわち、最高入札者を最初に提示する）ことにより行われる。スポンサーオークションの場合、スポンサーは、該スポンサー自身の製品、サービス、及びそれらへのリンクに関連づけたいキーワードについて入札を行うことが可能である。
【０５８９】
実施形態では、モバイル通信設備102に関する情報に部分的に基づいて推薦された結果を順序づけすることにより、検索クエリに基づいて結果を推薦することが可能である。この情報は、モバイル加入者特徴112、検索アルゴリズム設備144、ペアレンタル・コントロール150、キャリアビジネスルール130、及び／又はスポンサー情報を含むことが可能である。スポンサー情報に基づく訂正された検索クエリ入力120に関連する推薦された結果の順序づけは、検索クエリ入力で使用したキーワードにスポンサーを関連づけることにより、及び／又はスポンサーコンテンツにクエリ入力を関連づけることにより、行うことが可能である。訂正されたクエリ入力120がスポンサーの１つ又は２つ以上のキーワード又はコンテンツと一致する場合には、該スポンサーの情報を検索結果表示において優先的に表示し、強調表示し、又はその他の態様で該訂正されたクエリ入力120に関する他のコンテンツよりも視覚的な優位性若しくはその他の優先的なランキングを与えることが可能である。スポンサーとのキーワードの関連づけは、キーワードとの唯一の関連づけ又は共有された頻度のキーワードの関連づけ（例えばキーワードの一回おきの発生）を入札者が競り合うオークションを介して生じることが可能である。更に、該オークションプロセスは、結果的に得られるスポンサーコンテンツの表示のサイズ（例えばモバイル通信設備102におけるユーザの全表示スペースのパーセンテージとして表されるサイズ）及び結果表示に対するマルチメディアコンテンツ（グラフィクス、オーディオ、又はビデオストリーム等）の追加を決定するための入札を含むことが可能である。
【０５９０】
検索クエリに基づいて推薦されたクエリ結果はまた、モバイル通信設備102の能力に部分的に基づいて順序づけすることが可能であり、この場合、該能力とは、オーディオ、ビジュアル、処理、又は画面能力である。
【０５９１】
実施形態では、１つ又は２つ以上の結果の詳細ページが、拡張されたアイテム情報を表示（172）して、ユーザによる購入の決定を支援することが可能である。これは、例えば、ソースメタデータにおいて入手可能なコンテンツを含むことが可能である。これらのページ上のコンテンツは、タイプによって変動し得るが、複数の共通の要素を共有することが可能である。例えば、アーティスト検索へのリンク、詳細なアイテム説明、及び／又はプレビューイメージ（入手可能な場合）に、アーティスト名を提示することが可能である。更に、サブタイプのリスト（例えば、「音楽」の場合には、着信音、呼出音、MOD、MP3、及びビデオ等としてアイテムを入手することが可能）及びそれらアイテムを購入するためのオプション。関連するコンテンツは、同様のアイテムを閲覧しようとしているユーザへ提供することが可能である。
【０５９２】
実施形態では、結果ページは、その日の「今日のヒント」を表示（172）することが可能であり、及び／又はその他の宣伝コンテンツを表示してユーザとコミュニケーションをとることが可能である。この画面のためのコンテンツは、アプリケーションの空き時間中に行われるサーバコールにより導出することが可能である。すなわち、非活動期間中に、装置が先の暗黙的又は明示的検索に基づいて定期的にコンテンツをダウンロードして、該コンテンツをランダムに又は所定の時刻に表示することが可能である。該コンテンツは、テキスト及びイメージの組み合わせからなることが可能である。
【０５９３】
実施形態では、コンテンツは、モバイル通信設備102に関する情報（モバイル加入者特徴112、検索アルゴリズム設備144、個人用フィルタ、ペアレンタル・コントロール150、キャリアビジネスルール130、又はスポンサーシップ情報等）に少なくとも部分的に基づいて予測テキストを生成することにより推薦することが可能である。更に、予測テキストは、モバイル通信設備102のSMS変換及び／又はキーパッドシーケンス変換に基づくものとすることが可能である。
【０５９４】
実施形態では、検索クエリは、ボイス認識設備160と、モバイル通信設備102についての情報に関連して行われた推薦とを介して処理することが可能である。例えば、ボイス認識設備160を使用して特定のレストランを検索することが可能である。他のレストランへの以前の電話に基づいて、ユーザの地域における同じ食品ジャンルの代替的なレストランの推薦を行うことが可能であり、又はユーザが以前に電話したレストランと同じように聞こえる名称を有するレストランをユーザが探そうとしていることの示唆を行うことが可能である。
【０５９５】
実施形態では、検索クエリに関連してオークションを行うことが可能である。オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサー結果を優先順位付けし又は強調表示することが可能である。
【０５９６】
実施形態では、モバイル通信検索を介して受信した検索結果に関連する代替的なコンテンツを推薦することが可能であり、及び該代替的なコンテンツに関連するトランザクションを実行することが可能である。該トランザクションは、ユーザがスポンサードリンク上をクリックすることにより又はダウンロード可能コンテンツの購入等の商取引を行うことにより発生することが可能である。
【０５９７】
実施形態では、代替的なコンテンツの推薦は、モバイル通信検索クエリに関連する検索結果に関連して収集することが可能である。コンテンツ（例えば、着信音コンテンツ、音楽コンテンツ、又はビデオコンテンツ）は、スパイダを介して収集することが可能である。該スパイダは、モバイル通信設備102の能力とのコンテンツの互換性を判定することが可能である。互換性の判定は、一連の模擬的なモバイル通信設備102の試行を実行し、その結果を使用して好ましさを基準としてサイトから結果を抽出することにより、行うことが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供される。
【０５９８】
実施形態では、モバイル通信クエリ120に関する検索結果に関連する代替的なコンテンツを推薦することが可能であり、この場合、該コンテンツは、アウトバウンド・ペイ・パー・コール・マーケティングに関するものである。
【０５９９】
実施形態では、ダウンロードされるコンテンツに関連する代替的なコンテンツの推薦を行うことにより、モバイル通信設備102に関する情報に関連するコンテンツをダウンロードすることが可能である。提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０６００】
実施形態では、推薦された代替的なコンテンツのクリックスルー動作に基づいてワイヤレスキャリアレポートを生成することが可能である。該レポートは、検索結果の品質、キーワード管理、及び収入に関する情報を含むことが可能であり、及び使用されるモバイル通信設備102のタイプによって分割することが可能である。
【０６０１】
実施形態では、代替的なコンテンツは、モバイル通信設備102上でのオープンウェブ検索結果に関連して推薦することが可能である。該代替的なコンテンツは、着信音、音楽、ビデオ、及びダウンロード可能コンテンツ又は購入可能なダウンロード可能コンテンツとすることが可能である。
【０６０２】
実施形態では、クエリは、モバイル通信設備102に関連するクエリ入力120設備に入力することが可能であり、及び受信した結果に関連する推薦された代替的なコンテンツを提示することが可能である。
【０６０３】
実施形態では、コンテンツは、モバイル通信設備102のクエリに関する検索結果に関連して推薦することが可能であり、この場合、代替的なコンテンツは、モバイル互換ページランクに少なくとも部分的に基づくものである。該モバイル互換ページランクは、モバイル通信設備102の画面及び処理能力とのページの互換性から、又は１つ又は２つ以上のページの複雑性から、導出することが可能である。
【０６０４】
実施形態では、代替的なコンテンツは、モバイル通信設備102のクエリに関する検索結果に関連して推薦することが可能であり、この場合、該代替的なコンテンツはデータ設備（例えばWAP設備又はキャリア設備）により提供される。
【０６０５】
実施形態では、コンテンツは、モバイル通信設備102のクエリに関する検索結果に関連して推薦することが可能であり、この場合、該推薦は、モバイル加入者特徴に部分的に関連するものである。該モバイル加入者特徴112は、ロケーション、個人情報、ユーザのウェブ対話の履歴、通話、又はロケーション若しくは時刻等の複数の特徴を含むことが可能である。
【０６０６】
実施形態では、検索結果と、位置情報サービスを用いたモバイル通信設備102のロケーションに部分的に基づく推薦の提供とに関係して、代替的なコンテンツを推薦することが可能である。その関係は、少なくとも１つのクエリ入力120とロケーション及び時刻との関係とすることが可能である。ロケーションは、GPSシステム又はセルラー電話の三角測量サービスにより提供することが可能である。
【０６０７】
実施形態では、フィルタアルゴリズムに関連して用いられるクエリ入力120に少なくとも部分的に基づく検索結果に関連して、代替的なコンテンツを推薦することが可能である。ここで、該フィルタアルゴリズムは、ワイヤレスプロバイダ108により収集された情報を使用する。アルゴリズム設備144は、協調フィルタとすることが可能であり（この場合、検索はオープンウェブ検索）、又は推薦システムとすることが可能である。
【０６０８】
実施形態では、代替的なコンテンツは、モバイル通信設備102のクエリに関する検索結果に関連して推薦することが可能である。コンテンツは、選択された推薦に基づいて結果設備から受信することが可能である。結果設備148は、モバイル通信設備102から導出された情報（モバイル加入者特徴112情報等）に関連するものとすることが可能である。
【０６０９】
実施形態では、代替的なコンテンツは、モバイルブラウザ設備を介して、モバイル通信設備102のクエリに関する検索結果に関連して推薦することが可能である。
【０６１０】
実施形態では、代替的なコンテンツは、非曖昧化設備140を使用して非曖昧化された検索クエリに部分的に基づき、モバイル通信設備102に関する検索結果に関連して推薦することが可能である。提案されるクエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０６１１】
実施形態では、代替的なコンテンツは、モバイル通信設備102上に存在するボイス認識設備160を介して元の検索クエリが処理された検索結果に関連して推薦することが可能である。代替的に、該ボイス認識設備160は、リモートサーバ上に存在することが可能であり、又は部分的にモバイル通信設備102上に存在し且つ部分的にサーバ上に存在することが可能である。
【０６１２】
実施形態では、代替的なコンテンツは、モバイル通信設備102に関する情報に関連してクエリを処理するモバイル通信設備102上での検索結果に関連して推薦することが可能である。この情報は、モバイル通信設備102上にローカルに存在することが可能であり、又はリモートに（例えばモバイル加入者特徴112データベース内に）格納することが可能である。
【０６１３】
実施形態では、代替的なコンテンツは、モバイル通信設備102上で生成される結果を制限するためのペアレンタル・コントロール設備を提供するモバイル通信設備102上での検索結果に関連して推薦することが可能である。該ペアレンタル・コントロール150は、サーバアプリケーションを介して又はモバイル通信設備102を介して調整することが可能である。
【０６１４】
実施形態では、代替的なコンテンツは、検索クエリに関連する個人情報又はその他の機密情報の損失からユーザを保護するためのモバイル通信設備102に関連するプライバシー設備152を提供するモバイル通信設備102上での検索結果に関連して推薦することが可能である。
【０６１５】
実施形態では、代替的な取引コンテンツは、モバイル通信設備102に関連するトランザクションセキュリティ設備154を提供するモバイル通信設備102上での検索結果に関連して推薦することが可能である。該トランザクションセキュリティ設備154は、代替的な取引コンテンツに関連するセキュアなトランザクションを可能にするよう構成されている。該トランザクションセキュリティ設備154は、プライバシー152の保護を含むことが可能であり、及びペアレンタル・コントロール150又はディジタル著作権管理と連携して動作することが可能である。
【０６１６】
実施形態では、代替的なコンテンツは、キャリアビジネスルール130に関連し及びモバイル通信設備102に関する情報に関連する検索結果に関連して推薦することが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０６１７】
実施形態では、代替的なコンテンツは、モバイル通信設備102の表示装置上にスポンサー提供の結果を生成するモバイル通信設備102上での検索結果に関連して推薦することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０６１８】
実施形態では、検索クエリ入力120は、クエリカテゴリの分類法及び分類スキーマ（例えば、イエローページ電話帳の分類法）へとマッピングすることが可能である。
【０６１９】
実施形態では、モバイル通信設備上で入力された検索クエリは、モバイル通信設備102に関する情報と関連して分類することが可能である。この情報は、モバイル加入者特徴112、キャリアビジネスルール130、及びスポンサー情報を含むことが可能である。データベースに格納されている更なる情報は、検索クエリと１つ又は２つ以上の結果セットの表示とを制限する検索パラメータを形成することが可能であり、該制限は、情報を省略し、情報を優先順位づけし（例えば他の全ての前にスポンサーリンクを提示し）、検索結果セットの一部を強調表示し、又はスポンサーオークションに基づいて情報の表示を順序づけする（すなわち、最高入札者を最初に提示する）ことにより行われる。スポンサーオークションの場合、スポンサーは、該スポンサー自身の製品、サービス、及びそれらへのリンクに関連づけたいキーワードについて入札を行うことが可能である。
【０６２０】
実施形態では、クエリは、分類されたクエリに関連するモバイル通信設備102上で結果を分類し、順序づけし、及び表示するためのものとすることが可能である。この情報は、モバイル加入者特徴112、検索アルゴリズム設備144、ペアレンタル・コントロール150、キャリアビジネスルール130、及び／又はスポンサー情報を含むことが可能である。スポンサー情報に基づく分類されたクエリ入力120に関連する結果の順序づけは、分類されたクエリ入力で使用したキーワードにスポンサーを関連づけることにより、及び／又はスポンサーコンテンツに分類されたクエリ入力を関連づけることにより、行うことが可能である。分類されたクエリ入力120が、スポンサーの１つ又は２つ以上のキーワード又はコンテンツと一致する場合には、該スポンサーの情報を検索結果表示において優先的に表示し、強調表示し、又はその他の態様で該分類されたクエリ入力120に関する他のコンテンツよりも優位性を与えることが可能である。スポンサーとのキーワードの関連づけは、キーワードとの唯一の関連づけ又は共有された頻度のキーワードの関連づけ（例えばキーワードの一回おきの発生）を入札者が競り合うオークションを介して生じることが可能である。更に、該オークションプロセスは、結果的に得られるスポンサーコンテンツの表示のサイズ（例えばモバイル通信設備102におけるユーザの全表示スペースのパーセンテージとして表されるサイズ）及び表示される結果に対するマルチメディアコンテンツ（グラフィクス、オーディオ、又はビデオストリーム等）の追加を決定するための入札を含むことが可能である。
【０６２１】
分類されたクエリ結果はまた、モバイル通信設備102の能力に部分的に基づいて順序づけすることが可能であり、この場合、該能力とは、オーディオ、ビジュアル、処理、又は画面能力である。
【０６２２】
実施形態では、検索は、キーワード形成及び／又はバーティカル選択を使用して実行することが可能である。例えば、テキストボックスに入力されたものそのものを使用して、検索を実行することが可能である。代替的に、ユーザは、複数文字を入力して、利用可能な複数のバーティカルにわたる及び／又は特定のカテゴリの提案についてのバーティカルをピックアップした、キーワード完成提案を受信することが可能である。ユーザは、上下方向を使用することによりバーティカルを選択し、次いで選択または右を押して該バーティカル内へと移動することが可能である。任意の時点で左を押すと、ユーザは前の画面へと移動させられる（前の画面がスプラッシュ画面又はヒント／宣伝画面であった場合を除く）。
【０６２３】
実施形態では、ユーザがバーティカルを選択してテキスト入力ボックスに文字を入力する際に、そのバーティカルに適した提案を表示することが可能である。該提案は、以前の提案が該入力された文字列と一致する場合にはローカルキャッシュから取得することが可能であり、又はローカルキャッシュが該入力された文字列について全ての提案を提供することができない場合にはリモートサーバから取得することが可能である。ユーザが、自分が使用したい提案を見つけた場合、すなわち、メニューから「検索」を選択した場合には、クエリがサーバへ送られて、ビューが結果カテゴリ画面へと切り替わる。
【０６２４】
実施形態では、モバイル通信設備102に関する情報（モバイル加入者特徴112、検索アルゴリズム設備144、個人用フィルタ、ペアレンタル・コントロール150、キャリアビジネスルール130、又はスポンサーシップ情報等）に部分的に基づいて予測テキストを生成することにより、検索クエリをカテゴリへと分類することが可能である。更に、予測テキストは、モバイル通信設備102のSMS変換及び／又はキーパッドシーケンス変換に基づくものとすることが可能である。
【０６２５】
実施形態では、ボイスベースのクエリ入力120をモバイル通信設備102に関する情報（例えばSMS変換に少なくとも部分的に基づくボイス解釈）に関連づけることにより、検索クエリを分類することが可能である。
【０６２６】
実施形態では、検索クエリを分類し、該分類に関連してオークションを実行することが可能である。オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサー提供の結果を優先させ又は強調することが可能である。
【０６２７】
実施形態では、検索クエリをモバイル通信設備102上で分類し、結果を該モバイル通信設備102に付随する画面上に提示し、及びスポンサードリンクに関連するトランザクションを実行することが可能であり、この場合、該スポンサードリンク上でのユーザのクリックにより、又はダウンロード可能コンテンツの購入等の商取引をユーザが行うことにより、該トランザクションが発生することが可能である。代替的に、該トランザクションは非商取引とすることが可能である。
【０６２８】
実施形態では、分類内の結果を収集することにより、モバイル通信設備102上で検索クエリを分類することが可能である。コンテンツ（例えば、着信音コンテンツ、音楽コンテンツ、又はビデオコンテンツ）はスパイダを介して収集することが可能である。該スパイダは、モバイル通信設備102の能力とのコンテンツの互換性を判定することが可能である。互換性の判定は、一連の模擬的なモバイル通信設備102の試行を実行し、その結果を使用して好ましさを基準としてサイトから結果を抽出することにより、行うことが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供される。
【０６２９】
実施形態では、アウトバウンドPPCを用いた検索内の少なくとも１つの結果に関連するモバイル通信設備102上で検索クエリを分類し入力することが可能である。
【０６３０】
実施形態では、結果がサーバから返される際に、該結果をカテゴリへとグループ化することが可能である。ユーザがカテゴリを選択した際に、ビューを結果リストページへと切り替えることが可能である。実施形態では、該結果リストページは、特定のカテゴリ内の全てのアイテムのリストとすることが可能である。該リストは、拡張又は非拡張アイテムモードで提示することが可能であり、この場合、非拡張アイテムモードは結果の表題のみを示し、一方、拡張アイテムモードは、結果の小さな説明、並びに結果に関する特定の機能を提供するアクションバーを含むものとなる。結果の詳細なページを表示する詳細情報アクションを除き、結果リストページ上で利用可能なアクションが、詳細情報ページ上で利用可能となる。ユーザが特定のタイトル上で短時間にわたり手を止めた際に、該ユーザが、そのアイテムについてアクションを実行するか、そのアイテムについて更なる情報を探すか、又は次のアイテムに移動するかを判断するのを助けるために、結果の拡張されたビューを出現させることが可能である。アイテムが最初に拡張した際に、右を押すと詳細情報ページへと移動し、下を押すとアクションバーへフォーカスが移動し、最初のアクションが選択される。下を押すと、アクションバーへフォーカスが移動し、再び上を押すとタイトルバーへ戻る。アクションバー内にあるときに下を押すと、アイテムがその非拡張ビューに戻り、フォーカスが下方の結果へと移動する。
【０６３１】
実施形態では、アイテム詳細ページは、アイテムについての更なる情報、並びにアクションバーからアクションを実行する能力及び特殊な機能を提供することが可能である。この画面で左を押すと、ユーザはアイテムリストページへ戻る。下を押すと、最初にフォーカスがアクションバーへ移り、次いで表示すべき更なるコンテンツが存在する場合には、ページがスクロールダウンする。この更なるコンテンツは、静的なテキスト並びに動的なコンテンツから構成することが可能である。
【０６３２】
実施形態では、アクションバーは、結果リストページ及び結果詳細ページの両方におけるアイテムについて実行されるべき機能を提供することが可能である。これらのアクションは、購入、プレビュー、電話、及び詳細情報を含むことが可能である。アイテム詳細ページを表示する詳細情報を除き、それらアクションは、結果リストページ並びにアイテム詳細ページの両方で利用することが可能である。アクションバー内で左右を押すと、アクション間でフォーカスが移動する。上下を押すと、フォーカスがアクションバーからその上下にある任意のアイテムへと移動する。選択を押すと、アクションが実行され又は確認画面が表示される。確認画面が表示される場合には、選択を押すとアクションが実行され、左を押すと前画面に戻る。
【０６３３】
実施形態では、検索履歴は、過去に実行された特定のクエリの結果へとナビゲートする手段を提供することが可能である。検索履歴アイテム上で選択を押すと、元の検索の要素を有する検索クエリを実行してその結果を表示させることが可能である。
【０６３４】
実施形態では、スロバー、提案、結果、プレビュー、今日のヒント、及び／又はその他の宣伝用素材といったバックグランドで実行されるアプリケーションの活動が存在することが可能である。スロバーとは、データトラフィックが発生していること及び更なるコンテンツを受信するにつれて画面が変化することになることのユーザに対するグラフィカルな通知を指すものである。一般に、スロバーは、以下の態様でデータの読み出しを示す：提案画面上では、スロバーは全ての提案が完全にダウンロードされるまで実行することが可能である；結果カテゴリ画面上では、カテゴリの完全なリストの受信が完了するまで；結果リスト画面上では、スロバはプレビューを除き全ての結果がダウンロードされるまで実行することが可能である。スロバーは、ユーザがアクションバーからプレビューアクションを選択した際にオーディオ又はビデオプレビューがダウンロードされている間に実行することも可能である。
【０６３５】
提案は、テキスト入力のキャッシュから取り出すことが可能である。該キャッシュが提案の完全なリストを提供できない場合には、サーバへ要求を送ることが可能である。これらの更新された提案が次いでキャッシュされて、その後の提案クエリがスピードアップされる。キャッシュ及びサーバから取り出される提案とは無関係なのが、PIM（Personal Information Manager）データを検索することにより提供される提案である。これは、「連絡先」、「イベント」、及び「メモ」入力を含むことが可能である。提案キャッシュは、キャッシュ内に格納すべき更新された一組の提案をサーバに要求することにより、アイドル時間中に更新することも可能である。アイドル時間は、アプリケーションが実行中であるが他のHTTPリクエストを行っていない任意のときと定義することが可能である。
【０６３６】
結果は、ユーザが結果のリストを要求した際にダウンロードすることが可能である。該結果は、２つの部分、すなわち、カテゴリヘッダ及び結果本体という形をとることが可能である。該ヘッダを最初にパースして、その結果が返されることになるカテゴリをユーザに示すことが可能であり、次いで、各結果エントリがそれら１つ又は２つ以上のカテゴリ内に配置される。
【０６３７】
プレビューは、２つの方法、すなわち、直接のユーザ要求（例えばユーザがプレビューで再生を押す）または結果ストリームが終了した後のプリフェッチの何れかでダウンロードすることが可能である。ユーザがプレビューのダウンロードを直接要求しなかった場合、スロバーはアニメーション化されず、プレビューがバックグランドでフェッチされていることはユーザに示されない。
【０６３８】
今日のヒント又はその他の宣伝用コンテンツは、アプリケーションのアイドル時間中にダウンロードすることが可能である。このコンテンツは、アプリケーションが次回に起動された際に表示するために電話機のメモリにセーブされているテキスト及び／又はイメージから構成することが可能である。
【０６３９】
実施形態では、コンテンツは、モバイル通信設備102に関する情報に部分的に基づいて該モバイル通信設備へダウンロードし、検索クエリを分類し、及び結果を１つ又は２つ以上の検索クエリ分類内に表示することが可能である。提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０６４０】
実施形態では、モバイル通信設備上での分類された検索クエリのクリックスルー動作に基づいてワイヤレスキャリアレポートを生成することが可能である。該レポートは、検索結果の品質、キーワード管理、又は収入に関する情報を含むことが可能であり、及び使用されるモバイル通信設備102のタイプによって分割することが可能である。
【０６４１】
実施形態では、モバイル通信設備102の検索ボックス中にクエリ入力120を入力することが可能であり、及び該検索をあらゆる検索の実行前に分類することが可能である。随意選択的に、該分類に逆らって検索を実行することが可能であり、又は該分類に逆らって検索結果をフィルタリングすることが可能であり、又は該分類に基づいて検索をリファインし又は変更するためのオプションをユーザに提示することが可能である。結果は、単一の分類又は複数の分類とすることが可能である。より一般的には、検索クエリは、モバイル通信設備102上に入力されたクエリに関連して分類することが可能である。
【０６４２】
実施形態では、検索クエリは、モバイル通信設備102上で分類し入力することが可能であり、該分類された検索クエリは、検索アルゴリズム設備144を介して処理することが可能である。
【０６４３】
実施形態では、検索クエリは、モバイル通信設備102上で分類し入力することが可能であり、生成されたコンテンツは、データ設備からの分類された検索クエリに関連づけることが可能である。該データ設備は、例えば、WAP設備又はキャリア設備とすることが可能である。
【０６４４】
実施形態では、検索クエリは、クエリ入力120と少なくとも１つのモバイル加入者特徴との関係を生成することにより、分類することが可能である。該モバイル加入者特徴112は、ロケーション、個人情報、ユーザのウェブ対話の履歴、又はロケーション若しくは時刻等の複数の特徴を含むことが可能である。
【０６４５】
実施形態では、検索クエリは、位置情報サービスを使用して、分類されたクエリ入力120とモバイル通信設備102のロケーションとの関係を生成することにより、分類することが可能である。該関係は、少なくとも１つのクエリ入力120とロケーション及び時刻との関係とすることが可能である。ロケーションは、GPSシステム又はセルラー電話の三角測量サービスにより提供することが可能である。
【０６４６】
実施形態では、分類されたクエリ入力120をフィルタアルゴリズムに関連づけることに部分的に基づいて、クエリを分類することが可能であり、ここで、該フィルタアルゴリズムは、ワイヤレスプロバイダ108により収集された情報を使用する。アルゴリズム設備144は、協調フィルタとすることが可能であり（この場合、検索はオープンウェブ検索）、又は推薦システムとすることが可能である。
【０６４７】
実施形態では、クエリ入力120を分類し、及びカテゴライズされた検索クエリに基づいて結果設備からコンテンツを受信することが可能であり、ここで、該結果設備は、モバイル通信設備102から導出された情報（モバイル加入者特徴112情報等）と関連するものである。
【０６４８】
実施形態では、検索クエリは、モバイル通信設備102上で分類して入力することが可能であり、ここで、該分類された検索クエリはモバイルブラウザ設備に関連するものである。
【０６４９】
実施形態では、検索クエリは、モバイル通信設備102上で分類することが可能である。該分類された検索クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０６５０】
実施形態では、検索クエリは、元の検索クエリがモバイル通信設備102上に存在するボイス認識設備160を介して処理された該モバイル通信設備102上で分類することが可能である。代替的に、該ボイス認識設備160は、リモートサーバ上に存在することが可能であり、又は部分的にモバイル通信設備102上に存在し且つ部分的にサーバ上に存在することが可能である。
【０６５１】
実施形態では、検索クエリは、モバイル通信設備102に関する情報に関連して提案されたクエリを処理する該モバイル通信設備102上で分類し入力することが可能である。この情報は、モバイル通信設備102上にローカルに存在することが可能であり、又はデータ設備内にリモートに（例えばモバイル加入者特徴112データベース内に）格納することが可能である。
【０６５２】
実施形態では、クエリ入力120は、モバイル通信設備102上で生成される結果を制限するためのペアレンタル・コントロール設備を提供する該モバイル通信設備102上で分類することが可能である。該ペアレンタル・コントロール150は、サーバアプリケーションを介して又はモバイル通信設備102を介して調整することが可能である。
【０６５３】
実施形態では、検索クエリは、検索クエリのカテゴリに関連する個人情報又はその他の機密情報の損失からユーザを保護するためのプライバシー設備152を提供するモバイル通信設備102上で分類することが可能である。該プライバシー設備152は、トランザクション中の情報を保護するよう構成することが可能である。
【０６５４】
実施形態では、クエリ入力120は、該クエリ入力120の分類に関連するセキュアなトランザクションを可能にするよう構成されたトランザクションセキュリティ設備154を提供するモバイル通信設備102上で分類することが可能である。該トランザクションセキュリティ設備154は、プライバシー152の保護を含むことが可能であり、及びペアレンタル・コントロール150又はディジタル著作権管理と連携して動作することが可能である。
【０６５５】
実施形態では、クエリは、キャリアビジネスルール130に関連し及びモバイル通信設備102に関する情報に関連してクエリ入力120を処理することにより分類することが可能である。キャリアビジネスルール130は、ガーデン外コンテンツ、スポンサー情報、又はオークションを提示する、ウォールド・コンテンツ・ガーデン結果を含むことが可能である。モバイル通信設備102に関する情報は、モバイル加入者特徴情報とすることが可能である。
【０６５６】
実施形態では、クエリ入力120は、スポンサー設備との対話に部分的に基づいてモバイル通信設備102上で分類することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０６５７】
実施形態では、結果は、モバイル通信設備102に関する情報に関連してクエリ入力120をマッピングするキーワードに基づいて取り出すことが可能である。この情報は、モバイル加入者特徴112、キャリアビジネスルール130、及びスポンサー情報を含むことが可能である。これらのデータベースに格納されている更なる情報は、検索クエリをマッピングしたキーワードと１つ又は２つ以上の結果セットの表示とを制限する検索パラメータを形成することが可能であり、該制限は、情報を省略し、情報を優先順位づけし（例えば他の全ての前にスポンサーリンクを提示し）、検索結果セットの一部を強調表示し、又はスポンサーオークションに基づいて情報の表示を順序づけする（すなわち最高入札者を最初に提示する）ことにより行われる。スポンサーオークションの場合、スポンサーは、該スポンサー自身の製品、サービス、及びそれらへのリンクに関連づけたいキーワードについて入札を行うことが可能である。
【０６５８】
実施形態では、検索クエリは、モバイル通信設備102上でキーワードによりマッピングされ入力され、該マッピングされたクエリに関連してモバイル通信設備102上で結果を順序づけし及び表示することが可能である。この情報は、モバイル加入者特徴112、検索アルゴリズム設備144、ペアレンタル・コントロール150、キャリアビジネスルール130、及び／又はスポンサー情報を含むことが可能である。スポンサー情報に基づきマッピングされたクエリ入力120に関連する結果の順序づけは、マッピングされたクエリ入力で使用したキーワードにスポンサーを関連づけることにより、及び／又はスポンサーコンテンツにマッピングされたクエリ入力を関連づけることにより、行うことが可能である。マッピングされたクエリ入力120がスポンサーの１つ又は２つ以上のキーワード又はコンテンツと一致する場合には、該スポンサーの情報を検索結果表示において優先的に表示し、強調表示し、又はその他の態様で該提案されたクエリ入力120に関する他のコンテンツよりも優位性を与えることが可能である。スポンサーとのキーワードの関連づけは、キーワードとの唯一の関連づけ又は共有された頻度のキーワードの関連づけ（例えばキーワードの一回おきの発生）を入札者が競り合うオークションを介して生じることが可能である。更に、該オークションプロセスは、結果的に得られるスポンサーコンテンツの表示のサイズ（例えばモバイル通信設備102におけるユーザの全表示スペースのパーセンテージとして表されるサイズ）及び結果表示に対するマルチメディアコンテンツ（グラフィクス、オーディオ、又はビデオストリーム等）の追加を決定するための入札を含むことが可能である。
【０６５９】
マッピングされた検索クエリに基づく結果はまた、モバイル通信設備102の能力に部分的に基づいて順序づけすることが可能であり、この場合、該能力とは、オーディオ、ビジュアル、処理、又は画面能力である。
【０６６０】
実施形態では、モバイル通信設備102に関する情報（モバイル加入者特徴112、検索アルゴリズム設備144、個人用フィルタ、ペアレンタル・コントロール150、キャリアビジネスルール130、又はスポンサーシップ情報等）に少なくとも部分的に基づいて予測テキストを生成することにより、検索クエリ120のキーワードによるマッピングを行うことが可能である。更に、予測テキストは、モバイル通信設備102のSMS変換及び／又はキーパッドシーケンス変換に基づくものとすることが可能である。
【０６６１】
実施形態では、ボイスベースのクエリ入力120をモバイル通信設備102に関する情報（例えばSMS変換に少なくとも部分的に基づくボイス解釈）に関連づけることにより、クエリ入力120をキーワードによりマッピングすることが可能である。
【０６６２】
実施形態では、オークションは、キーワードによりマッピングされた検索クエリ120に関連するものとすることが可能である。オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサー提供の結果を優先させ又は強調することが可能である。
【０６６３】
実施形態では、検索クエリをモバイル通信設備102上でキーワードによりマッピングし、結果を該モバイル通信設備102に付随する画面上に提示し、及びスポンサードリンクに関連してトランザクションを実行することが可能であり、この場合、該トランザクションは、該スポンサードリンク上でのユーザのクリックにより、又はダウンロード可能コンテンツの購入等の商取引をユーザが行うことにより、発生することが可能である。
【０６６４】
実施形態では、モバイル通信設備102上で検索クエリをキーワードによりマッピングし及び入力し、該マッピングされたクエリに関する結果を収集して該モバイル通信設備102上で表示することが可能である。コンテンツ（例えば、着信音コンテンツ、音楽コンテンツ、又はビデオコンテンツ）は、スパイダを介して探し出し収集することが可能である。該スパイダは、１つ又は２つ以上のモバイル通信設備102の能力とのコンテンツの互換性を評価することが可能である。互換性は、一連の模擬的なモバイル通信設備102の試行を実行し、その結果を使用して好ましさを基準としてサイトから結果を抽出することにより、判定することが可能である。互換性は、更に、または代替的に、メーカー及び／又はサービスプロバイダによる装置の既知のハードウェア及び／又はソフトウェア能力を使用して判定することが可能である。１つの技法は、WAP互換コンテンツサイトからの抽出を最初に提供し、又はモバイル通信設備102に関する情報に関連してコンテンツが収集されたコンテンツタイプサイトからの抽出を最初に提供することが可能である。
【０６６５】
実施形態では、クエリ入力120をキーワードによりマッピングし、及びアウトバウンドPPCを用いた該マッピングされた検索クエリに関する検索結果内の少なくとも１つの結果に関連づけることが可能である。
【０６６６】
実施形態では、コンテンツは、モバイル通信設備102に関する情報及びマッピングされた検索クエリに関連してダウンロードすることが可能であり、マップ内の以前にダウンロードしたコンテンツを提供することが可能である。提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０６６７】
実施形態では、マッピングされた検索クエリの内容のクリックスルー動作に基づいてワイヤレスキャリアレポートを生成することが可能である。該レポートは、検索結果の品質、キーワード管理、及び収入に関する情報を含むことが可能であり、及び使用されるモバイル通信設備102のタイプによって分割することが可能である。
【０６６８】
実施形態では、モバイル通信設備102の検索ボックス中に入力された検索クエリは、本書に記載する様々な技法（クエリ入力120設備等）を用いて処理することが可能である。例えば、検索クエリは、キーワードマッピングを用いてマッピングすることが可能である。該マッピングされた検索クエリは、検索アルゴリズム設備144を介して処理することが可能である。コンテンツは、データ設備からの分類された検索クエリに関連して生成することが可能である。該データ設備は、WAP設備又はキャリア設備とすることが可能である。
【０６６９】
実施形態では、検索クエリは、すくなくとも１つのモバイル加入者特徴に基づいてマッピングすることが可能である。該モバイル加入者特徴112は、ロケーション、個人情報、ユーザのウェブ対話の履歴、又はロケーション若しくは時刻等の複数の特徴を含むことが可能である。
【０６７０】
実施形態では、検索クエリは、位置情報サービスを使用して、モバイル通信設備102のロケーションに基づいて該モバイル通信設備102上でマッピングし入力することが可能である。該関係は、少なくとも１つのクエリ入力120とロケーション及び時刻との関係とすることが可能である。ロケーションは、GPSシステム又はセルラー電話の三角測量サービスにより提供することが可能である。
【０６７１】
実施形態では、検索クエリは、フィルタアルゴリズムに関連して該クエリを処理することによりマッピングすることが可能であり、ここで、該フィルタアルゴリズムは、ワイヤレスプロバイダ108により収集された情報を使用する。アルゴリズム設備144は、協調フィルタとすることが可能であり（この場合、検索はオープンウェブ検索）、又は推薦システムとすることが可能である。
【０６７２】
実施形態では、検索クエリは、モバイル通信設備102上でマッピングし入力することが可能であり、コンテンツは、該マッピングされた検索に基づいて結果設備から受信される。該結果設備148は、モバイル通信設備102から導出された情報（モバイル加入者特徴112情報等）に関連するものとすることが可能である。
【０６７３】
実施形態では、検索クエリは、モバイル通信設備102上でマッピングし入力することが可能であり、ここで、該マッピングされた検索クエリはモバイルブラウザ設備に関連するものである。
【０６７４】
実施形態では、検索クエリは、モバイル通信設備102上でマッピングすることが可能である。該マッピングされたクエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０６７５】
実施形態では、クエリ入力は、元の検索クエリがモバイル通信設備102上に存在するボイス認識設備160を介して処理された該モバイル通信設備102上でマッピングすることが可能であり、又は、ボイス認識設備160を使用して、検索をリファインし若しくは修正し又は検索結果を選択することが可能である。該ボイス認識設備160は、更に、又は代替的に、リモートサーバ上に存在することが可能であり、又は部分的にモバイル通信設備102上に存在し且つ部分的にサーバ上に存在することが可能である。
【０６７６】
実施形態では、クエリ入力120は、モバイル通信設備102上でマッピングすることが可能であり、この場合、該マッピングは、モバイル通信設備102に関するデータ設備内に格納されているモバイル通信関連情報を使用して達成することが可能である。この情報は、モバイル通信設備102上にローカルに存在することが可能であり、又はリモートに（例えばモバイル加入者特徴112データベース内に）格納することが可能である。
【０６７７】
実施形態では、クエリ入力120は、モバイル通信設備102上で生成される結果を制限するためのペアレンタル・コントロール設備を提供する該モバイル通信設備102上でマッピングすることが可能である。該ペアレンタル・コントロール150は、サーバアプリケーションを介して又はモバイル通信設備102を介して調整することが可能である。
【０６７８】
実施形態では、クエリ入力120は、検索クエリのカテゴリに関連する個人情報又はその他の機密情報の損失からユーザを保護するためのモバイル通信設備102に関連するプライバシー設備152を提供する該モバイル通信設備102上でマッピングすることが可能である。該プライバシー設備152は、トランザクション中の情報を保護するよう構成することが可能である。
【０６７９】
実施形態では、検索クエリは、モバイル通信設備102上でマッピングし入力することが可能であり、及び該マッピングを、分類に関連するセキュアなトランザクションを可能にするトランザクションセキュリティ設備に関連づけることが可能である。該トランザクションセキュリティ設備154は、プライバシー152の保護を含むことが可能であり、及びペアレンタル・コントロール150又はディジタル著作権管理と連携して動作することが可能である。
【０６８０】
実施形態では、クエリは、キャリアビジネスルール130に関連してマッピングすることが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０６８１】
実施形態では、クエリ入力120は、スポンサー設備との対話に部分的に基づいてモバイル通信設備102上でマッピングすることが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、テキストとして、画像として、ビデオとして、又は対話型アプリケーションとして提示されるリンクとすることが可能である。コンテンツは、モバイル通信設備102用にフォーマットすることが可能であり、及びウェブページコンテンツ又はシンジケート広告用のリンクに関連するものとすることが可能である。      
【０６８２】
実施形態では、検索クエリの結果は、モバイル通信設備102上で取り出し及び入力することが可能であり、その結果は、マッピングされたクエリに関連するモバイル通信設備102上で順序づけし表示することが可能である。この情報は、モバイル加入者特徴112、検索アルゴリズム設備144、ペアレンタル・コントロール150、キャリアビジネスルール130、及び／又はスポンサー情報を含むことが可能である。スポンサー情報に基づくマッピングされたクエリ入力120に関連する結果の順序づけは、クエリ入力で使用したキーワードにスポンサーを関連づけることにより、及び／又はスポンサーコンテンツにクエリ入力を関連づけることにより、行うことが可能である。マッピングされたクエリ入力120がスポンサーの１つ又は２つ以上のキーワード又はコンテンツと一致する場合には、該スポンサーの情報を検索結果表示において優先的に表示し、強調表示し、又はその他の態様で該提案されたクエリ入力120に関する他のコンテンツよりも優位性を与えることが可能である。スポンサーとのキーワードの関連づけは、キーワードとの唯一の関連づけ又は共有された頻度のキーワードの関連づけ（例えばキーワードの一回おきの発生）を入札者が競り合うオークションを介して生じることが可能である。更に、該オークションプロセスは、結果的に得られるスポンサーコンテンツの表示のサイズ（例えばモバイル通信設備102におけるユーザの全表示スペースのパーセンテージとして表されるサイズ）及び結果表示に対するマルチメディアコンテンツ（グラフィクス、オーディオ、又はビデオストリーム等）の追加を決定するための入札を含むことが可能である。
【０６８３】
マッピングされた検索クエリに基づく結果はまた、モバイル通信設備102の能力に部分的に基づいて順序づけすることが可能であり、この場合、該能力とは、オーディオ、ビジュアル、処理、又は画面能力である。
【０６８４】
実施形態では、モバイル通信設備102に関する情報（モバイル加入者特徴112、検索アルゴリズム設備144、個人用フィルタ、ペアレンタル・コントロール150、キャリアビジネスルール130、又はスポンサーシップ情報等）に少なくとも部分的に基づいて予測テキストを生成することにより、クエリ入力120の結果を取り出すことが可能である。更に、予測テキストは、モバイル通信設備102のSMS変換及び／又はキーパッドシーケンス変換に基づくものとすることが可能である。
【０６８５】
実施形態では、ボイス認識を使用して検索クエリをモバイル通信設備102上で入力し、該検索クエリに基づいて結果を取り出すことが可能である。
【０６８６】
実施形態では、結果は、モバイル通信設備102上で入力された検索クエリに部分的に基づいて取り出すことが可能であり、この場合、該結果の一部は、検索マーケティングに関するオークションに基づくものである。オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサー提供の結果を優先させ又は強調することが可能である。
【０６８７】
実施形態では、モバイル通信設備102に関する情報に部分的に基づいて該モバイル通信設備102上で検索クエリの結果を取り出すことが可能であり、及び受信した結果に関連するトランザクションを実行することが可能である。該トランザクションは、ユーザがスポンサードリンク上をクリックすることにより又はダウンロード可能コンテンツの購入等の商取引を行うことにより発生することが可能である。
【０６８８】
実施形態では、モバイル通信設備102上で入力された検索クエリに部分的に基づいて複数の結果を取り出し、及び該結果を収集することが可能である。コンテンツ（例えば、着信音コンテンツ、音楽コンテンツ、又はビデオコンテンツ）はスパイダを介して収集することが可能である。該スパイダは、モバイル通信設備102の能力とのコンテンツの互換性を判定することが可能である。互換性の判定は、一連の模擬的なモバイル通信設備102の試行を実行し、その結果を使用して好ましさを基準としてサイトから結果を抽出することにより行うことが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供される。
【０６８９】
実施形態では、結果は、モバイル通信設備上で入力された検索クエリに部分的に基づいて取り出し、及びアウトバウンドPPCを用いた検索結果内の少なくとも１つの結果に関連づけることが可能である。
【０６９０】
実施形態では、モバイル通信設備102に関する情報に関連する検索クエリが入力される前に、該情報に関してコンテンツを取り出すことが可能である。この検索は暗黙的検索とすることが可能である。提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０６９１】
実施形態では、モバイル通信設備上で入力された検索クエリに部分的に基づいて取り出された結果に関連してワイヤレスキャリアレポートを生成することが可能である。該レポートは、検索結果の品質、キーワード管理、又は収入に関する情報を含むことが可能であり、及び使用されるモバイル通信設備102のタイプによって分割することが可能である。
【０６９２】
実施形態では、検索クエリは、モバイル通信設備102上で検索ボックス中に入力することが可能であり、該検索クエリはモバイル通信情報に関連するものである。取り出された結果は、モバイル通信設備上で入力された検索クエリに少なくとも部分的に基づくものとすることが可能である。
【０６９３】
実施形態では、結果は、モバイル通信設備上で入力された検索クエリに部分的に基づいて及びモバイル通信設備102情報に部分的に基づいて取り出すことが可能である。
【０６９４】
実施形態では、クエリは、検索クエリ入力設備120で入力することが可能であり、及び該クエリをモバイル通信情報に関連づけることが可能である。取り出される結果は、部分的にクエリに基づき及び部分的にモバイル通信情報に基づくものとすることが可能である。
【０６９５】
実施形態では、検索クエリは、検索アルゴリズム設備144を介して処理することが可能であり、及びモバイル通信最適化結果は、該検索クエリに少なくとも部分的に基づいて取り出すことが可能である。該検索クエリは、モバイル通信設備上で入力することが可能であり、その結果は該モバイル通信設備102に関する情報に基づいて最適化される。
【０６９６】
実施形態では、結果は、モバイル通信設備上で入力された検索クエリに部分的に基づき、及びモバイル加入者特徴に部分的に基づいて、取り出すことが可能である。該モバイル加入者特徴112は、ロケーション、個人情報、ユーザのウェブ対話の履歴、又はロケーション及び時刻等の複数の特徴を含むことが可能である。
【０６９７】
実施形態では、結果は、モバイル通信設備上で入力された検索クエリに部分的に基づき、及び位置情報サービスに部分的に基づいて、取り出すことが可能である。該関係は、少なくとも１つのクエリ入力120とロケーション及び時刻との関係とすることが可能である。ロケーションは、GPSシステム又はセルラー電話の三角測量サービスにより提供することが可能である。
【０６９８】
実施形態では、検索クエリは、フィルタアルゴリズム設備144を介してモバイル通信設備102上で処理し及び入力することが可能である。取り出される結果は、フィルタアルゴリズムに部分的に基づくものとすることが可能であり、この場合、該フィルタアルゴリズムは、モバイル通信設備102に関する情報を使用する。アルゴリズム設備144は、協調フィルタとすることが可能であり（この場合、検索はオープンウェブ検索）、又は推薦システムとすることが可能である。
【０６９９】
実施形態では、結果は、モバイル通信設備上で入力された検索クエリに部分的に基づいて結果設備148から取り出すことが可能である。該結果設備148は、モバイル通信設備102に関する情報（モバイル加入者特徴112情報等）に関連するものとすることが可能である。
【０７００】
実施形態では、結果設備148から結果を取り出すプロセスでモバイルブラウザ設備を使用することが可能であり、この場合、該結果設備148は、キャリアプレミアムコンテンツ及びオープンウェブ検索に関連する結果を生成するよう構成される。キャリアプレミアムコンテンツは、着信音、呼出音、ダウンロードコンテンツ、又は購入コンテンツを含むことが可能である。結果設備148はまた、モバイル通信設備102に関連する結果（加入者特徴情報等）を生成するよう構成することが可能である。
【０７０１】
実施形態では、結果は、モバイル通信設備上で入力された検索クエリに部分的に基づいて取り出すことが可能である。該結果は、非曖昧化設備140を介して処理されたクエリに関する情報に部分的に関連することが可能である。マッピングされたクエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０７０２】
実施形態では、結果は、ボイス認識設備160を使用してモバイル通信設備上で入力された検索クエリに部分的に基づいて取り出すことが可能である。元の検索クエリは、モバイル通信設備102上に存在するボイス認識設備160を介して入力することが可能である。代替的に、ボイス認識設備160は、リモートサーバ上に存在することが可能であり、又は部分的にモバイル通信設備102上に存在し且つ部分的にサーバ上に存在することが可能である。
【０７０３】
実施形態では、結果は、モバイル通信設備上で入力された検索クエリに部分的に基づいて取り出すことが可能であり、この場合、該結果は、モバイル通信設備102に関する情報に部分的に関連するものである。この情報は、モバイル通信設備102上にローカルに存在することが可能であり、又はリモートに（例えばモバイル加入者特徴112データベース内に）格納することが可能である。
【０７０４】
実施形態では、結果は、モバイル通信設備102上で生成される結果を制限するためのペアレンタル・コントロール設備を提供する該モバイル通信設備102上で入力された検索クエリに部分的に基づいて取り出すことが可能である。該ペアレンタル・コントロール150は、サーバアプリケーションを介して又はモバイル通信設備102を介して調整することが可能である。
【０７０５】
実施形態では、結果は、検索クエリのカテゴリに関連する個人情報又はその他の機密情報の損失からユーザを保護するためのモバイル通信設備102に関連するプライバシー設備152を提供する該モバイル通信設備102上の検索クエリに部分的に基づいて取り出すことが可能である。該プライバシー設備152は、トランザクション中の情報を保護するよう構成することが可能である。
【０７０６】
実施形態では、結果は、モバイル通信設備102上で入力された検索クエリに部分的に基づいて取り出すことが可能であり、その結果は、分類に関連するセキュアなトランザクションを可能にするトランザクションセキュリティ設備に関連づけることが可能である。該トランザクションセキュリティ設備154は、クエリに関連するセキュアなトランザクションを可能にするよう構成することが可能である。該トランザクションセキュリティ設備154は、プライバシー152の保護を伴うことが可能であり、及びペアレンタル・コントロール150又はディジタル著作権管理と連携して動作することが可能である。
【０７０７】
実施形態では、結果は、キャリアビジネスルール130に関連して検索クエリに部分的に基づいて取り出すことが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０７０８】
実施形態では、結果は、スポンサー設備との対話に部分的に基づきモバイル通信設備102上で入力された検索クエリに部分的に基づいて取り出すことが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０７０９】
実施形態では、結果は、モバイル通信設備102に関する情報（モバイル加入者特徴112、検索アルゴリズム設備144、個人用フィルタ、ペアレンタル・コントロール150、キャリアビジネスルール130、又はスポンサーシップ情報等）に少なくとも部分的に基づいて予測テキストを生成することにより、検索クエリに基づいて順序づけし表示することが可能である。更に、予測テキストは、モバイル通信設備102のSMS変換及び／又はキーパッドシーケンス変換に基づくものとすることが可能である。
【０７１０】
実施形態では、結果は、ボイスベースのクエリ入力120をモバイル通信設備102に関する情報に関連づけること（SMS変換に少なくとも部分的に基づくボイス解釈等）により、順序づけし表示することが可能である。
【０７１１】
実施形態では、結果は、モバイル通信設備102上で入力された検索クエリに部分的に基づいて順序づけし表示することが可能であり、この場合、該結果の一部は、検索マーケティングに関するオークションに基づくものである。オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサー提供の結果を優先させ又は強調することが可能である。
【０７１２】
実施形態では、モバイル通信設備102上の検索クエリに部分的に基づいて結果を順序づけし表示することが可能であり、及び該結果を該モバイル通信設備102に付随する画面上に提示することが可能であり、及びスポンサードリンクに関連してトランザクションを実行することが可能であり、この場合、該トランザクションは、該スポンサードリンク上でのユーザのクリックにより、又はダウンロード可能コンテンツの購入等の商取引をユーザが行うことにより、発生することが可能である。
【０７１３】
実施形態では、結果は、モバイル通信設備102上で順序づけし表示することが可能であり、該結果は、モバイル通信設備102上での表示のために検索クエリに関係することにより収集される。コンテンツ（例えば、着信音コンテンツ、音楽コンテンツ、又はビデオコンテンツ）はスパイダを介して収集することが可能である。該スパイダは、モバイル通信設備102の能力とのコンテンツの互換性を判定することが可能である。互換性の判定は、一連の模擬的なモバイル通信設備102の試行を実行し、その結果を使用して好ましさを基準としてサイトから結果を抽出することにより行うことが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供される。
【０７１４】
実施形態では、結果は、モバイル通信設備上で入力された検索クエリに部分的に基づいて順序づけし表示することが可能であり、及びアウトバウンドPPCを用いたクエリに関する検索結果内の少なくとも１つの結果に関連づけることが可能である。
【０７１５】
実施形態では、モバイル通信設備102に関する情報に関連する検索クエリが入力される前に、該情報に関してコンテンツを取り出すことが可能である。該検索クエリの入力に続いて、該情報を順序づけし表示することが可能である。該提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０７１６】
実施形態では、モバイル通信設備上で取り出された結果の順序づけに関連してワイヤレスキャリアレポートを生成することが可能である。該レポートは、検索結果の品質、キーワード管理、又は収入に関する情報を含むことが可能であり、及び使用されるモバイル通信設備102のタイプによって分割することが可能である。
【０７１７】
実施形態では、検索クエリはモバイル通信設備102上で検索ボックス中に入力することが可能であり、該検索クエリはモバイル通信情報に関連するものであり、結果は、入力された検索クエリに部分的に基づき、及びモバイル通信情報に部分的に基づいて、順序づけされ表示される。
【０７１８】
実施形態では、結果は、モバイル通信設備上で入力された検索クエリに部分的に基づき、及びモバイル通信設備102情報に部分的に基づいて、順序づけし表示することが可能である。
【０７１９】
実施形態では、クエリは、検索クエリ入力設備120で入力することが可能であり、該クエリがモバイル通信情報に関連づけられ、及び結果が部分的にクエリに基づき及び部分的にモバイル通信情報に基づいて順序づけされ表示される。
【０７２０】
実施形態では、検索クエリは、検索アルゴリズム設備144を介して処理することが可能であり、該検索クエリに部分的に基づいてモバイル通信最適化結果が取り出され、この場合、該最適化結果は、モバイル通信設備102に関する情報に基づいて最適化される。モバイル通信設備102に関する情報は、画面サイズ、画面形状、処理能力、処理速度、オーディオシステム、ビジュアルシステム、聴覚システム、モバイル加入者特徴112、及びロケーションとすることが可能である。
【０７２１】
実施形態では、検索結果は配信設備から受信することが可能であり、及び該結果はモバイル通信設備102に関連して順序づけし表示することが可能であり、ここで、該順序づけは、該モバイル通信設備102に関する情報に関連して行われる。該モバイル通信設備102に関する情報は、画面サイズ、画面形状、処理能力、処理速度、オーディオシステム、ビジュアルシステム、聴覚システム、モバイル加入者特徴112、及びロケーションとすることが可能である。
【０７２２】
実施形態では、結果は、少なくとも１つのモバイル加入者特徴に基づいてモバイル通信設備102の表示装置上で順序づけし表示することが可能である。該モバイル加入者特徴112は、ロケーション、個人情報、ユーザのウェブ対話の履歴、又はロケーション及び時刻等の複数の特徴を含むことが可能である。
【０７２３】
実施形態では、検索結果は、位置情報サービスを使用して、モバイル通信設備102のロケーションに基づき該モバイル通信設備102の表示装置上で順序づけし表示することが可能である。該関係は、少なくとも１つのクエリ入力120とロケーション及び時刻との関係とすることが可能である。ロケーションは、GPSシステム又はセルラー電話の三角測量サービスにより提供することが可能である。
【０７２４】
実施形態では、検索クエリは、フィルタアルゴリズム設備144を介してモバイル通信設備102上で処理し及び入力することが可能であり、その結果は、フィルタアルゴリズムに部分的に基づいて順序づけすることが可能であり、この場合、該フィルタアルゴリズムは、モバイル通信設備102に関する情報を使用する。該アルゴリズム設備144は、協調フィルタとすることが可能であり（この場合、検索はオープンウェブ検索）、又は推薦システムとすることが可能である。
【０７２５】
実施形態では、結果は、モバイル通信設備上で入力された検索クエリに部分的に基づいて結果設備148から順序づけすることが可能である。該結果設備148は、モバイル通信設備102から導出された情報（モバイル加入者特徴112情報等）に関連するものとすることが可能である。
【０７２６】
実施形態では、結果設備148から結果を順序づけし表示するプロセスでモバイルブラウザ設備を使用することが可能である。該結果設備148は、キャリアプレミアムコンテンツ及びオープンウェブ検索に関連する結果を生成するよう構成することが可能である。結果設備148はまた、モバイル通信設備102から導出された情報（モバイル加入者特徴112情報等）に関連するものとすることが可能である。
【０７２７】
実施形態では、結果は、モバイル通信設備上で入力された検索クエリに部分的に基づいて順序づけすることが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０７２８】
実施形態では、結果は、モバイル通信設備102上に存在するボイス認識設備160を介して該モバイル通信設備102上で入力された検索クエリに部分的に基づいて順序づけすることが可能である。代替的に、ボイス認識設備160は、リモートサーバ上に存在することが可能であり、又は部分的にモバイル通信設備102上に存在し且つ部分的にサーバ上に存在することが可能である。
【０７２９】
実施形態では、結果は、モバイル通信設備102上で入力された検索クエリに部分的に基づいて順序づけすることが可能であり、この場合、該結果は、モバイル通信設備102に関連するデータ設備内に格納されている情報に部分的に基づくものである。この情報は、モバイル通信設備102上にローカルに存在することが可能であり、又はリモートに（例えばモバイル加入者特徴112データベース内に）格納することが可能である。
【０７３０】
実施形態では、結果は、モバイル通信設備102上で生成される結果を制限するためのペアレンタル・コントロール設備を提供する該モバイル通信設備102上で入力された検索クエリに部分的に基づいて順序づけし表示することが可能である。該ペアレンタル・コントロール150は、サーバアプリケーションを介して又はモバイル通信設備102を介して調整することが可能である。
【０７３１】
実施形態では、結果は、検索クエリのカテゴリに関連する個人情報又はその他の機密情報の損失からユーザを保護するためのモバイル通信設備102に関連するプライバシー設備152を提供する該モバイル通信設備102上で入力された検索クエリに部分的に基づいて順序づけし表示することが可能である。該プライバシー設備152は、トランザクション中の情報を保護するよう構成することが可能である。
【０７３２】
実施形態では、結果は、モバイル通信設備102上で入力された検索クエリに部分的に基づいて順序づけし表示することが可能であり、該結果に関連するセキュアなトランザクションを可能にするトランザクションセキュリティ設備に該結果を関連づけることが可能である。該トランザクションセキュリティ設備154は、クエリの分類に関連するセキュアなトランザクションを可能にするよう構成することが可能である。該トランザクションセキュリティ設備154は、プライバシー152の保護を伴うことが可能であり、及びペアレンタル・コントロール150、ディジタル著作権管理、又はアイデンティティ保護と連携して動作することが可能である。
【０７３３】
実施形態では、結果は、キャリアビジネスルール130に関連してモバイル通信設備上で入力された検索クエリに部分的に基づいて順序づけし表示することが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０７３４】
実施形態では、結果は、スポンサー設備との対話に関連してモバイル通信設備102上で入力された検索クエリに部分的に基づいて順序づけし表示することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０７３５】
実施形態では、テキストを予測し、及びボイス認識を使用してモバイル通信設備102上で入力された検索クエリに前記テキストを関連づけることが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７３６】
実施形態では、テキストを予測し、該テキストをモバイル通信設備102上で入力された検索クエリに関連づけし、及び該予測されたテキストに関連して検索マーケティングのためのオークションを実行することが可能である。該オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサーの結果を優先させ又は強調することが可能である。
【０７３７】
実施形態では、テキストを予測し、該テキストをモバイル通信設備102上で入力された検索クエリに関連づけし、及び該予測されたテキストに少なくとも部分的に基づいてトランザクションを実行することが可能である。該トランザクションは、ユーザが、スポンサードリンク上をクリックすることにより、又はダウンロード可能コンテンツの購入等の商取引をユーザが行うことにより、又は非経済的な取引を行うことにより、発生することが可能である。予測テキストは、モバイル通信設備102情報、SMS変換、モバイル加入者特徴情報、ユーザ固有辞書、数字キーパッド変換、及び多文字キーパッド変換のうちの少なくとも１つに少なくとも部分的に基づくものとすることが可能である。
【０７３８】
実施形態では、テキストを予測し、該テキストをモバイル通信設備102上で入力された検索クエリに関連づけし、及び該予測されたテキストに部分的に基づいて結果を収集することが可能である。コンテンツ（例えば、着信音コンテンツ、音楽コンテンツ、又はビデオコンテンツ）は、スパイダを介して収集することが可能であり、及び高いレベルの収集形態のカテゴリで提示することが可能である。該スパイダは、モバイル通信設備102の能力とのコンテンツの互換性を判定することが可能である。互換性の判定は、一連の模擬的なモバイル通信設備102の試行を実行し、その結果を使用して好ましさを基準としてサイトから結果を抽出することにより行うことが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供される。
【０７３９】
実施形態では、テキストを予測し、該テキストをモバイル通信設備102上で入力された検索クエリに関連づけし、及び該予測されたテキストに関連してアウトバウンドPCCマーケティング活動を実行することが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７４０】
実施形態では、結果は、モバイル通信設備102に関する情報、及びモバイル通信設備102上で入力された検索クエリに関連して予測されたテキストに部分的に基づいて、モバイル通信設備102へダウンロードすることが可能である。該予測テキストステップに続いて、モバイル通信設備102に付随する表示装置上に結果を提示することが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０７４１】
実施形態では、モバイル通信設備102上で入力された検索クエリに関連する予測テキストに関してワイヤレスキャリアレポートを生成することが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。該レポートは、検索結果の品質、キーワード管理、又は収入に関する情報を含むことが可能であり、及び使用されるモバイル通信設備102のタイプによって分割することが可能である。
【０７４２】
実施形態では、テキストを予測し、該テキストをモバイル通信設備102上で検索ボックス内に入力された検索クエリに関連づけすることが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７４３】
実施形態では、テキストを予測し、該テキストをモバイル通信設備102上で入力された検索クエリに関連づけることが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７４４】
実施形態では、テキストを予測し、ボイス認識を使用してモバイル通信設備102に関連するクエリ入力120設備で入力された検索クエリに前記テキストを関連づけることが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７４５】
実施形態では、テキストを予測し、該テキストをモバイル通信設備102上で入力された検索クエリに関連づけし、前記予測されたテキストに少なくとも基づく要求を検索アルゴリズム設備144を介して処理することが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７４６】
実施形態では、テキストを予測し、該テキストをモバイル通信設備102上で入力された検索クエリに関連づけし、該予測されたテキストに部分的に関連して配信設備から結果を受信することが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７４７】
実施形態では、テキストを予測し、該テキストを、少なくとも１つのモバイル加入者特徴に部分的に基づいて、モバイル通信設備102上で入力された検索クエリに関連づけることが可能である。該モバイル加入者特徴112は、ロケーション、個人情報、ユーザのウェブ対話の履歴、又はロケーション及び時刻等の複数の特徴を含むことが可能である。該予測テキストは、モバイル通信設備102情報、SMS変換、モバイル加入者特徴情報、ユーザ固有辞書、数字キーパッド変換、及び多文字キーパッド変換のうちの少なくとも１つに少なくとも部分的に基づくものとすることが可能である。
【０７４８】
実施形態では、テキストを予測し、該テキストをモバイル通信設備102上で入力された検索クエリに関連づけることが可能であり、ここで、該予測されたテキストは、位置情報サービスにより決定されるロケーションに部分的に基づくものである。その関係は、少なくとも１つのクエリ入力120とロケーション及び時刻との関係とすることが可能である。ロケーションは、GPSシステム又はセルラー電話の三角測量サービスにより提供することが可能である。予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７４９】
実施形態では、テキストを予測し、該テキストをモバイル通信設備102上で入力された検索クエリに関連づけることが可能であり、該予測されたテキストは、フィルタアルゴリズム設備144に部分的に基づくものである。該アルゴリズム設備144は、協調フィルタとすることが可能であり（この場合、検索はオープンウェブ検索）、又は推薦システムとすることが可能である。予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７５０】
実施形態では、テキストを予測し、及びモバイル通信設備102上で検索クエリを入力することが可能であり、その結果は前記予測されたテキストに関連して結果設備148から生成される。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７５１】
実施形態では、テキストを予測し、該テキストをモバイル通信設備102上で入力された検索クエリに関連づけることが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７５２】
実施形態では、テキストを予測し、該テキストをモバイル通信設備102上で入力された検索クエリに関連づけることが可能であり、該予測されたテキストは、非曖昧化設備140を介して処理することが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７５３】
実施形態では、テキストを予測し、該テキストをモバイル通信設備102上で入力された検索クエリに関連づけることが可能であり、該予測されたテキストは、モバイル通信設備102上に存在するボイス認識設備160を介して入力された検索クエリに部分的に基づくものとすることが可能である。代替的に、ボイス認識設備160は、リモートサーバ上に存在することが可能であり、又は部分的にモバイル通信設備102上に存在し且つ部分的にサーバ上に存在することが可能である。予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７５４】
実施形態では、テキストを予測し、該テキストをモバイル通信設備102上で入力された検索クエリに関連づけることが可能であり、該予測されたテキストは、データ設備内に存在するモバイル通信関連情報に部分的に基づくものとすることが可能である。この情報は、モバイル通信設備102上にローカルに存在することが可能であり、又はリモートに（例えばモバイル加入者特徴112データベース内に）格納することが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７５５】
実施形態では、テキストを予測し、該テキストをモバイル通信設備102上で入力された検索クエリに関連づけることが可能であり、該予測されたテキストは、ペアレンタル・コントロール・パラメータに部分的に基づくものである。ペアレンタル・コントロール150は、サーバアプリケーションを介して又はモバイル通信設備102を介して調整することが可能である。該予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７５６】
実施形態では、テキストを予測し、該テキストをモバイル通信設備102上で入力された検索クエリに関連づけることが可能であり、該予測されたテキストは、プライバシー152パラメータに部分的に基づくものである。プライバシー設備152は、トランザクション中の情報を保護するよう構成することが可能である。予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものである。
【０７５７】
実施形態では、テキストを予測し、該テキストをモバイル通信設備102上で入力された検索クエリに関連づけし、及び該予測されたテキストに関連するトランザクションが実行可能となるよう該予測されたテキストをトランザクション設備に関連づけることが可能である。トランザクションセキュリティ設備154は、クエリ分類に関連するセキュアなトランザクションを可能とするよう構成することが可能である。トランザクションセキュリティ設備154は、プライバシー152の保護を伴うことが可能であり、及びペアレンタル・コントロール150、ディジタル著作権管理、又はアイデンティティ保護と連携して動作することが可能である。予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７５８】
実施形態では、テキストを予測し、該テキストをモバイル通信設備102上で入力された検索クエリに関連づけることが可能であり、該予測されたテキストは、キャリアビジネスルール130に部分的に基づくものである。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７５９】
実施形態では、テキストを予測し、該テキストをモバイル通信設備102上で入力された検索クエリに関連づけることが可能であり、該予測されたテキストは、スポンサー設備情報に部分的に基づくものである。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。予測テキストは、モバイル通信設備102情報、SMS変換、モバイル加入者特徴情報、ユーザ固有辞書、数字キーパッド変換、及び多文字キーパッド変換のうちの少なくとも１つに部分的に基づくものとすることが可能である。
【０７６０】
実施形態では、ボイス認識を使用してモバイル通信設備102上で検索クエリを入力し、該検索クエリに関連する検索マーケティングのためのオークションを実行することが可能である。該オークションの実行は、モバイル通信設備102に関する情報（例えば、モバイル加入者特徴112、検索アルゴリズム設備144、個人用フィルタ、ペアレンタル・コントロール150、又はキャリアビジネスルール130）の使用を伴うことが可能である。１つ又は２つ以上の結果セットの表示は、スポンサーの結果を優先させ又は強調することが可能である。
【０７６１】
実施形態では、ボイス認識を使用してモバイル通信設備102上で検索クエリを入力し、該検索クエリに少なくとも部分的に基づいて受信した結果に関連してトランザクションを行うことが可能である。該トランザクションは、ユーザがスポンサードリンク上をクリックすることにより又はダウンロード可能コンテンツの購入等の商取引を行うことにより、又は非経済的な取引を行うことにより、発生することが可能である。
【０７６２】
実施形態では、ボイス認識を使用してモバイル通信設備102上で検索クエリを入力し、該検索クエリに部分的に基づいて結果を収集することが可能である。コンテンツ（例えば、着信音コンテンツ、音楽コンテンツ、又はビデオコンテンツ）は、スパイダを介して収集することが可能であり、及び高レベルの収集形態のカテゴリで提示することが可能である。該スパイダは、モバイル通信設備102の能力とのコンテンツの互換性を判定することが可能である。互換性の判定は、一連の模擬的なモバイル通信設備102の試行を実行し、その結果を使用して好ましさを基準としてサイトから結果を抽出することにより行うことが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供される。
【０７６３】
実施形態では、ボイス認識を使用してモバイル通信設備102上で検索クエリを入力し、該検索クエリに少なくとも部分的に基づいてアウトバウンドPCCマーケティングに関連する活動を実行することが可能である。
【０７６４】
実施形態では、モバイル通信設備102に関する情報に少なくとも部分的に基づいて該モバイル通信設備102へ結果をダウンロードし、その後、ボイス認識を使用して検索クエリを入力して結果を該受信することが可能である。予測テキストステップに続いて、モバイル通信設備102に付随する表示装置上に結果を提示することが可能である。提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０７６５】
実施形態では、モバイル通信設備102上でボイス認識を介して入力された検索クエリに関連する予測テキストに関してワイヤレスキャリアレポートを生成することが可能である。該レポートは、検索結果の品質、キーワード管理、又は収入に関する情報を含むことが可能であり、及び使用されるモバイル通信設備102のタイプによって分割することが可能である。
【０７６６】
実施形態では、ボイス認識を使用してモバイル通信設備102上で検索クエリを入力することが可能である。該ボイス・アクティベーションは、検索ボックス入力、ボタン、又はその他の適当な活動化技術によって活動化させることが可能である。ボイス認識設備160は、クエリ入力120設備を含むことが可能である。検索クエリは、検索アルゴリズム設備144、配信設備、及び／又は本書に記載する検索を処理するのに適した他の任意の設備を介して処理することが可能である。検索クエリは、モバイル加入者特徴に関連づけることが可能である。該モバイル加入者特徴112は、ロケーション、個人情報、ユーザのウェブ対話の履歴、又はロケーション及び時刻等の複数の特徴を含むことが可能である。
【０７６７】
実施形態では、ボイス認識を使用してモバイル通信設備102上で検索クエリを入力することが可能であり、該検索クエリは、位置情報サービスにより決定されるロケーションに関連づけることが可能である。その関係は、少なくとも１つのクエリ入力120とロケーション及び時刻との関係とすることが可能である。ロケーションは、GPSシステム又はセルラー電話の三角測量サービスにより提供することが可能である。
【０７６８】
実施形態では、ボイス認識を使用してモバイル通信設備102上で検索クエリを入力することが可能であり、該検索クエリは、フィルタアルゴリズム設備144に関連づけることが可能である。該アルゴリズム設備144は、協調フィルタとすることが可能であり（この場合、検索はオープンウェブ検索）、又は推薦システムとすることが可能である。
【０７６９】
実施形態では、ボイス認識を使用してモバイル通信設備102上で検索クエリを入力することが可能であり、該検索クエリを結果設備148へ提示することが可能である。
【０７７０】
実施形態では、ボイス認識を使用してモバイル通信設備102上で検索クエリを入力することが可能であり、該検索クエリをモバイルブラウザ設備を使用して処理することが可能である。
【０７７１】
実施形態では、ボイス認識を使用してモバイル通信設備102上で検索クエリを入力することが可能であり、該検索クエリを非曖昧化設備140を介して処理することが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０７７２】
実施形態では、モバイル通信設備102上に存在するボイス認識設備160を使用して該モバイル通信設備102上で検索クエリを入力することが可能である。代替的に、ボイス認識設備160は、リモートサーバ上に存在することが可能であり、又は部分的にモバイル通信設備102上に存在し且つ部分的にサーバ上に存在することが可能である。
【０７７３】
実施形態では、ボイス認識を使用してモバイル通信設備102上で検索クエリを入力することが可能であり、そのボイス認識プロセスは、データ設備内に存在し得るモバイル通信設備102に関する情報を使用する。この情報は、モバイル通信設備102上にローカルに存在することが可能であり、又はリモートに（例えばモバイル加入者特徴112データベース内に）格納することが可能である。
【０７７４】
実施形態では、ボイス認識を使用してモバイル通信設備102上で検索クエリを入力することが可能であり、該検索クエリはペアレンタル・コントロール・パラメータに関連するものである。ペアレンタル・コントロール150は、サーバアプリケーションを介して又はモバイル通信設備102を介して調整することが可能である。
【０７７５】
実施形態では、ボイス認識を使用してモバイル通信設備102上で検索クエリを入力することが可能であり、該検索クエリは、プライバシー152パラメータに関連するものである。プライバシー設備152は、トランザクション中の情報を保護するよう構成することが可能である。
【０７７６】
実施形態では、ボイス認識を使用してモバイル通信設備102上で検索クエリを入力することが可能であり、該検索クエリは、セキュリティ設備に関連するものである。トランザクションセキュリティ設備154は、クエリ分類に関連するセキュアなトランザクションを可能とするよう構成することが可能である。トランザクションセキュリティ154設備は、プライバシー152の保護を伴うことが可能であり、及びペアレンタル・コントロール150、ディジタル著作権管理、又はアイデンティティ保護と連携して動作することが可能である。
【０７７７】
実施形態では、ボイス認識を使用してモバイル通信設備102上で検索クエリを入力することが可能であり、該検索クエリは、キャリアビジネスルールに関連するものである。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０７７８】
実施形態では、ボイス認識を使用してモバイル通信設備102上で検索クエリを入力することが可能であり、該検索クエリはスポンサー設備に関連するものである。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０７７９】
実施形態では、モバイル通信設備102上でのスポンサードコンテンツの提示に関連して検索マーケティングのためのオークションを実行することが可能であり、該スポンサードコンテンツは、トランザクションに関連するものとなるよう構成される。該トランザクションは、ユーザが、スポンサードリンク上をクリックすることにより、又はダウンロード可能コンテンツの購入等の商取引を行うことにより、又は非経済的な取引を行うことにより、発生することが可能である。
【０７８０】
実施形態では、モバイル通信設備102上でのスポンサードコンテンツの提示に関連して検索マーケティングのためのオークションを実行することが可能であり、該スポンサードコンテンツは収集されるコンテンツに関連するものである。コンテンツ（例えば、着信音コンテンツ、音楽コンテンツ、又はビデオコンテンツ）は、スパイダを介して収集することが可能であり、及び高レベルの収集形態のカテゴリで提示することが可能である。該スパイダは、モバイル通信設備102の能力とのコンテンツの互換性を判定することが可能である。互換性の判定は、一連の模擬的なモバイル通信設備102の試行を実行し、その結果を使用して好ましさを基準としてサイトから結果を抽出することにより行うことが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供される。
【０７８１】
実施形態では、モバイル通信設備102上でのスポンサードコンテンツの提示に関連して検索マーケティングのためのオークションを実行することが可能であり、該スポンサードコンテンツはPPCマーケティングに関連するものである。
【０７８２】
実施形態では、モバイル通信設備102上でのスポンサードコンテンツの提示に関連して検索マーケティングのためのオークションを実行することが可能であり、該スポンサードコンテンツをモバイル通信設備102へダウンロードし、その後、検索を実行し、次いでスポンサードコンテンツを提示することが可能である。該提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０７８３】
実施形態では、モバイル通信設備102上でのスポンサードコンテンツの提示に関連する検索マーケティングのためのオークションに関してワイヤレスキャリアレポートを生成することが可能である。該レポートは、検索結果の品質、キーワード管理、又は収入に関する情報を含むことが可能であり、及び使用されるモバイル通信設備102のタイプによって分割することが可能である。
【０７８４】
実施形態では、モバイル通信設備102上でのスポンサードコンテンツの提示に関連して検索マーケティングのためのオークションを実行することが可能であり、該オークションは、モバイル通信設備102上で検索ボックス内に入力された検索クエリに少なくとも部分的に関連するものである。
【０７８５】
実施形態では、モバイル通信設備102上でのスポンサードコンテンツの提示に関連して検索マーケティングのためのオークションを実行することが可能である。
【０７８６】
実施形態では、モバイル通信設備102上でのスポンサードコンテンツの提示に関連して検索マーケティングのためのオークションを実行することが可能であり、該オークションは、モバイル通信設備102上で入力された検索クエリに部分的に基づくものである。
【０７８７】
実施形態では、モバイル通信設備102上でのスポンサードコンテンツの提示に関連して検索マーケティングのためのオークションを実行することが可能であり、該オークションは、検索アルゴリズム設備144に部分的に関連するものである。該検索アルゴリズム設備144は検索アルゴリズムを生成することが可能であり、該検索アルゴリズムをオークション設備へ提供することが可能である。
【０７８８】
実施形態では、モバイル通信設備102上でのスポンサードコンテンツの提示に関連して検索マーケティングのためのオークションを実行することが可能であり、該オークションの結果は、モバイル通信設備102に関連する配信設備を介して提供される。
【０７８９】
実施形態では、モバイル通信設備102上でのスポンサードコンテンツの提示に関連して検索マーケティングのためのオークションを実行することが可能であり、該オークションは、モバイル加入者特徴に関連するものである。該モバイル加入者特徴112は、ロケーション、個人情報、ユーザのウェブ対話の履歴、又はロケーション及び時刻等の複数の特徴を含むことが可能である。
【０７９０】
実施形態では、モバイル通信設備102上でのスポンサードコンテンツの提示に関連して検索マーケティングのためのオークションを実行することが可能であり、該オークションは、位置情報サービスにより決定されるようなロケーションに関連するものである。その関係は、少なくとも１つのクエリ入力120とロケーション及び時刻との関係とすることが可能である。ロケーションは、GPSシステム又はセルラー電話の三角測量サービスにより提供することが可能である。
【０７９１】
実施形態では、モバイル通信設備102上でのスポンサードコンテンツの提示に関連して検索マーケティングのためのオークションを実行することが可能であり、該オークションは、フィルタアルゴリズム設備144に関連するものである。該アルゴリズム設備144は、協調フィルタとすることが可能であり（この場合、検索はオープンウェブ検索）、又は推薦システムとすることが可能である。
【０７９２】
実施形態では、モバイル通信設備102上でのスポンサードコンテンツの提示に関連して検索マーケティングのためのオークションを実行することが可能であり、該オークションにより生成される結果は、結果設備148を介してモバイル通信設備102へ提示される。
【０７９３】
実施形態では、モバイル通信設備102上でのスポンサードコンテンツの提示に関連して検索マーケティングのためのオークションを実行することが可能であり、該オークションの結果は、モバイルブラウザ設備を介してモバイル通信設備102へ提示される。
【０７９４】
実施形態では、モバイル通信設備102上でのスポンサードコンテンツの提示に関連して検索マーケティングのためのオークションを実行することが可能であり、該オークションは、非曖昧化設備140を介して処理されたクエリの結果である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０７９５】
実施形態では、モバイル通信設備102上でのスポンサードコンテンツの提示に関連して検索マーケティングのためのオークションを実行することが可能であり、該オークションは、モバイル通信設備102上に存在するボイス認識設備160を介して処理されたクエリの結果である。代替的に、ボイス認識設備160は、リモートサーバ上に存在することが可能であり、又は部分的にモバイル通信設備102上に存在し且つ部分的にサーバ上に存在することが可能である。
【０７９６】
実施形態では、モバイル通信設備102上でのスポンサードコンテンツの提示に関連して検索マーケティングのためのオークションを実行することが可能であり、該オークションは、データ設備内に存在するモバイル通信設備102に関する情報に関連して実行される。この情報は、モバイル通信設備102上にローカルに存在することが可能であり、又はリモートに（例えばモバイル加入者特徴データベース112内に）格納することが可能である。
【０７９７】
実施形態では、モバイル通信設備102上でのスポンサードコンテンツの提示に関連して検索マーケティングのためのオークションを実行することが可能であり、該オークションは、ペアレンタル・コントロール・パラメータに関連するものである。ペアレンタル・コントロール150は、サーバアプリケーションを介して又はモバイル通信設備102を介して調整することが可能である。
【０７９８】
実施形態では、モバイル通信設備102上でのスポンサードコンテンツの提示に関連して検索マーケティングのためのオークションを実行することが可能であり、該オークションは、プライバシー152パラメータに関連するものである。
【０７９９】
実施形態では、モバイル通信設備102上でのスポンサードコンテンツの提示に関連して検索マーケティングのためのオークションを実行することが可能であり、該オークションはセキュリティ設備に関連するものである。トランザクションセキュリティ154設備は、クエリ分類に関連するセキュアなトランザクションを可能とするよう構成することが可能である。トランザクションセキュリティ設備154は、プライバシー152の保護を伴うことが可能であり、及びペアレンタル・コントロール150、ディジタル著作権管理、又はアイデンティティ保護と連携して動作することが可能である。
【０８００】
実施形態では、モバイル通信設備102上でのスポンサードコンテンツの提示に関連して検索マーケティングのためのオークションを実行することが可能であり、該オークションはキャリアビジネスルールに関連するものである。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０８０１】
実施形態では、モバイル通信設備102上でのスポンサードコンテンツの提示に関連して検索マーケティングのためのオークションを実行することが可能であり、該オークションは、スポンサー設備に関連するものである。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０８０２】
実施形態では、モバイル通信設備102上でトランザクションを行うことが可能であり、該トランザクションはモバイル通信情報に関する結果を収集することに関連するものである。コンテンツ（例えば、着信音コンテンツ、音楽コンテンツ、又はビデオコンテンツ）は、スパイダを介して収集することが可能であり、及び高レベルの収集形態のカテゴリで提示することが可能である。該スパイダは、モバイル通信設備102の能力とのコンテンツの互換性を判定することが可能である。互換性の判定は、一連の模擬的なモバイル通信設備102の試行を実行し、その結果を使用して好ましさを基準としてサイトから結果を抽出することにより行うことが可能である。好ましさを基準とするため、WAP互換コンテンツサイトからの抽出が最初に提供され、又は、モバイル通信設備102に関する情報に関連してコンテンツが収集されたコンテンツタイプサイトからの抽出が最初に提供される。
【０８０３】
実施形態では、モバイル通信設備102上でPPCマーケティングに関するアクションを実行することが可能であり、該PPCマーケティングはモバイル通信情報に関連するものである。
【０８０４】
実施形態では、モバイル通信設備102上でトランザクションを行うことが可能であり、該トランザクションは、検索を見越してモバイル通信設備102へ以前にダウンロードしたコンテンツに関連するものである。該検索は暗黙的検索とすることが可能である。提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０８０５】
実施形態では、モバイル通信設備102上で行われたトランザクションに関連してワイヤレスキャリアレポートを生成することが可能である。該レポートは、検索結果の品質、キーワード管理、又は収入に関する情報を含むことが可能であり、及び使用されるモバイル通信設備102のタイプによって分割することが可能である。
【０８０６】
実施形態では、モバイル通信設備102上でトランザクションを行うことが可能であり、該トランザクションは、モバイル通信情報に関連する結果に関連するものであり、及びモバイル通信設備102に関連する検索ボックス中に入力されたクエリに部分的に関連するものである。
【０８０７】
実施形態では、モバイル通信設備102上でトランザクションを行うことが可能であり、該トランザクションは、モバイル加入者特徴情報等のモバイル通信情報に部分的に関連するものである。
【０８０８】
実施形態では、モバイル通信設備102上でトランザクションを行うことが可能であり、該トランザクションは、クエリ入力120設備に入力されたクエリに部分的に関連するものであり、及びモバイル加入者特徴情報等のモバイル通信情報に部分的に関連するものである。
【０８０９】
実施形態では、モバイル通信設備102上でトランザクションを行うことが可能であり、該トランザクションは、検索アルゴリズム設備144を介して取得された結果に部分的に関連するものである。該検索アルゴリズム設備144は、検索の実行時にモバイル通信情報を使用することが可能である。例えば、検索アルゴリズム設備144は、検索アルゴリズムを生成してそれをオークション設備へ提供することが可能である。
【０８１０】
実施形態では、モバイル通信設備102上でトランザクションを行うことが可能であり、該トランザクションは、配信設備のタイプに少なくとも部分的に関連するものである。
【０８１１】
実施形態では、モバイル通信設備102上でトランザクションを行うことが可能であり、該トランザクションは、モバイル加入者特徴に少なくとも部分的に関連するものである。該モバイル加入者特徴112は、ロケーション、個人情報、ユーザのウェブ対話の履歴、又はロケーション及び時刻等の複数の特徴を含むことが可能である。
【０８１２】
実施形態では、モバイル通信設備102上でトランザクションを行うことが可能であり、該トランザクションは、位置情報サービスにより決定されるロケーションに関連するものである。その関係は、少なくとも１つのクエリ入力120とロケーション及び時刻との関係とすることが可能である。ロケーションは、GPSシステム又はセルラー電話の三角測量サービスにより提供することが可能である。
【０８１３】
実施形態では、モバイル通信設備102上でトランザクションを行うことが可能であり、該トランザクションはフィルタアルゴリズム設備144に関連するものである。該アルゴリズム設備144は、協調フィルタとすることが可能であり（この場合、検索はオープンウェブ検索）、又は推薦システムとすることが可能である。
【０８１４】
実施形態では、モバイル通信設備102上でトランザクションを行うことが可能であり、この場合、オークションにより生成された結果が結果設備148を介してモバイル通信設備102へ提示される。
【０８１５】
実施形態では、モバイル通信設備102上でトランザクションを行うことが可能であり、該トランザクションは少なくともモバイルブラウザ設備及びモバイル通信設備102を介して処理される。
【０８１６】
実施形態では、モバイル通信設備102上でトランザクションを行うことが可能であり、該トランザクションは、非曖昧化設備140を介して処理されたクエリの結果に少なくとも部分的に関連するものである。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０８１７】
実施形態では、モバイル通信設備102上でトランザクションを行うことが可能であり、該トランザクションは、モバイル通信設備102上に存在するボイス認識設備160を介して処理されたクエリに関連するものである。代替的に、ボイス認識設備160は、リモートサーバ上に存在することが可能であり、又は部分的にモバイル通信設備102上に存在し且つ部分的にサーバ上に存在することが可能である。
【０８１８】
実施形態では、モバイル通信設備102上でトランザクションを行うことが可能であり、該トランザクションは、データ設備内に存在し得るモバイル通信設備102に関する情報に関連して実行される。この情報は、モバイル通信設備102上にローカルに存在することが可能であり、又はリモートに（例えばモバイル加入者特徴データベース112内に）格納することが可能である。
【０８１９】
実施形態では、モバイル通信設備102上でトランザクションを行うことが可能であり、該トランザクションは、ペアレンタル・コントロール・パラメータに関連するものである。ペアレンタル・コントロール150は、サーバアプリケーションを介して又はモバイル通信設備102を介して調整することが可能である。
【０８２０】
実施形態では、通信設備上でトランザクションを行うことが可能であり、該トランザクションはプライバシー152パラメータに関連するものである。
【０８２１】
実施形態では、モバイル通信設備102上でトランザクションを行うことが可能であり、該トランザクションはセキュリティ設備に関連するものである。トランザクションセキュリティ設備154は、クエリ分類に関連するセキュアなトランザクションを可能とするよう構成することが可能である。トランザクションセキュリティ設備154は、プライバシー152の保護を伴うことが可能であり、及びペアレンタル・コントロール150、ディジタル著作権管理、又はアイデンティティ保護と連携して動作することが可能である。
【０８２２】
実施形態では、モバイル通信設備102上でトランザクションを行うことが可能であり、該トランザクションはキャリアビジネスルールに関連するものである。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０８２３】
実施形態では、モバイル通信設備102上でトランザクションを行うことが可能であり、該トランザクションはスポンサー設備に関連するものである。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０８２４】
実施形態では、スポンサードリンクに関連してベンダを選択することが可能であり、及び収集された結果に関連して該スポンサードリンクを提示することが可能である。電話又はウェブリード等の更なるリードを受容するオプションをベンダに提示することが可能である。
【０８２５】
実施形態では、モバイル通信設備102に関連して結果を収集することが可能であり、該収集した結果をモバイル通信設備102へダウンロードし、該ダウンロードに続いて入力された検索クエリの結果として該収集した結果を該モバイル通信設備102のユーザへ提示することが可能である。該検索は暗黙的検索とすることが可能である。提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０８２６】
実施形態では、モバイル通信設備102上で提示される収集された結果に関連してワイヤレスキャリアレポートを生成することが可能である。該レポートは、検索結果の品質、キーワード管理、又は収入に関する情報を含むことが可能であり、及び使用されるモバイル通信設備102のタイプによって分割することが可能である。
【０８２７】
実施形態では、モバイル通信設備102上で検索ボックス内に検索クエリが入力され、該検索クエリに関連する結果を収集し、及び該収集した結果をモバイル通信設備102上に提示することが可能である。該収集した結果は、結果を現すようアクティブ化させることが可能な高レベル記述子を含む収集された形態で提示することが可能である。アクティブ化はリンクとすることが可能である。第２組の結果を収集してモバイル通信設備102上に提示することも可能である。該第２の収集された結果は、高レベル記述子と共に提示することが可能である。
【０８２８】
実施形態では、結果を収集し、該収集された結果を複数の収集された結果へとカテゴライズすることが可能であり、該複数の収集された結果がモバイル通信設備102上で提示される。
【０８２９】
実施形態では、モバイル通信設備102のクエリ入力120設備に収集設備を関連づけることが可能であり、該収集設備は、カテゴライズされ収集結果を提示するよう構成される。モバイル通信設備102は、該カテゴライズされた結果の選択を容易化し、及び該収集された結果内の個々の結果を現すように、構成することが可能である。該容易化はリンクの提示を伴うことが可能である。
【０８３０】
実施形態では、検索アルゴリズム設備144に関連して検索クエリを生成することが可能であり、該検索クエリに基づいて結果が取り出され、及び該結果がモバイル通信設備102上での提示のために複数のカテゴリへと集約される。
【０８３１】
実施形態では、配信設備からコンテンツを配信することが可能であり、該コンテンツが複数のカテゴリへと集約され、該カテゴリがモバイル通信設備102上で提示される。
【０８３２】
実施形態では、検索結果を複数のカテゴリへと集約するためのパラメータとして少なくとも１つのモバイル加入者特徴を使用することが可能である。該モバイル加入者特徴112は、ロケーション、個人情報、ユーザのウェブ対話の履歴、又はロケーション及び時刻等の複数の特徴を含むことが可能である。
【０８３３】
実施形態では、検索結果を複数のカテゴリへと集約するためのパラメータとして、位置情報サービスにより決定されるようなロケーションを使用することが可能である。ロケーションは、GPSシステム又はセルラー電話の三角測量サービスにより提供することが可能である。
【０８３４】
実施形態では、検索クエリは、フィルタアルゴリズム設備144に関連して生成することが可能であり、該検索クエリに関連して結果が収集され、該収集された結果がモバイル通信設備102上に提示される。該アルゴリズム設備144は、協調フィルタとすることが可能であり（この場合、検索はオープンウェブ検索）、又は推薦システムとすることが可能である。収集された検索結果をアルゴリズム設備144を介してフィルタリングし、その結果をモバイル通信設備102上に提示することが可能である。
【０８３５】
実施形態では、結果設備148によって結果を収集し生成することが可能であり、及び該収集された結果をモバイル通信設備102上に提示することが可能であり、ここで、該結果設備148は、該モバイル通信設備102に関する情報に関連して動作する。該モバイル通信設備102に関する情報は、モバイル加入者特徴112情報とすることが可能である。
【０８３６】
実施形態では、結果を複数の結果のカテゴリへと集約し、該結果のカテゴリをモバイルブラウザ設備を介して提示することが可能である。
【０８３７】
実施形態では、結果は、非曖昧化設備140を介して処理された検索クエリに部分的に基づいて収集することが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０８３８】
実施形態では、結果は、モバイル通信設備102上に存在するボイス認識設備160を介して処理された検索クエリに部分的に基づいて収集することが可能である。代替的に、ボイス認識設備160は、リモートサーバ上に存在することが可能であり、又は部分的にモバイル通信設備102上に存在し且つ部分的にサーバ上に存在することが可能である。
【０８３９】
実施形態では、結果は、モバイル通信設備102に関する情報に少なくとも部分的に基づいて収集することが可能であり、ここで、該情報はデータ設備内に存在する。この情報は、モバイル通信設備102上にローカルに存在することが可能であり、又はリモートに（例えばモバイル加入者特徴112データベース内に）格納することが可能である。
【０８４０】
実施形態では、検索結果は、複数のカテゴリへと集約することが可能であり、ここで、該集約は、ペアレンタル・コントロール・パラメータに少なくとも部分的に基づくものであり、該集約された結果がモバイル通信設備102上に提示される。ペアレンタル・コントロール150は、サーバアプリケーションを介して又はモバイル通信設備102を介して調整することが可能である。
【０８４１】
実施形態では、検索結果は、複数のカテゴリへと集約することが可能であり、ここで、該集約は、プライバシー152コントロール・パラメータに少なくとも部分的に基づくものであり、該集約の結果がモバイル通信設備102上に提示される。
【０８４２】
実施形態では、検索結果は、複数のカテゴリへと集約することが可能であり、ここで、該集約はトランザクションセキュリティ設備に関連するものであり、該集約の結果がモバイル通信設備102上に提示される。該トランザクションセキュリティ154設備は、クエリ分類に関連するセキュアなトランザクションを可能とするよう構成することが可能である。トランザクションセキュリティ154設備は、プライバシー152の保護を伴うことが可能であり、及びペアレンタル・コントロール150、ディジタル著作権管理、又はアイデンティティ保護と連携して動作することが可能である。
【０８４３】
実施形態では、検索結果は、複数のカテゴリへと集約することが可能であり、ここで、該集約は、キャリアビジネスルール130に少なくとも部分的に基づくものであり、該集約の結果がモバイル通信設備102上に提示される。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０８４４】
実施形態では、検索結果は、複数のカテゴリへと集約することが可能であり、ここで、該集約は、スポンサー設備に少なくとも部分的に基づくものであり、該集約の結果がモバイル通信設備102上に提示される。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０８４５】
実施形態では、スポンサードリンクに関連してベンダを選択することが可能であり、該スポンサードリンクを暗黙的検索に備えてモバイル通信設備102上へダウンロードすることが可能である。電話又はウェブリード等の更なるリードを受容するオプションをベンダに提示することが可能である。提示されるコンテンツは、モバイル通信設備102のロケーションに関連する情報（例えば、レストラン、エンターテイメント、劇場、及び開演時刻）とすることが可能である。情報はまた、時刻、モバイル加入者特徴112、又はペアレンタル・コントロール150に関連するものとすることが可能である。コンテンツは、広告を含むことが可能であり、及びモバイル通信設備102上に（例えばキャッシュメモリ内に）ローカルに格納し、及び時刻及び／又はモバイル通信設備102のロケーションの変化に従って定期的に更新することが可能である。
【０８４６】
実施形態では、アウトバウンドPPCマーケティング活動に関連してワイヤレスキャリアレポートを生成することが可能である。該レポートは、検索結果の品質、キーワード管理、又は収入に関する情報を含むことが可能であり、及び使用されるモバイル通信設備102のタイプによって分割することが可能である。
【０８４７】
実施形態では、モバイル通信設備102に関連する検索ボックス内に検索クエリを入力し、スポンサードリンクに関連してベンダを選択し、及び前記検索クエリに応じて前記スポンサードリンクをモバイル通信設備102上に提示することが可能である。前記ベンダには電話又はウェブリード等の更なるリードを受容するオプションを提示することが可能である。
【０８４８】
実施形態では、スポンサードリンクに関連してベンダを選択し、モバイル通信設備102上に該スポンサードリンクを提示することが可能である。該ベンダには、電話又はウェブリード等の更なるリードを受容するオプションを提示することが可能であり、該ベンダは、モバイル通信設備102に関連する情報によって部分的に選択することが可能である。
【０８４９】
実施形態では、スポンサードリンクに関連してベンダを選択し、クエリ入力120設備で入力されたクエリに応じてモバイル通信設備102上に該スポンサードリンクを提示することが可能である。該ベンダには、電話又はウェブリード等の更なるリードを受容するオプションを提示することが可能である。
【０８５０】
実施形態では、検索アルゴリズム設備144に関連して検索を実行し、検索結果を選択し、及び該検索結果にベンダを関連づけてスポンサードリンクを形成し、及び該スポンサードリンクをモバイル通信設備102上で提示することが可能である。該ベンダには、電話又はウェブリード等の更なるリードを受容するオプションを提示することが可能である。
【０８５１】
実施形態では、配信設備からコンテンツを配信し、該コンテンツにベンダを関連づけてスポンサードリンクを形成し、該スポンサードリンクをモバイル通信設備102上で提示することが可能である。
【０８５２】
実施形態では、スポンサードリンクに関連してベンダを選択することが可能であり、ここで、該選択は、少なくとも１つのモバイル加入者特徴に少なくとも部分的に基づくものであり、該スポンサードリンクをモバイル通信設備102上で提示することが可能である。該ベンダには、電話又はウェブリード等の更なるリードを受容するオプションを提示することが可能である。該モバイル加入者特徴112は、ロケーション、個人情報、ユーザのウェブ対話の履歴、又はロケーション及び時刻等の複数の特徴を含むことが可能である。
【０８５３】
実施形態では、ロケーションベースの設備に関連して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。ロケーションは、GPSシステム又はセルラー電話の三角測量サービスにより提供することが可能である。
【０８５４】
実施形態では、フィルタアルゴリズム設備144に関連して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。前記アルゴリズム設備144は、協調フィルタとすることが可能であり（この場合、検索はオープンウェブ検索）、又は推薦システムとすることが可能である。
【０８５５】
実施形態では、結果設備から結果を生成し、該検索結果にベンダを関連づけてスポンサードリンクを形成し、及び該スポンサードリンクをモバイル通信設備102上で提示することが可能である。該ベンダには、電話又はウェブリード等の更なるリードを受容するオプションを提示することが可能である。
【０８５６】
実施形態では、検索を容易にすべくモバイルブラウザ設備を使用して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。
【０８５７】
実施形態では、非曖昧化設備140に関連して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０８５８】
実施形態では、ボイス認識設備160に関連して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。ボイス認識設備160は、モバイル通信設備102上もしくはリモートサーバ上に存在することが可能であり、又は部分的にモバイル通信設備102上に且つ部分的にリモートサーバ上に存在することが可能である。
【０８５９】
実施形態では、モバイル通信設備102に関する情報に関連して検索を実行することが可能であり、ここで、該モバイル通信設備102に関する情報は、データ設備内に存在する。検索結果を選択し、該検索結果にベンダを関連づけることにより、スポンサードリンクを形成することが可能である。該スポンサードリンクはモバイル通信設備102上で提示することが可能である。該ベンダには、電話又はウェブリード等の更なるリードを受容するオプションを提示することが可能である。この情報は、モバイル通信設備102上にローカルに存在することが可能であり、又はリモートに（例えばモバイル加入者特徴112データベース内に）格納することが可能である。
【０８６０】
実施形態では、ペアレンタル・コントロール・パラメータに関連して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。ペアレンタル・コントロール・パラメータは、サーバアプリケーションを介して又はモバイル通信設備102を介して調整することが可能である。
【０８６１】
実施形態では、プライバシー152設備に関連して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。
【０８６２】
実施形態では、トランザクションセキュリティ154設備に関連して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。該トランザクションセキュリティ154設備は、クエリ分類に関連するセキュアなトランザクションを可能とするよう構成することが可能である。該トランザクションセキュリティ154設備は、プライバシー152の保護を伴うことが可能であり、及びペアレンタル・コントロール150、ディジタル著作権管理、又はアイデンティティ保護と連携して動作することが可能である。
【０８６３】
実施形態では、キャリアビジネスルール130に関連して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０８６４】
実施形態では、スポンサー設備に関連して検索を実行し、検索結果を選択し、該検索結果にベンダを関連づけてスポンサードリンクを形成し、該スポンサードリンクをモバイル通信設備102上で提示することが可能である。該ベンダには、電話又はウェブリード等の更なるリードを受容するオプションを提示することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０８６５】
実施形態では、暗黙的検索結果に関連してワイヤレスキャリアレポートを生成することが可能である。該レポートは、（例えば、クリック活動及び関連する検索に基づく）暗黙的検索の成功、検索結果の品質、キーワード管理、又は収入に関する情報を含むことが可能であり、及び使用されるモバイル通信設備102のタイプによって分割することが可能である。
【０８６６】
実施形態では、結果をモバイル通信設備102へダウンロードすることが可能であり、ここで、該結果は、該モバイル通信設備102に関する情報に部分的に基づいて選択される。これに続いて、モバイル通信設備102上で検索を実行することが可能であり、該モバイル通信設備102上で検索ボックス中に入力された検索に応じて結果を提示することが可能である。該モバイル通信設備102に関する情報は、ロケーション及び時刻又はユーザインタフェイス等のモバイル加入者特徴情報とすることが可能である。該ユーザインタフェイスは、ダウンロードする結果のタイプのユーザによる選択を容易化するよう構成することが可能であり、又は自動的にダウンロードする結果を選択するための少なくとも１つのキーワード及びその他の情報の選択を容易化するよう構成することが可能である。
【０８６７】
実施形態では、結果をモバイル通信設備102へダウンロードすることが可能であり、ここで、該結果は、該モバイル通信設備102に関する情報に少なくとも部分的に基づいて選択される。これに続いて、モバイル通信設備102上で検索を実行することが可能であり、該モバイル通信設備102上で検索ボックス中に入力された検索に応じて結果を提示することが可能である。
【０８６８】
実施形態では、結果をモバイル通信設備102へダウンロードすることが可能であり、ここで、該結果は、該モバイル通信設備102に関する情報に少なくとも部分的に基づいて選択される。これに続いて、モバイル通信設備102上で検索を実行することが可能であり、該モバイル通信設備102上で検索ボックス中に入力された検索に応じて結果を提示することが可能である。
【０８６９】
実施形態では、結果をモバイル通信設備102へダウンロードすることが可能であり、ここで、該結果は、検索アルゴリズム設備144に関連する情報に少なくとも部分的に基づいて選択される。これに続いて、モバイル通信設備102上で検索を実行することが可能であり、該モバイル通信設備102上で検索ボックス中に入力された検索に応じて結果を提示することが可能である。
【０８７０】
実施形態では、結果をモバイル通信設備102へダウンロードすることが可能であり、ここで、該結果は、配信設備に関する情報に少なくとも部分的に基づいて選択される。これに続いて、モバイル通信設備102上で検索を実行することが可能であり、該モバイル通信設備102上で検索ボックス中に入力された検索に応じて結果を提示することが可能である。
【０８７１】
実施形態では、結果をモバイル通信設備102へダウンロードすることが可能であり、ここで、該結果は、モバイル加入者特徴に関する情報に少なくとも部分的に基づいて選択される。これに続いて、モバイル通信設備102上で検索を実行することが可能であり、該モバイル通信設備102上で検索ボックス中に入力された検索に応じて結果を提示することが可能である。該モバイル加入者特徴112は、ロケーション、個人情報、ユーザのウェブ対話の履歴、又はロケーション及び時刻等の複数の特徴を含むことが可能である。
【０８７２】
実施形態では、結果をモバイル通信設備102へダウンロードすることが可能であり、ここで、該結果は、位置情報サービスにより決定されるようなロケーションに関する情報に部分的に基づいて選択される。ロケーションは、GPSシステム又はセルラー電話の三角測量サービスにより提供することが可能である。これに続いて、モバイル通信設備102上で検索を実行することが可能であり、該モバイル通信設備102上で検索ボックス中に入力された検索に応じて結果を提示することが可能である。
【０８７３】
実施形態では、結果をモバイル通信設備102へダウンロードすることが可能であり、ここで、該結果は、フィルタアルゴリズム設備144に関する情報に少なくとも部分的に基づいて選択される。該アルゴリズム設備144は、協調フィルタとすることが可能であり（この場合、検索はオープンウェブ検索）、又は推薦システムとすることが可能である。これに続いて、モバイル通信設備102上で検索を実行することが可能であり、該モバイル通信設備102上で検索ボックス中に入力された検索に応じて結果を提示することが可能である。
【０８７４】
実施形態では、結果をモバイル通信設備102へダウンロードすることが可能であり、ここで、該結果は、結果設備148に関する情報に少なくとも部分的に基づいて選択される。これに続いて、モバイル通信設備102上で検索を実行することが可能であり、該モバイル通信設備102上で検索ボックス中に入力された検索に応じて結果を提示することが可能である。
【０８７５】
実施形態では、結果をモバイル通信設備102へダウンロードすることが可能であり、ここで、該結果は、モバイル通信設備102に関する情報に少なくとも部分的に基づいて選択される。これに続いて、モバイル通信設備102上で検索を実行することが可能であり、該モバイル通信設備102上で検索ボックス中に入力された検索に応じて結果を提示することが可能である。該提示は、モバイルブラウザ設備により容易化することが可能である。
【０８７６】
実施形態では、結果をモバイル通信設備102へダウンロードすることが可能であり、ここで、該結果は、モバイル通信設備102に関する情報に少なくとも部分的に基づいて選択される。これに続いて、モバイル通信設備102上で検索を実行することが可能であり、非曖昧化された検索に応じて結果を提示することが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０８７７】
実施形態では、結果をモバイル通信設備102へダウンロードすることが可能であり、ここで、該結果は、モバイル通信設備102のボイス認識設備160に関する情報に部分的に基づいて選択される。これに続いて、モバイル通信設備102上で検索を実行することが可能であり、該検索に応じて結果を提示することが可能である。ボイス認識設備160は、モバイル通信設備102上に若しくはリモートサーバ上に存在することが可能であり、又は部分的にモバイル通信設備102上に存在し且つ部分的にリモートサーバ上に存在することが可能である。
【０８７８】
実施形態では、結果をモバイル通信設備102へダウンロードすることが可能であり、ここで、該結果は、モバイル通信設備102に関する情報に部分的に基づいて選択される。この情報は、モバイル通信設備102上にローカルに存在することが可能であり、又はリモートに（例えばモバイル加入者特徴112データベース内に）格納することが可能である。これに続いて、モバイル通信設備102上で検索を実行し、該検索に応じて結果を提示することが可能である。
【０８７９】
実施形態では、結果をモバイル通信設備102へダウンロードすることが可能であり、ここで、該結果は、ペアレンタル・コントロール・パラメータに関する情報に部分的に基づいて選択される。該ペアレンタル・コントロール・パラメータは、サーバアプリケーションを介して又はモバイル通信設備102を介して調整することが可能である。これに続いて、モバイル通信設備102上で検索を実行し、該検索に応じて結果を提示することが可能である。
【０８８０】
実施形態では、結果をモバイル通信設備102へダウンロードすることが可能であり、ここで、該結果は、プライバシー152パラメータに関する情報に部分的に基づいて選択される。
【０８８１】
実施形態では、結果をモバイル通信設備102へダウンロードすることが可能であり、ここで、該結果は、モバイル通信設備102に関する情報に部分的に基づいて選択される。該モバイル通信設備102上で検索を実行することが可能であり、その結果は、トランザクションセキュリティ設備154に関連するものとすることが可能である。該トランザクションセキュリティ154設備は、プライバシー152の保護を伴うことが可能であり、及びペアレンタル・コントロール150、ディジタル著作権管理、又はアイデンティティ保護と連携して動作することが可能である。
【０８８２】
実施形態では、結果をモバイル通信設備102へダウンロードすることが可能であり、ここで、該結果は、キャリアビジネスルール130に関する情報に少なくとも部分的に基づいて選択され、モバイル通信設備102上で検索が実行され、該検索に応じて結果が提示される。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０８８３】
実施形態では、結果をモバイル通信設備102へダウンロードすることが可能であり、ここで、該結果は、スポンサー設備に関する情報に少なくとも部分的に基づいて選択され、モバイル通信設備102上で検索が実行され、該検索に応じて結果が提示される。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０８８４】
実施形態では、モバイル通信設備上で検索ボックス中に検索クエリを入力して、シンジケート広告結果を生成させることが可能である。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、前記オークションは、モバイル通信設備102に関する情報（例えば、モバイル加入者特徴112）に関連するものとすることが可能である。
【０８８５】
実施形態では、シンジケート広告結果は、モバイル通信設備102上で生成することが可能である。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。
【０８８６】
実施形態では、モバイル通信設備102上でクエリ入力120設備内に検索クエリを入力して、シンジケート広告結果を生成させることが可能である。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、前記オークションは、モバイル通信設備102に関する情報（例えばモバイル加入者特徴112）に関連するものとすることが可能である。
【０８８７】
実施形態では、シンジケート広告結果をモバイル通信設備102上で生成することが可能であり、ここで、該シンジケート広告結果は、検索アルゴリズム設備144に関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、前記オークションは、モバイル通信設備102に関する情報（例えばモバイル加入者特徴112）に関連するものとすることが可能である。
【０８８８】
実施形態では、シンジケート広告結果をモバイル通信設備102上で生成することが可能であり、ここで、該シンジケート広告結果は配信設備に関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、前記オークションは、モバイル通信設備102に関する情報（例えばモバイル加入者特徴112）に関連するものとすることが可能である。
【０８８９】
実施形態では、シンジケート広告結果をモバイル通信設備102上で生成することが可能であり、ここで、該シンジケート広告結果はモバイル加入者特徴情報に関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、前記オークションは、モバイル通信設備102に関する情報（例えばモバイル加入者特徴112）に関連するものとすることが可能である。モバイル加入者特徴112は、ロケーション、個人情報、ユーザのウェブ対話の履歴、又はロケーション及び時刻等の複数の特徴を含むことが可能である。
【０８９０】
実施形態では、シンジケート広告結果をモバイル通信設備102上で生成することが可能であり、ここで、該シンジケート広告結果は、位置情報サービスの利用を介して決定されるようなロケーションに関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。ロケーションは、GPSシステム又はセルラー電話の三角測量サービスにより提供することが可能である。
【０８９１】
実施形態では、シンジケート広告結果をモバイル通信設備102上で生成することが可能であり、ここで、該シンジケート広告結果は、フィルタアルゴリズム設備144に関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。該アルゴリズム設備144は、協調フィルタとすることが可能であり（この場合、検索はオープンウェブ検索）、又は推薦システムとすることが可能である。
【０８９２】
実施形態では、シンジケート広告結果をモバイル通信設備102上で生成することが可能であり、ここで、該シンジケート広告結果は、結果設備148に関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。
【０８９３】
実施形態では、シンジケート広告結果をモバイル通信設備102上で生成することが可能であり、ここで、該シンジケート広告結果は、モバイルブラウザ設備に関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。
【０８９４】
実施形態では、シンジケート広告結果をモバイル通信設備102上で生成することが可能であり、ここで、該シンジケート広告結果は、非曖昧化設備140を介して処理された検索クエリに関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０８９５】
実施形態では、シンジケート広告結果をモバイル通信設備102上で生成することが可能であり、ここで、該シンジケート広告結果は、ボイス認識設備160を介して入力されたクエリに関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。ボイス認識設備160は、モバイル通信設備102上もしくはリモートサーバ上に存在することが可能であり、又は部分的にモバイル通信設備102上に且つ部分的にリモートサーバ上に存在することが可能である。
【０８９６】
実施形態では、シンジケート広告結果をモバイル通信設備102上で生成することが可能であり、ここで、該シンジケート広告結果は、モバイル通信設備102に関する情報に関連して生成される。該モバイル通信設備102に関する情報は、データ設備内に格納することが可能である。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。このモバイル通信設備102に関する情報は、モバイル通信設備102上にローカルに存在することが可能であり、又はリモートに（例えばモバイル加入者特徴112データベース内に）格納することが可能である。
【０８９７】
実施形態では、シンジケート広告結果をモバイル通信設備102上で生成することが可能であり、ここで、該シンジケート広告結果は、ペアレンタル・コントロール・パラメータに関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。ペアレンタル・コントロール・パラメータは、サーバアプリケーションを介して又はモバイル通信設備102を介して調整することが可能である。
【０８９８】
実施形態では、シンジケート広告結果をモバイル通信設備102上で生成することが可能であり、ここで、該シンジケート広告結果は、プライバシー152設備に関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。プライバシー設備152は、セキュアな検索トランザクション及びセキュアな経済取引を提供するよう構成することが可能である。
【０８９９】
実施形態では、シンジケート広告結果をモバイル通信設備102上で生成することが可能であり、ここで、該シンジケート広告結果は、トランザクションセキュリティ154設備に関連するものである。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。トランザクションセキュリティ154設備は、プライバシー152の保護を伴うことが可能であり、及びペアレンタル・コントロール150、ディジタル著作権管理、又はアイデンティティ保護と連携して動作することが可能である。
【０９００】
実施形態では、シンジケート広告結果をモバイル通信設備102上で生成することが可能であり、ここで、該シンジケート広告結果は、キャリアのビジネスルールに関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９０１】
実施形態では、シンジケート広告結果をモバイル通信設備102上で生成することが可能であり、ここで、該シンジケート広告結果は、スポンサー設備に関連して生成される。該シンジケート広告結果は、スポンサードリンクとしてモバイル通信設備102上で表示することが可能である。シンジケート広告は、スポンサー間のオークションに基づく結果セット内に配置し及び該結果セット内で優先順位付けすることが可能である。更に、該オークションは、モバイル通信設備102に関する情報（例えばモバイル加入者特徴112）に関連するものとすることが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９０２】
実施形態では、検索クエリ入力120設備は、モバイル通信設備102に関連するものとすることが可能であり、ここで、該検索クエリ入力120設備は更に、モバイル通信設備102に関する情報（モバイル加入者特徴情報等）に関連するものである。
【０９０３】
実施形態では、検索アルゴリズム設備144は、モバイル通信設備102に関連するものとすることが可能であり、ここで、該検索アルゴリズム設備144は更に、モバイル通信設備102に関する情報に関連するものである。
【０９０４】
実施形態では、結果配信設備は、モバイル通信設備102に関連するものとすることが可能であり、ここで、該配信設備は更に、モバイル通信設備102に関する情報に関連するものである。
【０９０５】
実施形態では、モバイル通信設備102上で検索を実行することが可能であり、ここで、該検索は、モバイル加入者特徴に少なくとも部分的に基づくものである。該モバイル加入者特徴112は、ロケーション、個人情報、ユーザのウェブ対話の履歴、又はロケーション及び時刻等の複数の特徴を含むことが可能である。
【０９０６】
実施形態では、モバイル通信設備102上で検索を実行することが可能であり、ここで、該検索は、位置情報サービスにより決定されるようなロケーションに少なくとも部分的に基づくものである。ロケーションは、GPSシステム又はセルラー電話の三角測量サービスにより提供することが可能である。
【０９０７】
実施形態では、モバイル通信設備102上で検索を実行することが可能であり、ここで、該検索は、位置情報サービスにより決定されるようなロケーションに部分的に基づくものである。ロケーションは、GPSシステム又はセルラー電話の三角測量サービスにより提供することが可能である。また、モバイル通信設備102上で検索を実行することが可能であり、ここで、該検索は、フィルタアルゴリズム設備144に少なくとも部分的に基づくものである。該アルゴリズム設備144は、協調フィルタとすることが可能であり（この場合、検索はオープンウェブ検索）、又は推薦システムとすることが可能である。
【０９０８】
実施形態では、結果設備148は、モバイル通信設備102に関連するものとすることが可能であり、ここで、該結果設備148は、モバイル通信設備102に関する情報に部分的に基づいて結果を生成するよう構成されている。
【０９０９】
実施形態では、モバイルブラウザ設備は、モバイル通信設備102に関連するものとすることが可能であり、ここで、該モバイルブラウザ設備は、モバイル通信設備102に関する情報に部分的に基づいて結果の選択を容易化するよう構成されている。
【０９１０】
実施形態では、非曖昧化設備140は、モバイル通信設備102に関連するものとすることが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０９１１】
実施形態では、ボイス認識検索クエリ入力120設備は、モバイル通信設備102に関連するものとすることが可能である。ボイス認識設備160は、モバイル通信設備102上もしくはリモートサーバ上に存在することが可能であり、又は部分的にモバイル通信設備102上に且つ部分的にリモートサーバ上に存在することが可能である。
【０９１２】
実施形態では、データ設備は、モバイル通信設備102に関連するものとすることが可能であり、ここで、該データ設備は、モバイル通信設備102に関する情報を格納し、及びモバイル通信設備102への検索結果の提供に関連してアクセスされるよう構成されている。該データ設備は、モバイル通信設備102上にローカルに存在することが可能であり、又はリモートに（例えばモバイル加入者特徴112データベース内に）格納することが可能である。
【０９１３】
実施形態では、ペアレンタル・コントロール設備は、モバイル通信設備102に関連するものとすることが可能である。ペアレンタル・コントロール・パラメータは、サーバアプリケーションを介して又はモバイル通信設備102を介して調整することが可能である。
【０９１４】
実施形態では、プライバシー設備152は、モバイル通信設備102に関連するものとすることが可能である。該プライバシー設備152は、セキュアな検索トランザクション及びセキュアな経済取引を提供するよう構成することが可能である。
【０９１５】
実施形態では、トランザクションセキュリティ設備154は、モバイル通信設備102に関連するものとすることが可能であり、ここで、該トランザクションセキュリティ設備154は、モバイル通信設備102上で取得された検索結果に関連するセキュアなトランザクションを提供するよう構成される。該トランザクションセキュリティ設備154は、プライバシー152の保護を伴うことが可能であり、及びペアレンタル・コントロール150、ディジタル著作権管理、又はアイデンティティ保護と連携して動作することが可能である。
【０９１６】
実施形態では、キャリアビジネスルール設備は、モバイル通信設備102に関連するものとすることが可能であり、ここで、該キャリアビジネスルール設備は、モバイル通信設備102へ検索結果を提供するプロセスでアクセスされるよう構成されている。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９１７】
実施形態では、スポンサー設備は、モバイル通信設備102に関連するものとすることが可能であり、ここで、該スポンサー設備は、モバイル通信設備102へ結果を提供するプロセスでアクセスされるよう構成されている。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９１８】
実施形態では、モバイル通信設備102に関連する検索クエリ入力120設備上で検索クエリを入力し、検索アルゴリズム設備144を介して検索を実行することが可能である。該検索は、モバイル通信設備102に関する情報（モバイル加入者特徴情報等）に部分的に基づくものであることが可能である。
【０９１９】
実施形態では、検索アルゴリズム設備144を介して検索を実行することが可能であり、ここで、該検索は、モバイル通信設備102に関する情報に部分的に基づくものであり、配信設備の使用を介して検索結果を配信する。
【０９２０】
実施形態では、検索アルゴリズム設備144を介して検索を実行することが可能であり、ここで、該検索は、モバイル加入者特徴情報に少なくとも部分的に基づくものである。モバイル加入者特徴112は、ロケーション、個人情報、ユーザのウェブ対話の履歴、又はロケーション及び時刻等の複数の特徴を含むことが可能である。
【０９２１】
実施形態では、検索アルゴリズム設備144を介して検索を実行することが可能であり、ここで、該検索は、ロケーションベースの設備の使用を介して決定されるようなロケーションに少なくとも部分的に基づくものである。該検索は更に、モバイル通信設備102に関する情報（モバイル加入者特徴112等）に基づくものであることが可能である。ロケーションは、GPSシステム又はセルラー電話の三角測量サービスにより提供することが可能である。
【０９２２】
実施形態では、モバイル通信設備102に関連する検索アルゴリズム設備144を介して検索を実行することが可能であり、ここで、該検索は、フィルタアルゴリズム設備144に関する情報に少なくとも部分的に基づくものである。該アルゴリズム設備144は、協調フィルタとすることが可能であり（この場合、検索はオープンウェブ検索）、又は推薦システムとすることが可能である。
【０９２３】
実施形態では、モバイル通信設備102に関連する検索アルゴリズム設備144を介して検索を実行し、結果設備148から検索結果を生成することが可能である。該検索は、モバイル通信設備102に関する情報（モバイル加入者特徴112等）に基づくものであることが可能である。
【０９２４】
実施形態では、検索アルゴリズム設備144を介して検索を実行することが可能であり、ここで、該検索は、モバイルブラウザ設備を介して容易化される。該検索は、モバイル通信設備102に関する情報（モバイル加入者特徴112等）に基づくものであることが可能である。
【０９２５】
実施形態では、モバイル通信設備102に関連する検索アルゴリズム設備144を介して検索を実行することが可能であり、ここで、該検索は、非曖昧化設備140を介して処理された検索クエリに少なくとも部分的に基づくものである。該検索は、モバイル通信設備102に関する情報（モバイル加入者特徴112等）に基づくものであることが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０９２６】
実施形態では、モバイル通信設備102に関連するボイス認識設備160を介して検索を実行し、及び検索アルゴリズム設備144を介して検索を実行することが可能である。該検索は、モバイル通信設備102に関する情報（モバイル加入者特徴112等）に基づくものであることが可能である。該ボイス認識設備160は、モバイル通信設備102上もしくはリモートサーバ上に存在することが可能であり、又は部分的にモバイル通信設備102上に且つ部分的にリモートサーバ上に存在することが可能である。
【０９２７】
実施形態では、検索アルゴリズム設備144を介して検索を実行することが可能であり、ここで、該検索は、モバイル通信設備102に関する情報に部分的に基づくものであり、データ設備内に存在する。該データ設備は、モバイル通信設備102上にローカルに存在することが可能であり、又はリモートに（例えばモバイル加入者特徴112データベース内に）格納することが可能である。
【０９２８】
実施形態では、モバイル通信設備102に関連する検索アルゴリズム設備144を介して検索を実行することが可能であり、ここで、該検索は、ペアレンタル・コントロール・パラメータに部分的に基づくものである。該ペアレンタル・コントロール・パラメータは、サーバアプリケーションを介して又はモバイル通信設備102を介して調整することが可能である。
【０９２９】
実施形態では、検索アルゴリズム設備144を介して検索を実行することが可能であり、ここで、該検索は、プライバシー設備152に少なくとも部分的に基づくものである。該プライバシー設備152は、セキュアな検索トランザクション及びセキュアな経済取引を提供するよう構成することが可能である。
【０９３０】
実施形態では、検索アルゴリズム設備144を介して検索を実行することが可能であり、ここで、該検索に基づく検索結果は、トランザクションセキュリティ設備154に関連するものである。該トランザクションセキュリティ設備154は、プライバシー152の保護を伴うことが可能であり、及びペアレンタル・コントロール150、ディジタル著作権管理、又はアイデンティティ保護と連携して動作することが可能である。
【０９３１】
実施形態では、検索アルゴリズム設備144を介して検索を実行することが可能であり、ここで、該検索は、キャリアビジネスルール130に少なくとも部分的に基づくものである。該キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９３２】
実施形態では、検索アルゴリズム設備144を介して検索を実行することが可能であり、ここで、該検索は、スポンサー設備に関するものである。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９３３】
実施形態では、モバイル加入者特徴112設備に部分的に基づいて検索を実行することが可能であり、ここで、該検索は更に、位置情報サービスにより決定されるようなロケーションに部分的に基づくものである。ロケーションは、GPSシステム又はセルラー電話の三角測量サービスにより提供することが可能である。
【０９３４】
実施形態では、モバイル加入者特徴112設備に部分的に基づいて検索を実行することが可能であり、ここで、該検索は更に、フィルタアルゴリズム設備144に少なくとも部分的に基づくものである。該アルゴリズム設備144は、協調フィルタとすることが可能であり（この場合、検索はオープンウェブ検索）、又は推薦システムとすることが可能である。
【０９３５】
実施形態では、検索は、モバイル加入者特徴設備112に部分的に基づいて実行し、及び該検索に関する結果を結果設備148から生成することが可能である。
【０９３６】
実施形態では、モバイル加入者特徴設備112に部分的に基づいて検索を実行することが可能であり、ここで、該検索は、モバイルブラウザ設備の使用を介して容易化される。
【０９３７】
実施形態では、モバイル加入者特徴設備112に部分的に基づいて検索を実行することが可能であり、ここで、該検索は更に、非曖昧化された検索クエリに少なくとも部分的に基づくものである。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０９３８】
実施形態では、モバイル加入者特徴設備112に部分的に基づいて検索を実行することが可能であり、ここで、該検索は更に、ボイス認識設備160を介して処理された検索クエリに部分的に基づくものである。該ボイス認識設備160は、モバイル通信設備102上もしくはリモートサーバ上に存在することが可能であり、又は部分的にモバイル通信設備102上に且つ部分的にリモートサーバ上に存在することが可能である。
【０９３９】
実施形態では、モバイル加入者特徴設備112に部分的に基づいて検索を実行することが可能であり、ここで、該モバイル加入者特徴112設備はデータ設備内に情報を格納する。該データ設備は、モバイル通信設備102上にローカルに存在することが可能であり、又はリモートに（例えばモバイル加入者特徴データベース112内に）格納することが可能である。
【０９４０】
実施形態では、モバイル加入者特徴設備112に部分的に基づいて検索を実行することが可能であり、ここで、該検索は更に、ペアレンタル・コントロール・パラメータに少なくとも部分的に基づくものである。該ペアレンタル・コントロール・パラメータは、サーバアプリケーションを介して又はモバイル通信設備102を介して調整することが可能である。
【０９４１】
実施形態では、モバイル加入者特徴設備112に部分的に基づいて検索を実行することが可能であり、ここで、該検索は更に、プライバシー設備152に部分的に基づくものである。
【０９４２】
実施形態では、モバイル加入者特徴設備112に部分的に基づいて検索を実行することが可能であり、ここで、該検索に応じて生成される検索結果は、トランザクションセキュリティ設備154に関連するものである。該トランザクションセキュリティ設備154は、プライバシー152の保護を伴うことが可能であり、及びペアレンタル・コントロール150、ディジタル著作権管理、又はアイデンティティ保護と連携して動作することが可能である。
【０９４３】
実施形態では、モバイル加入者特徴設備112に部分的に基づいて検索を実行することが可能であり、ここで、該検索は更に、キャリアビジネスルールに部分的に基づくものである。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９４４】
実施形態では、モバイル加入者特徴設備112に部分的に基づいて検索を実行することが可能であり、ここで、該検索に応じて生成される結果は、スポンサー設備に関連するものである。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９４５】
実施形態では、モバイル通信設備のユーザは、該モバイル通信設備のクエリ設備を使用して、ラジオ及び／又はテレビ番組を検索することが可能である。該検索結果は、現在の及び／又は近日中に公開される番組のスケジュールリストを提供することが可能である。該検索結果は、ラジオ又はテレビコンテンツを聞き及び／又は見るためのリンクを提供することが可能である。該検索結果は、記録すべきラジオ又はテレビ番組を選択するための手段を提供することが可能である。モバイル通信設備は、ラジオ又はテレビコンテンツの再生、一時停止、巻き戻し、又は早送りをクエリ設備が行うことが可能となるよう構成することが可能である。
【０９４６】
実施形態では、モバイル通信設備102のロケーションは、位置情報サービスの使用を介して特定することが可能であり、該ロケーションをフィルタアルゴリズム設備144に関連して使用して検索を実行することが可能である。該アルゴリズム設備144は、協調フィルタとすることが可能であり（この場合、検索はオープンウェブ検索）、又は推薦システムとすることが可能である。
【０９４７】
実施形態では、モバイル通信設備102のロケーションは、位置情報サービスの使用を介して特定することが可能であり、該ロケーションを結果設備に関連して使用して検索結果を取得することが可能である。
【０９４８】
実施形態では、モバイル通信設備102のロケーションは、位置情報サービスの使用を介して特定することが可能であり、該ロケーションをモバイルブラウザ設備に関連して使用して検索結果を取得することが可能である。
【０９４９】
実施形態では、モバイル通信設備102のロケーションは、位置情報サービスの使用を介して特定することが可能であり、該ロケーションを非曖昧化設備140と関連して使用して検索結果を取得することが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０９５０】
実施形態では、モバイル通信設備102のロケーションは、位置情報サービスの使用を介して特定することが可能であり、該ロケーションをボイス認識設備160と関連して使用して検索結果を取得することが可能である。該ボイス認識設備160は、モバイル通信設備102上もしくはリモートサーバ上に存在することが可能であり、又は部分的にモバイル通信設備102上に且つ部分的にリモートサーバ上に存在することが可能である。
【０９５１】
実施形態では、モバイル通信設備102のロケーションは、位置情報サービスの使用を介して特定することが可能であり、該ロケーションをデータ設備と関連して使用して検索結果を取得することが可能である。該データ設備は、モバイル通信設備102上にローカルに存在することが可能であり、又はリモートに（例えばモバイル加入者特徴112データベース内に）格納することが可能である。
【０９５２】
実施形態では、モバイル通信設備102のロケーションは、位置情報サービスの使用を介して特定することが可能であり、該ロケーションをペアレンタル・コントロール設備と関連して使用して検索結果を取得することが可能である。ペアレンタル・コントロール・パラメータは、サーバアプリケーションを介して又はモバイル通信設備102を介して調整することが可能である。
【０９５３】
実施形態では、モバイル通信設備102のロケーションは、位置情報サービスの使用を介して特定することが可能であり、該ロケーションをプライバシー152設備と関連して使用して検索結果を取得することが可能である。該プライバシー152設備は、セキュアな検索トランザクション及びセキュアな経済取引を提供するよう構成することが可能である。
【０９５４】
実施形態では、モバイル通信設備102のロケーションは、位置情報サービスの使用を介して特定することが可能であり、該ロケーションを検索設備142と関連して使用して検索結果を取得することが可能であり、ここで、該検索結果はトランザクションセキュリティ154設備と関連するものである。該トランザクションセキュリティ154設備は、プライバシー152の保護を伴うことが可能であり、及びペアレンタル・コントロール150、ディジタル著作権管理、又はアイデンティティ保護と連携して動作することが可能である。
【０９５５】
実施形態では、モバイル通信設備102のロケーションは、位置情報サービスの使用を介して特定することが可能であり、該ロケーションをキャリアビジネスルールと関連して使用して検索結果を取得することが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９５６】
実施形態では、モバイル通信設備102のロケーションは、位置情報サービスの使用を介して特定することが可能であり、該ロケーションをスポンサー設備と関連して使用して検索結果を取得することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９５７】
実施形態では、フィルタアルゴリズム設備144は、モバイル通信設備102に関連するものとすることが可能であり、及び該フィルタアルゴリズム設備144は、検索結果を取得するプロセスで使用することが可能である。
【０９５８】
実施形態では、フィルタアルゴリズム設備144は、モバイルブラウザ設備に関連するものとすることが可能であり、及び該フィルタアルゴリズム設備144は、検索結果を取得するプロセスで使用することが可能である。
【０９５９】
実施形態では、フィルタアルゴリズム設備144は、モバイル通信設備102及び非曖昧化設備140に関連するものとすることが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０９６０】
実施形態では、フィルタアルゴリズム設備144は、モバイル通信設備102及びボイス認識設備160に関連するものとすることが可能である。該ボイス認識設備160は、モバイル通信設備102上もしくはリモートサーバ上に存在することが可能であり、又は部分的にモバイル通信設備102上に且つ部分的にリモートサーバ上に存在することが可能である。
【０９６１】
実施形態では、フィルタアルゴリズム設備144は、モバイル通信設備102及びデータ設備に関連するものとすることが可能である。該データ設備は、モバイル通信設備102上にローカルに存在することが可能であり、又はリモートに（例えばモバイル加入者特徴112データベース内に）格納することが可能である。
【０９６２】
実施形態では、フィルタアルゴリズム設備144は、モバイル通信設備102及びペアレンタル・コントロール設備に関連するものとすることが可能である。ペアレンタル・コントロール・パラメータは、サーバアプリケーションを介して又はモバイル通信設備102を介して調整することが可能である。
【０９６３】
実施形態では、フィルタアルゴリズム設備144は、モバイル通信設備102及びプライバシー152設備に関連するものとすることが可能である。該プライバシー152設備は、セキュアな検索トランザクション又はセキュアな経済取引を提供するよう構成することが可能である。
【０９６４】
実施形態では、フィルタアルゴリズム設備144は、モバイル通信設備102及びトランザクションセキュリティ設備154に関連するものとすることが可能である。トランザクションセキュリティ設備154は、プライバシー152の保護を伴うことが可能であり、及びペアレンタル・コントロール150、ディジタル著作権管理、又はアイデンティティ保護と連携して動作することが可能である。
【０９６５】
実施形態では、フィルタアルゴリズム設備144は、モバイル通信設備102及びキャリアビジネスルールに関連するものとすることが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９６６】
実施形態では、フィルタアルゴリズム設備144は、モバイル通信設備102及びスポンサー設備に関連するものとすることが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９６７】
実施形態では、モバイルブラウザ設備は、非曖昧化設備140に関連するものとすることが可能である。クエリの非曖昧化は、モバイル通信設備102上で又はサーバアプリケーション上で行うことが可能である。非曖昧化は、SMS変換、スペルチェックアルゴリズム、スペルチェックテーブル、音声スペリングアルゴリズム、音声スペリングテーブル、又は数字キーパッドワード変換を伴うことが可能である。
【０９６８】
実施形態では、モバイルブラウザ設備は、ボイス認識設備160に関連するものとすることが可能であり、及び該モバイルブラウザ設備は、検索結果を取得するプロセスで使用することが可能である。更に、フィルタアルゴリズム設備144が、結果を取得するプロセスで使用することが可能である。ボイス認識設備160は、モバイル通信設備102上もしくはリモートサーバ上に存在することが可能であり、又は部分的にモバイル通信設備102上に且つ部分的にリモートサーバ上に存在することが可能である。
【０９６９】
実施形態では、モバイルブラウザ設備は、データ設備に関連するものとすることが可能であり、ここで、モバイル通信に関する情報は、関連するデータ設備内に格納される。該データ設備は、モバイル通信設備102上にローカルに存在することが可能であり、又はリモートに（例えばモバイル加入者特徴112データベース内に）格納することが可能である。
【０９７０】
実施形態では、モバイルブラウザ設備は、ペアレンタル・コントロール設備に関連するものとすることが可能であり、該モバイルブラウザ設備は、検索結果を取得するプロセスで使用することが可能である。ペアレンタル・コントロール・パラメータは、サーバアプリケーションを介して又はモバイル通信設備102を介して調整することが可能である。
【０９７１】
実施形態では、モバイルブラウザ設備は、プライバシー152設備に関連するものとすることが可能であり、該モバイルブラウザ設備は、検索結果を取得するプロセスで使用することが可能である。該プライバシー152設備は、セキュアな検索トランザクション又はセキュアな経済取引を提供するよう構成することが可能である。
【０９７２】
実施形態では、モバイルブラウザ設備は、トランザクションセキュリティ設備154に関連するものとすることが可能である。該トランザクションセキュリティ設備154は、プライバシー152の保護を伴うことが可能であり、及びペアレンタル・コントロール150、ディジタル著作権管理、又はアイデンティティ保護と連携して動作することが可能である。
【０９７３】
実施形態では、モバイルブラウザ設備は、キャリアビジネスルール130に関連するものとすることが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９７４】
実施形態では、モバイルブラウザ設備は、スポンサー設備に関連するものとすることが可能であり、該モバイルブラウザ設備は、検索結果を取得するプロセスで使用することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９７５】
実施形態では、非曖昧化設備140は、ボイス認識設備160及びモバイル通信設備102に関連するものとすることが可能であり、該非曖昧化設備140又はアルゴリズム設備144は、検索結果を取得するプロセスで使用することが可能である。ボイス認識設備160は、モバイル通信設備102上に存在することが可能であり、リモートサーバ上に存在することが可能であり、又は部分的にモバイル通信設備102上に且つ部分的にリモートサーバ上に存在することが可能である。
【０９７６】
実施形態では、非曖昧化設備140は、ボイス認識設備に関連するものとすることが可能であり、ここで、モバイル通信設備102に関する情報がデータ設備に格納されている。該データ設備は、モバイル通信設備102上にローカルに存在することが可能であり、又はリモートに（例えばモバイル加入者特徴112データベース内に）格納することが可能である。
【０９７７】
実施形態では、非曖昧化設備140は、ボイスペアレンタル・コントロール設備及びモバイル通信設備102に関連するものとすることが可能であり、該非曖昧化設備140は、検索結果を取得するプロセスで使用することが可能である。ペアレンタル・コントロール・パラメータは、サーバアプリケーションを介して又はモバイル通信設備102を介して調整することが可能である。
【０９７８】
実施形態では、非曖昧化設備140は、ボイスプライバシー152設備及びモバイル通信設備102に関連するものとすることが可能であり、該非曖昧化設備140は、検索結果を取得するプロセスで使用することが可能である。該プライバシー152設備は、セキュアな検索トランザクション又はセキュアな経済取引を提供するよう構成することが可能である。
【０９７９】
実施形態では、非曖昧化設備140は、ボイストランザクションセキュリティ設備154及びモバイル通信設備102に関連するものとすることが可能であり、該非曖昧化設備140は、検索結果を取得するプロセスで使用することが可能である。該トランザクションセキュリティ設備154は、プライバシー152の保護を伴うことが可能であり、及びペアレンタル・コントロール150、ディジタル著作権管理、又はアイデンティティ保護と連携して動作することが可能である。
【０９８０】
実施形態では、非曖昧化設備140は、ボイスキャリアルール設備及びモバイル通信設備102に関連するものとすることが可能であり、該非曖昧化設備140は、検索結果を取得するプロセスで使用することが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９８１】
実施形態では、非曖昧化設備140は、ボイススポンサー設備及びモバイル通信設備102に関連するものとすることが可能であり、及び該非曖昧化設備140は、検索結果を取得するプロセスで使用することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９８２】
実施形態では、ボイス認識設備160は、データ設備に関連するものとすることが可能であり、ここで、モバイル通信設備102に関する情報が該データ設備に格納され、該ボイス認識設備160は、検索結果を取得するプロセスで使用される。該データ設備は、モバイル通信設備102上にローカルに存在することが可能であり、又はリモートに（例えばモバイル加入者特徴112データベース内に）格納することが可能である。
【０９８３】
実施形態では、ボイス認識設備160は、ペアレンタル・コントロール設備及びモバイル通信設備102に関連するものとすることが可能であり、該ボイス認識設備160は、検索結果を取得するプロセスで使用することが可能である。ペアレンタル・コントロール・パラメータは、サーバアプリケーションを介して又はモバイル通信設備102を介して調整することが可能である。
【０９８４】
実施形態では、ボイス認識設備160は、プライバシー設備152及びモバイル通信設備102に関連するものとすることが可能であり、該ボイス認識設備160は、検索結果を取得するプロセスで使用することが可能である。該プライバシー設備152は、セキュアな検索トランザクション及びセキュアな経済取引を提供するよう構成することが可能である。
【０９８５】
実施形態では、ボイス認識設備160は、トランザクションコントロール設備及びモバイル通信設備102に関連するものとすることが可能であり、該ボイス認識設備160は、検索結果を取得するプロセスで使用することが可能である。トランザクションセキュリティ設備154は、プライバシー152の保護を伴うことが可能であり、及びペアレンタル・コントロール150、ディジタル著作権管理、又はアイデンティティ保護と連携して動作することが可能である。
【０９８６】
実施形態では、ボイス認識設備160は、キャリアビジネスルール130設備及びモバイル通信設備102に関連するものとすることが可能であり、該ボイス認識設備160は、検索結果を取得するプロセスで使用することが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９８７】
実施形態では、ボイス認識設備160は、スポンサー設備及びモバイル通信設備102に関連するものとすることが可能であり、該ボイス認識設備160は、検索結果を取得するプロセスで使用することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９８８】
実施形態では、ペアレンタル・コントロール設備は、プライバシー152設備及びモバイル通信設備102に関連するものとすることが可能であり、該ペアレンタル・コントロール設備は、検索結果を取得するプロセスで使用することが可能である。該プライバシー152設備は、セキュアな検索トランザクション又はセキュアな経済取引を提供するよう構成することが可能である。
【０９８９】
実施形態では、ペアレンタル・コントロール設備は、トランザクションセキュリティ設備154及びモバイル通信設備102に関連するものとすることが可能であり、及び該ペアレンタル・コントロール設備は、検索結果を取得するプロセスで使用することが可能である。該トランザクションセキュリティ設備154は、プライバシー152の保護を伴うことが可能であり、及びペアレンタル・コントロール150、ディジタル著作権管理、又はアイデンティティ保護と連携して動作することが可能である。
【０９９０】
実施形態では、ペアレンタル・コントロール設備は、キャリアビジネスルール130設備及びモバイル通信設備102に関連するものとすることが可能であり、該ペアレンタル・コントロール設備は、検索結果を取得するプロセスで使用することが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９９１】
実施形態では、ペアレンタル・コントロール設備は、スポンサー設備及びモバイル通信設備102に関連するものとすることが可能であり、該ペアレンタル・コントロール設備は、検索結果を取得するプロセスで使用することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９９２】
実施形態では、プライバシー152設備は、トランザクションセキュリティ154設備及びモバイル通信設備102に関連するものとすることが可能であり、該プライバシー152設備は、検索結果を取得するプロセスで使用することが可能である。該トランザクションセキュリティ設備154は、プライバシー152の保護を伴うことが可能であり、及びペアレンタル・コントロール150、ディジタル著作権管理、又はアイデンティティ保護と連携して動作することが可能である。
【０９９３】
実施形態では、プライバシー152設備は、キャリアビジネスルール130設備及びモバイル通信設備102に関連するものとすることが可能であり、該プライバシー152設備は、検索結果を取得するプロセスで使用することが可能である。キャリアビジネスルール130は、ガーデン外コンテンツ、スポンサー情報、又はオークションを提示する、ウォールド・ガーデン結果を含むことが可能である。モバイル通信設備102に関する情報は、モバイル加入者特徴情報とすることが可能である。
【０９９４】
実施形態では、プライバシー152設備は、スポンサー設備及びモバイル通信設備102に関連するものとすることが可能であり、該プライバシー152設備は、検索結果を取得するプロセスで使用することが可能である。スポンサー提供の結果は、ペイドインクルージョン結果、オークション結果、又は（WAPサイト又は電話番号に関連する）ペイ・パー・クリック結果とすることが可能である。スポンサー提供の結果のスポンサーは、モバイル通信設備102の電話番号に関連する活動の結果として報酬を受けることが可能である。スポンサー提供の結果の提示は、リンクとして形成することが可能であり、又は、テキストとして、画像として、ビデオとして、又は対話型アプリケーションとして提示することが可能である。コンテンツは、モバイル通信設備102用にフォーマットすることが可能であり、及びウェブページコンテンツ又はシンジケート広告用のリンクに関連するものとすることが可能である。
【０９９５】
実施形態では、モバイルユーザ装置からの複数のウェブ対話を追跡して該ウェブ対話に関する情報をデータベースに格納することにより、モバイル通信設備102互換コンテンツを識別することが可能であり、ここで、前記情報の少なくとも一部はモバイル装置の識別子からなる。ウェブ対話に関連するコンテンツとのモバイル通信設備102の互換性の予測は、ユーザの過去に幾つの対話が存在したかに部分的に基づくものとすることが可能である。コンテンツは、ダウンロードしたもの、プログラム、ファイル、実行可能ファイル、zip形式ファイル、圧縮ファイル、オーディオ、及びビデオとすることが可能である。ウェブ対話は、ハイパーリンク上のクリック、ダウンロードコンテンツへの指示、及び／又はダウンロードプログラムへの指示とすることが可能である。予測は、対話の数が１を超えたとき又は対話の数が２を超えたときの互換性の予測を含み、更に、各対話の時刻に基づくものとすることが可能である。モバイル通信設備102の識別は、該モバイル通信設備102に関連する（ユーザにも関連する関連する）電話番号に部分的に基づくものとすることが可能である。モバイル通信設備102は、携帯電話、衛星電話、PDA、PDA及び携帯電話を組み合わせた装置、ウェブ装置、及び／又はウェブアプライアンスとすることが可能である。
【０９９６】
実施形態では、モバイル通信設備102互換コンテンツの判定方法は、ネットワークコンテンツとのモバイル通信設備102の複数の対話の追跡を含むことが可能である。ウェブ対話に関する情報はデータベースに格納することが可能であり、ここで、該情報の一部は、複数のモバイル通信設備のうちの少なくとも１つのモバイル通信設備102の識別子を含み、幾つのコンテンツ対話が存在したかに部分的に基づいてネットワークコンテンツとのモバイル通信設備102の互換性を予測する。ウェブ対話に関連するコンテンツとのモバイル通信設備102の互換性の予測は、ユーザの過去に幾つの対話が存在したかに部分的に基づくものとすることが可能である。コンテンツは、ダウンロードしたもの、プログラム、ファイル、実行可能ファイル、zip形式ファイル、圧縮ファイル、オーディオ、及びビデオとすることが可能である。ウェブ対話は、ハイパーリンク上のクリック、ダウンロードコンテンツへの指示、及び／又はダウンロードプログラムへの指示とすることが可能である。予測は、対話の数が１を超えたとき又は対話の数が２を超えたときの互換性の予測を含み、更に、各対話の時刻に基づくものとすることが可能である。モバイル通信設備102の識別は、該モバイル通信設備102に関連する（ユーザにも関連する関連する）電話番号に部分的に基づくものとすることが可能である。モバイル通信設備102は、携帯電話、衛星電話、PDA、PDA及び携帯電話を組み合わせた装置、ウェブ装置、及び／又はウェブアプライアンスとすることが可能である。
【０９９７】
実施形態では、モバイル通信設備102互換コンテンツの判定方法は、モバイル通信設備102をその電話番号との関連性により識別し、モバイル装置の第１のネットワークコンテンツ対話を識別し、モバイル装置の第２のネットワークコンテンツ対話を識別する、という各ステップを含むことが可能であり、ここで、該第２の対話は、該第１の対話に関連するものである。前記モバイル通信設備102との前記第１のネットワークコンテンツの互換性の予測は、前記第２の対話の存在に部分的に基づくものとすることが可能である。該第１の対話は、ウェブサイトからのコンテンツのダウンロード、ウェブサイトとの対話、プログラムのダウンロード、ビデオを見ること（ストリーミングビデオ又はビデオファイルのダウンロード）、又はラジオを聞くこと（ストリーミングオーディオ又はオーディオファイル又は音楽のダウンロード）とすることが可能である。
【０９９８】
実施形態では、モバイル通信設備102互換コンテンツの提供方法は、複数のモバイルコンテンツユーザからクリック履歴を収集し、該クリック履歴を反復するユーザ訪問について解析し、該反復するユーザ訪問を使用されたモバイル通信設備102のタイプについて解析し、及び互換性リストを生成すべく、対応するモバイル通信設備上でユーザが反復して訪問したサイトのリストを生成する、という各ステップを含むことが可能である。モバイル通信設備102のタイプは、関連する電話番号から部分的に識別することが可能である。クリック履歴は、ワイヤレスプロバイダ108により収集し、バッチとして処理し、リアルタイムで処理し、又は準リアルタイムで処理することが可能である。この方法は、ユーザ固有のコンテンツの互換性リストを生成するために使用することが可能であり、該リストは、ユーザのモバイル通信設備102上に格納し又はサーバ上に格納することが可能である。
【０９９９】
実施形態では、モバイル通信設備102へ装置と互換性のある検索結果のみを提供するための方法は、類似するモバイル通信設備のウェブ対話から互換性を導出することを含むことが可能である。
【１０００】
実施形態では、モバイル通信設備102と互換性のある検証済装置の検索結果を提供する方法は、モバイル通信設備102のユーザインタフェイス上で強調表示される検証済装置の互換性結果を含むことが可能である。
【１００１】
実施形態では、モバイル通信設備102のロケーションを特定するための方法は、個人用検索フィルタを配設し、モバイル通信設備102を使用してネットワーク上の情報を検索し、又はモバイル通信設備102のロケーション及び個人用検索フィルタに部分的に基づいて結果を提供する、という各ステップを含むことが可能である。該個人用検索フィルタは、モバイル通信設備102内、サーバ上、又はネットワーク（例えばインターネット）上に存在することが可能である。個人用検索フィルタは、協調フィルタとすることが可能であり、及び少なくとも２つのサブフィルタ（例えば、個人情報や企業情報に関連するフィルタ、選択可能なフィルタ、又は時刻もしくは時期に部分的に基づくフィルタ）を含むことも可能である。個人用フィルタは、ローカルサービス検索エンジン、ローカル製品検索エンジン、企業検索エンジン、個人検索エンジン、旅行検索エンジン、金融検索エンジン、ニュース検索エンジン、ビデオ検索エンジン、音楽検索エンジン、及び／又はレストラン検索エンジンを含むよう構成可能なものとすることが可能である。モバイル通信設備102は、携帯電話、衛星電話、PDA、PDA及び携帯電話を組み合わせた装置、ウェブ装置、及びウェブアプライアンスとすることが可能である。モバイル通信設備102は、SMS検索インタフェイス、ボイス認識検索インタフェイス、又はワイヤレスアプリケーションプロトコルを含むことが可能である。検索は、部分的にキャリアのウェブサイトを介して又はキャリアのパートナーのウェブサイトを介して実行することが可能である。
【１００２】
実施形態では、本方法は、モバイル通信設備102を使用してネットワークコンテンツを検索するために使用することが可能であり、該モバイル通信設備102は、ワイヤレス通信サービスプロバイダを介してネットワークに接続し、及び検索結果が提供される。該検索結果の一部は、オープンネットワーク検索からのものとすることが可能であり、該検索結果の別の部分は、前記ワイヤレス通信サービスプロバイダにより制御されたコンテンツに基づくものとすることが可能である。検索結果は、所定の順序で提供することが可能であり、該所定の順序は、先ずワイヤレス通信サービスプロバイダにより制御されたコンテンツに基づいて検索結果を配置するものである。本方法はまた、ワイヤレスプロバイダ108により制御されたコンテンツに基づいて検索結果を強調表示することを含むことが可能であり、ここで、該強調表示された結果が最初に提供される。ワイヤレス通信サービスプロバイダにより制御されるコンテンツは、着信音、ビデオ、音楽ビデオ、音楽、ダウンロード用にフォーマットされた音楽、及びビデオゲームを含むことが可能である。該コンテンツは、一般的なワイヤレス通信設備用に又は特定のワイヤレス通信設備用にトランスコードすることが可能である。トランスコードされたコンテンツは、ワイヤレス通信設備104のユーザインタフェイス上で強調表示することが可能である。本方法はまた、オープンネットワーク検索結果の強調表示、及びスポンサードリンクの強調表示を含むことが可能であり、ここで、該スポンサードリンクは、ペイドインクルージョンリンク（例えば、競争入札競売プロセスの結果として生じるもの）である。モバイル通信設備102は、携帯電話、衛星電話、PDA、PDA及び携帯電話を組み合わせた装置、ウェブ装置、及び／又はウェブアプライアンスとすることが可能である。
【１００３】
実施形態では、本方法は、モバイル通信設備102上で実行された検索の結果として該モバイル通信設備102へウォールド・ガーデン検索結果及びオープンネットワーク検索結果を提供するために使用することが可能である。該ウォールド・ガーデン検索結果は、強調表示し、及び他のコンテンツよりも先にリストアップすることが可能である。該ウォールド・ガーデン検索結果は、オープンネットワーク検索結果から提供された初期量のコンテンツには含まれていないプロバイダコンテンツを含むことが可能であり、ここで、該プロバイダコンテンツは、音楽、ゲーム、ビデオ、着信音、ダウンロード、又はその他の購入用に構成されたコンテンツを含むことが可能である。
【１００４】
実施形態では、モバイルユーザ用の検索結果を最適化する方法は、モバイル通信設備102のオンライン対話を追跡し（該追跡は、モバイル通信設備102に関連する識別番号を識別することを部分的に伴い）、該追跡されたオンライン対話に部分的に基づいてフィルタを生成し、及び該フィルタをモバイル通信設備102上で実行される検索に適用する、という各ステップを含むことが可能である。前記識別番号は電話番号を含むことが可能である。追跡されるオンライン情報は、クリック、クリックスルー、クエリ、クエリに次ぐクリック、訪問したWAPサイト、訪問したWAPポータル、DECディレクトリ（例えばキャリアのカタログ）から参照した情報、ユーザに関連する請求履歴から参照した情報、支払方法に関する情報、購入したもの、支払時期、オンライン対話の時期及び／又はロケーション、及びオンライン対話時のモバイル通信設備102の速度及び方向を含むことが可能である。
【１００５】
フィルタは、協調フィルタ、個人用フィルタ、クリック解析を介して生成されたフィルタ、モバイル通信設備102に関連するキャリア情報に部分的に基づくフィルタ、キャリアサービスについての支払方法（例えば前払い又は後払い）に基づくフィルタ、使用されるモバイル通信設備102のタイプ（携帯電話、PDA等）に基づくフィルタ、及び／又は人口統計学に基づくフィルタを含むことが可能である。フィルタはまた、ユーザのモバイル通信設備102に固有の情報（例えば、アドレス帳情報、SMSログ、E-mailログ、又はIMログを該設備が有しているか否か）に部分的に基づいて生成することが可能である。モバイル通信設備102に関連して格納される記述的な情報は、該設備のコスト、及び、該設備が、音楽プレーヤを主機能として有しているか、ビデオプレーヤを主機能として有しているか、インスタントメッセンジャー又はチャット機能を主機能として有しているかに関する情報、及び該設備が特定の顧客層（例えば、子供、若年成人、成人）向けに販売されるタイプのものであるか否かに関する情報を含むことが可能である。
【１００６】
実施形態では、モバイル通信設備102は、アドレス帳を更新することが可能である。例えば、ユーザは、自身のアドレス帳に個人別欄及び職業別欄を追加することが可能である。企業には、ローカルなアドレス帳に対するリストの永続的な追加のために追加料金を課すことが可能である。
【１００７】
モバイル通信設備102の対話を追跡してサーバ上に格納することが可能であり、ここで、該格納された情報は、キャリア間で転送することが可能である。同様に、キャリア間、及び／又はモバイル通信設備間での転送が可能となるようにフィルタをサーバ上に格納することが可能である。
【１００８】
実施形態では、モバイル通信設備102上のアプリケーションの存在は、ワイヤレスプロバイダ108と協働することにより強化させることが可能である。
【１００９】
実施形態では、モバイルウォレット／BOBO(billing-on-behalf-of：回収代行)を利用可能として、ユーザが有料検索・ショッピング比較ベンダで買い物をすることができるようにすることが可能である。
【１０１０】
実施形態では、ワイヤレスプロバイダ108により、提供されているFTPロケーションへ、データフィードファイルをプッシュすることが可能である。これはフィード処理をトリガすることが可能である。データフィードファイルは、ワイヤレスプロバイダ108により供給されるFTPロケーションからプルすることが可能である。これは、所定のスケジュールで行うことが可能である。
【１０１１】
実施形態では、スパイダリングを介したインデクシングのためにデッキコンテンツを使用することが可能である。スパイダリングとは、ウェブページ、WAPページ、又はその他のオンラインコンテンツを自動的な態様でトラバースして関連するコンテンツを抽出する処理である。スパイダは、１つ又は２つ以上のルートノードから開始し、一組のルールに従うページからのリンクをトラバースすることが可能である。スパイダリングは、所定のスケジュールで生じることが可能であり、及びワイヤレスプロバイダ108により要求された際に手動で呼び出すことが可能である。また、ワイヤレスプロバイダ108は、即時の更新が必要である場合、又は更なる検索のために特定のリンク又はロケーションが識別された場合に、手動でのスパイダリングの実行を要求することが可能である。スパイダは、WAPデッキをトラバースして必要なメタデータを取り出し、該メタデータから検索インデックスが構築される。コンテンツアイテム用のWAPページが、包括的なモバイル通信設備102互換性情報を列挙する場合には、該情報を取り出してインデクシングを行うことが可能である。WAPページが、互換性のあるハンドセットのみに制限されている場合には、スパイダは、各々の既知のタイプのモバイル通信設備102をエミュレートして互換性情報を導出することが可能である。
【１０１２】
WAPデッキ検索の場合には、ワイヤレスプロバイダ108は、１つ又は２つ以上のエントリポイントをスパイダに提供することが可能である。これは、コンテンツの根源を表す１つ又は２つ以上のURLのリストとすることが可能である。ワイヤレスプロバイダ108は、WAPページに対して必要なアクセス特権を提供することが可能である。これは、プライベートヘッダ（例えば、X-Request）に関する情報の提供を伴うものとすることが可能であり、該プライベートヘッダは、認証のために、又はスパイダが通過できるようにモバイルアプリケーションゲートウェイを構成するために、HTTP要求と共に供給することが可能なものである。
【１０１３】
実施形態では、データフィード又はスパイダリングを介してワイヤレスプロバイダ108から受信したデータは、権限のない者に対してはアクセス可能とならない機器上で維持することが可能である。このため、このデータは、エンドユーザに対して直接アクセス可能とはならない。メタデータが抽出され、該データからインデックスが準備され、次いで該インデックスがサービスと共に使用するために実稼働環境に配置される。
【１０１４】
実施形態では、プラットフォームの品質保証は、単体テスト、統合テスト、解決された問題についての自動回帰テスト、及び／又はモバイル通信設備102の手動テストを介して達成することが可能である。プラットフォームサーバのテストは、自動テスト又は手動テストを介して達成することが可能である。プロジェクトの開発段階中に連続テストを使用することが可能である。リリースがコードフリーズに入った際に、リリース認定テストを使用することが可能である。連続テストのプロセスは、挙動の変化が意図したものであること及びその品質が時間と共に劣化しないことを確認することが可能である。これは、開発ポリシーと自動テストとの組み合わせを介して達成することが可能である。サーバ内の各クラスは、開発者により書かれ維持される単体テストカバレッジを有することが可能である。あらゆる各メソッド毎に固有の単体テストを書く必要はない。これは、単体テストによっては、小さすぎてその必要がないものや、単独でテストするのが困難なものがあるからである。個々のコンポーネントの一部又は全ては単独でテストすることが可能である。単体テストは、スモークテスト（最も重要な機能のテストと最短時間での実行とを意図した限られた一組のテスト）、完全テスト（製品の全領域の完全なテストを意図した大きな一組のテスト）、及びパフォーマンステスト（実行されるテストの性質に起因して実行に長時間を要する一組のテスト）といった、幾つかのグループを含むことが可能である。
【１０１５】
実施形態では、品質に関する問題の識別を支援するために、連続ビルドプロセスを使用することが可能である。ソースコントロールに対するコード変更の各提出の前に、開発者は、一組のスモークテストを実行して、壊れている単体テストを修復することが可能である（かかる変更が期待され所望される場合）。自動ビルドマシンプロセスは、ソースコントロールシステムの変更を見守り、テストされていない変更に気付いた場合に必ずスモークテストのビルドを開始することが可能である。このプロセスは、チェックイン済ソースコードについての一貫性チェックとして働くことが可能である。このビルドでの失敗は、緊急事態とみなすことが可能であり、及びこの失敗を導入した開発者により直ちに修正することが可能である。別の自動ビルドプロセスは、サーバをビルドし、完全及び回帰単体テストスイートをスケジューリングされた間隔で実行することが可能である。この自動ビルドでの失敗は、以前に実行してから変更を行った開発者へ送って、その問題を可能な限り迅速に既知のものとすることが可能である。更なる自動ビルドは、コードカバレッジ（コードカバレッジメトリクスの計算及び算出）、コード解析（疑わしいコード構造及びスタイルのチェック）、及びパフォーマンス単体テストスイート（長期の複数のパフォーマンス単体テストの実行）を含む。
【１０１６】
実施形態では、プラットフォーム100は、WALL/WURFLツールキットの使用を介して全てのバージョンのWAP（及びCHTML又はiMODE）に応答することが可能であり、該ツールキットは、ユーザからの電話のバージョンを検出し、次いで該バージョンに適した応答をする。該WAPサイトは、より新しいWAPバージョンの能力を利用することが可能であり、このため、異なるWAPバージョンでは異なる態様で応答する。テストを使用して、WAPが異なる電話バージョンで出現し及び適切に機能することを確認することが可能である。最小限の受入テストを以前にテストしていない電話に使用して該電話を評価し及びバグを見つけることが可能である。最小限の受入テストはまた、WAPサイトの小さな変更の後に、以前に完全な受入テストに合格している電話に使用することも可能である。完全な受入テストは、以前に該完全な受入テストに合格していないモバイル通信設備102上で実行することが可能であり、又は大きなWAP変更後に実行することが可能である。テストは、以下のステップを含むことが可能である：基本的なページレイアウトを検証し、ナンバリングが正しいこと、テーブル又はリストが適切に配置されていること、及びリンクトラバーサルが正しいことを検証し、コンテンツアイテム名が正しくインデントされていることをチェックし、アーティスト名が正しい位置にあることを検証し、検索タームの一致が強調表示されていることを検証し、リンクの色が正しいことをチェックし、あらゆるリンクをたどってそのページの有効性を確認し（完全テストのみ）、及び数字アクセスキーが正しく機能することを検証する（但し、これらには限定されない）。該テストプロトコルは、エミュレータ、プロファイラ、デバッガ、及び／又はネットワークモニタの使用を含むことが可能である。
【１０１７】
実施形態では、検索メトリック及びビジネスレポートは、検索データパターン及び挙動に基づくレポート解釈及び製品推薦を含むことが可能である。カスタムレポート及び代替的な配信オプションを利用可能とすることも可能である。検索サマリレポートは、全てのプラットフォームにわたる検索（例えば、モバイルウェブ検索、ゲートウェイエラートラフィック、及び有料検索）の使用を見るためのロールアップデータを提供することが可能である。該レポートは、総量、日付及び時刻レポート、及び各検索システムの使用を含むことが可能である。検索量レポートは、モバイル検索の使用を監視するために日内及び週内検索量を示すことが可能である。検索クエリストリームレポートは、各クエリと該クエリが当該期間中に検索エンジンへ送られる回数を詳述することが可能である。このレポートは、ユーザ人口の全体的な検索挙動を理解するために使用することが可能である。新生クエリレポートは、量が急速に増大し又は減少しているクエリを示すことが可能である。このレポートは、マーチャンダイジングのため、及びユーザ基盤に対する供給及び宣伝のためのコンテンツ、製品、又はサービスを識別するために、使用することが可能である。
【１０１８】
実施形態では、WAP使用レポートは、利用可能なWAP検索サイトの使用パターンを、概して、電話機のモデルにより及びコンテンツプロバイダにより（２つ以上のコンテンツプロバイダがインデクシングされる場合）詳述することが可能である。WAP使用レポートは、以下のデータ要素を含むことが可能である：検索の数、検索エンジンが少なくとも１つの結果を有した回数、各検索毎の結果の平均数、各コンテンツカテゴリが検索に応答した回数、各検索結果ページ毎のクリック数、各検索毎に見られたページの数、一意のユーザの数、セッション数、セッションの時間の長さ、ページビューのセッション長さ、ページビューの総数、及び／又は検索からコンテンツの購入までのコンバージョンレート。
【１０１９】
実施形態では、アプリケーション使用レポートは、アプリケーションの使用を、概して、電話機のモデルにより及びコンテンツプロバイダにより（２つ以上のコンテンツプロバイダがインデクシングされる場合）詳述することが可能である。該レポートは、以下のデータ要素を含むことが可能である：検索の数、検索エンジンが少なくとも１つの結果を有した回数、各検索毎の結果の平均数、各コンテンツカテゴリが検索に応答した回数、各検索結果ページ毎のクリック数、各検索毎に見られたページの数、一意のユーザの数、セッション数、セッションの時間の長さ、ページビューのセッション長さ、ページビューの総数、及び／又は検索からコンテンツの購入までのコンバージョンレート。
【１０２０】
実施形態では、有料検索パフォーマンスレポートは、システムからの要求に直接応じた有料検索エンジンのパフォーマンスを提供することが可能である。レポートは、WAPとアプリケーション用途とで分割することが可能であり、以下を含むことが可能である：有料検索データベースに対する要求の数、一致数、一致率（有料リストが利用可能となる時間の百分率）、充填率（有料検索エンジンにより充填された要求された有料リストの百分率）、クリックスルーレート、１クリック当たりの平均コスト、一広告主当たりのクリック数、一広告主当たりの益金、総益金、総純収入。
【１０２１】
実施形態では、アプリケーション採用レポートは、当該期間中におけるダウンロード可能アプリケーションの採用を詳述することが可能であり、以下を含むことが可能である：提供された宣伝インプレッションの数、詳細を知るためのクリック数、ダウンロード数、及びアクティブなアプリケーションの数。
【１０２２】
実施形態では、サービスメトリクスレポートは、サーバの動作に関するデータを詳述し要約することが可能であり、以下を含むことが可能である：１秒当たりの平均要求、１秒当たりのピーク要求、１秒当たりの要求の分配、最大要求サイズ、及び／又は平均応答時間。
【１０２３】
実施形態では、各レポートタイプ毎に、ワイヤレスプロバイダ108は、異なる目的のために異なるレベルの特異性を要求することが可能であり、例えば、高レベルの概観を提供することを意図した集約された態様で少量のデータを提示するエグゼクティブサマリ、より詳細な情報を提供するよう収集された大きなデータセットを提示する詳細サマリを要求することが可能である。この種のレポートは、ワイヤレスプロバイダ108が生データの解析を望み、及び要約された情報及び／又は収集された生データを示すトランザクションログが提供される環境で、使用することが可能である。この種のレポートは、ワイヤレスプロバイダ108が該プロバイダ自身の解析を行いたい場合に使用することが可能である。
【１０２４】
実施形態では、レポートは、生の行ベースのログファイル（その殆どがトランザクションログに使用されている）、XML、HTML（XMLにXSLを適用してフォーマットされたもの）、及び／又はプレーンテキスト（XMLにXSLを適用してフォーマットされたもの）を用いてフォーマットすることが可能である。
【１０２５】
実施形態では、レポートは、E-mailを使用して配信することが可能であり、この場合、ワイヤレスプロバイダ108がE-mailアドレスを提供する。このメッセージの件名は、レポートの名称及びタイムスタンプを含むことが可能である。レポートは、FTPにより配信することも可能であり、この場合には、ワイヤレスプロバイダ108が、ホスト名、ユーザ名、パスワード、及びディレクトリ名を提供する。次いで、レポートが、所与のディレクトリ内へのファイルドロップとして配信される。そのファイル名は、レポート名、タイムスタンプ、及び連番を含む。
【１０２６】
実施形態では、配置アーキテクチャは、到来する要求を操作するための動的にスケーラブルなハードウェア及びソフトウェアからなることが可能である。該アーキテクチャの１つの要素は、クラスタとすることが可能である。１クラスタは、３つのマシン、すなわち、１つのフロントエンドウェブサーバと２つのバックエンドサービス層サーバとから構成することが可能である。ウェブサーバは、Red Hat Enterprise Linux 及び Apache HTTP Serverを実行することが可能である。サービス層サーバは、Red Hat Enterprise Linux、Apache HTTP Server、Apache Tomcat、及び MySQLを実行することが可能である。２つのクラスタのうち最も小さい方を、ロードバランシング、フェイルオーバー、及びリダンダンシーに使用することが可能である。更なるクラスタを必要に応じて配置して、更なるサーバ負荷を扱うことが可能である。クラスタは、HTTPを介してモバイル通信設備102からの要求を受信し、キャッシュから取り出し又は様々なデータベースに照会して取り出した結果を返すことが可能である。クラスタはまた、モバイル通信設備102のアプリケーションのダウンロード要求を扱うために使用することも可能である。各クラスタは、５QPS又は450,000要求／日を扱うことが可能である。到来する要求は、ロードバランシングハードウェアを介して複数のフロントエンドウェブサーバのうちの１つへ分配することが可能であり、次いで該フロントエンドウェブサーバとバックエンドサービス層サーバとの間の接続をロードバランシングハードウェアを介して分散させることが可能である。モバイル通信設備102からサーバへの接続は、ステートレスとすることが可能である。各接続は、適当に分散させることが可能である。フィードサーバは、ワイヤレスプロバイダ108からのデータフィード、サーバのウェブログ、及びサーバのTomcatログを処理するために使用することが可能である。これらフィードサーバは、Red Hat Enterprise Linuxを実行することが可能である。フィードサーバからの出力は、データウェアハウスに格納することが可能であり、これは、データ解析、レポート作成、及びサービス層サーバ上に存在するMySQLデータベースの入力テーブルの作成に使用される。該データウェアハウスは、Red Hat Enterprise Linux 及び Oracle Database 10gを実行することが可能である。
【１０２７】
データセンターアーキテクチャは、アドミニストレーションサーバを採用することが可能であり、該サーバは、他のサーバが適切に設定されていることを確実にし、ログファイルをフィードサーバへ移動し、及びサーバの健康状態を監視するものである。該サーバは、信頼性、スケーラビリティ、及びパフォーマンスのために、ファイバチャネルRAID SAN又はその他の冗長大容量ストレージ技術を利用することが可能である。そのドライブは、オフサイトストレージ及びローテーションを含む工業規格によるバックアップ手順を用いてテープにバックアップすることが可能である。同様のハードウェア及びソフトウェアを、開発及びQA環境で使用することが可能である。該開発環境及びQA環境は、それぞれ、それ自体のクラスタセットを用いることが可能である。
【１０２８】
実施形態では、アップグレードのリリースは、同じバージョンを同時に利用可能にすることを必要としないローリングアップグレードを用いて行うことが可能である。サービス層サーバは、そのアップグレード及び検証が行われる間は、ロードバランサにおけるサービスから除外することが可能である。該サービス層サーバは、次いでサービスに復帰し、次のサービス層サーバがアップグレードされる。アップグレードはまた、同じバージョンを配置して同時に利用可能とする必要のあるメンテナンスアップグレードにより実行することが可能である。メンテナンスページを配置し、クラスタの全てをロードバランサにおけるサービスから除外すると共に、それらのアップグレード及び検証を行うことが可能である。次いで該クラスタがロードバランサにおけるサービスに復帰することが可能である。該アップグレードは、使用量が最小になる時間にスケジューリングすることが可能である。
【１０２９】
実施形態では、ウェブサーバは、公衆インターネットに配置されたマネージド・ファイアウォールにより保護することが可能である。該ファイアウォールは、該ウェブサーバと通信することができるネットワークのタイプ及びトラフィックを制御するACLを含むことが可能である。該サーバは、データセンターにより管理することが可能であり、及び強化バージョンのOS及びアンチウィルスソフトウェアを実装することが可能である。該OSは、自動パッチ管理ソフトウェアを使用して最新の状態に維持することが可能である。外部へのアクセスは、VPN、SSH、又はプライベートバックエンドネットワークを介したセキュアなチャネルに制限される。管理を目的としたデータセンターの要員によるアクセスは、認証が行われ、及び記録される。
【１０３０】
実施形態では、プラットフォームは、WAPバージョン又はダウンロード可能アプリケーションに適用される様々な統合技術を用いてワイヤレスプロバイダ108の既存のデッキと統合させることが可能である。結果及びアイテム詳細ページは、サーバから直接提供されるフルWAP（1.2,2.0）ページとして（「ホステッド」オプション）、又はワイヤレスプロバイダ108のデッキ内でのフォーマッティング及びレンダリングに適したXMLデータとして（「API」オプション）、利用できるようにすることが可能である。ワイヤレスプロバイダ108は、サービスに適当なDNS名（例えば、search.carrier.com）を選択すること、及び適当なサーバを指し示すようDNSレコードを設定することについて責務を負うことが可能である。ワイヤレスプロバイダ108は、適当なカスタマイズ及び／又はスキニングオプションを選択する責務を負うことが可能である。ワイヤレスプロバイダ108がそのユーザに最新の検索機能（推薦エンジン等）を利用させたい場合には、該ワイヤレスプロバイダ108は、合意済みの一意のIDが適当なサーバへ送信されるようにそのモバイルアプリケーションゲートウェイを設定する責務を負うことが可能である。エンドユーザのモバイルブラウザ及びモバイル通信設備102の能力を識別し、ページをエンドユーザのモバイルブラウザへ直接提供することが可能である。
【１０３１】
実施形態では、J2MEアプリケーションは、様々なOTA（Over-The-Air）フィールドアップグレード方法をサポートすることが可能である。
【１０３２】
実施形態では、J2MEアプリケーションは、アップデートを定期的にチェックし、アップグレードが利用可能であることをユーザへ知らせることが可能である。ユーザは、アプリケーションを直ちにアップグレードするよう選択することが可能であり、この場合、該アプリケーションがアップデートのダウンロード及びインストールを開始する。ユーザは、アプリケーションのダウンロード用WAPサイトを訪問してアップデートを開始させることにより該アプリケーションのアップデートを行うよう選択することが可能である。
【１０３３】
実施形態では、アプリケーションは、SMSを介してアップデート通知を受けるべくSMS接続を使用することが可能であり、これは、モバイルアプリケーション設備102のAMSにアプリケーションを実行させ、次いで該アプリケーションがユーザにアップデートオプションを提供することが可能となる。
【１０３４】
実施形態では、WAPプッシュを使用してアプリケーションのインストール又はアップデートを行うことが可能である。
【１０３５】
実施形態では、BREWバージョンのクライアントは、J2MEバージョンがアップデートに使用する全ての機構を使用しないことが可能である。BREW環境では、アプリケーションは、ポーリングによりアップデートを発見することが可能であり、及びアプリケーション向けSMSを使用してアプリケーションをウェイクアップさせてユーザにアップデートを知らせることが可能である。ユーザは、BREWプロバイダからアップデートをダウンロードすることが可能である。
【１０３６】
実施形態では、検索設備142は、構造化データ及び非構造化データの両方を処理することが可能である。フィードファイルを定義する際に完成されなければならないプライマリカテゴリは、以下を含む：プライマリフィードファイル属性、ファイル名記述、ヘッダ行列記述、トレーラ行列記述、詳細行列記述、非従来型ファイル名記述（適用可能な場合）、及びフィード生成スケジュール。
【１０３７】
実施形態では、データソースは、ワイヤレスプロバイダ108を一意に定義することが可能であり、所与のワイヤレスプロバイダ108についてのフィードファイルは、該所与のワイヤレスプロバイダ108のデータソース下で参照することが可能である。フィードタイプは、フィードファイル内に収容されることになるデータの特定のタイプ又はカテゴリを定義することが可能である。プライマリフィードタイプによっては、以下を含むことが可能である：ログ（ログ記録されたデータを含むフィードファイル）、個人（プロバイダ108固有のメンバープロファイルデータを含むフィードファイル）、及びデッキ（コンテンツデータを含むフィードファイル）。デッキデータの多くの派生が存在することが可能であり、例えば、デッキアーティスト、デッキハンドセット、デッキカテゴリ、及びデッキ言語が含まれる（但し、これらには限定されない）。フィードプロトコルは、フィードが要求フィードであるか応答フィードであるかを指定することが可能である。該プロトコルは、送信側ワイヤレスプロバイダ108の意図を定義することが可能である。送信側ワイヤレスプロバイダ108は、所与のフィードを受信側プロバイダ108により処理することを要求することが可能である。送信側プロバイダ108は、フィードコントラクトを完成させるために、受信側プロバイダ108から受信した以前のフィードに応じてフィードを送信することが可能である。所与のプロバイダ108のための所与のタイプのフィードを一意に定義する４つの部分からなるフィード名を定義するためにフィードIDを使用することが可能である。この４部分フィード命名法は、送信側パートナーID、受信側パートナーID、フィードタイプ、及びフィードプロトコル（例えば、「Acme_Povider_Log_Request」）を指定することが可能である。フィードは、インバウンド又はアウトバウンドとすることが可能である。フィード方向の定義は、フィードエンジンが所与のフィードをどのように扱うかにおける挙動（所与のフィードについて生成されるフィードファイルディレクトリのタイプ等）の判定に資することが可能である。
【１０３８】
実施形態では、ドキュメントタイプは、フィードファイルの物理的な構造を指定することが可能である。フィードファイルの物理的な構造は、固定列形式、区切り列形式、及び／又はXML形式により定義することが可能である。所与の行タイプについて定義された列は、固定長を有することが可能である。所与のタイプの行は、固定長を有することが可能である。例えば、フィードファイルは、以下の濃度の行タイプからなることが可能である：０又は１のヘッダ行、０〜多数の詳細行、及び０又は１のトレーラ行。各行タイプは、異なる固定長を有することが可能である。所与のフィード内の行について定義される列は、１文字デリミタ（例えば、バー「｜」）により分割することが可能である。フィード内の各行は、XML要素のタイプを表すことが可能である。１つのヘッダ行又は詳細行は、１つの要素により定義することが可能である。詳細行は、多数の異なるタイプの行要素を有することが可能である。２タイプ以上の行要素を有する詳細行は、フィードドキュメント内で変異行として定義することが可能である。詳細行は、フィードファイル内のヘッダ行とトレーラ行との間の全ての行を構成することが可能である。フィードファイルは、１つの非変異行タイプを有するものとして又は２つ以上の変異行タイプを有するものとして定義することが可能である。フィードファイル内の詳細行の全てが全く同じ列構造を有する場合、該詳細行は非変異であると呼ばれる。フィードファイル内の詳細行のうちの幾つかが同フィードファイル内の他の詳細行と異なる列構造を有している場合、該詳細行は変異であると呼ばれる。連番を使用して所与のプロバイダ108についてのフィードファイル名を一意に定義することが可能である。フィードファイルが如何に処理されるかの挙動を定義することも可能である。連番は、増分的なもの、漸進的なもの、又はタイムスタンプとして定義することが可能である。連番が増分的なものとして定義される場合、各フィードは、１つのフィードから次のフィードへと順に続くことが可能である（増分は１）。この種の連番は、厳密な順序でフィードを追跡し又は受信することが重要である場合に使用することが可能である。連番が漸進的なものとして定義される場合には、各フィードは、その前のフィードよりも２以上大きな連番を有することが可能である。連番がタイムスタンプとして定義される場合には、各フィードには、その連番として所与のタイムスタンプを与えることが可能である。連番は、yyyyMMddHHmmssという完全なタイムスタンプ形式を有することが可能である。ラインデリミタは、１ラインの終わりをマークするために使用される１文字又は複数文字のタイプを定義することが可能である。フィードファイルのドキュメントタイプが、区切られたものとして定義されている場合には、所与のフィードファイル中のあらゆる各行内の各列を分割するトークンとして文字デリミタを定義することが可能である。列デリミタは、バー「｜」とすることが可能である。
【１０３９】
実施形態では、デッキプラットフォームは、ワイヤレスプロバイダ108により提供されるモバイル検索サービスを操作するための中心地として働くことが可能である。該システムは、ポータル管理システム、課金システム、他の配信システム、及びエンド・ツー・エンドのモバイル検索サービスを提供するのに必要な全ての他のワイヤレスプロバイダ108（内部又はサードパーティ）システムと対話することが可能である。全体的な検索システムの一部として、デッキは、販売業者の相関的な特徴（入札場、レポートアクセス）の管理を提供することも可能であり、及びメディア＆ベアラ・アグノスティック検索サービス（例えば、3G、2.5G、MMS、SMS、ダウンロード可能コンテンツ、ストリーミングコンテンツ）を管理するための一元化されたインタフェイスを提供することが可能である。
【１０４０】
実施形態では、プラットフォームは、ワイヤレスプロバイダ108がデッキシステムの動作中に遭遇し得るイベントを該ワイヤレスプロバイダ108が操作するための警告及び／又はメッセージングシステムを提供する。各メッセージの深刻度レベルは、不確定な深刻度からサービスに影響を与え得る「警告」深刻度レベルまでの範囲で提示することが可能である。故障マネージャを使用して、考え得る解要素のイベント及び警告を記述する共通構造を定義することが可能である。この構造は、汎用的なものとすることが可能であり、及び全てのタイプのイベントをサポートすることを意図したものである。更に、パフォーマンスカウンタがパフォーマンス／セキュリティ問題を記録することが可能である。
【１０４１】
実施形態では、デッキは、ワイヤレスプロバイダ108のアラーム及び監視システムへ警告及びステータスイベントを送るための手段としてSNMPプロトコルを使用することが可能である。ワイヤレスプロバイダ108は、使用中のネットワーク監視ソリューションと、かかる接続を確立するために必要なアクセス詳細（SNMPサーバアドレス及びポート）とを指定することが可能であり、及びそのファイアウォールシステムを通るトンネルを開いて、SNMPトラップが到達できるようにすることが可能である。デッキは、標準的なMIB構造を使用してアラームを中継することが可能であり、及びあらゆる特定のMIB構造に適応させることが可能である。イベントの内容及び警告メッセージへのアクセスをワイヤレスプロバイダ108に提供するウェブツールをセキュアなサーバ上でホストさせることが可能である。
【１０４２】
本発明の特徴は、モバイル通信設備のアドレスバー174内に入力された情報に対し、該情報が現存するURL又はその他のウェブサイトの参照と適切に対応しない場合に、有用な応答を提供することに関するものである。実施形態では、モバイル通信設備のユーザは、モバイル通信設備上でアドレスバー174内に情報を入力することが可能であり、該情報は、スペルを間違ったURLや未知のURL等である可能性がある。別の状況では、ユーザは、アドレスバー174が検索クエリ入力設備であると思ってURLではなく検索タームを入力する場合がある。モバイル通信設備のアドレスバー174内に誤情報が入力される理由は多数存在し、本発明の実施形態は、かかる誤情報を入力した後であっても有用な情報をユーザへ提供するよう働くものである。
【１０４３】
実施形態では、モバイル通信設備のアドレスバー内に入力された誤情報は、間違ったURL又はタイプミスしたURLであり、現在アクティブなウェブページに対応するものでなく、途切れたリンクであり、存在しないページであり、又はウェブサイト、URL、若しくは他のサイト指示と一致しない他の情報である可能性がある。
【１０４４】
図１２は、モバイル通信設備102のアドレスバー174内に入力された誤情報に関連する予測プロセスを示している。この予測プロセスにおいて、ユーザは、モバイル通信設備のアドレスバー174内にテキストを入力することが可能である（1202）。テキストの入力後、ユーザは、該テキストに関連するURLについて検索を開始することが可能である（1204）。該検索要求に続いて、モバイル通信設備は、関連するサイトを生成することが可能であり（1214）、又は、該URLが発見されず又はその他の態様で利用できない場合にエラーを生成することが可能である（1212）。エラーが返される場合には、望ましいサイトを予測するよう設計された設備を用いることが可能である。該サイト予測設備は、例えば、モバイル通信設備内、ワイヤレスプロバイダ内、又は他の関連する設備内に存在することが可能である。
【１０４５】
ステップ1218に関連する予測は、非曖昧化設備（例えば、図１に関連して本書で説明したようなもの）、訂正設備（例えば、図１に関連して本書で説明したようなもの）、又はユーザが訪問することを意図しているサイトを予測するよう設計された他の設備に基づくものとすることが可能である。例えば、アドレスバー174内に入力されたテキストは、「.com」が含まれていない、タイプミスされている、スペルミスされている、又は真の拡張子が「.net」である、又はその他の誤った拡張子情報を含んでいる、という事実を除き、URLに正しく関連するものである可能性がある。ステップ1218に関連する予測設備は、関連するウェブサイトを見つけるために拡張子を追加し又は置換するプロセスを経ることが可能である。アドレスバー174内に含まれる別の誤情報の例として、そのテキストがプレフィクスに関連するミスタイプその他を含む（例えば、「www.」ではなく「wwe.」をタイプし、又はURLの前にピリオドではなくカンマを入力する）可能性がある。ステップ1218に関連する予測設備は、プレフィクス情報を追加し又は置換するプロセスを経て関連するウェブサイトを発見することが可能である。アドレスバー174内に含まれる誤情報の更に別の例として、ユーザは、URLをスペルミスし、短縮されたURLを入力し、URLの代わりに検索タームを入力する、といった可能性がある。ステップ1218に関連する予測設備は、テキストをスペルチェックして、意図するターゲットサイトであると考えられるもので該テキストを訂正する、というプロセスを経ることが可能である。間違って指示されたテキスト入力に関してテキストを予測し訂正する過程で、予測設備は、（例えば、訂正、非曖昧化、及びユーザがより良い検索クエリをターゲットとすることを支援する他の技法に関して上述したような（例えば図１に関連して本書で説明したような））他の技法を用いてユーザを支援することが可能である。
【１０４６】
ステップ1218を介してサイトが予測されると、該予測されたサイトを入力して(1220)モバイル通信設備102上で提示することが可能である。望ましいサイトを予測するプロセス(1218)はまた、予測後に該予測したサイトを検索するステップを含むことが可能である(1224)。該予測したサイトが存在せず又は応答しない場合には、該予測ステップ1218に関連する予測設備は、予測をリファインして再び検索を行うことが可能である。このプロセスは、例えば、予測されたサイトが見つかるまで、又は予め設定されたタイムアウト時間に起因して該プロセスがタイムアウトになるまで、何度も行うことが可能である。
【１０４７】
実施形態では、モバイル通信設備のアドレスバー174内に入力された誤情報から望ましいサイトを予測するためのプロセスは、該誤情報に対するサイトが存在せず又は応答しないことの指示を受容した(1212)後に、望ましいサイトを予測する(1218)、という各ステップを伴うことが可能である。該予測(1218)は、訂正、非曖昧化、又は本書に記載するような他の技法を伴うことが可能である。例えば、該予測は、誤情報の非曖昧化又は訂正を支援するためにモバイル通信設備に関連する情報（例えばモバイル加入者特徴情報）を使用することを伴うことが可能である。予測が行われると、例えば、該予測をテストし(1224)（例えば、関連するURLの検索を行い）、該予測を提案としてユーザへ提示し(1222)、又は該予測に関連するサイトに入って提示する(1220)ことが可能である。
【１０４８】
図１３は、モバイル通信設備102に関連するアドレスバー174内に入力された誤情報に基づく検索プロセス(1300)を示している。この検索プロセスにおいて、ユーザは、モバイル通信設備のアドレスバー174内にテキストを入力することが可能である（1202）。テキストの入力後、ユーザは、該テキストに関連するURLについて検索を開始することが可能である（1204）。該検索要求に続いて、モバイル通信設備は、関連するサイトを生成することが可能であり（1214）、又は、該URLが発見されず又はその他の態様で利用できない場合にエラーを生成することが可能である（1212）。エラーが返される場合には、入力されたテキストに関連する望ましいサイト又はその他の情報を検索するよう設計された設備を用いることが可能である。該サイト検索設備は、例えば、モバイル通信設備内、ワイヤレスプロバイダ内、又は他の関連する設備内に存在することが可能である。
【１０４９】
エラー1212又は望ましいサイトが利用不能であることの他の指示が発生すると、アドレスバー174内に入力されたテキストを（例えば、図１に関連して説明したように検索クエリ設備内にテキストが入力された場合と同様に）検索クエリとして使用する(1302)ことが可能である。例えば、該テキストは、それが曖昧な場合には非曖昧化することが可能であり、訂正する（例えば、スペルをチェックして訂正する）ことが可能であり、又はクエリに関する提案、非曖昧化されたクエリ、若しくは訂正されたクエリを、ユーザのために生成することが可能である。検索クエリ、訂正された検索クエリ、又は非曖昧化された検索クエリが決定されると、次いでそれを用いて結果の検索を行うことが可能である(1304)。該検索は、結果を生成することが可能であり、及び／又は提案もしくはその他の関連する情報を生成することが可能である(1308)。例えば、本書における他の実施形態に関連して（例えば図１に関連して）開示したように、検索結果又は提案は、モバイル通信設備102に関する情報（例えばモバイル加入者特徴情報）と連携して生成することが可能である。実施形態では、（図１に関連して示したような）アルゴリズム設備144をモバイル通信設備に関する情報と関連して使用して、ユーザが探しているものをより良好に予測することが可能である。
【１０５０】
実施形態では、モバイル通信設備のアドレスバー174内に入力された誤情報に関する情報を検索するためのプロセスは、該誤情報に対するサイトが存在せず又は応答しないという指示(1212)を受容した後に、アドレスバー174内に入力されたテキストから検索クエリを生成する(1302)、という各ステップを伴うことが可能である。該検索クエリ1302は、訂正、非曖昧化、又は本書に記載するような他の技法を伴うことが可能である。例えば、検索クエリの作成は、誤情報の非曖昧化又は訂正を支援するためにモバイル通信設備に関連する情報（例えばモバイル加入者特徴情報）を使用することを伴うことが可能である。検索クエリが作成されると、検索結果、及び／又は提案、及び／又は推薦、又はアドレスバー174内に入力されたテキストに関連する他の情報を、モバイル通信設備のユーザへ提示することが可能である。
【１０５１】
図１４は、モバイル通信設備102に関連するアドレスバー174内に入力された誤情報に基づいて処理される検索クエリプロセス(1400)を示している。この検索プロセスにおいて、ユーザは、モバイル通信設備のアドレスバー174内にテキストを入力することが可能である（1202）。テキストの入力後、ユーザは、該テキストに関連するURLについて検索を開始することが可能である（1204）。該検索要求に続いて、モバイル通信設備は、関連するサイトを生成することが可能であり（1214）、又は、該URLが発見されず又はその他の態様で利用できない場合にエラーを生成することが可能である（1212）。エラーが返される場合には、入力されたテキストに関連する望ましいサイト又はその他の情報を検索するよう設計された設備を用いることが可能である。該サイト検索設備は、例えば、モバイル通信設備内、ワイヤレスプロバイダ内、又は他の関連する設備内に存在することが可能である。
【１０５２】
アドレスバー174から入力されたテキストは、非曖昧化設備、訂正設備、又はモバイル通信設備上での検索に一層適した形へとテキストを修正するよう構成された他の設備を介して、処理することが可能である(1402)。該処理されたクエリを次いで検索クエリとして使用して(1404)検索を実行することが可能である。結果、提案、及び／又は処理されたクエリに関する他の情報を生成して、モバイル通信設備102に関連する表示装置上に表示することが可能である。
【１０５３】
図１５は、モバイル通信設備102に関連するアドレスバー174内に入力された誤情報に基づくリダイレクションプロセス(1400)を示している。このリダイレクションプロセスにおいて、ユーザは、モバイル通信設備のアドレスバー174内にテキストを入力することが可能である（1202）。テキストの入力後、ユーザは、該テキストに関連するURLについて検索を開始することが可能である（1204）。該検索要求に続いて、モバイル通信設備は、関連するサイトを生成することが可能であり（1214）、又は、該URLが発見されず又はその他の態様で利用できない場合にエラーを生成することが可能である（1212）。エラーが返される場合には、入力されたテキストに関連する望ましいサイト又はその他の情報を検索するよう設計された設備を用いることが可能である。該サイト検索設備は、例えば、モバイル通信設備内、ワイヤレスプロバイダ内、又は他の関連する設備内に存在することが可能である。
【１０５４】
エラー、又はサイトが利用できないことの他の指示(1212)に続いて、リダイレクトされるサイトを選択することが可能である(1502)。該リダイレクション1502は、テーブル、アルゴリズム、又は正しいサイトを示す元の利用できなかったサイトに関連する情報、に基づくものとすることが可能である。例えば、利用できないサイトは、関連するサイトが存在することを示す情報を生成することが可能である。例えば、参照されたURLを提供することが可能である。このリダイレクション情報が与えられると、モバイル通信設備を新たなサイトへとリダイレクトさせることが可能となる。
【１０５５】
実施形態では、モバイル通信設備に関する情報を使用して、リダイレクトされるサイトへユーザをリダイレクトすることが可能である。例えば、ユーザがURLをスペルミスし、及びモバイル通信設備に関する情報が、ユーザが入る意図のある場所を示す場合がある。例えば、モバイル特徴情報は、ミスタイプされたURLに酷似するURLのサイトをユーザが最近見たことを示す情報を含む可能性があり、その以前に訪問したサイトを該ユーザに提示することが可能である。実施形態では、入力されたURLが利用できないことの指示をユーザに提示し、代替策を提案するプロセスを使用したことを示すことが可能である。
【１０５６】
実施形態では、リダイレクション、検索、テキスト処理、結果提示、提案、又はモバイル通信設備のアドレスバー内に入力された情報を管理する他の方法は、アルゴリズム設備144を介して支援されることが可能である。該アルゴリズム設備144は、ユーザが最も興味のある情報を決定する過程でモバイル通信設備102に関する情報を使用することが可能である。該アルゴリズム設備は、例えば協調フィルタ又は個人用フィルタとすることが可能であり、該フィルタは、ユーザにターゲットを絞った結果を配信するプロセスで、モバイル特徴データベースからの情報を使用することが可能である。
【１０５７】
本発明の別の特徴は、モバイル通信設備上で入力された検索クエリ及びアドレスクエリに関するエラーを処理することに関するものである。実施形態では、このエラー処理は、モバイル通信設備上のソフトウェアを介して達成することが可能である。実施形態では、該エラー処理は、モバイル通信設備から離れた場所（例えば、ワイヤレスプロバイダ108に関連し又はワイヤレス通信設備104に関連するサーバ上）にあるソフトウェアを介して達成することが可能である。実施形態では、該エラー処理は、部分的にモバイル通信設備上で、及び部分的に該モバイル通信設備から離れたプラットフォーム上で、ソフトウェア処理を用いて行うことが可能である。
【１０５８】
図１６は、エラー処理方法1600を示しており、この場合、該エラー処理は、少なくとも部分的にモバイル通信設備102上で行われる。この実施形態では、モバイル通信設備を使用してアドレス検索要求を（例えば、モバイル通信設備上でアドレス検索バー内に入力されたアドレスに関連して）サーバ設備へ通信することが可能である(1602)。該サーバは、例えば、ワイヤレスプロバイダに関連するサーバとすることが可能である。かかるアドレス又はURLが見つからない場合、又は見つかったアドレスがアクティブでなく又はその他のエラーを生じさせるものである場合には、モバイル通信設備でエラーを生成して(1604)そのことを示すことが可能である。このエラーは、図１２ないし図１５に関連してエラー1212として説明したものと同様のエラーとすることが可能である。
【１０５９】
エラー1604等が生成されると、モバイル通信設備102上のソフトウェアプラットフォームは、該エラーに対して様々な方法（例えば、図１２ないし図１５に関連するエラー処理）で応答することが可能である。例えば、図１２ないし図１５に関連して示したように、モバイル通信設備102上のソフトウェアが望ましいサイトを予測し(1218)、テキストを検索クエリとして使用し(1302)、入力されたテキストを更に処理し(1402)、モバイル通信設備を別のウェブサイトへリダイレクトし(1502)、又はその他の態様でエラー1604に応じた処理を行うことが可能である。該エラー処理に続いて、モバイル通信設備は、情報に関する更なる要求を生成し通信することが可能である(1608)。これは、図１２ないし図１５に関連して説明した情報についての要求と同様のものとすることが可能である。例えば、（例えば図１２に関連して説明したような）新たに予測したウェブサイトに入るための要求を行うことが可能である。該新たに予測したウェブサイトに入るための要求に続いて、エラー等を生成してプロセスを再実行することが可能である(1224)。最後に、モバイル通信設備102は、予測されたサイトの指示を受信すること、又は該予測されたサイトが提示されることが可能である。別の例として、新たな要求1608は、検索クエリとして形成することが可能であり、又は、図１３ないし図１４に関連して説明したように検索エンジンへの供給を意図した処理後の（例えば非曖昧化された）クエリとして形成することが可能である。更に別の例として、新たな要求1608は、図１５に関連して説明したようにリダイレクトされる要求とすることが可能である。ユーザは、検索クエリを意図的にロケーションボックス内に入れることが可能である、ということが理解されよう。
【１０６０】
図１７は、エラー処理プロセス1700を示しており、この場合、該エラー処理は、少なくとも部分的にモバイル通信設備102から離れた場所で行われる。この実施形態では、モバイル通信設備を使用してアドレス検索要求1704を（例えば、モバイル通信設備上でアドレス検索バー内に入力されたアドレスに関連して）ワイヤレスプロバイダ108に関連するサーバ設備へ通信することが可能である。該サーバは、例えば、ワイヤレスプロバイダの制御下にあるサーバとすることが可能であり、又はそれ以外の関連するサーバとすることが可能である。かかるアドレス又はURLが見つからない場合、又は見つかったアドレスがアクティブでなく又はその他のエラーを生じさせるものである場合には、ワイヤレスプロバイダ108に関連するサーバでエラー1704を生成してそのことを示すことが可能である。このエラーは、図１２ないし図１５に関連してエラー1212として説明したものと同様のエラーとすることが可能である。
【１０６１】
エラー1704等が生成されると、ワイヤレスプロバイダ108に関連するサーバ上のソフトウェアプラットフォームが、該エラーに対して様々な方法（例えば、図１２ないし図１５に関連するエラー処理）で応答することが可能である。例えば、図１２ないし図１５に関連して示したように、該サーバ上のソフトウェアが望ましいサイトを予測し(1218)、テキストを検索クエリとして使用し(1302)、入力されたテキストを更に処理し(1402)、モバイル通信設備を別のウェブサイトへリダイレクトし(1502)、又はその他の態様でエラー1704に応じた処理を行うことが可能である。該エラー処理に続いて、サーバは、情報に関する更なる要求を生成し通信することが可能である(1708)。これは、図１２ないし図１５に関連して説明した情報についての要求と同様のものとすることが可能である。例えば、（例えば図１２に関連して説明したような）新たに予測したウェブサイトに入るための要求を行うことが可能である。新たに予測したウェブサイトに入るための要求に続いて、エラー等を生成してプロセスを再実行することが可能である(1224)。最終的に、モバイル通信設備102は、予測されたサイトの指示を受信すること、又は該予測されたサイトを提示することが可能である。別の例として、新たな要求1708を検索クエリとして形成することが可能であり、又は、図１３ないし図１４に関連して説明したように検索エンジンへの供給を意図した処理された（例えば非曖昧化された）クエリとして形成することが可能である。更に別の例として、新たな要求1608は、図１５に関連して説明したようなリダイレクトされる要求とすることが可能である。
【１０６２】
本発明の特徴は、スポンサードリンクの提供に関するものである。実施形態では、スポンサーに、スポンサー情報（例えば、入札情報、入札に勝った際に提示すべきコンテンツ、連絡先情報、装置互換情報、スポンサーがターゲットとするプロファイル、スポンサーがターゲットとするロケーション等）の入力を可能にするインタフェイスを提供することが可能である。例えば、（例えば図１及び図２に関して説明したような）スポンサーシップ設備162をスポンサーシップ入力設備に適合させることが可能である。該スポンサーシップ設備162は、モバイル通信設備上でのスポンサードリンクの提供に関連する他の機能を実行することも可能である。例えば、スポンサーシップ設備162は、入札プロセスを容易化すること及び／又はスポンサードコンテンツをモバイル通信設備へ提示することが可能である。実施形態では、モバイル通信設備に関する情報（例えばモバイル加入者特徴情報）をスポンサードリンクプロセスで使用することが可能である。
【１０６３】
図１８は、スポンサードコンテンツ設備1800を示しており、この場合、モバイル通信設備102はワイヤレスプロバイダ108と通信状態にある。スポンサーシップ設備162は、モバイル検索ホスト設備114の一部とすることが可能であり、及び、スポンサードコンテンツ、入札、検索基準等を入力するプロセスをスポンサーが開始することを可能にするスポンサー入力設備1804を含む。該スポンサーシップ設備162は、複数のスポンサー間での入札プロセスを扱う入札設備1812、スポンサードコンテンツに関連する支払取引を扱う支払システム1810、及びスポンサードコンテンツの指示及び／又は提供を行うよう構成されたスポンサードリンク／コンテンツ設備1808を含むことが可能である。スポンサーは、スポンサードコンテンツデータベース128及びスポンサーの支払設備1802にアクセスするよう構成されたサーバ134アプリケーションに関係することが可能である。
【１０６４】
実施形態では、スポンサーは、スポンサー入力設備1804を介して特定のスポンサードコンテンツをモバイル通信設備102へ提供するために入札プロセスに入ることが可能である。スポンサーは、入札情報（特定のキーワード一致のための最高入札等）、コンテンツ情報、互換性情報等を提供することが可能である。スポンサーは、スポンサー入力設備1804を介してスポンサープロセスに入ると、入札金額と引き換えにモバイル通信設備上にスポンサードコンテンツを表示させる立場となる。ユーザは、モバイル通信設備102上で検索クエリを入力することが可能であり、該クエリが入札設備1812へ送信され、該入札設備1812において入札プロセスが行われて、どのスポンサーのコンテンツがモバイル通信設備102へ提供されることになるかを決定することが可能である。該入札プロセスの結果として、入力プロセス中に当初に指示された落札者情報で識別される通りに特定のスポンサードコンテンツ128の落札が生じることが可能である。例えば、落札時にリンクその他のコンテンツ1808をモバイル通信設備へ提示すべきことをスポンサーが指示している可能性がある。
【１０６５】
スポンサーは、モバイル通信設備102に購入可能コンテンツを提示することが可能であり、ユーザは、モバイル通信設備102を介して該コンテンツを購入することが可能であり、及びワイヤレスプロバイダ108を介して該コンテンツの支払いをすることが可能である。例えば、該コンテンツは、ダウンロード可能な着信音、音楽ファイル、ビデオファイル、壁紙等とすることが可能である。スポンサーは、かかるコンテンツの請求処理をワイヤレスプロバイダの請求処理設備1810を介して提供するよう選択することが可能である。これは、便利で、セキュアで、及び／又はトラステッドなユーザ取引を提供することが可能である。ユーザは、自分のワイヤレスプロバイダを介してコンテンツを快適に購入することが可能である。これは、既知の出所から提供されている外観の多くを該ワイヤレスプロバイダが提供することが可能であるからである。これは、ユーザの観点からすれば一層大きな「ウォールド・ガーデン」感覚を生成し得るものであり、かかるコンテンツをユーザがオープンウェブ上で検索し及び／又は受信することを可能にする。スポンサーが、ワイヤレスプロバイダの支払設備1810を介したコンテンツの支払いを許容する場合には、ワイヤレスプロバイダ108は、請求書送付サービスの見返りとしてユーザの支払いの一部（又はその他の報酬）を受け取ることが可能である。
【１０６６】
実施形態では、スポンサーの支払設備1802を使用して、落札され及び／又はモバイル通信設備102へ提示されたスポンサードリンクについての支払いを行うことが可能である。例えば、スポンサードコンテンツが落札され及び／又はモバイル通信設備102へ提示されると、入札設備1812は、スポンサーの支払設備1802からの入札金額の支払いを要求することが可能である。次いで、スポンサーの支払設備1802は、例えば、ワイヤレスプロバイダの支払設備1810に対する支払いを処理することが可能である。
【１０６７】
図１９は、スポンサーがスポンサー入力設備1804と対話する際に該スポンサーへ提供することが可能なスポンサー入力設備のユーザインタフェイス1900を示している。該ユーザインタフェイス1900は、基準入力設備1902を含むことが可能であり、該基準入力設備1902により、スポンサーが、スポンサードコンテンツを配置するための入札にとって重要な基準を入力することが可能となる。例えば、基準入力設備1902で入力される基準は、キーワード、フレーズ、ターム、専門用語、smsコード、ユーザプロファイル、モバイル通信設備のディスプレイタイプ、モバイル通信設備のタイプ、電話のタイプ、モバイル通信設備、モバイル通信設備のプロセッサタイプ又は能力、モバイル通信設備のオペレーティングシステム、モバイル通信設備のサードパーティソフトウェア、モバイル通信設備のプラットフォームの特徴、モバイル通信設備のオーディオシステム、ロケーション、ユーザの性別、ユーザの購入履歴、ユーザの年齢、嗜好、クリック履歴、電話履歴、時刻、通日、モバイル通信設備の市外局番、ユーザの自宅住所、自宅地区、勤務先住所、勤務先地区、モバイル加入者特徴等に関するものとすることが可能である。
【１０６８】
ユーザインタフェイス1900はまた、入札入力設備1904を含むことが可能である。該入札入力設備は、入札金額及びそれに対応する入札基準を入力する能力をスポンサーへ提供することが可能である。例えば、キーワードの関連性の一致等の基準に最大入札額を関連づけることが可能である。実施形態では、最大入札額は、単純な一致基準（例えば、キーワードの一致等）に関連づけることが可能であり、又は一層複雑なストリング又は重み付けした複数のタームからなるストリング、イベント、又は特徴に関連づけることが可能である。例えば、スポンサーは、１つのキーワード一致について最大入札額$0.10を提供することが可能であるが、キーワード及びロケーションの組み合わせについては入札額$0.15を提供することが可能であり、又はキーワード、ロケーション、及び電話機のタイプの組み合わせについては$0.20を提供することが可能である。他の例として、スポンサーは、検索が暗黙的検索である場合にロケーション及び時刻に関連づけされた入札について$0.15を入札することが可能である。入札金額に関連する入札基準の特定の例を提供したが、基準となる一致は、重み付けされた機能の一致、アルゴリズムに基づく一致、又は他の任意のタイプの規則に基づく、アルゴリズム的、ヒューリスティック的、又はその他の一致を含む（但しこれらには限定されない）、あらゆるタイプの一致とすることが可能である、ということが理解されよう。
【１０６９】
実施形態では、自身のコンテンツをモバイル通信設備上に提示することを望むスポンサーに対し、該スポンサーが、広告、販売促進上の案内、及び値引き等を含む（但しこれらには限定されない）スポンサーコンテンツの作成を行うための、複数のメニュー形式を提示することが可能である。例えば、そのメニューシステムは、スポンサーコンテンツのタイトル（URL、所在地住所、電話番号、又はその他の連絡先情報を含む）をスポンサーが作成することを可能にする入力メニューをスポンサーに提供することが可能である。追加の説明テキストを１行で、１段落で、及び／又は１頁で入力することが可能である。
【１０７０】
実施形態では、自身のコンテンツをモバイル通信設備上に提示することを望むスポンサーに対し、該スポンサーが該スポンサーコンテンツを提示したいモバイル通信設備のタイプを選択するための複数のメニュー形式を提示することが可能である。例えば、スポンサーは、自身のコンテンツを最適な状態で提示するための技術的な要件に起因して、該コンテンツの提示に最も適した一部のモバイル通信設備のモデルを選択したい場合がある。スポンサーは、自身がターゲットとしたい他のユーザ特徴に関連するモバイル通信設備のモデル（例えば、大学生の間で多く使用されていることが分かっている携帯電話）上にのみ提示することを選択することが可能である。
【１０７１】
実施形態では、自身のコンテンツをモバイル通信設備上に提示することを望むスポンサーに対し、該スポンサーが該スポンサーコンテンツを提示したいモバイル通信設備のプラットフォーム及び／又はソフトウェアのタイプを選択するための複数のメニュー形式を提示することが可能である。例えば、スポンサーは、Java対応デバイスを必要とするコンテンツを有する可能性がある。このため、該スポンサーのコンテンツをJavaに対応したモバイル通信設備上でのみ提示することを選択することが該スポンサーにとって望ましい場合がある。
【１０７２】
実施形態では、自身のコンテンツをモバイル通信設備上に提示することを望むスポンサーに対し、該スポンサーの情報に関連づけるキーワード及び／又はキーフレーズを選択するための複数のメニュー形式を提示することが可能である。該メニューは、スポンサーが入札金額を入力することが可能な個々のワード、複数のワードのリスト、及び／又はフレーズを提示することが可能である。該入札金額は、スポンサーがその言葉にコンテンツを関連づけるために支払う意志のある特定の金額、金額範囲、又は最高金額とすることが可能である。
【１０７３】
実施形態では、自身のコンテンツをモバイル通信設備上に提示することを望むスポンサーに対し、該スポンサーにより入力され及び／又は選択されたキーワードに基づいてキーワードの提案を提示することが可能である。例えば、シソーラスを使用して、スポンサーが入札に興味があることを明示したキーワードに関連する更なるキーワードをスポンサーへ自動的に提示することが可能である。
【１０７４】
実施形態では、自身のコンテンツをモバイル通信設備上に提示することを望むスポンサーに対し、該スポンサーの情報に関連づけるための地理的な変数を選択するための複数のメニュー形式を提示することが可能である。該メニューは、個々の市外局番、市名、州名、国名、及びロケーションを提示することが可能であり、それらは、ユーザにより入力されたもの、及び／又はロケーション設備から導出されたGPS情報に基づくものとすることが可能である。地理的情報は、モバイル加入者特徴に関連して提示することも可能である。例えば、ホテル業に携わるスポンサーは、現在住んでいる町または通常の勤務地以外の場所にいるユーザのみに対して自身のコンテンツを提示することに興味がある可能性がある。
【１０７５】
実施形態では、自身のコンテンツをモバイル通信設備上に提示することを望むスポンサーに対し、該スポンサーの情報に関連づけるための人口統計学的な変数を選択するための複数のメニュー形式を提示することが可能である。該メニューは、年齢、性別、人種、住所、所得、請求書発送履歴、購入履歴等といった、モバイル加入者特徴データベースに収容されている個々の人口統計学的な変数を提示することが可能である。
【１０７６】
実施形態では、スポンサーのコンテンツは、該スポンサーの入札金額に基づいて降順にモバイル通信設備上で表示することが可能である。
【１０７７】
実施形態では、スポンサーから導出した共有する収益の量に基づいて降順にモバイル通信設備上で表示することが可能である。
【１０７８】
実施形態では、スポンサーのコンテンツは、時間を基準として使用することに少なくとも部分的に基づいてモバイル通信設備102上で表示し及び／又は順序づけることが可能である。
【１０７９】
実施形態では、スポンサーのコンテンツは、モバイル加入者特徴（ユーザ、装置タイプ、地理、取引、及び／又は履歴等）に少なくとも部分的に基づいてモバイル通信設備102上で表示し及び／又は順序づけることが可能である。
【１０８０】
実施形態では、スポンサーのコンテンツは、スポンサードコンテンツの関連性に少なくとも部分的に基づいてモバイル通信設備102上で表示し及び／又は順序づけることが可能である。例えば、関連性は、スポンサーのコンテンツに含まれる情報とクエリ入力設備120でユーザが入力したキーワードとに基づくものとすることが可能である。関連性は、スポンサーのコンテンツとモバイル加入者特徴（ユーザ、装置タイプ、地理、取引、及び／又は履歴等）とに基づくものとすることが可能である。
【１０８１】
実施形態では、スポンサーのコンテンツは、モバイル加入者特徴のグループ化又は集約に少なくとも部分的に基づいてモバイル通信設備102上で表示し及び／又は順序づけることが可能である。例えば、スポンサーのコンテンツは、ユーザの年齢範囲（例えば20〜30歳）に基づいて表示することが可能である。
【１０８２】
実施形態では、スポンサーの請求書発送プロセスの結果としての支払可能な金額は、ワイヤレスプロバイダの請求書発送システムにおいて処理することが可能である。例えば、スポンサーは、ワイヤレスプロバイダの請求書発送システムに加入する際に、提示されるあらゆるスポンサードコンテンツについて料金を支払うようワイヤレスプロバイダと契約を結ぶことが可能である。該支払いは、例えば、スポンサーからワイヤレスプロバイダへ直接行うことが可能である。実施形態では、モバイル通信設備のユーザは、スポンサードコンテンツと対話して（例えばスポンサードライン上をクリックして）、該スポンサードコンテンツ内で取引を行うことが可能である（例えば、該ユーザは、音楽ダウンロード、着信音、壁紙等を購入することが可能である）。かかる実施形態では、購入コンテンツの購入価格は、スポンサーから請求するのではなく、ユーザのワイヤレスプロバイダの請求書に示すことが可能である。
【１０８３】
実施形態では、モバイル通信設備のユーザを、モバイル加入者特徴、装置タイプ、ロケーション、挙動履歴、取引履歴、又はその他のパラメータの組み合わせで分類することが可能であり、その結果として得られる分類を、入札のためにメニュー形式でスポンサーに提供することが可能である。例えば、カリブ海クルーズのチケットを購入する可能性が最も高いワイヤレスプロバイダの顧客基盤の集団内でユーザ特徴を統計的にモデル化することが可能である。このモデルが判明すると、該モデルにより記述されるプロファイルをほぼ有する全ての顧客を「カリブ海クルーズ」カテゴリにグループ化することが可能である。次いでこのカテゴリを他のカテゴリと共にメニューシステムに包含させて、入札のためにスポンサーへ提示することが可能である。水着会社やサングラス会社等は、「カリブ海クルーズ」カテゴリ内のユーザがそれらの会社の製品を必要としている可能性が高いため、「カリブ海クルーズ」カテゴリにアクセスするための入札に大きな関心を示す可能性がある。該モデルで使用される多くの特徴（変数）の単一カテゴリへの要約は、入札プロセスをスポンサーにとって一層時間を要さないものにすることを可能とし、及び有標製品を構成することが可能である。更に、該統計的なモデルは、変化するユーザ嗜好に適応させるよう絶えず更新することが可能である。
【１０８４】
実施形態では、スポンサーのウェブサイトを評価して、キーワード及び／又はキーフレーズが出現する頻度を判定することが可能である。該キーワード及び／又はキーフレーズの頻度が判明すると、スポンサーのウェブサイトのコンテンツに対するキーワードの関連性を示すサイト関連性スコアを導出することが可能である。次いでこの関連性スコアを使用してスポンサーの入札を支援することが可能となり、これにより、スポンサーが自身のコンテンツに対して最も高い関連性を有するキーワード及び／又はキーフレーズに自身の資金を集中させるのが容易となる。
【１０８５】
実施形態では、モバイル通信設備のユーザの挙動を自動的に収集し、該ユーザの挙動を反映するよう入札システムにおける入札額の値を調節することが可能である。例えば、ユーザによる電話、クリック、クリックスルー、購入、及び出来高の最適化を自動化して、キーワードに関連する最小又は最大入札額の値の変更に使用することが可能である。
【１０８６】
実施形態では、編集上の再検討プロセスを使用して、スポンサーが自身のコンテンツの関連づけのための基準の選択の適切さを評価することが可能である。例えば、スポンサーが成人向けコンテンツを子供の興味に一般に関連するキーワードに関連づけるのは不適切となり得る。編集上のプロセスは、かかる不調和を探し出して修正するのに資することが可能である。
【１０８７】
実施形態では、自動スパイダリングツールを使用して、スポンサーのコンテンツの変化を定期的に監視し、及びスポンサーリンクの信頼性を判定することが可能である。例えば、スポンサーは、以前に入札プロセスを介してキーワードに関連づけられた該スポンサーのコンテンツがもはや信頼できないものとなる（すなわち、リンクがユーザを導いた場所にもはやコンテンツが存在しない）程度に、ウェブサイトを更新する可能性がある。これが発生すると、システムは、スポンサーコンテンツのリンクの信頼性が不十分であることを示す警告をスポンサーへ送ることが可能である。これは、システムの全体的な信頼性を改善する働きをすることが可能である。
【１０８８】
図２０に示すように、広告2004は、モバイル通信設備102のクエリ設備からウェブページ要求を受信し、該モバイル通信設備102に関連する情報を受信し、及び該モバイル通信設備102に関連する情報に少なくとも部分的に基づいて少なくとも１つの広告2002aをウェブページに関連づけする、という各ステップに少なくとも部分的に基づいてモバイル通信設備102へ提示することが可能である。例えば、モバイル通信設備102のユーザは、ミュージシャンの名前を書いた明示的なテキストクエリからなる検索クエリを開始することが可能である。ユーザのモバイル通信設備102へ提示することが可能な考え得る検索結果は、広告2002a,2002b及び該ミュージシャンのCDや彼のパフォーマンスのビデオに関するウェブサイト等を含むことが可能である。代替的に、モバイル通信設備のユーザは、ミュージシャンに捧げられた特定のウェブサイトを要求するアドレス要求（例えばインターネットURL）を入力することが可能である。次いで該アドレス要求は、ミュージシャンのCDや彼のパフォーマンスのビデオ等に関連する広告及びその他のウェブサイトに関するものとすることが可能である。モバイル通信設備102に関する情報（例えば、そのビデオストリーミング能力）を使用して、広告／ウェブページ2008の結果の何れをユーザのモバイル通信設備102に成功裏に提示することが可能であるかを判定することが可能である。次いで、その情報を使用して、ユーザのモバイル通信設備102の表示装置にそれぞれ提示することができるウェブページ及び広告2004を対にすることが可能である。
【１０８９】
実施形態では、暗黙的クエリを、モバイル通信設備102のユーザから受信して、広告2004との関連づけを少なくとも部分的に導出するために使用することが可能である。例えば、モバイル加入者特徴112、キャリアビジネスルール130、又はモバイル通信設備102情報は、時刻、ロケーション、又は類似する状況とあいまって、関連する広告とウェブページ2008とを対にした推薦をユーザのために提案することが可能である。推薦された広告2002は、該広告2002の結果の表示に先立ち、その表示中に、又はその表示後に、提示されるウェブページと対にすることが可能である。コンテンツ要求は、モバイル加入者特徴112に少なくとも部分的に基づいて暗黙的クエリ要求により行うことが可能である。例えば、ユーザのモバイル加入者特徴112は、ユーザの誕生日を含むことが可能である。このため、誕生日のお祝いや顧客の誕生日における割引等に関する広告2004を選択するためにユーザの誕生日に暗黙的クエリを生成することが可能である。コンテンツ要求は、ユーザのモバイル通信設備102の特徴に少なくとも部分的に基づいて暗黙的クエリ要求により行うことが可能である。例えば、モバイル通信設備102のタイプが人口統計学（例えば年齢）に関連するものである場合には、該モバイル通信設備102のタイプのユーザに関連し得る広告2004を選択するよう暗黙的クエリを開始することが可能である。
【１０９０】
実施形態では、ユーザの以前の検索活動及び検索結果を使用して該ユーザのための暗黙的クエリ要求を生成することも可能である。以前の検索活動は、取引、検索クエリ、ウェブサイトへの訪問、及びモバイル通信設備102上でユーザが開始したその他の活動を含むことが可能である。モバイル通信設備102の地理的ロケーションは、ユーザの現在の地理的な近傍における製品及びサービスを含む（但し、それらには限定されない）暗黙的クエリを生成することが可能である。現在時刻を他の情報とは無関係に又は他の情報と共に使用して暗黙的クエリを生成することが可能である。例えば、正午であるという独立した事実は、ランチを提供するレストランに関する暗黙的クエリを開始することが可能である。上記のレストランの例の場合のように、意味のある推薦を生成するための同様のプロセスを他のサービス及び製品に適用することが可能であり、かかるサービス及び製品には、輸送、食料、劇場、スポーツ、エンターテイメント、映画、会社、職場、銀行、郵便局、郵送施設、ガソリン、方向、ロケーション、場所の探索、ナビゲーション、タクシー、バス、列車、自動車、空港、ベビーシッター、サービス提供者、商品提供者、ドラッグストア、ドライブスルー、バー、クラブ、映画時刻、エンターテイメント時刻、ニュース、及び地元情報等が含まれる。
【１０９１】
実施形態では、広告2002は、モバイル加入者特徴112に関する情報に少なくとも部分的に基づいてモバイル通信設備102へ提示することが可能である。この情報は、モバイル加入者特徴データベース112に収容されているユーザの個人的な人口統計学的な変数（例えば、年齢、性別、人種、宗教、市外局番、郵便番号、自宅住所、勤務先住所、請求書送付先住所、信用情報、家族情報、所得範囲、生年月日範囲、出生地、使用者、職種、就労日数、所属、又は本書に記載するような他の情報）を含むことが可能である。モバイル加入者特徴112は、個人用フィルタに関連づけることが可能である。モバイル加入者特徴は、協調フィルタと連携して使用することが可能である。モバイル加入者特徴112は、ユーザ特徴の集合を含むことが可能であり、又は一定範囲の値を含むことが可能である。該ユーザ特徴の一定範囲の値は、一定範囲のユーザ層とすることが可能である。該ユーザ特徴の一定範囲の値は、一定範囲の挙動又は年齢範囲とすることが可能である。
【１０９２】
実施形態では、モバイル加入者特徴112は、広告2002の検索結果を、モバイル加入者特徴112又は複数の特徴のプロファイルに関連するものに限定するパラメータを形成することが可能である。このため、広告2002の１つ又は２つ以上の結果セットの表示は、情報を省略し、情報を優先順位付けし（例えばスポンサーリンクを他の全ての前に提示し）、検索結果セットのサブセットを強調表示し、又はモバイル加入者特徴112の存在又は不存在に基づいて情報の表示を順序づけすることが可能である。モバイル加入者特徴データベース112内に格納することが可能な代表的な要素の例として、ロケーション、ユーザに関する個人情報、ウェブ対話、E-mail対話、メッセージング対話、請求書発送履歴、支払履歴、典型的な請求額、時刻、オンライン対話期間、オンライン対話数、家族の状態、職業、取引、以前に入力された検索クエリ、ロケーションの履歴、電話番号、装置識別子、以前にダウンロードしたコンテンツのタイプ、以前に見たコンテンツ、及び訪問したサイトが挙げられる。
【１０９３】
実施形態では、少なくとも１つの広告2004を、モバイル加入者特徴112とモバイル通信設備102の特徴との組み合わせに関連する情報に少なくとも部分的に基づいて、少なくとも１つのウェブページに関連づけることが可能である。この情報は、ユーザが所与の時刻に所与のロケーションで探している可能性のあるものに関する指示を提供することが可能である。例えば、ユーザは、交通手段、食料、劇場、スポーツ、エンターテイメント、映画、会社、仕事、銀行、郵便局、郵送施設、ガソリン、方向、ロケーション、場所の探索、ナビゲーション、タクシー、バス、列車、自動車、空港、ベビーシッター、サービス提供者、商品提供者、ドラッグストア、ドライブスルー、バー、クラブ、映画時刻、エンターテイメント時刻、ニュース、及び地元情報を探している可能性がある。
【１０９４】
実施形態では、広告2004は、モバイル通信設備102に関する情報に少なくとも部分的に基づいて該モバイル通信設備102へ提示することが可能である。この情報は、広告2002の検索結果を、所与のタイプのモバイル通信設備102と互換性を有し、該モバイル通信設備102に関連し、又は該モバイル通信設備102上での提示に適したものに限定する、パラメータを形成することが可能である。このため、広告2002の１つ又は２つ以上の結果セットの表示は、情報を省略し、情報を優先順位付けし（例えばスポンサーリンクを他の全ての前に提示し）、検索結果セットのサブセットを強調表示し、又はモバイル通信設備102の存在もしくは不存在又はモバイル通信設備102の特徴に基づいて情報の表示を順序づけすることが可能である。モバイル加入者特徴データベース112内に格納することが可能な代表的な要素の例として、検索履歴、ペアレンタル・コントロール、又はキャリアビジネスルール130、表示解像度、処理速度、オーディオ能力、ビジュアル能力、及びその他の技術的特徴が挙げられる。例えば、広告2004は、該広告2004のコンテンツを最適な状態で提示するための技術的な要件に起因して、該コンテンツの提示に最も適した一部のモバイル通信設備102のモデルのみに関連づけることが可能である。例えば、広告2004は、Java対応デバイスを必要とするコンテンツを有する場合がある。このため、該広告2004にとって、そのコンテンツをJavaに対応したモバイル通信設備上でのみ提示するのが望ましい場合がある。
【１０９５】
実施形態では、広告及びウェブページコンテンツのモバイル通信設備102との互換性は、かかるコンテンツとのモバイル通信設備102の複数の対話を追跡することにより、少なくとも部分的に判定することが可能である。広告及びウェブ対話に関する情報は、データベース中に格納することが可能であり、該情報の一部は、複数のモバイル通信設備のうちの少なくとも１つのモバイル通信設備102の識別子を含むことが可能であり、コンテンツとの対話が幾つ存在したかに部分的に基づいて該コンテンツとのモバイル通信設備102の互換性を予測することが可能である。コンテンツとのモバイル通信設備102の互換性の予測は、ユーザの過去に幾つの対話が存在したかに部分的に基づくものとすることが可能である。コンテンツは、ダウンロード、プログラムファイル、実行可能ファイル、zip形式ファイル、圧縮ファイル、オーディオ、及びビデオとすることが可能である。広告又はウェブ対話は、ハイパーリンク上のクリック、ダウンロードされたコンテンツの指示、及び／又はダウンロードされたプログラムの指示とすることが可能である。
【１０９６】
実施形態では、広告コンテンツは、ウェブページコンテンツ及び少なくとも１つのモバイル加入者特徴112及び／又は少なくとも１つのモバイル通信設備102特徴と関連づけることが可能である。
【１０９７】
実施形態では、広告2004は、モバイル通信プロバイダに関する情報に少なくとも部分的に基づいて少なくとも１つのウェブページに関連づけることが可能である。モバイル通信プロバイダに関する情報は、図式的な商標、可聴信号、モバイル通信プロバイダのスローガン商標を読む人の記録、モバイル通信プロバイダに関連する独特な音程又は複数の音程の組み合わせ、又は視聴覚コマーシャル等のビデオストリームを含むことが可能である（但しこれらには限定されない）。
【１０９８】
実施形態では、モバイル通信設備に関する過去の実行又はその他の情報は、リモートサーバ134及びデータベース138、ワイヤレスプロバイダのデータ設備124、モバイル通信設備、又はその他の同様の設備上で、格納し、集約し、及び解析することが可能である。過去の実行は、過去のコンテンツ対話、コンテンツダウンロード、オーディオコンテンツストリーミング、ビデオコンテンツストリーミング、Javaクッキー中に含まれるコンテンツ、モバイル通信設備上に格納されているテンポラリーインターネットファイル中に含まれるコンテンツ、過去の取引情報等を含むことが可能である（但しこれらには限定されない）。
【１０９９】
実施形態では、アルゴリズム設備144は、アルゴリズムを実行することが可能であり、該アルゴリズムは、モバイル通信設備の過去の実行に関する情報又はモバイル通信設備に関するその他の情報の関連づけを行うためのアルゴリズムを含む。例えば、アルゴリズム設備は、単一のモバイル通信設備102又は一群をなす複数のモバイル通信設備内での所与の過去の実行（例えばMP3ファイルのダウンロード）の累積的な頻度を判定するためのアルゴリズムを含むことが可能である。コンテンツは、イエローページ式の分類法にカテゴライズすることが可能であり、この分類法は、モバイル通信設備102又は一群をなす複数のモバイル通信設備の過去の実行へとマッピングすることが可能である。次いで、該分類法は、モバイル通信設備又は一群をなす複数のモバイル通信設備に関連する累積的な順位の降順に従って順序づけすることが可能である。例えば、かかるアルゴリズムをユーザのモバイル通信設備の過去の実行に適用する結果として、以下に示すようなコンテンツの分類法による累積的な頻度の順位が生じることになる（この場合、例えば各数字は累積的なそれぞれのコンテンツの対話を表している）：MP3:92；着信音:43；オンライン楽器サイト:16；新聞ウェブサイト:2；ビジネス週刊誌ウェブサイト:1。この一連のデータに基づき、コンテンツの関連性を推論することが可能であり、その結果として、ニュースに関係するコンテンツよりも高い優先順位が音楽（聴くこと及び演奏すること）に関係するコンテンツに与えられることになる。
【１１００】
実施形態では、アルゴリズムはまた、単一のモバイル通信設備102又は一群をなす複数のモバイル通信設備内の過去の実行の相関付けを行うことが可能である。例えば、アルゴリズムは、モバイル通信設備102を用いたMP3ファイルのダウンロード及びコンサートチケットのオンラインでの購入の過去の実行間の関連性を記述するための相関係数を計算することが可能である。この係数は、モバイル通信設備102へ提示するコンテンツの順序づけの基礎を形成することが可能である。例えば、単一のモバイル通信設備又は一群をなす複数のモバイル通信設備の過去の実行において、MP3ファイルのダウンロードが係数0.23でオンラインコンサートチケット購入と正の相関を有し、一方、MP3ファイルのダウンロードがたったの係数0.04で不動産リストのダウンロードと正の相関を有することが見出される場合がある。この情報を使用してコンテンツの関連性をランク付けして、MP3のダウンロードを過去に実行した人に対し、コンサートチケットの購入に関するコンテンツが、不動産リストに関するコンテンツよりも頻繁に、該リストよりも優先的に、モバイル通信設備の表示装置172内で該リストよりも優先させた配置で、又は該リストを除外する等して、提示されるようにすることが可能である。この情報はまた、コンテンツ対話の妥当性及び可能性を推論するために使用することが可能である。例えば、過去に多数のMP3ダウンロードを実行しているがオンラインコンサートチケット購入を行っていないモバイル通信設備102は、チケット購入コンテンツを受信し及び／又はチケット購入コンテンツをニュースコンテンツよりも優先的に受信する最有力候補となり得る。
【１１０１】
実施形態では、上述のアルゴリズムタイプはまた、モバイル通信設備に関連する情報、モバイル通信設備の能力、モバイル通信設備に関連するユーザ、モバイル通信設備の所有者、１つ又は２つ以上のモバイル加入者特徴、キャリア情報、又はスポンサードコンテンツとの対話の可能性を予測するものとして使用することができる他の情報に基づいて、コンテンツの関連性、優先順位、位置決め、及び配置等を評価するために、使用することが可能である。モバイル通信設備の能力は、オーディオ能力、ビデオ能力、ビジュアル能力、処理能力、及び画面能力等を含むことが可能である（但しこれらには限定されない）。ユーザ特徴は、ユーザ履歴情報、人口統計学的情報、取引履歴、ロケーション情報、ユーザ請求書送付情報、及び個人用フィルタ等を含むことが可能である（但しこれらには限定されない）。モバイル加入者特徴は、ユーザ取引履歴、ユーザロケーション、ユーザに関する個人情報、ユーザウェブ対話、E-mail対話、メッセージング対話、請求書送付履歴、支払履歴、典型的な請求額、時刻、オンライン対話時間、オンライン対話数、家族状態、職業、以前の検索クエリ、ロケーションの履歴、電話番号、装置識別子、以前にダウンロードしたコンテンツのタイプ、以前に見たコンテンツ、及び訪問したサイト等を含むことが可能である（但しこれらには限定されない）。モバイル加入者特徴はまた、人口統計学的情報を含むことも可能である。人口統計学的情報は、年齢、性別、人種、宗教、市外局番、郵便番号、自宅住所、勤務先住所、請求書送付先住所、信用情報、家族情報、所得範囲、生年月日範囲、出生地、使用者、職種、就労日数、又は所属等を含むことが可能である（但しこれらには限定されない）。モバイルサービスプロバイダ特徴は、キャリアビジネスルール、モバイルサービスプロバイダのサービスが消費者に対して利用可能となる地理的領域、及びウォールド・ガーデン・コンテンツ等を含むことが可能である（但しこれらには限定されない）。
【１１０２】
本発明の一態様は、モバイルキャリアゲートウェイ110からウェブサイト要求100を受信し、該要求されたウェブサイト100に関するコンテキスト情報120を受信し、該受信したコンテキスト情報120をモバイルコンテンツ130に関連づけし、該モバイルコンテンツ130をモバイル通信設備150上でウェブサイト180と共に表示する、という各ステップを有する方法を含む。
【１１０３】
ウェブサイト要求100を行うために使用されるモバイル通信設備150は、電話機、携帯電話、セルラー電話、GSM電話、GPRS電話、WAP対応電話、衛星電話、WiFi電話、無線装置、ページャ、及びPDA等のうちの１つ又は２つ以上とすることが可能である。ウェブサイト要求100は、モバイルキャリアゲートウェイ110を介して送ることが可能であり、次いで該モバイルキャリアゲートウェイ110が、要求されたウェブサイト180のコンテキスト再検討要求160を開始する。要求されたウェブサイト180は、ウェブページ、ドキュメント、イメージ、ビデオ、オーディオ、又はその他のウェブサイトのうちの１つ又は２つ以上とすることが可能である。サーバ140は、該コンテキスト再検討要求160に応じてウェブサイト180にアクセスし及び該ウェブサイト180のコンテキスト再検討170を実行することが可能である。該コンテキスト再検討170の結果は、ウェブサイト180に関連するコンテキスト情報120の識別とすることが可能である。該識別されたコンテキスト情報120は、次いでサーバ140へ返送することが可能である。該コンテキスト情報120は、以下のうちの１つ又は２つ以上を含むことが可能である：リンク、リンク構造、ギアウェブサイトへのインバウンドリンク、該ウェブサイトからのアウトバウンドリンク、往復リンク、テキスト、キーワード、メタデータ、ウェブサイト使用パターン、及びウェブサイト使用統計等。例えば、モバイル通信設備150のユーザは、マサチューセッツ州ボストン市からニューヨーク州ニューヨーク市へのAmtrak社の列車時刻表を含むスケジュールウェブサイト180についてウェブサイト要求100を実行することが可能である。Amtrak社の時刻表ウェブサイトに関連するコンテキスト情報120は、例えば、「旅行」、「列車」、「休暇」、「ボストン」、及び「ニューヨーク」等のキーワード、ボストン市及びニューヨーク市内の局地的な天気へのアウトバウンドリンク、又は旅行代理店ウェブサイトからのインバウンドリンクを含むことが可能である。識別後、Amtrak社の時刻表ウェブサイトに関するコンテキスト情報120のうちの１つ又は２つ以上の部分をサーバ140へ返送することが可能である。
【１１０４】
サーバ140は、コンテキスト情報120を受信し、次いでそれをモバイルコンテンツ130に関連づけることが可能である。随意選択的に、サーバ140は、特定のウェブサイト180に関連するコンテキスト情報120を格納して、同一の又は異なるモバイル加入者から発せられる後続のコンテキスト再検討要求160を促進させることが可能である。モバイルコンテンツ130は、以下の１つ又は２つ以上に関するものとすることが可能である：広告、スポンサードコンテンツ、スポンサードコール、イメージ、ビデオ、テキスト、検索ボックス、ペイ・パー・クリック・リンク、ペイ・パー・コール・リンク、又はその他のモバイルコンテンツ130。例えば、コンテキスト情報120がキーワード「休暇」である場合には、関連するモバイルコンテンツ130は、航空運賃のメタ検索エンジンのための検索ボックス、カンクーンにある包括的なリゾート地に関する宣伝、又はエキゾチックな目的地のレビューとすることが可能である。モバイルコンテンツ130が検索ボックスである場合には、該検索ボックスは、ローカルサイト検索ボックス、広告検索ボックス、キャリアポータル検索ボックス、又はその他のかかる検索ボックスに関するものとすることが可能である。例えば、ローカルサイト検索ボックスは、要求されたウェブサイト180のみについてのクエリを提供することが可能であり、一方、キャリアポータル検索ボックスは、より大きな一群のウェブサイトについてのクエリを提供することが可能である。
【１１０５】
モバイルコンテンツ130はまた、ワイヤレスキャリアのブランドを使用して随意選択的にブランドを付すことが可能である。例えば、モバイルコンテンツ130は、サードパーティの検索エンジンの技術を用いた検索ボックスであって、名前、ロゴ、商標、スローガン、グラフィック、オーディオ、ビデオ、イメージ、又はその他のワイヤレスキャリアブランドを表す表現を有する検索ボックスとすることが可能である。
【１１０６】
要求されたウェブサイトに関する適当なモバイルコンテンツ130をモバイル通信設備150へ配信するために、受信したコンテキスト情報120とモバイルコンテンツ130との関連づけを、所与の関連性に少なくとも部分的に基づくものとすることが可能である。例えば、該関連性は、モバイル加入者特徴に関するものとすることが可能である。例えば、高齢者である加入者が或るウェブサイト180を要求し、該ウェブサイト180について導出されたコンテキスト情報120がターム「休暇」を含む場合には、関連性のあるコンテンツ130は、カンクーンでの春休みに関する広告ではなく高齢者の船旅に関する広告とすることが可能である。
【１１０７】
関連性はまた、コンテキスト情報120とモバイルコンテンツ130との関係に少なくとも部分的に基づくものとすることが可能である。例えば、該関係は、コンテキスト情報120とモバイルコンテンツ130との類似性又は非類似性とすることが可能である。他のモバイルコンテンツ130よりもコンテキスト情報に対してより高い類似性を呈するモバイルコンテンツ130は、より関連性が高いものとみなすことができ、それ故、モバイル通信設備150上でウェブサイト180と共に表示される可能性がより高いものである。これに対し、コンテキスト情報120とは非類似のモバイルコンテンツ130は、関連性があるものとみなさないことが可能であり、及び表示のための優先順位を低くすることが可能である。例えば、コンテキスト情報120は、書店のウェブサイト（例えば、Barnes & Noble, Border's）へのアウトバウンドリンクとすることが可能である。書店へのリンクは、Amazon.comの検索ボックス又は人気のある著者の最新作についての広告を含むモバイルコンテンツ130と類似するものとみなすことが可能である。書店へのリンクは、薄型テレビに関する広告を含むモバイルコンテンツ130とは非類似であるとみなすことが可能である。
【１１０８】
関連性はまた、格納されているコンテキスト情報120及び／又はモバイル加入者による以前のウェブサイト要求100から生じたモバイルコンテンツ130とモバイルコンテンツ130の現在のプールとの関係に少なくとも部分的に基づくものとすることが可能である。モバイル通信設備150へ配信すべきモバイルコンテンツ130は、以前に見たウェブサイト180からのコンテキスト情報120との関連づけにより、関連するものとして識別することが可能である。例えば、現在のウェブサイト要求100が国際的なニュースウェブサイトに関するものであっても、「ショッピング」及び「家具」を含む以前に導出したコンテキスト情報120に基づいて、配信されるモバイルコンテンツ130をTarget.comのための検索ボックスとすることが可能である。
【１１０９】
モバイルコンテンツ130が、受信したコンテキスト情報120と関連づけされると、該モバイルコンテンツ130は、ウェブサイト180と共にモバイル通信設備150上で表示することが可能となる。該モバイルコンテンツ130は、ウェブサイト180とは隙間を空けて又はウェブサイト180に付随させて表示することが可能である。随意選択的に、表示されたモバイルコンテンツ130をサーバ140内に格納することが可能である。
【１１１０】
本方法の幾つかの実施形態では、ウェブサイト180に関連する団体にオプトイン機能を提供することが可能であり、この場合、該オプトイン機能は、自動的なコンテキストシンジケーションに関して該ウェブサイト180を登録するものである。コンテキスト情報120は、モバイル通信設備150へのウェブサイト180の送信に関与したサーバ140により提供することが可能である。該サーバ140は、WAPサーバ、モバイルアプリケーションゲートウェイ、WAPゲートウェイ、プロキシサーバ、及びウェブサーバ等のうちの１つ又は２つ以上とすることが可能である。
【１１１１】
図示し及び詳細に説明した好適な実施形態に関して本発明を説明したが、それらに対する様々な修正及び改善が当業者には自明であろう。したがって、本発明の思想及び範囲は、上記の例によって制限されるものではなく、法律により許される広範な意味で理解されるべきである。
【１１１２】
ユーザは、関連するモバイルコンテンツを無作為のモバイルコンテンツよりも一層有益なものであると考える可能性がある。それ故、ユーザに関連するモバイルコンテンツは、コンテンツプロバイダにとって、より高い価値を有するものとなり得る。これは、ユーザが、プロバイダの目的にとって好ましい態様（例えば、購入の実行又は提案のオプトイン）でコンテンツと対話する可能性が高くなるからである。結果的に、モバイル通信設備102のユーザへの関連するモバイルコンテンツの配信は、ユーザ、モバイルサービスプロバイダ、及びコンテンツプロバイダに利益をもたらすことが可能である。
【１１１３】
関連するモバイルコンテンツのユーザへの配信は、モバイル通信設備102へのウェブサイト又はウェブページコンテンツの配信と関連づけることが可能である。関連するコンテンツの配信をウェブページの配信と関連づけることにより、モバイル通信設備102のユーザが、該モバイル通信設備102上に新しい情報が表示されるのを既に期待している可能性がある。また、関連するモバイルコンテンツは、配信されるウェブページに関連するものとすることが可能であり、これによりモバイルコンテンツのユーザとの関連性が強化されることになる。
【１１１４】
ウェブサイト又はウェブページ（及び関連するモバイルコンテンツ）は、様々なアクション及び条件に基づいて、モバイル通信設備102へ配信し表示させる（又はビデオ又はオーディオの場合のように再生させる）ことが可能である。かかるアクションの１つが、ユーザがワイヤレスプロバイダ108にウェブサイトを明示的に要求することである。該要求の結果として、ワイヤレスプロバイダ108は、選択されたモバイルコンテンツがユーザ及び／又はウェブサイトに対して関連性を有するように、様々なモバイルコンテンツのソースからモバイルコンテンツを選択することが可能である。
【１１１５】
前記様々なモバイルコンテンツのソースは、インターネット、ワイヤレスプロバイダ108のデータ設備124、コンテンツ・ウォールド・ガーデン132、広告主データ174、スポンサー128、サーバ134、検索設備142、及びスポンサーシップ設備162を含むことが可能である（但しこれらには限定されない）。本書に記載するように、スポンサーシップ設備162は、スポンサードモバイルコンテンツに対するモバイル加入者特徴112（例えばユーザ挙動情報）の何らかの関連性の一致を提供することが可能である。スポンサーシップ設備162における関連性の一致を容易化するために、ワイヤレス通信設備104は、モバイル加入者特徴112又はユーザ挙動情報等の基準、又はロケーション情報612、及び要求されたURLを、スポンサーシップ設備162へ提供することが可能である。
【１１１６】
モバイルコンテンツは、ユーザがモバイルコンテンツのソースに直接応答することをモバイル通信設備102の特定のユーザインタフェイス要素が可能とするように、モバイル通信設備102と対話することが可能である。かかる対話は、モバイル通信設備102が他の機能（ウェブブラウジングや音声通話等）を実行している間であっても該モバイル通信設備102がモバイルコンテンツのソースと直接対話することを可能とするものである。
【１１１７】
一例では、モバイル通信設備102は、そのユーザインタフェイス内に可変ファンクションキーを含むことが可能である。モバイル通信設備102によりモバイルコンテンツが受信される際に、該可変ファンクションキーが、該モバイルコンテンツの提案についてのオプトインキーとなることが可能である。ユーザは、該可変ファンクションキーをアクティブにすることにより、該モバイルコンテンツの提案を自動的にオプトインすることが可能である。適当なユーザ情報をウェブサイト又はモバイルコンテンツのプロバイダへ提供して、提案をオプトインすることについての該ユーザの承諾又は同意をアクティブにすることが可能である。
【１１１８】
ウェブページは、ユーザ要求以外のアクション又は条件に基づいてモバイル通信設備102へ配信することが可能である。ウェブページは、モバイル通信設備102により受信され又は開始された通話、モバイル通信設備102のロケーションの変化、モバイル通信設備102の電源オン、及びワイヤレス検索プラットフォーム100においてモバイル通信設備102に関連づけることが可能な本書に記載する多数の他のアクション又は条件といった、アクションに基づいて配信することが可能である。モバイルコンテンツはまた、該アクション又は条件に関連する情報に少なくとも部分的に基づいて選択することが可能である。一例では、ユーザが家電小売業者との通話を終了した結果として、競合する家電小売業者からの現在の特別奉仕品を見せるべく該ユーザを招待するウェブページ及び関連するモバイルコンテンツをモバイル通信設備102上に表示させることが可能である。別の例では、ワイヤレスプロバイダ108は、モバイル通信設備102のロケーションの変化を検出して、局地的な天気予報及びユーザ特徴との関連性に基づくその土地のレストランを含む関連するモバイルコンテンツを有するウェブページを配信することが可能である。
【１１１９】
サーバ134は、ユーザとの関連性を有する配信用のモバイルコンテンツを選択するために使用することが可能である。一例では、ユーザの履歴は、該ユーザがモバイル通信設備102から開始した一部又はほぼ全ての取引を含むことが可能である。このユーザ履歴において、ユーザは、ジャズ音楽に関連するモバイルコンテンツと対話する嗜好又は傾向があることを明示することが可能である。該ユーザはまた、ジャズ音楽に関する複数のクエリを実行している可能性がある。それ故、ジャズ音楽に関連するモバイルコンテンツの配信は、該ユーザと関連性を有するものとなり得る。サーバ134は、かかるタイプの関連性に基づいて様々なモバイルコンテンツを選択し格納し、それをワイヤレスプロバイダ108に対して利用可能な状態にして、ユーザへの関連するモバイルコンテンツの配信を容易化することが可能である。
【１１２０】
関連性を確立するためにモバイルコンテンツを関連づけることが可能な挙動情報は、個々のユーザ又は一群のユーザに基づくものとすることが可能である。該一群のユーザは、１つ又は２つ以上の特徴を共通して有するユーザとすることが可能である。該特徴は、ユーザ（ユーザ特徴）、モバイル通信設備102、モバイル通信設備102のロケーション、時刻、又は他の何らかの特徴に関するものとすることが可能である。
【１１２１】
関連するモバイルコンテンツは、スポンサードコンテンツ、スポンサードコール、検索ボックス等といった、広告又はその他のタイプのモバイルコンテンツとすることが可能である。該関連するモバイルコンテンツの形式は、ユーザ挙動情報に対する関連性に少なくとも部分的に基づいて選択することが可能である。ユーザは、オーディオ及びビデオの両方を含むモバイルコンテンツを好むことをモバイル通信設備102に明示的に又は特定のアクションを介して示している可能性がある。このユーザの挙動情報を使用して類似するモバイルコンテンツ間で選択を行って最も関連性の高いモバイルコンテンツをユーザへ提供することが可能である。
【１１２２】
本書で開示するようなモバイル通信設備102のユーザに関する挙動情報にモバイルコンテンツを関連づける方法及びシステムは、ウェブサイトに関連してモバイルコンテンツを選択するのに適用することも可能である。
【１１２３】
実施形態では、モバイル通信設備に関する対話情報を使用してコンテンツを重み付けし、該重み付けに少なくとも部分的に基づいて、モバイル通信設備上で提示するための該コンテンツの順序づけを行うことが可能である。例えば、対話情報は、取引イベント、購入履歴、ユーザ履歴、ユーザ特徴、ユーザ装置、地理的ロケーション、時刻、専門知識、職業、所得層、及び自宅住所等に基づくものとすることが可能である。野球に関係して過去１週間に幾つかのオンライン書籍購入を行ったユーザは、この過去の挙動の結果として、スポーツコンテンツが、好ましいものとして重み付けされ、及び該ユーザのモバイル通信設備102上で優先して配置されることになる。この対話情報を使用して、野球の書籍を購入した該ユーザと１つ又は複数の属性（例えば年齢や所得等）を共有する他のモバイル通信設備のユーザのためにコンテンツの重み付け及び優先順位付けを行うことも可能である。対話情報が収集されると、該対話情報を全て格納し解析して、モバイルコンテンツのための重みを導出し、及びモバイル加入者特徴、モバイル通信設備特徴、及びその他のユーザに関係する情報に関する情報に基づいてコンテンツの提示の優先順位付けを行うことが可能である。
【１１２４】
実施形態では、モバイルコンテンツは、ダウンロード可能コンテンツ、スポンサードリンク、URL、E-mailアドレス、FTPアドレス、通話、及びウェブページアドレス、広告、スポンサードコンテンツ、オーディオストリーム、ビデオ、及びグラフィック要素等を含むことが可能である（但しこれらには限定されない）。実施形態では、対話情報に関係することが可能な情報は分割することが可能である（例えば、年齢範囲、所得範囲等）。
【１１２５】
実施形態では、モバイルコンテンツ対話情報は、モバイル通信設備（電話機、セルラー電話、携帯電話、GSM電話、PDA、「ポケット」パーソナルコンピュータ等）から導出することが可能である。
【１１２６】
実施形態では、モバイルコンテンツ対話情報は、複数のモバイルコンテンツ対話情報とすることが可能である。モバイルコンテンツの重み付けは、複数のモバイルコンテンツ対話情報に基づくものとすることが可能である。
【１１２７】
モバイルコンテンツ（例えば、ウェブサイト、ダウンロード可能コンテンツ、スポンサードリンク、スポンサードコール、スポンサードコンテンツ、広告、検索結果等）に関する対話情報を使用して該コンテンツを重み付けすることが可能である。重み付けは、リンク解析と似た性質のものであるが、ここでは、コンテンツとの個々の対話の数を計算で使用してモバイルコンテンツが如何に人気があるか又は関連するものであるかを判断することが可能である。実施形態では、モバイルコンテンツとの全ての対話が等しく重み付けされるわけではない。大きな権限を有するユーザからの対話は、より関連するものであるとみなすことが可能であり、すなわち、該モバイルコンテンツの実価の指示とみなすことが可能であり、それ故、この特定のユーザからの対話に大きな重みを提供することが可能である。例えば、２人のユーザがモバイルコンテンツの特定の一部と対話する可能性がある。その第１のユーザは、（該ユーザのモバイル通信設備を介して提供されるウェブサービスの比較的新しいユーザであるため）小さなオンライン履歴を有している可能性がある。該第１のユーザは、該モバイルコンテンツと多数回対話することが可能であり、この多数の対話を記録して、該モバイルコンテンツの人気を判定するための計算で使用することが可能である。第２のユーザは、（例えば本書の他の部分で説明したモバイル加入者特徴を介して判定されるような）該ユーザのモバイル通信設備を介したウェブサービスの頻繁なユーザである。このユーザは、該モバイルコンテンツと限られた回数（例えば１回又は２回）しか対話していない可能性がある。この限られた回数の対話を第１のユーザの多数の対話と共に使用して、該モバイルコンテンツの人気を判断することが可能である。しかし、第２のユーザの数回の対話は、高い重みを与えるものとなる。これは、第１のユーザの初心者としての地位と比較した場合の第２のユーザの頻繁なウェブサービスユーザとしての地位のため、該第２のユーザが該計算においてより権限を有するものであるとみなすことができるからである。結果的に、第１のユーザのモバイルコンテンツとの対話履歴を大幅に割り引き、及び第２のユーザからの数回の対話についての信頼性を増大させることが可能である。これは、該モバイルコンテンツとの対話数に単純に基づく計算と比較して、該モバイルコンテンツの人気ランキングを有効に低下させ得るものとなる。
【１１２８】
実施形態では、モバイルコンテンツとのユーザの実際の対話に重み付けを提供する対話の価値を予測するのはユーザの表見的権限である。このユーザの権限を使用して、該ユーザの対話の重み付けを増減させることにより、モバイルコンテンツの人気、関連性、又はその他のかかるパラメータを、該コンテンツとたまたま対話したユーザではなく権限のあるユーザからの対話に一層重きをおくものとすることができる。ユーザの権限は、例えば、該ユーザのユーザ履歴、取引履歴、オンライン挙動、ウェブサービスの使用、モバイル通信設備のタイプ、又はその他のパラメータであって、追跡され、監視され、評価され、測定され、記録され、又はその他の態様でモバイル通信設備に関連して格納されるもの（例えばモバイル加入者特徴）に基づくものとすることが可能である。ユーザの権限を評価するために信頼される情報は、該ユーザに関連するモバイル通信設備内に格納することが可能であり、又はリモートに（例えば、ワイヤレスプロバイダに関連するモバイル加入者特徴データベース内に）格納することが可能である。ワイヤレスプロバイダ又はその他のサードパーティで格納される場合、該ワイヤレスプロバイダは、該権限情報を提供し又は権限の計算を実行する団体とすることが可能である。
【１１２９】
実施形態では、各モバイル通信設備のユーザを、一般的な及び／又は特定の権限ランキングで格付けすることが可能である。例えば、ユーザは、自身のモバイル通信設備を介してウェブサービスを使用した履歴を有しており、高い一般的な権限ランキングを有するものとみなすことが可能である。該ユーザはまた、該ユーザがローカル検索システムの頻繁なユーザであることを示唆する履歴を有している可能性があり、このため、該ユーザは、ローカルモバイルコンテンツ対話についての高い特定の権限ランキングを受けることが可能である。実施形態では、該一般的な権限ランキングは、ウェブサービス、ウェブコンテンツ、ウェブサイト、取引、購入、ダウンロード、見ること、聴くこと、ストリーミングを見ること、又はその他のかかる一般的なウェブ対話のユーザによる使用に基づくものとすることが可能である。実施形態では、前記特定の権限ランキングは、ローカル対話、暗黙的対話（暗黙的検索の結果として生じる対話）、ペイ・パー・コール対話、スポンサードリンク対話、広告対話、検索結果対話、又はその他のかかる特定のカテゴリの対話といった、より特定のカテゴリの対話に基づくものとすることが可能である。実施形態では、該特定の権限ランキングは、特定の電話番号との対話、コンテンツの特定の部分（例えば、既知の最高ランクのコンテンツ（最高ランクの広告等））との対話といった、特定の対話に基づくものとすることが可能である。
【１１３０】
モバイルコンテンツを使用してワイヤレスプラットフォーム100内で製品又はサービスを販売するスポンサーは、スポンサーとなっているモバイルコンテンツから導出することができる期待値に関する情報を得ることを有利と考える可能性がある。モバイルコンテンツに関する期待値を知ることにより、スポンサーは、利益を引き出す可能性の最も高い資金提供機会を選択することが可能となる。該期待値は、スポンサーが広告プログラムから引き出されることが期待される総利益に基づいて該広告プログラムに予算を割り当てるのを支援することが可能である。クリックスルー量やコンバージョン量等の挙動的な基準を使用して、将来の消費者のモバイルコンテンツとの対話を予測することが可能である。製品価格や利幅等の経済的な基準を使用して、モバイルコンテンツに関する挙動的な基準に所与の製品を関連づけることの経済的な結果を示すことが可能である。期待値の計算は、広告主、ワイヤレス情報プロバイダ、ワイヤレスキャリア、ワイヤレスオペレータ、及び電気通信プロバイダ等のスポンサーにとって有益なものとなり得る。
【１１３１】
実施形態では、期待値の計算は、広告プログラム等の資金提供により受けることが予測される期待される利益をスポンサーへ示すことが可能である。かかる期待される利益の計算は、モバイルコンテンツに関するクリックスルーパラメータと、該コンテンツに関するコンバージョンと、該コンテンツの主題となる製品の購入価格とを乗算することにより行うことが可能である。この計算では、クリックスルーパラメータは、コンテンツがアクセスされた（すなわち「クリックされた」）累積的な回数、クリックスルーレート、又はコンテンツとの対話に関連する他のパラメータを表すことが可能である。コンバージョンは、コンテンツに関連する購入等の取引の累積的な回数、コンテンツに関する取引レート、又はコンテンツに関連する取引に関連する他のパラメータを表すことが可能である。購入価格は、製造者が提案する小売価格、コンテンツプロバイダにより明示的に設定された価格、特定のユーザのコンバージョンに固有の価格、又は他の何らかの価格設定プロトコルの結果として生じる製品価格とすることが可能である。期待される利益は、該期待される利益に入札金額を乗算した入札加重利益として計算することも可能である。
【１１３２】
実施形態では、期待値の計算は、スポンサー又はワイヤレスキャリアに対して、広告プログラム等の資金提供により受けることが予測される期待される利幅を示すことが可能である。かかる期待される利幅の計算は、モバイルコンテンツに関するクリックスルーと、該コンテンツに関するコンバージョンと、該コンテンツの主題となる製品の利幅とを乗算することにより行うことが可能である。利幅は、期待される広告主の利幅、期待されるワイヤレスキャリアの利幅、及び製品に関連する利幅等を含むことが可能である（但しこれらには限定されない）。期待される利幅はまた、期待される利幅に入札金額を乗算した入札加重利幅として計算することが可能である。
【１１３３】
実施形態では、期待値の計算は、スポンサー又はワイヤレスキャリアに対して、広告プログラム等の資金提供により受けることが予測される期待される出来高を示すことが可能である。かかる期待される出来高の計算は、モバイルコンテンツに関する入札と該コンテンツに関するクリックスルーとを乗算することにより行うことが可能である。同様に、モバイルコンテンツに関する出来高と該コンテンツに関するコンバージョンとを乗算することにより、期待されるコンバージョン出来高を計算することが可能である。
【１１３４】
実施形態では、期待値の計算は、スポンサー、ワイヤレスキャリア、ワイヤレスオペレータ、又は電気通信プロバイダに対して、ターゲットウェブサイトで費やされた平均時間、及びターゲットウェブサイトを訪問したユーザによる該ウェブサイトの使用の平均深さを示すことが可能である。
【１１３５】
実施形態では、モバイルコンテンツに関する期待値の計算は、モバイル通信設備に関する特徴によって分けることが可能である。例えば、期待値は、表示能力、表示サイズ、表示解像度、処理速度、オーディオ能力、ビデオ能力、キャッシュサイズ、ストレージ能力、及びメモリ容量等を含む（但しこれらには限定されない）特徴によって分けることが可能である。実施形態では、期待値はまた、年齢、性別、人種、宗教、市外局番、郵便番号、自宅住所、勤務先住所、請求書送付先住所、信用情報、家族情報、所得情報、生年月日、出生地、使用者、職種、就労日数、ユーザ履歴、ユーザ取引、地理的ロケーション、及び時刻等を含む（但しこれらには限定されない）モバイル加入者特徴によって分けることも可能である。この分けられた期待値は、分けられた所与の範囲内の期待値に関する情報を提供することが可能である。
【１１３６】
スポンサーによる期待値の使用態様の考え得る多数の例のうちの一例を以下で説明する。コンテンツのスポンサーは、該スポンサーの製品又はサービスに十分な興味を持つ人又は団体によりアクセスされて結果的にコンバージョン（例えば購入）が生じることとなる可能性が最も高いと該スポンサーが考えるコンテンツに資金提供を行おうとする可能性がある。市場調査の主な役割の１つは、過去のコンバージョンに最も関連する消費者プロファイルの洞察を獲得すること、及び現時点では提供者の製品をよく知らないが該製品を購入する可能性のある未開発の市場シェアを表す他の消費者プロファイルに関する情報を提供することである。例えば、テレビ等の従来のメディアでは、スポンサーは、特定のゴールデンタイムのホームコメディに関連する人口統計学的プロファイル、視聴者数、及び平均視聴時間等に関する市場調査を購入する可能性がある。過去の消費者のプロファイルに関してスポンサーが有し得る以前の市場調査に基づき、該スポンサーは、該ホームコメディの視聴者と該スポンサーの過去の消費者との一致レベルに基づき、該ホームコメディ中のスポンサーのコンテンツ（例えば広告）の適切さについて知識に基づく推測を行うことが可能である。該一致レベルが高いほど、該広告の結果として購入が生じる確率が高くなり、及び企業がその広告費用で得ることになると予測する期待値が高くなる。更に、消費者プロファイルが記述される特殊性が高くなるほど（例えば「カリフォルニア」ではなく「市外局番＝90210」とする）、スポンサーは、該スポンサーが意図する消費者をより正確にターゲットとすることが可能となり、及びその期待値を高くすることが可能となる。
【１１３７】
モバイル通信設備102のユーザにより開始されたモバイルコンテンツ検索に応じて、モバイルコンテンツプロバイダは、その検索クエリとの関連性に少なくとも部分的に基づいて、スポンサードコンテンツ、広告、スポンサーの電話番号、又はその他のスポンサードコンテンツをモバイル通信設備102へ配信することが可能である。様々なスポンサード広告からの選択に加えて、モバイルコンテンツプロバイダはまた、様々なソース又はモバイルコンテンツインベントリからスポンサードコンテンツ（広告等）を選択することが可能である。スポンサードコンテンツの様々なソースは、コスト、引き出される利益、ウォールド・ガーデンの制限、ブラックリストに載っているコンテンツ、及びホワイトリストに載っているコンテンツ等に関する一意の構成を有することが可能である。このため、モバイルコンテンツプロバイダにとっての利益の最適化に少なくとも部分的に基づいて、利用可能なモバイルコンテンツインベントリからモバイルコンテンツを選択することが、該モバイルコンテンツプロバイダにとって有利となり得る。
【１１３８】
実施形態では、インベントリ間出来高最適化方法は、最大のクリックスルー値を提供するモバイルコンテンツインベントリを判定することを含むことが可能である。一例として、第１のモバイルコンテンツインベントリは、第２のインベントリよりも高いパーセンテージの広告インプレッション入札を経る可能性がある。このため、第１のインベントリからモバイルコンテンツを選択することにより、該コンテンツがモバイル通信設備へ提示された際に一層高い利益が生じる可能性がある。
【１１３９】
モバイルコンテンツのインベントリ間出来高最適化は、そのコンテンツを提示する者が最適化されていないコンテンツよりも高い利益を生み出すのを支援することが可能である。モバイル通信設備102上でのモバイルコンテンツの提示の出来高を最適化する方法及びシステムは、様々な因子を含むことが可能である。該因子の１つ又は２つ以上は、最適化の目的に照らして評価することが可能である。例えば、出来高の最適化の目的は、モバイルコンテンツの提示に関連してクリックスルー利益を受ける最高の可能性を生み出すこととすることが可能である。このため、コンテンツは、この目的に向かって進む因子（例えば、モバイルコンテンツに関連するクリックスルーレート、又はモバイルコンテンツのクリック毎に導出される利益、コスト・パー・サウザンド利益、及びコスト・パー・アクイジション等）に少なくとも部分的に基づいて優先的に選択することが可能である。別の実施形態では、インベントリ間出来高最適化の目的は、画面解像度、メモリ容量、及びビデオ能力等の基準に基づいて、モバイル通信設備102との互換性が最も高いモバイルコンテンツを優先的に選択することとすることが可能である。
【１１４０】
複数のコンテンツインベントリのうち最も大きな値を提供するものを判定する方法は、各インベントリから提案されるインプレッション入札を比較して、最も高い入札の提案を選択することを含むことが可能である。代替的に、高いクリックスルー利益を生み出し、そのクリックスルーレートの結果として大きな利益が生じる場合には、インプレッション利益の低い広告を選択することが可能である。これらの例で、広告に関連する因子のどれが好ましいかについて最適化の目的が如何なる影響を与えるかが理解されよう。
【１１４１】
広告等のモバイルコンテンツの選択は、異なる製品又はサービスについて利用可能することが可能であり、その各々はモバイル検索に対する関連性を有することが可能である。どの広告が最大の利益を生み出すかの判定は、該広告に関係する因子を含むことが可能である。該因子は、広告の人気、クリックスルーレート、コンテンツの鮮度、広告、又は電話番号等を含むことが可能である（但しこれらには限定されない）。一例として、検索に関連する非常に人気のある広告は、該人気のある広告が見られ、対話され、及びクリックスルーを生成するものとなるといった高い公算により、一層人気の低い関連する広告よりも最適な利益の機会を提供し得るものとなる。別の例では、高いクリックスルーレートを有する広告は、低いクリックスルーレートを有する広告よりも、一層最適な利益の機会を提供し得るものとなる。これは、広告主が、より高いパーセンテージのインプレッションにクリックスルー入札を支払うからである。最も新鮮な（すなわち、より最近に更新され又は検証された）広告、スポンサーの電話番号、又はその他のスポンサードコンテンツもまた、より大きな利益の機会を提供するものとなり得る。一例では、広告は、最近会場が変更されたイベントを提示することが可能である。会場が変わったために更新された広告は、旧会場を示した広告よりもクリックスルー利益を提供する可能性の高いものとなり得る。このため、インベントリ間出来高の最適化方法は、広告の人気、クリックスルーレート、又はコンテンツの鮮度を評価することを含むことが可能である。
【１１４２】
インベントリ間出来高の最適化は、モバイル通信設備102のユーザに関連する因子（本書に記載のユーザ特徴等）を含むことが可能である。インベントリ間出来高の最適化に利用されるユーザ履歴が以下の例で説明されている。ユーザ履歴は、広告、スポンサードコンテンツ、及び／又はスポンサーの電話番号が提示された際のユーザのアクションに関連する指標を含むことが可能である。該履歴は、ユーザがスポンサーの広告よりもスポンサーの電話番号を完遂することが多いことを示す可能性がある。このため、このユーザに対するスポンサーの電話番号の提示は、生み出される利益を最適化し得るものである。結果的に、インベントリ間出来高の最適化方法は、このユーザに対して、電話番号ベースでないモバイルコンテンツアイテムではなく、スポンサーの電話番号を優先的に選択することが可能である。
【１１４３】
モバイル通信設備102のユーザが検索クエリを入力するモードもまた、インベントリ間出来高の最適化の因子とすることが可能である。モバイル通信設備102は、複数の別個の入力モード（例えば、ボイス、キーパッド、タッチスクリーン、カメラ等）を有することが可能であるため、モバイルコンテンツ、広告、スポンサードコンテンツ、又はスポンサーの電話番号の選択は、クエリ入力モードに少なくとも部分的に基づいて最適化することが可能である。例えば、キーパッド入力を用いて検索クエリを発行するユーザは、モバイル通信設備102を聴くのではなく見る可能性が高い。その結果として、小さな表示コンテンツ及び大きなオーディオコンテンツを有する広告を選択すると、該コンテンツに関連する出来高は、より視覚ベースのモバイルコンテンツよりも減少する可能性がある。しかし、検索クエリのボイス入力は、オーディオベースのモバイルコンテンツを好むユーザを示すものとなり得る。
【１１４４】
インベントリ間出来高の最適化方法又はシステムは、モバイルコンテンツ、広告、スポンサードコンテンツ、又はスポンサーの電話番号の提示に関する利益を最適化するために、複数の因子を組み合わせることが可能である。出来高の最適化は、ユーザ、モバイル通信設備102、ロケーション、広告／コンテンツ／番号、利益（例えば、インプレッション及びクリックスルー入札）、及び支払条件等に関連する因子を含むことが可能である。一例では、英語圏のユーザが、パリへ旅行に行き、及び検索クエリを入力する可能性がある。最適化方法は、ユーザの言語嗜好（英語）、ロケーション（パリ）、支払条件（米ドルでの支払い）、人気（現在フランスで起こっている出来事）、及び利益（インプレッション入札）といった因子を組み合わせることが可能である。上記は単なる一例であり、多くの他の因子の組み合わせが可能であり、かかる因子を単独で、又は組み合わせて、インベントリ間出来高の最適化方法及びシステムの一部として、使用することが可能である。
【１１４５】
既述のように、ワイヤレス検索プラットフォーム100は、消費者プロファイルを導出することができる複数のデータセットに関連づけることが可能であり、該消費者プロファイルは、コンテンツ（例えば、広告、スポンサードコンテンツ、スポンサーの電話番号）のターゲットの決定、コンテンツに関連する期待値の概算の導出、及びモバイル通信設備に関する情報によって分割されたコンテンツに関する期待値の概算に使用される。コンテンツに関するクリックスルー量及びコンバージョン量についての情報を受信することにより、スポンサーは、自身の製品の購入価格や利益幅等に基づいて、コンテンツについての適当な入札金額、及び該コンテンツのスポンサーとなることにより引き出されることになる考え得る経済的結果を予測することが可能である。ワイヤレスプラットフォーム100は、ワイヤレスプロバイダ108、モバイル通信設備102、モバイル加入者特徴112、及びロケーション110等に関する情報を含むことが可能である。このため、スポンサーは、資金提供したいモバイルコンテンツに関する期待値を、モバイル通信設備に関する情報により分割された形で受信して、出資するコンテンツの対象となる最も収益の高い集団を識別することが可能である。
【１１４６】
例えば、Boston Red Soxの記念品を専門に扱うスポンサーは、ユーザの装置特徴、人口統計、及び現在のロケーション等の情報により分割された期待値データを使用して、どのコンテンツ及びモバイルユーザのどの集団が最大の期待値に関連するかを予測することが可能である。この記念品会社は、「年間＄100,000よりも多く」を稼ぎ現在のロケーションがボストンの「郵便番号」である「男性」間で最高のクリックスルー量及びコンバージョン量に関連するコンテンツに出資することに最高の期待値が存在することを見出すこと可能性がある。この期待値の分割のレベルは、最大の経済的利益の可能性を有するコンテンツを該会社が識別してそのスポンサーとなることを可能にし、これにより、該会社にとって利益が少なく又はその可能性がないコンテンツのスポンサーとなることが最小限になる。
【１１４７】
実施形態では、スポンサーに対し、コンテンツの配置に関連する予測された期待値に基づいて、モバイル通信設備の表示装置172及びユーザインタフェイスへコンテンツを配置するための入札を行う機会を提案することが可能である。かかる入札は、オークション、逆オークション、又は部分的にランダム化されたオークションという形で生じることが可能である。入札プロセスの対象となるコンテンツは、広告、スポンサードリンク（URL、E-mailアドレス、FTPアドレス、又は通話等）、広告、スポンサードコール、オーディオストリーム、ビデオ、及びグラフィック要素等）を含むことが可能である（但しこれらには限定されない）。
【１１４８】
実施形態では、入札プロセスの対象となるコンテンツは、クエリページ、ホームページ、検索ページ、ユーザインタフェイスのスポンサードリンク部分、又は一組の検索結果又は１つの特定の結果に関連することが可能なユーザインタフェイスの１ページ上に、配置することが可能である。
【１１４９】
予測された期待値は、期待値概算設備により求めることが可能である。該期待値概算設備は、例えば、入札額、ユーザインタフェイス中のメディアアイテムの位置、ユーザインタフェイス中でのメディアアイテムの提示期間、ユーザインタフェイス中にメディアアイテムが配置された際にユーザが該メディアアイテムを見る確率、ユーザインタフェイス中にメディアアイテムが配置された際にユーザが該メディアアイテムと対話する確率、ユーザがメディアアイテムに関連する取引を見る、対話する、及び／又は実行する確率、及び入札者に対する取引価格からなるグループから選択された、１つ又は２つ以上の変数に関連する期待値計算に基づくものとすることが可能である。実施形態では、該期待値概算設備は、入札額の変更により、この新たな経済的データに基づいて期待値の概算が自動的に調節されるという点で、動的なものとすることが可能である。
【１１５０】
実施形態では、入札者は、コンテンツを配置したいモバイル通信設備の表示装置172内の位置を予め選択することが可能である。同様に、コンテンツを表示する時間を選択することも可能である。
【１１５１】
実施形態では、ユーザがコンテンツに関連する取引を見る、対話する、及び／又は実行する確率は、モバイル加入者特徴112、モバイル通信設備102のタイプ、モバイル通信設備102の特徴、及びワイヤレスプラットフォーム100の一部をなし又はそれに関連することが可能な他のデータタイプに基づくものとすることが可能である。モバイル加入者特徴の例として、年齢、性別、人種、宗教、市外局番、郵便番号、自宅住所、勤務先住所、請求書送付先住所、信用情報、家族情報、所得情報、生年月日、出生地、使用者、職種、就労日数等が含まれる（但しこれらには限定されない）。モバイル通信設備102のタイプの例として、電話機、セルラー電話、携帯電話、GSM電話、PDA、及び／又は「ポケット」パーソナルコンピュータが含まれる（但しこれらには限定されない）。モバイル通信設備102の特徴の例として、表示能力、表示サイズ、表示解像度、処理速度、オーディオ能力、ビデオ能力、キャッシュサイズ、ストレージ能力、及びメモリ容量等が含まれる（但しこれらには限定されない）。
【１１５２】
実施形態では、入札者に対する取引価格（すなわち入札者に対する期待値）は、以下の１つ又は２つ以上に基づくものとすることが可能である：メディアアイテム内に記述されたアイテムの価格、メディアアイテム内に記述されたアイテムの卸値、メディアアイテム内に記述されたアイテムのコスト、メディアアイテムに対するユーザの注目の値、メディアアイテム内で提示されるブランドの価値、モバイル加入者の好意に起因する値、メディアアイテム内に提示される多数のアイテムに起因する値、メディアアイテムとの対話に関連してモバイル加入者により実行される取引に関連する利益、メディアアイテムとの対話に関連してモバイル加入者により実行される取引に関連する純利益、及びメディアアイテムに関連する取引の実行の結果として入札者との別の取引が生じる確率。値は、正味現価、割引料金、割引価値として表すことが可能である。入札者は、割引料金を個人的に調節することが可能である。
【１１５３】
実施形態では、入札者は、以下の１つ又は２つ以上に関連するデータアイテムを入力することが可能である：入札額、ユーザインタフェイス中のメディアアイテムの位置、ユーザインタフェイス中でのメディアアイテムの提示期間、ユーザインタフェイス中にメディアアイテムが配置された際にユーザが該メディアアイテムを見る確率、ユーザインタフェイス中にメディアアイテムが配置された際にユーザが該メディアアイテムと対話する確率、ユーザがメディアアイテムに関連する取引を実行する確率、及び入札者に対する取引価格。
【１１５４】
コンテンツの表示に関連する予測された期待値に少なくとも部分的に基づくコンテンツの提示についての入札のプロセスに関して上述したように、入札プロセスは、所与のコンテンツの表示に関連する予測される出来高に基づいて入札する機会を提示することが可能である。出来高概算設備は、入札額、ユーザインタフェイス中のメディアアイテムの位置、ユーザインタフェイス中でのメディアアイテムの提示期間、ユーザインタフェイス中にメディアアイテムが配置された際にユーザが該メディアアイテムを見る確率、ユーザインタフェイス中にメディアアイテムが配置された際にユーザが該メディアアイテムと対話する確率、ユーザがメディアアイテムに関連する取引を実行する確率からなるグループから選択された変数に関連する出来高計算に基づくものとすることが可能である。
【１１５５】
モバイル通信設備102は、金融取引等の取引を完了させるための口座に関連づけることが可能である。モバイル通信設備102は、該モバイル通信設備102を使用して購入その他の金融取引を行う際に使用すべき口座を一意に識別する情報を設定することが可能である。該情報は、口座番号、シリアル番号、口座番号のデータベースへのインデックス等とすることが可能である。該情報は、暗号化することが可能であり、又はその他の態様でモバイル通信設備102、データ設備118、又はデータベース若しくはデータ設備（例えば、ワイヤレス検索プラットフォーム100に関連するあらゆるデータベース又はデータ設備（但しこれらには限定されない））内にセキュアに格納することが可能である。該情報は、人又は金融サービス団体により管理される１つ又は２つ以上の口座にモバイル通信設備102を関連づけることが可能なものである。モバイル通信設備102を使用して行われた購入は、該モバイル通信設備102に関連するユーザの口座（例えばユーザの毎月の利用代金が請求される口座）に直接代金を請求することが可能である。モバイル通信設備102のユーザの口座に取引の代金を直接請求することにより、クレジットカード番号の入力をユーザに要求するといった取引中のステップをなくし、これにより取引を迅速に処理することが可能となる。
【１１５６】
この取引情報が、ユーザの口座を維持する金融サービス団体へ配信された際に、該金融サービス団体は、口座の状態または残高といった応答を提供することが可能である。該金融サービス団体へ提供される情報が、必要とされる受取人及び支払金額も含む場合には、該金融サービス団体は、該受取人に対して該金額の電子決済を行うことが可能である。該金融サービス団体は、支払いを行うための情報に一意の承認コード（PINコード等）が含まれていることを要求することが可能である。このようにして、モバイル通信設備102を介して完了した取引に関する支払いの実行等の金融取引を、該モバイル通信設備102を使用して行うことが可能である。
【１１５７】
モバイル通信設備102のユーザは、該モバイル通信設備102を介して様々な取引を様々な態様で行うことが可能である。購入、払い戻し、口座振替、及び請求書の支払い等を、モバイル通信設備102を介して電子的に行うことが可能である。モバイル通信設備102を使用した取引は、店頭のPINパッドでのクレジットカード取引に類似した特徴を含むことが可能である。一例として、口座情報、取引を行うためのユーザ権限、及び金融サービス団体に対するセキュアな通信を、別個の装置を必要とすることなくモバイル通信設備102において組み合わせることが可能である。口座情報は、モバイル通信設備102又は本書で説明したようなワイヤレス検索プラットフォーム100の他のデータベース若しくはデータ設備内に格納することが可能である。モバイル通信設備102は、口座情報、受取人情報、金額、及び（例えばユーザがモバイル通信設備102を介して入力した）ユーザ権限にアクセスすることが可能であり、及び取引記録番号を記録することが可能である。モバイル通信設備102は、かかる情報を組み合わせ、それを金融サービス団体へセキュアに送信して、支払いその他の受取人との金融取引を完了させることが可能である。金融サービス団体は、ワイヤレスプロバイダとすることが可能であり、又はワイヤレスプラットフォーム100に関連する他の何らかの団体とすることが可能である。ワイヤレスプロバイダは、受取人へ支払いを支給することが可能であり、及び取引に関連するユーザへの請求をワイヤレスキャリアの定例の支払請求サイクル（例えばユーザへ送付する月々の請求書）の一部として含めることが可能である。
【１１５８】
口座を維持している金融サービス団体への権限情報の配信は、様々な方法で行うことが可能である。
【１１５９】
ウェブブラウザを介して金融取引を行う場合、ユーザは、口座番号等の口座情報、名前及び住所等の識別情報、及びPINコード情報を、セキュアな支払ウェブぺージに入力することが可能である。モバイル通信設備102は、セキュアな支払ウェブぺージが該モバイル通信設備102へ配信された際に該モバイル通信設備102に該情報を自動的に入力させることをユーザが選択することができるように、前記情報の一部又は全てにアクセスすることが可能となっている。一例では、モバイル通信設備102は、口座情報及び識別情報を自動的に入力し、該口座情報に関連するPINコードを入力するようユーザに指示することが可能である。これは、モバイル通信設備102を使用して取引を行い該取引の支払いを行う便法を提供するものとなる。
【１１６０】
受取人、マーチャント、又はユーザが支払いを行う対象となる他の団体はまた、金融取引及び支払いを行うのに必要な情報を有するテキストメッセージをユーザから受信するよう構成することが可能である。テキストメッセージは、ユーザが書面による申し出に応じて提供するものに類似した情報を含むことが可能である。口座情報は、モバイル通信設備102のユーザが有効なPINコードを入力した際に該モバイル通信設備102によりテキストメッセージへ自動的に入力することが可能である。一例では、ユーザは、モバイル通信設備102のユーザインタフェイスを使用してテキストメッセージの送信を選択することが可能である。ユーザは、例えば、受取人情報を入力すること、モバイル通信設備102上に表示されたウェブページのアドレスフィールドから受取人情報を選択すること、受取人からのテキストメッセージに応答すること、及び受取人のリスト（アドレス帳又はディレクトリリスト等）から受取人を選択することが可能である。ユーザはまた、モバイル通信設備102の１つ又は２つ以上のユーザインタフェイス機能（メニュー選択、キーパッド上のキー、ボイスコマンド、及び本書に記載する他のユーザインタフェイス機能等）を介してテキストメッセージに含めるべき口座情報を選択することが可能である。ユーザは、モバイル通信設備102を使用して受取人へテキストメッセージを送信することが可能である。該受取人は次いで、その情報を処理して取引を完了させることが可能である。
【１１６１】
モバイル通信設備102を介して口座情報にアクセスするために、モバイル通信設備102のPINコードを入力するようユーザに指示することが可能である。該入力は、ボイスやタッチスクリーン等を含む（但しこれらには限定されない）本書に記載するモバイル通信設備102の任意のユーザインタフェイス機能を介したものとすることが可能である。このPINコードは、口座にアクセスするために必要なPINコードと同じでも異なるものでも良い。モバイル通信設備102のPINコードは、メニュー又はユーザにより入力されたコマンドにより設定し又は調整することが可能である。
【１１６２】
モバイル通信設備102は、ユーザが口座情報を用いて設定することが可能である。ユーザは、モバイル通信設備102のメニューを使用して情報を手作業で入力することが可能である。該情報は、識別情報、口座情報、金融団体情報（住所、電話、銀行支店コード、及び金融団体と金融取引を行うための他のあらゆる情報）を含むことが可能である。代替的に、ユーザは、モバイル通信設備102を使用して金融団体と接触し、該金融団体の登録設備を使用して該モバイル通信設備102へ金融団体情報を配信させることが可能である。該金融団体は、ワイヤレスプロバイダ、又はワイヤレスプラットフォーム100に関連する他の何らかの団体とすることが可能である。
【１１６３】
ユーザの口座及び金融団体情報を保護するための更なるセキュリティを提供するために、モバイル通信設備102は、ユーザの口座を識別するために金融団体にしか復号できない複数桁の英数字コード等の参照事項を維持することが可能である。かかるコードは、様々な方法を介してモバイル通信設備102へ金融団体によって提供することが可能であり、該方法には、E-mail、インスタントメッセージ、テキストメッセージ、ウェブページ、モバイルコンテンツ、ボイスメール、スポンサード通話、及び本書に記載のモバイル通信設備102へ情報を配信するための他の方法が含まれる（但しこれらには限定されない）。前記複数桁の英数字コードは、口座を使用したあらゆる取引を処理するために金融団体により要求することが可能なものである。金融団体は、ワイヤレスプロバイダ、又はワイヤレスプラットフォーム100に関連する他の何らかの団体とすることが可能である。
【１１６４】
モバイル通信設備102は、該モバイル通信設備102上に表示されているウェブページを介した取引の実行を、該ウェブページの支払情報に口座をリンクさせることにより、容易化することが可能である。ユーザは、モバイル通信設備102を使用してウェブサイトと対話して、購入のために、１つの製品もしくはサービス又は複数の製品もしくはサービス又はその両者を識別することが可能である。一例では、該ウェブサイトは、様々な支払オプション（モバイル通信設備102で使用するよう構成された１つ又は２つ以上のオプションを含む）をユーザに提案することが可能である。代替的に、モバイル通信設備102を介した支払いを容易化するよう該ウェブサイトを予め構成することが可能である。かかる支払オプションの１つは、ユーザが口座からの支払いのために金融団体へ送ることが可能なHTMLリンク等の参照事項を含むことが可能である。この例では、該HTMLリンクは、取引の支払いを完了させるために金融団体により使用することができる電子決済情報を含むことが可能である。モバイル通信設備102は、該リンクを電子決済リンクとして認識し、該リンクをユーザがアクティブにした際に、該取引を承認するためのPINコードを入力するよう該ユーザに指示することが可能となるように、構成することが可能である。次いで、該モバイル通信設備102は、該リンクからの電子決済情報、該モバイル通信設備102上に格納されているユーザ口座情報、及びユーザ承認コード（PINコード等）を金融団体へ提供して、支払いを実行することが可能である。該金融団体は、ワイヤレスプロバイダ、又はワイヤレスプラットフォーム100に関連する他の何らかの団体とすることが可能である。
【１１６５】
マーチャント又はウェブサイトが支払情報をモバイル通信設備102へ提供することが可能な一つの代替的な方法は、該支払情報を、テキストメッセージ、インスタントメッセージ、E-mail、電子FAX、又は本書に記載したモバイル通信設備102の他の通信能力を介して送信することを含むことが可能である。該モバイル通信設備102は、支払情報、口座情報、及び金融団体へ送信される他のあらゆる情報を暗号化することが可能である。この例は、ウェブサイトからの購入に関するものであるが、これは、口座に関連する取引のためのモバイル通信設備102の使用を限定し又は制限するものではない。モバイル通信設備102により行うことが可能な他のあらゆるタイプの取引が本開示に含まれる。
【１１６６】
モバイル通信設備102により完了された取引についての支払いを行う代替的な方法では、マーチャントが、支払請求を金融団体へ送ると共に、該請求への参照（例えば請求記録ロケータ）をモバイル通信設備102へ送ることが可能である。ユーザは、該記録ロケータに関する請求に対して支払いを行うことの承認として、該記録ロケータを口座情報及びユーザ権限と共に金融団体へ送ることが可能である。該金融団体は、ワイヤレスプロバイダ、又はワイヤレスプラットフォーム100に関連する他の何らかの団体とすることが可能である。
【１１６７】
モバイル通信設備102を用いて支払いを行う代替的な方法では、ユーザは、金融団体が未だ受け取っていない支払要求を承認したことを該金融団体へ通知する権限をモバイル通信設備102に与えることが可能である。一例として、ユーザは、受取人情報を受信して、口座から該受取人への支払いを承認するために必要な情報を金融サービス団体へ提供することが可能である。該受取人が金融サービス団体に接触して取引を実行した際に、該取引は既に承認されていることになる。該金融団体は、ワイヤレスプロバイダ、又はワイヤレスプラットフォーム100に関連する他の何らかの団体とすることが可能である。
【１１６８】
モバイル通信設備102と口座との関連づけは、該モバイル通信設備102の一意の特徴（シリアル番号等）にリンクさせることが可能である。代替的に、モバイル通信設備102は、該モバイル通信設備102の一意の特徴にリンクされていない情報を収容し又は該情報にアクセスして、該情報をモバイル通信設備102間で転送できるようにすることが可能である。かかる構成では、ユーザは、PINコードを提供して、口座情報がアクセスされ又は送信されるのを許可する必要がある。
【１１６９】
ワイヤレスプロバイダ108は、モバイル通信設備102を使用して口座に関連する取引を行うたびに該モバイル通信設備102のユーザに料金を課すことが可能である。代替的に、ワイヤレスプロバイダ108は、所定数の取引（例えば無制限の取引数）についての月額料金といった加入料を徴収することが可能である。ワイヤレスプロバイダは、料金を取引数に関連づける（取引数に基づく可変料金を含む）様々な加入料を提供することが可能である。該料金は、取引の特徴（取引量、受取人、及び金融サービス団体等を含む）に少なくとも部分的に基づくものとすることが可能である。取引に関連する料金は、他のワイヤレスプロバイダ108のサービス又はモバイル通信設備102に関連する活動についての請求に含めることが可能である。該請求は、月々の請求等の定期的な請求とすることが可能である。
【１１７０】
ユーザは、月々の（又は他の頻度の）請求をモバイル通信設備102に関連する口座により支払うよう選択することが可能である。かかる選択は、料金の減額や所与の加入料についての取引数の増加といった幾つかの利益をユーザに提供することが可能である。ユーザは、モバイル通信設備102を使用して、該モバイル通信設備102に関連する口座を用いた取引を行って、該モバイル通信設備102に関連する活動についての請求の支払いを行うことが可能である。
【１１７１】
実施形態では、検索エンジンによる１つの統合された結果セットにおいてWAP及びウェブ結果（URL）のインデクシング、検索、及び表示を行うための方法及びシステムを提供することが可能である。この場合、検索結果ページは、モバイル通信設備に関する情報を含む（但しこれには限定されない）因子に基づく、WAP URLのみ、ウェブURLのみ、又はその両者の組み合わせから構成することが可能な、単一の統合された結果セットを提供することが可能である。WAP URL及びウェブURLの順序及びブレンドは、検索クエリの発信元となるモバイル通信設備に関する情報に少なくとも部分的に基づくものとすることが可能である。個々の検索結果は、検索結果ページ上でWAP又はウェブとして識別することが可能である。
【１１７２】
実施形態では、モバイル通信設備のボイス捕捉能力に基づいてユーザにより生成されたコンテンツの受容、変換、及び格納を行うための方法及びシステムを提供することが可能である。該捕捉されたボイスデータは、オーディオとして格納することが可能であり、又は、モバイル通信設備、ネットワーク、又は他の何らかの因子の能力に基づいてテキストへと変換することが可能である。該データの変換及び格納は、クライアントモバイル通信設備又はネットワークベースのサーバの何れかで行うことが可能である。捕捉されたレビューデータは、あらゆる１つのURL、一組のURLに関連づけることが可能であり、又はモバイル通信設備のユーザに対して表示されるメタデータを提供することが可能である。変換されたテキストベースのデータ及びそれに関連づけられた１つ又は２つ以上のURL又はメタデータは、モバイル通信設備、サーバ、又はワイヤレスプラットフォーム上の検索アプリケーションに対して利用可能とすることが可能である。
【１１７３】
実施形態では、WAPサイトとウェブサイトとの間のやりとりのアルゴリズム上及び編集上の検出のための方法及びシステムを提供することが可能である。該方法及びシステムは、インデックス付きWAPサイト及び／又はURLに関連づけされたあらゆるウェブサイト及び／又はURLを識別することが可能であり、この関係を使用してWAPサイト及び／又はURLについてのメタデータを強化することが可能である。ウェブサイト／URLから取得される情報及びそれに関連するWAPサイト／URLを支援する情報は、ウェブページテキスト、アンカーテキスト、タイトル、ページの説明、又は他の何らかの情報を含むことが可能である。次いで、この更なる情報を使用してモバイル検索クエリと対応するWAP URLとの関連性の計算を助けることが可能である。このシステムはまた、ウェブリンク構造の解析を使用して、WAPサイトのクロールから導出されたあらゆるリンク構造を増補し及び修正することが可能である。
【１１７４】
実施形態では、モバイル装置の用法のアクセス、解析、及び適用を行ってソーシャルネットワーク内の関係を生成し改善するための方法及びシステムを提供することが可能である。該システムは、モバイル通信設備上でのユーザ固有の使用パターン（着信通話、発信通話、電話帳、又はその他の情報を含む（但しこれらには限定されない））にアクセスして、新たな関係を確立し、及びソーシャルネットワーキングアプリケーションにおける既存の関係の強度を増大させるすることが可能である。該情報は、モバイル通信設備のユーザ及び／又はモバイルオペレータにより定義されたルールに基づいてアクセスし、格納し、及び共有することが可能である。
【１１７５】
特定の好適な実施形態に関して本発明を説明したが、他の実施形態が当業者には理解され、及び全てのかかる変形、修正、及び置換を本開示の範囲内に含めることが意図されている。よって、本発明は、法律により許可される最も広い意味で解釈されるべきものである特許請求の範囲を参照することにより理解されるべきである。
【図１】
2010508592.tif 000003
【図２】
2010508592.tif 000004
【図３】
2010508592.tif 000005
【図４】
2010508592.tif 000006
【図５】
2010508592.tif 000007
【図６】
2010508592.tif 000008
【図７Ａ】
2010508592.tif 000009
【図７Ｂ】
2010508592.tif 000010
【図７Ｃ】
2010508592.tif 000011
【図８Ａ】
2010508592.tif 000012
【図８Ｂ】
2010508592.tif 000013
【図８Ｃ】
2010508592.tif 000014
【図９】
2010508592.tif 000015
【図１０】
2010508592.tif 000016
【図１１】
2010508592.tif 000017
【図１２】
2010508592.tif 000018
【図１３】
2010508592.tif 000019
【図１４】
2010508592.tif 000020
【図１５】
2010508592.tif 000021
【図１６】
2010508592.tif 000022
【図１７】
2010508592.tif 000023
【図１８】
2010508592.tif 000024
【図１９】
2010508592.tif 000025
【図２０】
2010508592.tif 000026
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
モバイルコンテンツの再検討を行い、該再検討が、アルゴリズム上の再検討と編集上の再検討との組み合わせにより再検討されたモバイルコンテンツを生成するものであり、
該再検討されたモバイルコンテンツに関する情報に少なくとも部分的に基づいて検索クエリの関連性を判定し、
該関連性に少なくとも部分的に基づいて前記再検討されたモバイルコンテンツをモバイル通信設備上に提示する、
という各ステップを含む方法。
【請求項２】
前記編集上の再検討が、コンテンツタイプのカテゴライズを含む、請求項１に記載の方法。
【請求項３】
前記編集上の再検討が、前記モバイルコンテンツをブラックリストに載せることを含む、請求項１に記載の方法。
【請求項４】
前記編集上の再検討が、前記モバイルコンテンツをホワイトリストに載せることを含む、請求項１に記載の方法。
【請求項５】
前記編集上の再検討が、前記モバイルコンテンツ内の不要な分岐を除去する、請求項１に記載の方法。
【請求項６】
前記編集上の再検討が、前記モバイルコンテンツの妥当性をチェックすることを含む、請求項１に記載の方法。
【請求項７】
前記編集上の再検討が、少なくとも所定の判定基準に基づいてキーワード関連性を増大させることを含む、請求項１に記載の方法。
【請求項８】
前記判定基準が地理的なロケーションである、請求項７に記載の方法。
【請求項９】
前記判定基準がキーワードの組み合わせである、請求項７に記載の方法。
【請求項１０】
前記アルゴリズム上の再検討が、ウェブサイトコンテンツの再検討を含む、請求項１に記載の方法。
【請求項１１】
前記アルゴリズム上の再検討が、前記モバイルコンテンツのリンク構造の再検討を含む、請求項１に記載の方法。
【請求項１２】
前記アルゴリズム上の再検討が、前記モバイルコンテンツに関連するメタデータの再検討を含む、請求項１に記載の方法。
【請求項１３】
前記モバイルコンテンツがウェブサイトである、請求項１に記載の方法。
【請求項１４】
前記関連性がスコアである、請求項１に記載の方法。
【請求項１５】
前記再検討が、編集上の再検討とアルゴリズム上の再検討との組み合わせである、請求項１に記載の方法。
【国際調査報告】
2010508592.tif 000027